(57)【特許請求の範囲】
【請求項１】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域のそれぞれに導出された表示結果の組み合わせに応じて入賞が発生可能とされたスロットマシンであって、
少なくともいずれかの可変表示領域に表示結果が導出される前に、遊技者にとって有利な特別遊技状態への移行を伴う特別入賞を含む複数種類の入賞について発生を許容するか否かを決定する事前決定手段と、
前記事前決定手段の決定結果に応じて前記可変表示領域に表示結果を導出させる制御を行う導出制御手段と、
前記複数の可変表示領域の全てに表示結果が導出された時点で、有効ラインと無効ラインとを含む複数のラインのうち前記有効ラインに揃った図柄の組み合わせに基づいて入賞が発生したか否かを判定する手段であり、前記有効ラインに特別入賞図柄の組み合わせが揃ったときに前記特別入賞が発生したことを判定する入賞判定手段と、
前記有効ラインに前記特別入賞図柄が聴牌した場合に聴牌報知を行う第１の聴牌報知手段と、
前記有効ラインに前記特別入賞図柄が聴牌していない場合であって、前記無効ラインに前記特別入賞図柄が聴牌した場合に、前記第１の聴牌報知手段による前記有効ラインに前記特別入賞図柄が聴牌した場合の前記聴牌報知と同一の報知態様で聴牌報知を行う第２の聴牌報知手段と、
を備える
ことを特徴とするスロットマシン。
【発明の詳細な説明】
【技術分野】
【０００１】
本発明は、各々が識別可能な複数種類の識別情報を変動表示可能な可変表示装置の表示結果に応じて所定の入賞が発生可能なスロットマシンに関する。
【背景技術】
【０００２】
スロットマシンは、一般に、外周部に識別情報としての複数種類の図柄が描かれた複数（通常は３つ）のリールを有する可変表示装置を備えており、各リールは、遊技者がスタートレバーを操作することにより回転を開始し、遊技者が各リールに対応して設けられた停止ボタンを操作することにより回転を停止する。そして、全てのリールの回転を停止したときに入賞ライン上に予め定められた入賞図柄の組み合わせ（例えば、７−７−７、以下図柄の組み合わせを役とも呼ぶ）が揃ったことによって入賞が発生する。
【０００３】
この種のスロットマシンでは、通常、複数の入賞ラインが定められており、そのいずれの入賞ラインに入賞図柄の組み合わせが揃っても入賞となるが、最近では、図柄の組み合わせが揃った際に入賞の判定対象となる有効ラインと、図柄の組み合わせが揃っても入賞の判定対象とならない無効ラインと、を定めて、有効ラインに入賞図柄の組み合わせが揃って入賞が発生する場合に、無効ラインにも装飾用の図柄の組み合わせが揃うように制御することにより、入賞が発生したことを容易に視認できるようにしたスロットマシンが提案されている（例えば、特許文献１参照）。
【０００４】
また、この種のスロットマシンでは、複数のリールのうちいずれか１つのリールを除いて表示結果が導出された時点で、入賞ラインに揃うことで遊技者にとって有利な特別入賞が発生することとなる特別入賞図柄が聴牌した場合に、その旨を報知することで、特別入賞が発生することに対する期待感を高めるようにしたスロットマシンが提案されている（例えば、特許文献２参照）。
【０００５】
【特許文献１】特開２００６−３０５０６１号公報
【特許文献２】特開２００１−３１００１８号公報
【発明の開示】
【発明が解決しようとする課題】
【０００６】
特許文献１に記載されたスロットマシンのように、有効ラインと無効ラインとを備え、有効ラインに入賞図柄の組み合わせが揃って入賞が発生する場合に、無効ラインにも装飾用の図柄の組み合わせが揃うようにしたものにおいては、装飾用の図柄の組み合わせが揃うことによって入賞の発生をアピールするが、特許文献２のように聴牌報知を行う場合には、例え、１つのリールを除いて表示結果が導出された時点で装飾用の図柄が聴牌していても、特別入賞図柄が有効ラインに聴牌していなければ聴牌報知が行われることがなく、装飾用の図柄が無効ラインに聴牌している場合など、見た目上は特別入賞が期待できても聴牌報知が行われないことによって特別入賞の発生を期待させることができなくなってしまうという問題があった。
【０００７】
本発明は、このような問題点に着目してなされたものであり、無効ラインに停止した図柄によって特別入賞の発生に対する期待感を確実に高めることができるスロットマシンを提供することを目的とする。
【課題を解決するための手段】
【０００８】
上記課題を解決するために、本発明の請求項１に記載のスロットマシンは、
各々が識別可能な複数種類の図柄を変動表示可能な複数の可変表示領域（リール２Ｌ、２Ｃ、２Ｒの表示領域）のそれぞれに表示結果を導出させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに前記表示結果が導出されることにより１ゲームが終了し、１ゲームの結果として前記複数の可変表示領域（リール２Ｌ、２Ｃ、２Ｒの表示領域）のそれぞれに導出された表示結果の組み合わせに応じて入賞が発生可能とされたスロットマシン（スロットマシン１）であって、
少なくともいずれかの可変表示領域（リール２Ｌ、２Ｃ、２Ｒの表示領域）に表示結果が導出される前に、遊技者にとって有利な特別遊技状態（ビッグボーナス）への移行を伴う特別入賞（ビッグボーナス（１）〜（３））を含む複数種類の入賞について発生を許容するか否かを決定する事前決定手段と、
前記事前決定手段の決定結果に応じて前記可変表示領域（リール２Ｌ、２Ｃ、２Ｒの表示領域）に表示結果を導出させる制御を行う導出制御手段と、
前記複数の可変表示領域（リール２Ｌ、２Ｃ、２Ｒの表示領域）の全てに表示結果が導出された時点で、有効ライン（入賞ラインＬ１〜Ｌ６）と無効ライン（仮想入賞ラインＬｖ）とを含む複数のラインのうち前記有効ライン（入賞ラインＬ１〜Ｌ６）に停止した図柄の組み合わせに基づいて入賞が発生したか否かを判定する手段であり、前記有効ライン（入賞ラインＬ１〜Ｌ６）に特別入賞図柄の組み合わせ（赤７−赤７−赤７、青７−青７−青７、白７−白７−白７）が揃ったときに前記特別入賞（ビッグボーナス（１）〜（３））が発生したことを判定する入賞判定手段と、
前記有効ライン（入賞ラインＬ１〜Ｌ６）に前記特別入賞図柄が聴牌した場合に聴牌報知（聴牌音の出力）を行う第１の聴牌報知手段と、
前記有効ライン（入賞ラインＬ１〜Ｌ６）に前記特別入賞図柄が聴牌していない場合であって、前記無効ライン（仮想入賞ラインＬｖ）に前記特別入賞図柄が聴牌した場合に、前記第１の聴牌報知手段による前記有効ラインに前記特別入賞図柄が聴牌した場合の前記聴牌報知と同一の報知態様で聴牌報知（聴牌音の出力）を行う第２の聴牌報知手段と、
を備える
ことを特徴としている。
この特徴によれば、有効ラインに特別入賞図柄が聴牌した場合に聴牌報知が行われるため、聴牌報知によって特別入賞が発生することに対する遊技者の期待感を高めることができる。また、有効ラインに特別入賞図柄が聴牌していない場合であっても、無効ラインに特別入賞図柄が聴牌した場合には、聴牌報知が行われるので、無効ラインに特別入賞図柄が聴牌した場合、すなわち特別入賞が発生した際の表示態様と類似する表示態様となる可能性がある場合にも特別入賞の発生に対する遊技者の期待感を確実に高めることができる。
【０００９】
本発明の手段１に記載のスロットマシンは、請求項１に記載のスロットマシンであって、
前記導出制御手段は、前記事前決定手段により前記特別入賞（ビッグボーナス（１）〜（３））の発生を許容する旨の決定がなされていることを条件に、前記特別入賞図柄の組み合わせ（赤７−赤７−赤７、青７−青７−青７、白７−白７−白７）を前記無効ライン（仮想入賞ラインＬｖ）に揃える制御を行う無効ライン特別入賞図柄導出制御手段を含む
ことを特徴としている。
この特徴によれば、特別入賞図柄の組み合わせが揃った際に、特別入賞が発生しなかった場合でも、特別入賞の発生が許容されていることが示唆されるため、無効ラインに特別入賞図柄が聴牌した場合に聴牌報知が行われることにより、特別入賞の発生に対する遊技者の期待感を効果的に高めることができる。
【００１０】
本発明の手段２に記載のスロットマシンは、
各々が識別可能な複数種類の図柄を変動表示可能な複数の可変表示領域（リール２Ｌ、２Ｃ、２Ｒの表示領域）のそれぞれに表示結果を導出表示させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒの表示領域）の全てに表示結果が導出表示されたことにより１ゲームが終了し、前記複数の可変表示領域（リール２Ｌ、２Ｃ、２Ｒの表示領域）に導出表示された表示結果の組み合わせに応じて入賞が発生可能とされたスロットマシン（スロットマシン１）であって、
少なくともいずれかの可変表示領域（リール２Ｌ、２Ｃ、２Ｒの表示領域）に表示結果が導出される前に、遊技者にとって有利な特別遊技状態（ビッグボーナス）への移行を伴う特別入賞（ビッグボーナス（６）〜（９））を含む複数種類の入賞について発生を許容するか否かを決定する事前決定手段と、
前記事前決定手段の決定結果に応じて前記可変表示領域（リール２Ｌ、２Ｃ、２Ｒの表示領域）に表示結果を導出させる制御を行う導出制御手段と、
前記複数の可変表示領域（リール２Ｌ、２Ｃ、２Ｒの表示領域）の全てに表示結果が導出された時点で、有効ライン（入賞ラインＬ）と無効ライン（仮想入賞ラインＬｖ１〜Ｌｖ４）とを含む複数のラインのうち前記有効ライン（入賞ラインＬ）に停止した図柄の組み合わせに基づいて入賞が発生したか否かを判定する手段であり、前記有効ライン（入賞ラインＬ）に特別入賞図柄の組み合わせ（スイカ−赤７−赤チェリー）が揃ったときに前記特別入賞（ビッグボーナス（６））が発生したことを判定する入賞判定手段と、
前記有効ライン（入賞ラインＬ）に前記特別入賞図柄が聴牌した場合に聴牌報知（聴牌音の出力）を行う聴牌報知手段と、
前記導出制御手段は、前記特別入賞（ビッグボーナス（６））の発生を許容する旨が決定されている場合に、前記有効ライン（入賞ラインＬ）に前記特別入賞図柄の組み合わせ（スイカ−赤７−赤チェリー）が揃い、かつ前記無効ライン（仮想入賞ラインＬｖ１〜Ｌｖ４）に代替図柄の組み合わせ（赤７−赤７−赤７）が揃う特別表示結果を前記可変表示領域（リール２Ｌ、２Ｃ、２Ｒの表示領域）に導出させる制御を行う特別入賞導出制御手段を含み、
前記聴牌報知手段は、前記有効ライン（入賞ラインＬ）に前記特別入賞図柄が聴牌していない場合にも、前記無効ライン（仮想入賞ラインＬｖ１〜Ｌｖ４）に前記代替図柄が聴牌した場合には、前記聴牌報知（聴牌音の出力）を行う
ことを特徴としている。
この特徴によれば、特別入賞図柄の組み合わせが有効ラインに揃って特別入賞が発生した際に、無効ライン上に代替図柄の組み合わせを停止させることにより、代替図柄の組み合わせが無効ライン上に揃ったことで特別入賞が発生したように見せることが可能となる。
また、有効ラインに特別入賞図柄が聴牌した場合に聴牌報知が行われるため、聴牌報知によって特別入賞が発生することに対する遊技者の期待感を高めることができる。また、有効ラインに特別入賞図柄が聴牌していない場合であっても、無効ラインに代替図柄が聴牌した場合には、聴牌報知が行われるので、特別入賞が発生する際に無効ラインに揃うことによって遊技者から見て特別入賞が発生することとなる代替図柄が無効ラインに聴牌した場合に、特別入賞の発生に対する遊技者の期待感を確実に高めることができる。
また、前記聴牌報知手段は、前記有効ラインに前記特別入賞図柄が聴牌していない場合に、前記有効ラインに前記代替図柄が聴牌した場合にも、前記聴牌報知を行うことが好ましく、この場合においても、特別入賞が発生する際に無効ラインに揃うことによって遊技者から見て特別入賞が発生することとなる代替図柄が有効ラインに聴牌した場合に、特別入賞の発生に対する遊技者の期待感を確実に高めることができる。尚、この場合には、有効ラインが一直線上の図柄を通るものなど、遊技者から見て分かりやすい有効ラインであることが好ましい。これは、遊技者から見て分かりにくい有効ラインに代替図柄が聴牌した際に聴牌報知が行われることによって、見た目上特別入賞の発生が期待できない状態で聴牌報知が行われることとなり、聴牌報知によって特別入賞の発生に対する遊技者の期待感を十分に高めることができなくなってしまうからである。
【００１１】
尚、請求項１、手段２において所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、請求項１、手段２において有効ライン、無効ラインとは、全ての可変表示領域を通るラインであり、一直線に並ぶ図柄を通るラインであっても良いし、一直線とはならない位置に並ぶ図柄を通るラインであっても良い。
また、請求項１、手段２において特別入賞図柄の組み合わせとは、同一図柄の組み合わせであっても良いし、異なる図柄を含む図柄の組み合わせであっても良い。また、請求項２において代替図柄の組み合わせについても、同一図柄の組み合わせであっても良いし、異なる図柄を含む図柄の組み合わせであっても良い。
また、請求項１、手段２において有効ラインに特別入賞図柄が聴牌するとは、特別入賞の発生を許容する旨が決定されているか否かに関わらず、すなわち最終的に特別入賞図柄の組み合わせを有効ラインに揃える制御が行われるか否かに関わらず、複数の可変表示領域のうちいずれか１つの可変表示領域を除いて表示結果が導出された時点で、有効ラインに特別入賞図柄が停止することであり、未だ変動中の可変表示領域に表示結果が導出された際に、導出済みの可変表示領域において特別入賞図柄が停止した有効ラインに特別入賞図柄が停止することで、特別入賞図柄の組み合わせが揃う可能性のある状態である。例えば、３つの可変表示領域からなり、特別入賞図柄の組み合わせが「７−７−７」とした場合には、特別入賞の発生を許容する旨が決定されているか否かに関わらず、いずれか２つの可変表示領域に表示結果が導出された時点で、それぞれ「７」が有効ラインに停止することである。
また、同様に、請求項１において無効ラインに特別入賞図柄が聴牌するとは、最終的に特別入賞図柄の組み合わせを無効ラインに揃える制御が行われるか否かに関わらず、複数の可変表示領域のうちいずれか１つの可変表示領域を除いて表示結果が導出された時点で、無効ラインに特別入賞図柄が停止することであり、手段２において無効ラインに代替図柄が聴牌するとは、最終的に代替図柄の組み合わせを無効ラインに揃える制御が行われるか否かに関わらず、複数の可変表示領域のうちいずれか１つの可変表示領域を除いて表示結果が導出された時点で、無効ラインに代替図柄が停止することである。
【００１２】
本発明の手段３に記載のスロットマシンは、手段２に記載のスロットマシンであって、
前記入賞判定手段が前記特別入賞（ビッグボーナス（６））の発生を判定し、かつ前記無効ライン（仮想入賞ラインＬｖ１〜Ｌｖ４）に前記代替図柄の組み合わせ（赤７−赤７−赤７）が停止している場合に、該無効ライン（仮想入賞ラインＬｖ１〜Ｌｖ４）に揃った代替図柄の組み合わせ（赤７−赤７−赤７）に対して入賞が発生した旨を示す入賞演出（リールＬＥＤ５５による仮想入賞報知演出）を実行する入賞演出手段を備える
ことを特徴としている。
この特徴によれば、特別入賞図柄の組み合わせが有効ラインに揃って特別入賞が発生した際に、無効ライン上に停止した代替図柄の組み合わせに対して入賞報知が行われるので、有効ラインに揃った特別入賞図柄の組み合わせではなく、無効ライン上に揃った代替図柄の組み合わせを際だたせることが可能となり、代替図柄の組み合わせが無効ライン上に停止したことに対して遊技者の注目を向けることができる。
【００１３】
本発明の手段４に記載のスロットマシンは、手段２または手段３に記載のスロットマシンであって、
前記導出制御手段は、前記事前決定手段により前記特別入賞（ビッグボーナス（６）〜（９））の発生を許容する旨の決定がなされていることを条件に、前記有効ライン（入賞ラインＬ１）に前記特別入賞図柄の組み合わせ（スイカ−赤７−赤チェリー）が揃わず、かつ前記無効ライン（仮想入賞ラインＬｖ１〜Ｌｖ４）に代替図柄の組み合わせ（赤７−赤７−赤７）が揃う特殊表示結果を前記可変表示領域に導出させる制御を行う特殊導出制御手段を含む
ことを特徴としている。
この特徴によれば、無効ラインに代替図柄の組み合わせが揃った際に、特別入賞が発生しなかった場合でも、特別入賞の発生が許容されていることが示唆されるため、無効ラインに代替図柄が聴牌した場合に聴牌報知が行われることにより、特別入賞の発生に対する遊技者の期待感を効果的に高めることができる。
【００１４】
本発明の手段５に記載のスロットマシンは、手段２または手段３に記載のスロットマシンであって、
前記入賞判定手段は、前記有効ライン（入賞ラインＬ）に前記特別入賞図柄の組み合わせ（スイカ−赤７−赤チェリー）とは異なる所定入賞図柄の組み合わせ（リプレイ−赤７−プラム）が揃ったときに所定入賞（リプレイ（４））が発生したことを判定し、
前記導出制御手段は、前記所定入賞の発生を許容する旨が決定されている場合に、前記有効ライン（入賞ラインＬ）に前記所定入賞図柄の組み合わせ（リプレイ−赤７−プラム）が揃い、かつ前記無効ライン（仮想入賞ラインＬｖ１〜Ｌｖ４）に前記代替図柄の組み合わせ（赤７−赤７−赤７）が揃う所定表示結果を前記可変表示領域（リール２Ｌ、２Ｃ、２Ｒの表示領域）に導出させる制御を行う所定入賞導出制御手段を含む
ことを特徴としている。
この特徴によれば、特別入賞が発生した場合においても所定入賞が発生した場合においても、無効ライン上には共通の代替図柄の組み合わせが揃うこととなるため、同じ代替図柄の組み合わせが無効ラインに停止した場合でも、実際に発生した入賞によって付与される価値が異なることとなるので、ゲームの結果に意外性を持たせることができる。
【００１５】
本発明の手段６に記載のスロットマシンは、請求項１または手段１〜５のいずれかに記載のスロットマシンであって、
少なくとも一部の領域が透過色の画像を表示することにより透過状態となり、前記複数の可変表示領域（リール２Ｌ、２Ｃ、２Ｒの表示領域）のうち少なくとも前記有効ライン上に位置する領域が透過して遊技者に示される透過領域として該複数の可変表示領域（リール２Ｌ、２Ｃ、２Ｒの表示領域）の前面に配置された画像表示装置（液晶表示器５１）と、
前記画像表示装置（液晶表示器５１）への画像の表示による演出の実行を制御し、該画像表示装置（液晶表示器５１）に画像を表示させる演出制御手段と、
を備え、
前記演出制御手段は、前記可変表示領域の変動中に該可変表示領域のうち前記有効ライン（入賞ラインＬ）上に位置しない領域に画像を表示して演出を行う無効領域画像演出制御手段を含む
ことを特徴としている。
この特徴によれば、変動中の可変表示領域の手前側に画像を表示して演出をすることで、インパクトのある演出を行える一方、変動中の可変表示領域の手前側に画像が表示される領域が有効ライン上に位置しない領域、すなわち入賞判定の対象とならない領域であるため、少なくとも可変表示領域において入賞判定の対象となる領域の図柄の視認性が確保されることとなり、ゲームの進行に影響を与えることがない。
【００１６】
本発明の手段７に記載のスロットマシンは、請求項１または手段１〜６のいずれかに記載のスロットマシンであって、
遊技者所有の遊技用価値（クレジット：遊技者所有のメダル数）を記憶する遊技用価値記憶手段（ＲＡＭ４１ｃに割り当てられたクレジットカウンタ）と、
少なくとも前記遊技用価値記憶手段に記憶されている遊技用価値（クレジット）を用いて賭数を設定する賭数設定手段と、
所定の遊技用価値返却操作手段（精算スイッチ１０）の操作に応じて前記遊技用価値記憶手段に記憶されている遊技用価値（クレジット）を返却させる遊技用価値返却制御（クレジットの精算処理）を行う遊技用価値返却制御手段と、
所定条件（特別役の入賞、連続演出の開始）の成立に基づいて、１ゲームを超えて連続遊技効果音（ＢＧＭ）を継続して出音する制御を行う出音制御手段（サブ制御部９１による出音制御）と、
前記出音制御手段が通常音量にて連続遊技効果音（ＢＧＭ）を出音している状態において、前記ゲームが終了した後、賭数の設定がなされずに所定時間（３０秒）が経過したときに、前記スロットマシンから出力される効果音の音量を下げる制御を行う音量低減制御手段（サブ制御部９１による消音制御）と、
を備え、
前記音量低減制御手段は、前記出音制御手段が前記通常音量にて連続遊技効果音（ＢＧＭ）を出音している状態で、前記遊技用価値返却制御手段による遊技用価値返却制御（クレジットの精算処理）が実行されたときにも、前記スロットマシンから出力される効果音の音量を下げる制御を行う
ことを特徴としている。
この特徴によれば、連続遊技効果音が通常音量で出音されている状態で、前回のゲームが終了してから賭数の設定がなされないまま所定時間が経過した場合、すなわち、前回のゲームが終了してからゲームの進行に関わる操作がなされない状態が所定時間継続した場合だけでなく、遊技者による遊技用価値返却操作手段の操作に応じて遊技用価値返却制御が行われることでもスロットマシンから出力される効果音の音量が下がる。すなわち、連続遊技効果音が通常音量で出音されている状態では、前回のゲームが終了してから所定時間が経過する前であっても、遊技者の意思によりスロットマシンから出力される効果音の音量を下げることができるため、遊技を中断しても周囲の遊技者に迷惑をかけることがない。
【００１７】
本発明の手段８に記載のスロットマシンは、請求項１または手段１〜７のいずれかに記載のスロットマシンであって、
設定された賭数を記憶する賭数記憶手段（ＲＡＭ４１ｃに割り当てられたＢＥＴカウンタ）と、
所定の賭数返却操作手段（精算スイッチ１０）の操作に応じて前記賭数記憶手段に記憶されている賭数に相当する遊技用価値を返却させる賭数返却制御（賭数の精算処理）を行う賭数返却制御手段と、
所定条件（特別役の入賞、連続演出の開始）の成立に基づいて、１ゲームを超えて連続遊技効果音（ＢＧＭ）を継続して出音する制御を行う出音制御手段（サブ制御部９１による出音制御）と、
前記出音制御手段が通常音量にて連続遊技効果音（ＢＧＭ）を出音している状態において、前記ゲームが終了した後、賭数の設定がなされずに所定時間（３０秒）が経過したときに、前記スロットマシンから出力される効果音の音量を下げる制御を行う音量低減制御手段（サブ制御部９１による消音制御）と、
を備え、
前記音量低減制御手段は、前記出音制御手段が前記通常音量にて連続遊技効果音（ＢＧＭ）を出音している状態で、で前記賭数返却制御手段による賭数返却制御（賭数の精算処理）が実行されたときにも、前記スロットマシンから出力される効果音の音量を下げる制御を行う
ことを特徴としている。
この特徴によれば、連続遊技効果音が通常音量で出音されている状態で、前回のゲームが終了してから賭数の設定がなされないまま所定時間が経過した場合、すなわち、前回のゲームが終了してからゲームの進行に関わる操作がなされない状態が所定時間継続した場合だけでなく、遊技者による賭数返却操作手段の操作に応じて賭数返却制御が行われることでもスロットマシンから出力される効果音の音量が下がる。すなわち、連続遊技効果音が通常音量で出音されている状態では、前回のゲームが終了してから所定時間が経過する前であっても、遊技者の意思によりスロットマシンから出力される効果音の音量を下げることができるため、遊技を中断しても周囲の遊技者に迷惑をかけることがない。
【００１８】
尚、手段７、８において、前記ゲームが終了とは、前記可変表示領域の全てに表示結果が導出されたとき、あるいは遊技用価値の付与を伴う入賞が発生した場合には該入賞に応じた遊技用価値の付与が終了したとき等、ゲームの終了に起因したタイミングを含む。
また、手段７、８において、１ゲームを超えて連続遊技効果音を継続して出音するとは、例えばゲーム中に出音を開始してから、当該ゲームが終了した後も継続して連続遊技効果音を出音することであり、１ゲームが終了した後、次以降のゲームが開始されるまでの間継続して出音するもの、つまり複数ゲームにわたり継続して出音するもののみに限定されるものではなく、１ゲームが終了した後、少なくとも次ゲームが開始可能な状態となるまでの間（所定数の賭数が設定されるまでの間）継続して出音するもの等も含まれる。
また、手段７、８において、スロットマシンから出力される効果音の音量を下げる制御とは、スロットマシンから出力される効果音の音量のレベルを通常のレベルよりも下げる制御であっても良いし、完全に消音する制御であっても良い。さらに現在出力されている効果音を停止し、それよりも出力音量の低い効果音を出力する制御であっても良い。
【００１９】
本発明の手段９に記載のスロットマシンは、請求項１または手段１〜８のいずれかに記載のスロットマシンであって、
ゲームの制御を行う遊技制御手段（メイン制御部４１）を搭載した遊技制御基板（遊技制御基板４０）と、
ゲームの進行に関わる信号を出力する第１の電子部品と遊技の進行に関わる信号が入力される第２の電子部品とのうち少なくとも一方を含む遊技用電子部品（投入メダルセンサ３１）と、
コネクタ（基板側コネクタ６２０ａとケーブル側コネクタ６１０ａ／基板側コネクタ６２１ａとケーブル側コネクタ６１１ａ／基板側コネクタ６２２ｇとケーブル側コネクタ６１２ｇ）同士での接続により着脱可能に前記遊技用電子部品（投入メダルセンサ３１）と前記遊技制御基板（遊技制御基板４０）との間に設けられ、前記遊技用電子部品（投入メダルセンサ３１）と前記遊技制御基板（遊技制御基板４０）とを電気的に接続するための配線（ケーブル６００ａ、６０１ｇ）と、
前記配線とコネクタ（基板側コネクタ６２１ａとケーブル側コネクタ６１１ａ／基板側コネクタ６２２ｇとケーブル側コネクタ６１２ｇ）同士で接続され、前記遊技用電子部品（投入メダルセンサ３１）と前記遊技制御基板（遊技制御基板４０）との間での信号の入出力を中継する中継基板（操作部中継基板１１０）と、
前記遊技用電子部品（投入メダルセンサ３１）と前記遊技制御基板（遊技制御基板４０）との間における前記配線上のコネクタ同士での接続を、該コネクタ同士での接続に関わる解除規制部位を破壊しない限り、解除不能とする接続解除規制状態を形成する電子部品接続解除規制手段（コネクタ規制部材５００ａ、６５０）と、
を備え、
前記電子部品接続解除規制手段は、
前記遊技制御基板（遊技制御基板４０）と前記中継基板（操作部中継基板１１０）との間における前記配線（ケーブル６００ａ）のコネクタ（基板側コネクタ６２０ａとケーブル側コネクタ６１０ａ／基板側コネクタ６２１ａとケーブル側コネクタ６１１ａ）同士での接続を解除不能とする第１の電子部品接続解除規制手段（コネクタ規制部材５００、６５０）と、
前記中継基板（操作部中継基板１１０）と前記遊技用電子部品（投入メダルセンサ３１）との間における前記配線（ケーブル６０１ｇ）のコネクタ（基板側コネクタ６２２ｇとケーブル側コネクタ６１２ｇ）同士での接続を解除不能とする第２の電子部品接続解除規制手段（コネクタ規制部材６６０）と、
を含む
ことを特徴としている。
この特徴によれば、遊技制御基板と中継基板との間における配線のコネクタだけでなく、中継基板と遊技用電子部品との間における配線のコネクタ同士での接続の解除が規制されることで、遊技用電子部品と遊技制御基板との間に設けられる配線の全てのコネクタ同士での接続の解除が規制される。これによりいずれかのコネクタを不正な打ち込み器具等のコネクタに差し替えて接続し、遊技制御基板に遊技の進行に関わる不正な信号を入出力させるといった不正行為を行うことが困難となるため、不正な打ち込み器具を使用して特典を得るための特典入手情報を容易に取得できる状態に設定したスロットマシンや、特別入賞が当選した状態に設定したスロットマシンを、例えば遊技店の営業開始時等において遊技客に提供するといった不正営業の実施等を効果的に防止できる。
また、電子部品接続解除規制手段により接続解除規制状態が形成されることで、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に抑制することができる。
尚、前記中継基板は、一の遊技用電子部品と遊技制御基板との間に１つ、または複数接続されていても良く、複数の中継基板が接続される場合において、前記電子部品接続解除規制手段は、一の中継基板と他の中継基板との間における前記配線のコネクタ同士での接続を解除不能とする第３の電子部品接続解除規制手段を備えることが好ましく、このようにすることで、遊技用電子部品と遊技制御基板との間に設けられる配線の全てのコネクタ同士での接続の解除が規制される。
【発明を実施するための最良の形態】
【００２０】
本発明の実施例を以下に説明する。
【実施例１】
【００２１】
本発明が適用されたスロットマシンの実施例１を図面を用いて説明すると、本実施例のスロットマシン１は、前面が開口する筐体２ａと、この筐体２ａの側端に回動自在に枢支された前面扉２ｂと、から構成されている。
【００２２】
本実施例のスロットマシン１の筐体２ａの内部には、図２に示すように、外周に複数種の図柄が配列されたリール２Ｌ、２Ｃ、２Ｒ（以下、左リール、中リール、右リールともいう）が水平方向に並設されており、図１に示すように、これらリール２Ｌ、２Ｃ、２Ｒに配列された図柄のうち連続する３つの図柄が前面扉２ｂに設けられた透視窓３から見えるように配置されている。
【００２３】
リール２Ｌ、２Ｃ、２Ｒの外周部には、図３に示すように、それぞれ「赤７（図中黒７）」、「青７（図中網掛け７）」、「白７」、「リプレイ」、「スイカ」、「赤チェリー（図中黒チェリー）」、「青チェリー（図中網掛けチェリー）」、「ベル」、「プラム」、「オレンジ」といった互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。リール２Ｌ、２Ｃ、２Ｒの図柄が描かれた部分以外は白色であり、高い透過率で光を透過するようになっており、図柄が描かれた部分についても、その図柄の色彩に応じて光を透過するようになっている。
【００２４】
各リール２Ｌ、２Ｃ、２Ｒは、各々対応して設けられリールモータ３２Ｌ、３２Ｃ、３２Ｒ（図４参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２５】
リール２Ｌ、２Ｃ、２Ｒの内側には、リール２Ｌ、２Ｃ、２Ｒそれぞれに対して、基準位置を検出するリールセンサ３３と、リール２Ｌ、２Ｃ、２Ｒを背面から白色光で照射するリールＬＥＤ５５と、が設けられている。また、リールＬＥＤ５５は、リール２Ｌ、２Ｃ、２Ｒの連続する３つの図柄に対応する９つのＬＥＤからなり、各図柄をそれぞれ独立して照射可能とされている。
【００２６】
前面扉２ｂの各リール２Ｌ、２Ｃ、２Ｒの手前側（遊技者側）の位置には、液晶表示器５１（図１参照）の表示領域５１ａが配置されている。液晶表示器５１は、液晶素子に対して電圧が印加されていない状態で、透過性を有するノーマリーホワイトタイプの液晶パネルを有しており、表示領域５１ａの透視窓３に対応する透過領域５１ｂ及び透視窓３を介して遊技者側から各リール２Ｌ、２Ｃ、２Ｒが視認できるようになっている。また、表示領域５１ａの透過領域５１ｂを除く領域の裏面には、背後から表示領域５１ａを照射するバックライト（図示略）が設けられているとともに、さらにその裏面には、内部を隠蔽する隠蔽部材（図示略）が設けられている。
【００２７】
液晶表示器５１の前面側（図１においては手前側）には、表示面に対する遊技者からの指示（たとえば、タッチ操作）を検出し、当該位置（たとえば、タッチ操作された位置）を特定するためのタッチパネルを構成する発光装置５６ａ、５６ｂと、受光装置５７ａ、５７ｂと、が設置されている。発光装置５６ａ、５６ｂは、赤外線の発光素子（たとえば、ＬＥＤ）を複数備えている。受光装置５７ａ、５７ｂは、赤外線の受光素子（たとえば、フォトトランジスター）を複数備えている。
【００２８】
発光装置５６ａと受光装置５７ａとは、液晶表示器５１の表示面を挟んで、水平方向に対に設置されている。発光装置５６ａと受光装置５７ａとは、発光装置５６ａが備える複数の発光素子から放射される赤外線を、受光装置５７ａが備える複数の受光素子により受光可能に設置されている。同様に、発光装置５６ｂと受光装置５７ｂとは、液晶表示器５１の表示領域を挟んで、垂直方向に対に設置されている。発光装置５６ｂと受光装置５７ｂとは、発光装置５６ｂが備える複数の発光素子から放射される赤外線を、受光装置５７ｂが備える複数の受光素子により受光可能に設置されている。
【００２９】
本実施例では、発光装置５６ａ、５６ｂから赤外線を放射することにより、液晶表示器５１の表示面に沿って赤外線のグリッドが形成される。そして、表示面に対して遊技者によりタッチ操作が行なわれると、受光装置５７ａ、５７ｂは、赤外線の遮光を検出し、この検出された受光素子が配置されている位置を特定するための信号を、後述するタッチパネルコントローラ９９に出力する。タッチパネルコントローラ９９は、受光装置５６ａ、５６ｂからの信号に基づき、液晶表示器５１の表示面に対してタッチ操作された位置を特定することができるようになっており、これらによってタッチパネルが形成されている。
【００３０】
タッチパネルを構成する発光装置５６ａ、５６ｂは、液晶表示器５１の表示面の左辺および下辺に設置され、受光装置５７ａ、５７ｂは、液晶表示器５１の表示面の右辺および上辺に設置されている。タッチパネルは、発光装置５６ａ、５６ｂおよび受光装置５７ａ、５７ｂにより囲まれた領域内のタッチ操作を検出し、タッチ操作された位置を特定することができるようになっている。
【００３１】
前面扉２ｂには、メダルを投入可能なメダル投入部４、メダルが払い出されるメダル払出口９、クレジット（遊技者所有の遊技用価値として記憶されているメダル数）を用いてメダル１枚分の賭数を設定する際に操作される１枚ＢＥＴスイッチ５、クレジットを用いて、その範囲内において遊技状態に応じて定められた規定数の賭数のうち最大の賭数（本実施例では遊技状態に関わらず３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、が遊技者により操作可能にそれぞれ設けられている。
【００３２】
また、前面扉２ｂには、クレジットとして記憶されているメダル枚数が表示されるクレジット表示器１１、後述するビッグボーナス中のメダルの獲得枚数やエラー発生時にその内容を示すエラーコード等が表示される遊技補助表示器１２、入賞の発生により払い出されたメダル枚数が表示されるペイアウト表示器１３が設けられている。
【００３３】
また、前面扉２ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【００３４】
ＭＡＸＢＥＴスイッチ６の内部には、１枚ＢＥＴスイッチ５、２枚ＢＥＴスイッチ５ｂ及びＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図４参照）がそれぞれ設けられている。
【００３５】
前面扉２ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、メダル投入部４から投入されたメダルの流路を、筐体２ａ内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１を有するメダルセレクタ（図示略）、前面扉２ｂの開放状態を検出するドア開放検出スイッチ２５（図４参照）が設けられている。
【００３６】
筐体２ａ内部には、図２に示すように、前述したリール２Ｌ、２Ｃ、２Ｒ、リールモータ３２Ｌ、３２Ｃ、３２Ｒ、各リール２Ｌ、２Ｃ、２Ｒのリール基準位置をそれぞれ検出可能なリールセンサ３３Ｌ、３３Ｃ、３３Ｒ（図４参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ、ホッパーモータ３４ｂの駆動により払い出されたメダルを検出する払出センサ３２Ｃからなるホッパーユニット３４、電源ボックス１００が設けられている。
【００３７】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３８】
電源ボックス１００の前面には、後述のビッグボーナス終了時に打止状態（リセット操作がなされるまでゲームの進行が規制される状態）に制御する打止機能の有効／無効を選択するための打止スイッチ３６ａ、後述のビッグボーナス終了時に自動精算処理（クレジットとして記憶されているメダルを遊技者の操作によらず精算（返却）する処理）に制御する自動精算機能の有効／無効を選択するための自動精算スイッチ３６ｂ、起動時に設定変更モードに切り替えるための設定キースイッチ３７、通常時においてはエラー状態や打止状態を解除するためのリセットスイッチとして機能し、設定変更モードにおいては後述する内部抽選の当選確率（出玉率）の設定値を変更するための設定スイッチとして機能するリセット／設定スイッチ３８、電源をＯＮ／ＯＦＦする際に操作される電源スイッチ３９が設けられている。
【００３９】
本実施例のスロットマシン１においてゲームを行う場合には、まず、メダルをメダル投入部４から投入するか、あるいはクレジットを使用して賭数を設定する。クレジットを使用するには１枚ＢＥＴスイッチ５またはＭＡＸＢＥＴスイッチ６を操作すれば良い。遊技状態に応じて定められた規定数の賭数が設定されると、入賞ラインＬ１〜Ｌ６（図１参照）が有効となり、スタートスイッチ７の操作が有効な状態、すなわち、ゲームが開始可能な状態となる。本実施例では、規定数の賭数として遊技状態に関わらず３枚が定められている。尚、遊技状態に対応する規定数のうち最大数を超えてメダルが投入された場合には、その分はクレジットに加算される。
【００４０】
入賞ラインとは、各リール２Ｌ、２Ｃ、２Ｒの透視窓３に表示された図柄の組み合わせが入賞図柄の組み合わせであるかを判定するために設定されるラインある。本実施例では、図１に示すように、各リール２Ｌ、２Ｃ、２Ｒの上段に並んだ図柄に跨って設定された入賞ラインＬ１、各リール２Ｌ、２Ｃ、２Ｒの下段に並んだ図柄に跨って設定された入賞ラインＬ２、リール２Ｌの下段、リール２Ｃの中段、リール２Ｒの上段、すなわち右上がりに並んだ図柄に跨って設定された入賞ラインＬ３、リール２Ｌの上段、リール２Ｃの中段、リール２Ｒの下段、すなわち右下がりに並んだ図柄に跨って設定された入賞ラインＬ４、リール２Ｌの下段、リール２Ｃの上段、リール２Ｒの中段に並んだ図柄に跨って設定された入賞ラインＬ５、リール２Ｌの上段、リール２Ｃの下段、リール２Ｒの中段に並んだ図柄に跨って設定された入賞ラインＬ６の６種類が入賞ラインとして定められている。
【００４１】
このように本実施例ではリール２Ｌ、２Ｃ、２Ｒの一直線上に位置する図柄に跨って設定される入賞ラインＬ１〜Ｌ４と、全てのリールにおいて上段・中段・下段のうち停止する位置が異なり、かつ一直線上に位置しない図柄に跨って入賞ラインＬ５、Ｌ６が設定されている。
【００４２】
尚、本実施例では、入賞ラインとして上述したＬ１〜Ｌ６を適用しているが、各リール２Ｌ、２Ｃ、２Ｒの中段に並んだ図柄に跨って設定される入賞ラインを加えて適用しても良い。また、上述したＬ５、Ｌ６のように一直線上に位置しない図柄に跨って設定される入賞ラインを適用しているが、一直線上に位置する図柄に跨って設定される入賞ラインのみを適用するようにしても良い。
【００４３】
また、本実施例では、各リール２Ｌ、２Ｃ、２Ｒの中段に並んだ図柄に跨って設定された仮想入賞ラインＬｖが設けられている。仮想入賞ラインは、入賞ラインとは異なり、入賞図柄の組み合わせを判定する対象とはならない。
【００４４】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００４５】
そして全てのリール２Ｌ、２Ｃ、２Ｒが停止されることで１ゲームが終了し、有効化されたいずれかの入賞ラインＬ１〜Ｌ６上に予め定められた図柄の組み合わせ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。尚、有効化された複数の入賞ライン上にメダルの払出を伴う図柄の組み合わせが揃った場合には、有効化された入賞ラインに揃った図柄の組み合わせそれぞれに対して定められた払出枚数を合計し、合計した枚数のメダルが遊技者に対して付与されることとなる。ただし、１ゲームで付与されるメダルの払出枚数には、上限（本実施例では１５枚）が定められており、合計した払出枚数が上限を超える場合には、上限枚数のメダルが付与されることとなる。また、有効化されたいずれかの入賞ラインＬ１〜Ｌ６上に、遊技状態の移行を伴う図柄の組み合わせが各リール２Ｌ、２Ｃ、２Ｒの表示結果として停止した場合には図柄の組み合わせに応じた遊技状態に移行するようになっている。
【００４６】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４７】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４８】
また、電源基板１０１には、前述したホッパーモータ３４ｂ、払出センサ３２Ｃ、満タンセンサ３５ａ、打止スイッチ３６ａ、自動精算スイッチ３６ｂ、設定キースイッチ３７、リセット／設定スイッチ３８、電源スイッチ３９が接続されている。
【００４９】
遊技制御基板４０には、前述した１枚ＢＥＴスイッチ５、ＭＡＸＢＥＴスイッチ６、スタートスイッチ７、ストップスイッチ８Ｌ、８Ｃ、８Ｒ、精算スイッチ１０、リセットスイッチ２３、投入メダルセンサ３１、ドア開放検出スイッチ２５、リールセンサ３３Ｌ、３３Ｃ、３３Ｒが接続されているとともに、電源基板１０１を介して前述した払出センサ３２Ｃ、満タンセンサ３５ａ、打止スイッチ３６ａ、自動精算スイッチ３６ｂ、設定キースイッチ３７、リセット／設定スイッチ３８が接続されており、これら接続されたスイッチ類の検出信号が入力されるようになっている。
【００５０】
また、遊技制御基板４０には、前述したクレジット表示器１１、遊技補助表示器１２、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ１０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００５１】
遊技制御基板４０には、ＣＰＵ４１ａ、ＲＯＭ４１ｂ、ＲＡＭ４１ｃ、Ｉ／Ｏポート４１ｄを備えたマイクロコンピュータからなり、遊技の制御を行うメイン制御部４１、所定範囲（本実施例では０〜１６３８３）の乱数を発生させる乱数発生回路４２、乱数発生回路から乱数を取得するサンプリング回路４３、遊技制御基板４０に直接または電源基板１０１を介して接続されたスイッチ類から入力された検出信号を検出するスイッチ検出回路４４、リールモータ３２Ｌ、３２Ｃ、３２Ｒの駆動制御を行うモータ駆動回路４５、流路切替ソレノイド３０の駆動制御を行うソレノイド駆動回路４６、遊技制御基板４０に接続された各種表示器やＬＥＤの駆動制御を行うＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはＣＰＵ４１ａからの初期化命令が入力されないときにＣＰＵ４１ａにリセット信号を与えるリセット回路４９、遊技制御基板４０と投入メダルセンサ３１との間の電気的な接続状態及び遊技制御基板４０と演出制御基板９０との間の電気的な接続状態を監視する断線監視ＩＣ５０、その他各種デバイス、回路が搭載されている。
【００５２】
ＣＰＵ４１ａには、処理を実行するのに必要なデータの読み出し及び書き込みが行われる複数のレジスタ（記憶領域）が設けられている。詳しくは、主に演算用データが格納されるＡ、Ｆレジスタ（フラグレジスタ）、汎用データが格納されるＢ、Ｃ、Ｄ、Ｅ、Ｈ、Ｌレジスタ、実行中のプログラムの位置を示すデータが格納されるＰＣレジスタ、スタックポインタ（後述するスタック領域の現在の位置を示すアドレス）が格納されるＳＰレジスタ、後述するリフレッシュ動作を行うＲＡＭ４１ｃのメモリブロックを示すデータが格納されるＲレジスタ、ＲＡＭ４１ｃの格納領域を参照する際の基準となる位置を示すデータが格納されるＩＸ、ＩＹレジスタ、割込発生時に参照する割込テーブルの位置を示すデータが格納されるＩレジスタが設けられている。
【００５３】
ＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行うととともに、遊技制御基板４０に搭載された制御回路の各部を直接的または間接的に制御する。ＲＯＭ４１ｂは、ＣＰＵ４１ａが実行するプログラムや各種テーブル等の固定的なデータを記憶する。ＲＡＭ４１ｃは、ＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【００５４】
メイン制御部４１は、信号入力端子ＤＡＴＡを備えており、遊技制御基板４０に接続された各種スイッチ類の検出状態がこれら信号入力端子ＤＡＴＡを介して入力ポートに入力される。これら信号入力端子ＤＡＴＡの入力状態は、ＣＰＵ４１ａにより監視されており、ＣＰＵ４１ａは、信号入力端子ＤＡＴＡの入力状態、すなわち各種スイッチ類の検出状態に応じて段階的に移行する基本処理を実行する。
【００５５】
また、ＣＰＵ４１ａは、前述のように割込機能を備えており、割込の発生により基本処理に割り込んで割込処理を実行できるようになっている。本実施例では、割込１〜４の４種類の割込を実行可能であり、各割込毎にカウンタモード（信号入力端子ＤＡＴＡとは別個に設けられたトリガー端子ＣＬＫ／ＴＲＧからの信号入力に応じて外部割込を発生させる割込モード）とタイマモード（ＣＰＵ４１ａのクロック入力数に応じて内部割込を発生させる割込モード）のいずれかを選択して設定できるようになっている。
【００５６】
本実施例では、割込１〜４のうち、割込２がカウンタモードに設定され、割込３がタイマモードに設定され、割込１、４は未使用とされている。トリガー端子ＣＬＫ／ＴＲＧは、前述した電断検出回路４８と接続されており、ＣＰＵ４１ａは電断検出回路４８から出力された電圧低下信号の入力に応じて割込２を発生させて後述する電断割込処理（メイン）を実行する。また、ＣＰＵ４１ａは、クロック入力数が一定数に到達する毎、すなわち一定時間間隔（本実施例では、約０．５６ｍｓ）毎に割込３を発生させて後述するタイマ割込処理（メイン）を実行する。また、割込１、４は、未使用に設定されているが、ノイズ等によって割込１、４が発生することがあり得る。このため、ＣＰＵ４１ａは、割込１、４が発生した場合に、もとの処理に即時復帰させる未使用割込処理を実行するようになっている。
【００５７】
また、ＣＰＵ４１ａは、割込１〜４のいずれかの割込の発生に基づく割込処理の実行中に他の割込を禁止するように設定されているとともに、複数の割込が同時に発生した場合には、割込２、３、１、４の順番で優先して実行する割込が設定されている。すなわち割込２とその他の割込が同時に発生した場合には、割込２を優先して実行し、割込３と割込１または４が同時に発生した場合には、割込３を優先して実行するようになっている。
【００５８】
また、ＣＰＵ４１ａは、割込１〜４のいずれかの割込の発生に基づく割込処理の開始時に、レジスタに格納されている使用中のデータをＲＡＭ４１ｃに設けられた後述のスタック領域に一時的に退避させるとともに、当該割込処理の終了時にスタック領域に退避させたデータをレジスタに復帰させるようになっている。
【００５９】
ＲＡＭ４１ｃには、ＤＲＡＭ（Dynamic  RAM）が使用されており、記憶しているデータ内容を維持するためのリフレッシュ動作が必要となる。ＣＰＵ４１ａには、このリフレッシュ動作を行うための前述したＲ（リフレッシュ）レジスタが設けられている。Ｒレジスタは、８ビットからなり、そのうちの下位７ビットが、ＣＰＵ４１ａがＲＯＭ４１ｂから命令をフェッチする度に自動的にインクリメントされるもので、その値の更新は、１命令の実行時間毎に行われる。
【００６０】
また、メイン制御部４１には、停電時においてもバックアップ電源が供給されており、バックアップ電源が供給されている間は、ＣＰＵ４１ａによりリフレッシュ動作が行われてＲＡＭ４１ｃに記憶されているデータが保持されるようになっている。
【００６１】
また、ＣＰＵ４１ａは、起動時において、打止スイッチ３６ａ、自動精算スイッチ３６ｂの状態を取得し、ＣＰＵ４１ａの特定のレジスタに打止機能の有効／無効、自動精算機能の有効／無効を設定するようになっている。打止スイッチ３６ａ及び自動精算スイッチ３６ｂの状態は起動時においてのみ取得し、取得した状態に基づいて打止及び自動精算機能の有効／無効が設定されるため、その後に打止スイッチ３６ａや自動精算スイッチ３６ｂが操作されても、新たに打止及び自動精算機能の有効／無効が設定されることはない。
【００６２】
乱数発生回路４２は、後述するように所定数のパルスを発生する度にカウントアップして値を更新するカウンタによって構成され、サンプリング回路４３は、乱数発生回路４２がカウントしている数値を取得する。乱数発生回路４２は、乱数の種類毎にカウントする数値の範囲が定められており、本実施例では、その範囲として０〜１６３８３が定められている。ＣＰＵ４１ａは、その処理に応じてサンプリング回路４３に指示を送ることで、乱数発生回路４２が示している数値を乱数として取得する（以下、この機能をハードウェア乱数機能という）。後述する内部抽選用の乱数は、ハードウェア乱数機能により抽出した乱数をそのまま使用するのではなく、ソフトウェアにより加工して使用するが、その詳細については詳しく説明する。また、ＣＰＵ４１ａは、前述のタイマ割込処理（メイン）により、特定のレジスタの数値を更新し、こうして更新された数値を乱数として取得する機能も有する（以下、この機能をソフトウェア乱数機能という）。
【００６３】
断線監視ＩＣ５０は、遊技制御基板４０と投入メダルセンサ３１との間の電気的な接続状態及び遊技制御基板４０と演出制御基板９０との間の電気的な接続状態を監視し、これらの接続状態の一方でも解除された場合には、これらの接続状態が解除された旨を示す断線フラグを断線監視ＩＣ５０の内部に設けられたＥＥＰＲＯＭ（図示略）等の記憶部に記憶するようになっている。断線監視ＩＣ５０は、ＣＰＵ４１ａからの断線フラグの確認要求に応じて断線フラグが記憶されているか否かを返信し、この時点で断線フラグが記憶部に記憶されていればクリアする。
【００６４】
また、断線監視ＩＣ５０にも停電時においてバックアップ電源が供給されるようになっており、例えば２〜３日間停電状態が継続しない限り、遊技制御基板４０と投入メダルセンサ３１との間の電気的な接続状態及び遊技制御基板４０と演出制御基板９０との間の電気的な接続状態の監視を継続できるようになっている。
【００６５】
ＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成されているとともに、演出中継基板８０を介して接続されており、遊技制御基板４０と演出制御基板９０とが直接接続されない構成とされている。
【００６６】
演出制御基板９０には、前述したタッチパネルを構成する受光装置５７ａ、５７ｂが接続されており、これら接続された受光装置５７ａ、５７ｂの検出信号が入力されるようになっている。
【００６７】
演出制御基板９０には、スロットマシン１の前面扉２ｂに配置された液晶表示器５１（図１参照）、演出効果ＬＥＤ５２、スピーカ５３、５４、前述したリールＬＥＤ５５等の電気部品が接続されており、これら電気部品は、演出制御基板９０に搭載された後述のサブ制御部９１による制御に基づいて駆動されるようになっている。また、演出制御基板９０には、前述したタッチパネルを構成する発光装置５６ａ、５６ｂが接続されており、発光装置５６ａ、５６ｂは、演出制御基板９０に搭載された後述のタッチパネルコントローラ９９による制御に基づいて駆動されるようになっている。
【００６８】
演出制御基板９０には、メイン制御部４１と同様にＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５の駆動制御を行うＬＥＤ駆動回路９３、スピーカ５３、５４からの音声出力制御を行う音声出力回路９４、電源投入時またはＣＰＵ９１ａからの初期化命令が一定時間入力されないときにＣＰＵ９１ａにリセット信号を与えるリセット回路９５、日付情報及び時刻情報を含む時間情報を出力する時計装置９７、スロットマシン１に供給される電源電圧を監視し、電圧低下を検出したときに、その旨を示す電圧低下信号をサブ制御部９１に対して出力する電断検出回路９８、受光装置５６ａ、５６ｂからの信号に基づき、液晶表示器５１の表示面に対してタッチ操作された位置を特定する処理などを行うタッチパネルコントローラ９９、その他の回路等、が搭載されており、ＣＰＵ９１ａは、遊技制御基板４０から送信されるコマンド、タッチパネルコントローラ９９からの出力情報を受けて、演出を行うための各種の制御を行うとともに、演出制御基板９０に搭載された制御回路の各部を直接的または間接的に制御する。
【００６９】
ＣＰＵ９１ａは、メイン制御部４１のＣＰＵ４１ａと同様に、割込機能（割込禁止機能を含む）を備える。サブ制御部９１の割込端子（図示略）は、コマンド伝送ラインのうち、メイン制御部４１がコマンドを送信する際に出力するストローブ（ＩＮＴ）信号線に接続されており、ＣＰＵ９１ａは、ストローブ信号の入力に基づいて割込を発生させて、メイン制御部４１からのコマンドを取得し、受信用バッファに格納するコマンド受信割込処理を実行する。また、ＣＰＵ９１ａは、クロック入力数が一定数に到達する毎、すなわち一定間隔毎に割込を発生させて後述するタイマ割込処理（サブ）を実行する。
【００７０】
また、ＣＰＵ９１ａの割込端子（図示略）は、前述した電断検出回路９８と接続されており、ＣＰＵ９１ａは電断検出回路９８から出力された電圧低下信号の入力に応じて割込を発生させて後述する電断割込処理（サブ）を実行する。また、ＣＰＵ９１ａにおいても未使用の割込が発生した場合には、もとの処理に即時復帰させる未使用割込処理を実行するようになっている。
【００７１】
また、ＣＰＵ９１ａは、ＣＰＵ４１ａとは異なり、ストローブ信号（ＩＮＴ）の入力に基づいて割込が発生した場合には、電断割込処理（サブ）を除く他の割込に基づく割込処理の実行中であっても、当該処理に割り込んでコマンド受信割込処理を実行し、電断割込処理（サブ）を除く他の割込が同時に発生してもコマンド受信割込処理を最優先で実行するようになっている。尚、電断割込処理（サブ）を除く割込処理の実行中は、ストローブ信号（ＩＮＴ）の入力に基づく割込以外の割込が禁止されるようになっている。これに対して電断割込処理（サブ）においては、コマンド受信割込処理を含む他の割込処理が一切禁止されており、さらに他の割込が同時に発生しても電断割込処理（サブ）を最優先で実行するようになっている。
【００７２】
また、サブ制御部９１にも、停電時においてバックアップ電源が供給されており、バックアップ電源が供給されている間は、ＣＰＵ９１ａによりリフレッシュ動作が行われてＲＡＭ９１ｃに記憶されているデータが保持されるようになっている。
【００７３】
次に、遊技制御基板４０と該遊技制御基板４０に接続される各種遊技用電子部品との配線接続状態の詳細について、図５に基づいて説明する。尚、図５は、遊技制御基板４０と該遊技制御基板４０に接続される遊技用電子部品との配線接続状態を示す概略図である。
【００７４】
遊技制御基板４０には、前述したように、１枚ＢＥＴスイッチ５、ＭＡＸＢＥＴスイッチ６、スタートスイッチ７、ストップスイッチ８Ｌ、８Ｃ、８Ｒ、投入メダルセンサ３１、ドア開放検出スイッチ２５、リールモータ３２Ｌ、３２Ｃ、３２Ｒ、リールセンサ３３Ｌ、３３Ｃ、３３Ｒ、ホッパーモータ３４ｂ、払出センサ３４ｃ、演出制御基板９０が接続されている。
【００７５】
図５に示すように、これらのうち、１枚ＢＥＴスイッチ５、ＭＡＸＢＥＴスイッチ６、スタートスイッチ７、ストップスイッチ８Ｌ、８Ｃ、８Ｒ、投入メダルセンサ３１、リールモータ３２Ｌ、３２Ｃ、３２Ｒ、リールセンサ３３Ｌ、３３Ｃ、３３Ｒ、ホッパーモータ３４ｂ、払出センサ３４ｃは、ゲームの進行に関わる信号を遊技制御基板４０に入出力する電子部品である。ゲームの進行に関わる信号とは、例えば、ゲームを開始可能な状態とするための賭数の設定操作、ゲームを開始させるための操作、リール２Ｌ、２Ｃ、２Ｒの表示結果を導出させるための操作等、ゲームの進行操作に応じて遊技制御基板４０に出力される信号や、投入メダルの検出、リールの基準位置の検出、払出メダルの検出等、ゲームの進行に応じて遊技用電子部品から出力されて遊技制御基板４０に入力される信号と、スタート操作の検出に応じてリール２Ｌ、２Ｃ、２Ｒを駆動させるための駆動信号や、入賞の発生に伴いメダルを払い出すホッパーを駆動するための駆動信号等、ゲームの進行に応じて遊技制御基板４０から出力されて遊技用電子部品に入力される信号と、を含む。
【００７６】
そして、これら遊技用電子部品は、ゲームの進行に応じて遊技制御基板４０に信号を出力する第１の電子部品と、ゲームの進行に応じて遊技制御基板４０からの信号が入力される第２の電子部品と、からなる。
【００７７】
具体的には、賭数を設定する際に操作される１枚ＢＥＴスイッチ５、ＭＡＸＢＥＴスイッチ６及び賭数を設定するために投入されたメダルを検出する投入メダルセンサ３１は、該操作またはメダルの検出に基づいて遊技制御基板４０にＢＥＴ信号を出力する第１の電子部品である。メイン制御部４１は、該ＢＥＴ信号の受信に基づいて賭数の設定処理を行うため、これら電子部品がないと賭数を設定することができない。すなわち、賭数を設定しないとゲームが開始可能な状態とならないため、１枚ＢＥＴスイッチ５、ＭＡＸＢＥＴスイッチ６及び投入メダルセンサ３１はゲームの進行に必要な遊技用電子部品である。
【００７８】
ゲームを開始させるための操作を検出するスタートスイッチ７は、該操作の検出に基づいて遊技制御基板４０にスタート信号を出力する第１の電子部品である。メイン制御部４１は、該スタート信号の受信に基づいてゲームを開始する処理（リール回転処理等）を行うため、この電子部品がないとゲームを開始することができない。すなわち、スタートスイッチ７はゲームの進行に必要な遊技用電子部品である。
【００７９】
リール２Ｌ、２Ｃ、２Ｒの表示結果を導出させるための操作を検出するストップスイッチ８Ｌ、８Ｃ、８Ｒは、該操作の検出に基づいて遊技制御基板４０にストップ信号を出力する第１の電子部品である。メイン制御部４１は、該ストップ信号の受信に基づいて該当するリール２Ｌ、２Ｃ、２Ｒの回転を停止して表示結果を導出する処理を行うため、この電子部品がないとリール２Ｌ、２Ｃ、２Ｒの表示結果を導出することができない。すなわち、ストップスイッチ８Ｌ、８Ｃ、８Ｒはゲームの進行に必要な遊技用電子部品である。
【００８０】
リール２Ｌ、２Ｃ、２Ｒの回転を検出するリールセンサ３３Ｌ、３３Ｃ、３３Ｒは、リールの基準位置の検出信号を遊技制御基板４０に出力する第１の電子部品である。メイン制御部４１は、該リールの基準位置の検出信号の受信に基づいて該当するリール２Ｌ、２Ｃ、２Ｒの図柄の位置を把握して回転を停止する処理等を行うため、この電子部品がないと各リール２Ｌ、２Ｃ、２Ｒの表示結果の導出や入賞の判定等を行うことができない。すなわち、リールセンサ３３Ｌ、３３Ｃ、３３Ｒはゲームの進行に必要な遊技用電子部品である。
【００８１】
入賞の発生に伴い払い出されるメダルを検出する払出センサ３２Ｃは、該メダルの検出に基づいて遊技制御基板４０にメダル払出信号を出力する第１の電子部品である。メイン制御部４１は、該払出メダル検出信号の受信に基づいて、発生した入賞に応じた枚数のメダルを払い出す払出処理を行うため、この電子部品がないと発生した入賞に応じた枚数のメダルを払い出すことができない。すなわち、払出センサ３５はゲームの進行に必要な遊技用電子部品である。
【００８２】
また、リール２Ｌ、２Ｃ、２Ｒを回転させるリールモータ３２Ｌ、３２Ｃ、３２Ｒは、遊技制御基板４０から出力される駆動信号が入力される第２の電子部品である。このリールモータ３２Ｌ、３２Ｃ、３２Ｒは、遊技制御基板４０から出力される駆動信号の入力に基づいてリール２Ｌ、２Ｃ、２Ｒを回転させて図柄の変動表示を開始するものであるが、該信号入力に基づいて実際にリール２Ｌ、２Ｃ、２Ｒを回転しなかったとしても、メイン制御部４１は、リールの駆動信号を出力した後に上記リールセンサ３３Ｌ、３３Ｃ、３３Ｒからの信号が入力されることで、リールが回転したとしてゲームを進行する制御を行うことができる。しかし、このリールセンサ３３Ｌ、３３Ｃ、３３Ｒから信号が遊技制御基板４０に入力されるタイミングは、リールの駆動信号の出力後でないとエラーとなるため、前述した打ち込み器具によりゲームを進行させる場合において、リールの回転の検出に基づく信号の出力タイミングを計るためにはリールの駆動信号が必要となる。すなわち、リールモータ３２Ｌ、３２Ｃ、３２Ｒは、ゲームの進行に必要な遊技用電子部品である。
【００８３】
また、メダルの払い出しを行うホッパータンクを駆動するホッパーモータ３４ｂは、入賞の発生に応じて遊技制御基板４０から出力される駆動信号が入力される第２の電子部品である。このホッパーモータ３４ｂは、遊技制御基板４０から出力される駆動信号の入力に基づいてメダルの払出動作を行うものであるが、該信号入力に基づいて実際にメダルの払出動作を行わなかったとしても、メイン制御部４１は、ホッパーモータ３４ｂの駆動信号を出力した後に上記払出センサ３２Ｃからの信号が入力されることで、メダルが払い出されているとしてゲームを進行する制御を行うことができる。しかし、この払出センサ３２Ｃから信号が遊技制御基板４０に入力されるタイミングは、ホッパーモータ３４ｂの駆動信号の出力後でないとエラーとなるため、前述した打ち込み器具によりゲームを進行させる場合において、払出メダルの検出に基づく信号の出力タイミングを計るためには該ホッパーモータ３４ｂの駆動信号が必要となる。すなわち、ホッパーモータ３４ｂは、ゲームの進行に必要な遊技用電子部品である。
【００８４】
また、これら遊技用電子部品とドア開放検出スイッチ２５とは、基本的には複数の機種に共通して継続使用される電子部品であり、故障等が発生しない限り本体から取り外して交換する機会は少ないので、スロットマシンの本体所定箇所に固設されている。これに対して遊技制御基板４０や演出制御基板９０等は、機種変更の際には交換が必要となるため、その際には本体から取り外される。つまり、遊技制御基板４０を取り外す際には遊技用電子部品及びドア開放検出スイッチ２５との接続を解除する必要があるため、遊技用電子部品及びドア開放検出スイッチ２５と遊技制御基板４０とは中継基板を経由して接続されているとともに、これら基板同士及び基板と遊技用電子部品及びドア開放検出スイッチ２５とはケーブルを介して接続されている。またケーブルと基板とは、ケーブルの端部に設けられたケーブル側コネクタと基板の配線パターンと電気的に接続された基板側コネクタとの接続により電気的に接続されている。
【００８５】
具体的に説明すると、１枚ＢＥＴスイッチ５、ＭＡＸＢＥＴスイッチ６、スタートスイッチ７、ストップスイッチ８Ｌ、８Ｃ、８Ｒ、投入メダルセンサ３１、ドア開放検出スイッチ２５は、操作部中継基板１１０を経由して遊技制御基板４０と配線接続され、リールモータ３２Ｌ、３２Ｃ、３２Ｒ及びリールセンサ３３Ｌ、３３Ｃ、３３Ｒは、リール中継基板１２０を経由して遊技制御基板４０と配線接続され、ホッパーモータ３４ｂ及び払出センサ３２Ｃは、電源基板１０１を経由して遊技制御基板４０と配線接続され、演出制御基板９０は、演出中継基板８０を経由して遊技制御基板４０と配線接続されている。
【００８６】
操作部中継基板１１０、リール中継基板１２０、電源基板１０１、演出制御基板９０には、遊技制御基板４０と各電子部品とを接続するための配線パターン（図示略）が設けられており、各電子部品から遊技制御基板４０に対して出力される検出信号または遊技制御基板４０から供給（入力）される電力や信号等を中継可能とされている。
【００８７】
また、このように各種電子部品と遊技制御基板４０とを、スロットマシン１の本体（本実施例では、筐体２ａ）所定箇所に取り付けた各中継基板１１０、１２０、１００、８０を経由して配線接続することで、遊技制御基板４０からスロットマシン１の本体所定箇所に個々に配設される複数の電子部品との配線の取りまとめが容易になるとともに、コネクタ接続部が常に中継基板または遊技制御基板４０に設けられることになり、これにより各電子部品それぞれのコネクタ接続部が固定されるため、配線接続作業時においてコネクタ接続部を探したり、接続する配線の種類を間違うこと等が防止される。
【００８８】
遊技制御基板４０と操作部中継基板１１０とは、ケーブル６００ａを介して接続され、遊技制御基板４０とリール中継基板１２０とは、ケーブル６００ｂを介して接続され、遊技制御基板４０と電源基板１０１とは、ケーブル６００ｃを介して接続されており、また、遊技制御基板４０と演出中継基板８０とは、ケーブル６００ｄを介して接続されている。
【００８９】
操作部中継基板１１０と１枚ＢＥＴスイッチ５とはケーブル６０１ａを介して接続され、操作部中継基板１１０とＭＡＸＢＥＴスイッチ６とはケーブル６０１ｂを介して接続され、操作部中継基板１１０とスタートスイッチ７とはケーブル６０１ｃを介して接続され、操作部中継基板１１０とストップスイッチ８Ｌとはケーブル６０１ｄを介して接続され、操作部中継基板１１０とストップスイッチ８Ｃとはケーブル６０１ｅを介して接続され、操作部中継基板１１０とストップスイッチ８Ｒとはケーブル６０１ｆを介して接続され、操作部中継基板１１０と投入メダルセンサ３１とはケーブル６０１ｇを介して接続され、操作部中継基板１１０とドア開放検出スイッチ２５とはケーブル６０１ｑを介して接続されている。
【００９０】
また、リール中継基板１２０とリールモータ３２Ｌとはケーブル６０１ｈを介して接続され、リール中継基板１２０とリールモータ３２Ｃとはケーブル６０１ｊを介して接続され、リール中継基板１２０とリールモータ３２Ｒとはケーブル６０１ｌを介して接続されている。また、リール中継基板１２０とリールセンサ３３Ｌとはケーブル６０１ｉを介して接続され、リール中継基板１２０とリールセンサ３３Ｃとはケーブル６０１ｋを介して接続され、リール中継基板１２０とリールセンサ３３Ｌとはケーブル６０１ｍを介して接続されている。また、電源基板１０１とホッパーモータ３４とはケーブル６０１ｎを介して接続され、電源基板１０１と払出センサ３５とはケーブル６０１ｏを介して接続され、演出中継基板８０と演出制御基板９０とはケーブル６０１ｐを介して接続されている。
【００９１】
これら各ケーブル６００ａ〜６００ｃ、６０１ａ〜６０１ｏ、６０１ｑは、各基板に対してコネクタ接続されており、基板との配線接続を解除可能となっている。具体的には、ケーブル６００ａの両端には、ケーブル側コネクタ６１０ａ、６１１ａが設けられており、一方のケーブル側コネクタ６１０ａは、遊技制御基板４０に固設された基板側コネクタ６２０ａに接続可能なコネクタであり、他方のケーブル側コネクタ６１１ａは、操作部中継基板１１０に固設された基板側コネクタ６２１ａに接続可能なコネクタである。ケーブル６００ｂの両端には、ケーブル側コネクタ６１０ｂ、６１１ｂが設けられており、一方のケーブル側コネクタ６１０ｂは、遊技制御基板４０に固設された基板側コネクタ６２０ｂに接続可能なコネクタであり、他方のケーブル側コネクタ６１１ｂは、リール中継基板１２０に固設された基板側コネクタ６２１ｂに接続可能なコネクタである。ケーブル６００ｃの両端には、ケーブル側コネクタ６１０ｃ、６１１ｃが設けられており、一方のケーブル側コネクタ６１０ｃは、遊技制御基板４０に固設された基板側コネクタ６２０ｃに接続可能なコネクタであり、他方のケーブル側コネクタ６１１ｃは、電源基板１０１に固設された基板側コネクタ６２１ｃに接続可能なコネクタである。ケーブル６００ｄの両端には、ケーブル側コネクタ６１０ｄ、６１１ｄが設けられており、一方のケーブル側コネクタ６１０ｄは、遊技制御基板４０に固設された基板側コネクタ６２０ｄに接続可能なコネクタであり、他方のケーブル側コネクタ６１１ｄは、演出中継基板８０に固設された基板側コネクタ６２１ｄに接続可能なコネクタである。
【００９２】
また、一端が１枚ＢＥＴスイッチ５に接続されたケーブル６０１ａの他端には、操作部中継基板１１０に固設された基板側コネクタ６２２ａに接続可能なケーブル側コネクタ６１２ａが設けられている。一端がＭＡＸＢＥＴスイッチ６に接続されたケーブル６０１ｂの他端には、操作部中継基板１１０に固設された基板側コネクタ６２２ｂに接続可能なケーブル側コネクタ６１２ｂが設けられている。一端がスタートスイッチ７に接続されたケーブル６０１ｃの他端には、操作部中継基板１１０に固設された基板側コネクタ６２２ｃに接続可能なケーブル側コネクタ６１２ｃが設けられている。一端がストップスイッチ８Ｌに接続されたケーブル６０１ｄの他端には、操作部中継基板１１０に固設された基板側コネクタ６２２ｄに接続可能なケーブル側コネクタ６１２ｄが設けられている。一端がストップスイッチ８Ｃに接続されたケーブル６０１ｅの他端には、操作部中継基板１１０に固設された基板側コネクタ６２２ｅに接続可能なケーブル側コネクタ６１２ｅが設けられている。一端がストップスイッチ８Ｒに接続されたケーブル６０１ｆの他端には、操作部中継基板１１０に固設された基板側コネクタ６２２ｆに接続可能なケーブル側コネクタ６１２ｆが設けられている。一端が投入メダルセンサ３１に接続されたケーブル６０１ｇの他端には、操作部中継基板１１０に固設された基板側コネクタ６２２ｇに接続可能なケーブル側コネクタ６１２ｇが設けられている。一端がドア開放検出スイッチ２５に接続されたケーブル６０１ｑの他端には、操作部中継基板１１０に固設された基板側コネクタ６２２ｑに接続可能なケーブル側コネクタ６１２ｑが設けられている。
【００９３】
また、一端がリールモータ３２Ｌに接続されたケーブル６０１ｈの他端及び一端がリールセンサ３３Ｌに接続されたケーブル６０１ｉの他端には、リール中継基板１２０に固設された基板側コネクタ６２２ｈに接続可能なケーブル側コネクタ６１２ｈが設けられている。一端がリールモータ３２Ｃに接続されたケーブル６０１ｊの他端及び一端がリールセンサ３３Ｃに接続されたケーブル６０１ｋの他端には、リール中継基板１２０に固設された基板側コネクタ６２２ｉに接続可能なケーブル側コネクタ６１２ｉが設けられている。一端がリールモータ３２Ｒに接続されたケーブル６０１ｌの他端及び一端がリールセンサ３３Ｒに接続されたケーブル６０１ｍの他端には、リール中継基板１２０に固設された基板側コネクタ６２２ｊに接続可能なケーブル側コネクタ６１２ｊが設けられている。
【００９４】
また、一端がホッパーモータ３４ｂに接続されたケーブル６０１ｎの他端及び一端が払出センサ３２Ｃに接続されたケーブル６０１ｏの他端には、電源基板１０１に固設された基板側コネクタ６２２ｋに接続可能なケーブル側コネクタ６１２ｋが設けられている。
【００９５】
また、ケーブル６０１ｐの両端には、ケーブル側コネクタ６１２ｐ、６１３ｐが設けられており、一方のケーブル側コネクタ６１２ｐは、遊技制御基板４０に固設された基板側コネクタ６２２ｐに接続可能なコネクタであり、他方のケーブル側コネクタ６１３ｐは、演出制御基板９０に固設された基板側コネクタ６２３ｐに接続可能なコネクタである。
【００９６】
尚、本実施例では、各電子部品からはコネクタを介すことなく配線が延出されているが、コネクタを介して配線と接続されていても良い。
【００９７】
上述のように、各基板と各ケーブルとは、基板側に設けられる基板側コネクタ６２０ａ〜６２０ｄ、６２１ａ〜６２１ｄ、６２２ａ〜６２２ｋ、６２２ｐ、６２２ｑ、６２３ｐと、ケーブル側に設けられるケーブル側コネクタ６１０ａ〜６１０ｄ、６１１ａ〜６１１ｄ、６１２ａ〜６１２ｋ、６１２ｐ、６１２ｑ、６１３ｐとからなる一対のコネクタ（雄コネクタと雌コネクタ）を介して配線接続されており、基板側コネクタからケーブル側コネクタを抜脱することにより配線接続を解除することができるようになっている。特に、遊技制御基板４０、操作部中継基板１１０、リール中継基板１２０、電源基板１０１、演出制御基板９０は、スロットマシン１の筐体または前面扉の所定箇所に取り付けられていることで、基板側コネクタからケーブル側コネクタを抜脱しやすいので、遊技制御基板４０や演出制御基板９０の交換が容易に行うことができる。
【００９８】
まず第１の電子部品に関して具体的に説明すると、１枚ＢＥＴスイッチ５、ＭＡＸＢＥＴスイッチ６または投入メダルセンサ３１と遊技制御基板４０との間に設けられるケーブルのコネクタのうちいずれかのコネクタに打ち込み器具のコネクタが接続され、該打ち込み器具から遊技制御基板４０にＢＥＴ信号が不正に出力されると、賭数の設定操作が行われていないのにメイン制御部４１にを行うことなく賭数が設定される虞がある。スタートスイッチ７と遊技制御基板４０との間に設けられるケーブルのコネクタのうちいずれかのコネクタに打ち込み器具のコネクタが接続され、該打ち込み器具から遊技制御基板４０にスタート信号が不正に出力されると、ゲームの開始操作を行うことなくゲームが開始される虞がある。ストップスイッチ８Ｌ、８Ｃ、８Ｒと遊技制御基板４０との間に設けられるケーブルのコネクタのうちいずれかのコネクタに打ち込み器具のコネクタが接続され、該打ち込み器具から遊技制御基板４０にストップ信号が不正に出力されると、停止操作を行うことなくリールの回転が停止される虞がある。リールセンサ３３Ｌ、３３Ｃ、３３Ｒと遊技制御基板４０との間に設けられるケーブルのコネクタのうちいずれかのコネクタに打ち込み器具のコネクタが接続され、該打ち込み器具から遊技制御基板４０にリール回転信号が不正に出力されると、リールを回転させることなく各リール２Ｌ、２Ｃ、２Ｒの表示結果の導出や入賞の判定等が行われる虞がある。払出センサ３２Ｃと遊技制御基板４０との間に設けられるケーブルのコネクタのうちいずれかのコネクタに打ち込み器具のコネクタが接続され、該打ち込み器具から遊技制御基板４０にメダル払出信号が不正に出力されると、メダルを払い出すことなくメダルの計数が行われる虞がある。
【００９９】
第２の電子部品に関して具体的に説明すると、リールモータ３２Ｌ、３２Ｃ、３２Ｒと遊技制御基板４０との間に設けられるケーブルのコネクタのうちいずれかのコネクタでの接続が解除されて遊技制御基板４０から出力される駆動信号を打ち込み器具等で取得できることになると、リールの駆動信号が遊技制御基板４０から出力されたタイミングを打ち込み器具側で特定できるので、本来リールセンサ３３Ｌ、３３Ｃ、３３Ｒから遊技制御基板４０に入力されるリール回転検出信号を、打ち込み器具からリール回転後の適正なタイミングで出力されてしまう虞がある。また、ホッパーモータ３４ｂと遊技制御基板４０との間に設けられるケーブルのコネクタのうちいずれかのコネクタでの接続が解除されて遊技制御基板４０から出力される駆動信号を打ち込み器具等で取得できることになると、ホッパータンクの駆動信号が遊技制御基板４０から出力されたタイミングを打ち込み器具側で特定できるので、本来払出センサ３５から遊技制御基板４０に入力される払出メダル検出信号を、打ち込み器具からホッパータンクの駆動後の適正なタイミングで出力されてしまう虞がある。
【０１００】
このように、ゲームの進行に応じて第１の電子部品から出力され、本来であれば遊技制御基板４０に入力される信号が打ち込み器具から出力された場合、メイン制御部４１は該信号の受信に基づいてゲームを進行する制御を行うことができるとともに、ゲームの進行に応じて遊技制御基板４０から出力され、本来であれば第２の電子部品に入力される信号が打ち込み器具に入力された場合、打ち込み器具側では、メイン制御部４１がリールモータやホッパーモータの駆動後に出力する信号の出力タイミング等を特定可能となり、これに基づいて新たな信号がメイン制御基板４０に入力された場合には、メイン制御部４１は該信号の受信に基づいてゲームを進行する制御を行うことができるので、ゲームを自動的に進行させるといった不正行為が実施される虞がある。よって、本実施例では、打ち込み器具の接続による不正行為を防止する種々の対策が施されている。
【０１０１】
また、ドア開放検出スイッチ２５と遊技制御基板４０との間に設けられるケーブルのコネクタのうちいずれかのコネクタでの接続が解除されると、前面扉２ｂが開放された際に、その旨を遊技制御基板に搭載されたメイン制御部４１が検出することができず、ドア開放報知やドア開放信号の出力が行われなくなるため、前面扉２ｂが開放されて不正行為がなされてもその発見が遅れてしまう虞がある。よって、本実施例では、ドア開放検出スイッチ２５と遊技制御基板４０との間に設けられるコネクタ同士の接続の解除を困難とするための対策が施されている。
【０１０２】
尚、これらの対策については後に詳述する。
【０１０３】
次に、遊技制御基板４０における断線監視ＩＣ５０の周辺の構成を説明する。
【０１０４】
遊技制御基板４０には、電源基板１０１の電圧生成回路により生成された＋５Ｖの直流電圧が供給される。電源基板１０１から供給された＋５Ｖの直流電圧は、断線監視ＩＣ５０の駆動電源として電源端子（ＶＤＤ）に供給されるとともに、図６に示すように、遊技制御基板４０上で分岐して遊技制御基板４０と操作部中継基板１１０を配線接続するケーブル６００ａ、操作部中継基板１１０、操作部中継基板１１０と投入メダルセンサ３１を配線接続するケーブル６０１ｇを経由し、更に、投入メダルセンサ３１で折り返して、ケーブル６０１ｇ、操作部中継基板１１０、ケーブル６００ａを経由して遊技制御基板４０に戻り、更に、遊技制御基板４０と演出中継基板８０を配線接続するケーブル６００ｄ、演出中継基板８０、演出中継基板８０と演出制御基板９０を配線接続するケーブル６０１ｐ、を経由し、更に、演出制御基板９０で折り返して、ケーブル６０１ｐ、演出中継基板８０、ケーブル６００ｄを経由して再度遊技制御基板４０に戻り、断線監視ＩＣ５０の入力端子（ＩＮ）に接続信号として入力されるようになっている。
【０１０５】
このため、本実施例では、遊技制御基板４０の基板側コネクタ６２０ａとケーブル６００ａのケーブル側コネクタ６１０ａとの接続、ケーブル６００ａのケーブル側コネクタ６１１ａと操作部中継基板１１０の基板側コネクタ６２１ａとの接続、操作部中継基板１１０の基板側コネクタ６２２ｇとケーブル６０１ｇのケーブル側コネクタ６１２ｇとの接続、遊技制御基板４０の基板側コネクタ６２０ｄとケーブル６００ｄのケーブル側コネクタ６１０ｄとの接続、ケーブル６００ｄのケーブル側コネクタ６１１ｄと演出中継基板８０の基板側コネクタ６２１ｄとの接続、演出中継基板８０の基板側コネクタ６２２ｐとケーブル６０１ｐのケーブル側コネクタ６１２ｐとの接続、ケーブル６０１ｐのケーブル側コネクタ６１３ｐと演出制御基板９０の基板側コネクタ６２３ｐとの接続、のいずれかの接続を解除することで、断線監視ＩＣ５０の入力端子（ＩＮ）へ入力されている接続信号が遮断され、これにより断線監視ＩＣ５０が遊技制御基板４０と投入メダルセンサ３１間及び遊技制御基板４０と演出制御基板９０間の断線を検出するようになっている。すなわち遊技制御基板４０と投入メダルセンサ３１の間のコネクタ同士の接続及び遊技制御基板４０と演出制御基板９０の間のコネクタ同士の接続が１カ所でも解除されると、断線監視ＩＣ５０により断線が検出されるようになっている。
【０１０６】
また、図６に示すように、電源基板１０１から供給された＋５Ｖの直流電圧は、遊技制御基板４０上で分岐して電源基板１０１側でグラウンドレベルに接続されるとともに、その間には大容量のコンデンサＣ１が設けられている。Ｄ１は逆流防止用のダイオードである。これにより＋５Ｖの直流電圧をコンデンサＣ１に蓄積可能とされ、スロットマシン１に対する電力供給が遮断されたときに、コンデンサＣ１に蓄積された電圧を、断線監視ＩＣ５０を駆動するためのバックアップ電源として供給できるようになっており、通電時であるか停電時であるかに関わらず断線監視ＩＣ５０が遊技制御基板４０と投入メダルセンサ３１間及び遊技制御基板４０と演出制御基板９０間の断線を検出できるようになっている。
【０１０７】
本実施例のスロットマシン１は、遊技状態やエラーの発生状況などを示す外部出力信号を出力する。
【０１０８】
これら外部出力信号は、図７（ａ）に示すように、ＣＰＵ４１ａの制御により遊技制御基板４０より出力され、外部出力基板１０００、スロットマシン１が設置される遊技店（ホール）の情報提供端子板１０１０を介してホールコンピュータなどのホール機器に出力されるようになっている。
【０１０９】
遊技制御基板４０から外部出力基板１０００に対しては、賭数の設定に用いられたメダル数を示すメダルＩＮ信号、入賞の発生により遊技者に付与されたメダル数を示すメダルＯＵＴ信号、遊技状態が後述するレギュラーボーナス中の旨を示すＲＢ中信号、遊技状態が後述するビッグボーナス中の旨を示すＢＢ中信号、前面扉２ｂが開放中の旨を示すドア開放信号、後述する設定変更モードに移行している旨を示す設定変更信号、メダルセレクタの異常を示す投入エラー信号、ホッパーユニット３４の異常を示す払出エラー信号がそれぞれ出力される。
【０１１０】
尚、本実施例では、チャレンジタイム（リールの滑りコマ数が制限されるものの、全ての小役について入賞が許容される遊技状態）や、チャレンジタイムが高確率となるチャレンジボーナスを搭載していないが、これらの遊技状態を搭載したスロットマシンとの共通化を図るため、遊技制御基板４０と外部出力基板１０００との間には、上記の信号を出力する信号線に加えて、遊技状態がチャレンジタイム中の旨を示すＣＴ中信号、遊技状態がチャレンジボーナス中の旨を示すＣＢ中信号を出力する信号線が接続されており、さらに将来拡張する可能性のあるエラー出力用の信号線が接続されている。
【０１１１】
外部出力基板１０００には、リレー回路１００１、パラレル・シリアル変換回路１００２、出力信号毎の端子が設けられ、情報提供端子板１０１０の回路と電気的に接続するための接続されるコネクタ１００３が設けられている。
【０１１２】
遊技制御基板４０から出力された信号のうち、メダルＩＮ信号、メダルＯＵＴ信号、ＲＢ中信号、ＢＢ中信号、（ＣＴ中信号、ＣＢ中信号）は、リレー回路１００１を介して、そのままパルス信号として情報提供端子板１０１０に出力される。
【０１１３】
これに対してドア開放信号、設定変更信号、投入エラー信号、払出エラー信号、（予備信号）は、パラレル・シリアル変換回路１００２にて、これらの信号を個別に識別可能なシリアル信号であるセキュリティ信号に変換して情報提供端子板１０１０に出力される。
【０１１４】
これら外部出力基板１０００から出力されたメダルＩＮ信号、メダルＯＵＴ信号、ＲＢ中信号、ＢＢ中信号、（ＣＴ中信号、ＣＢ中信号）は、情報提供端子板１０１０を介してホール機器へ出力される。一方、外部出力基板１０００から出力されたセキュリティ信号は、情報提供端子板１０１０にて再度、ドア開放信号、設定変更信号、投入エラー信号、払出エラー信号、予備信号に再変換されてホール機器へ出力されることとなる。
【０１１５】
パラレル・シリアル変換回路１００２は、ドア開放信号、設定変更信号、投入エラー信号、払出エラー信号、（予備信号）を、図７（ｂ）に示すデータフォーマットにてシリアル信号に変換し、セキュリティ信号として出力する。基本フォーマットは、パルス幅２０ｍｓ、フレーム長７ビットにて構成され、最初のビットがデータの開始を示すスタートビット、最後のビットがデータの終了を示すストップビット、その間のＤ１〜Ｄ５が送信データとなる。スタートビットは、１（ｏｎ）、ストップビットは、０（ｏｆｆ）となる。Ｄ１は、ドア開放信号の出力状態を示すビットであり、１（ｏｎ）であればドア開放中信号ｏｎ（前面扉２ｂの開放中）を示し、０（ｏｆｆ）であればドア開放中信号ｏｆｆを示す。Ｄ２は、設定変更信号の出力状態を示すビットであり、１（ｏｎ）であれば設定変更信号ｏｎ（設定変更モードへ移行中）を示し、０（ｏｆｆ）であれば設定変更信号ｏｆｆを示す。Ｄ３は、投入エラー信号の出力状態を示すビットであり、１（ｏｎ）であれば投入エラー信号ｏｎ（メダルセレクタに不正行為が行われた可能性が高い）を示し、０（ｏｆｆ）であれば投入エラー信号ｏｆｆを示す。Ｄ４は、払出エラー信号の出力状態を示すビットであり、１（ｏｎ）であれば払出エラー信号ｏｎ（ホッパーユニット３４に不正行為が行われた可能性が高い）を示し、０（ｏｆｆ）であれば払出エラー信号ｏｆｆを示す。Ｄ５は、予備信号の出力状態を示すビットであり、本実施例では常に０となる。例えば、ドア開放信号がｏｎでかつ設定変更信号がｏｎであれば、図８（ａ）に示すように、スタートビット：１、Ｄ１：１、Ｄ２：１、Ｄ３：０、Ｄ４：０、Ｄ５：０、ストップビット：０となる。尚、この状態の後、設定変更信号がｏｆｆに変化した場合には、スタートビット：１、Ｄ１：１、Ｄ２：０、Ｄ３：０、Ｄ４：０、Ｄ５：０、ストップビット：０となる。
【０１１６】
パラレル・シリアル変換回路１００２は、ドア開放信号、設定変更信号、投入エラー信号、払出エラー信号、（予備信号）の出力状態に変化があった場合、すなわちいずれかの事象が発生した場合またはその事象が復旧した場合に、変化後の状態を示すフレームを３回繰り返して送信する。
【０１１７】
図８（ｂ）に示すように、スタートビットとスタートビットの間は、受信側で誤ラッチが生じないように、２４０ｍｓの間隔を空けるようになっている。すなわちストップビット後は、１００ｍｓのブランクを空けて、次のフレームのスタートビットを送信するようになっている。
【０１１８】
また、３回の反復送信を完了せずに、ドア開放信号、設定変更信号、投入エラー信号、払出エラー信号、（予備信号）の出力状態に変化があった場合には、図８（ｃ）に示すように、変化後の出力状態を示すフレームを次回フレームより新たに３回反復送信する。この際、フレームの出力途中で、新たなフレームを送信したり、ストップビットの後、１００ｍｓのブランクが経過していない状態で新たなフレームを送信したりすることがなく、出力中のフレーム送信後、１００ｍｓのブランクを空けてから、新たなフレームを送信するようになっており、受信側でフレームの先頭を確実にラッチできるようになっている。
【０１１９】
また、ドア開放信号、設定変更信号、投入エラー信号、払出エラー信号、（予備信号）のうち何らかの信号がｏｎの状態から全ての信号がｏｆｆの状態に変化した場合には、スタートビットのみ１のフレームを３回送信するようになっている。
【０１２０】
次に、ＣＰＵ４１ａが外部出力信号として外部出力基板１０００に対して出力するメダルＩＮ信号及びメダルＯＵＴ信号の出力制御について図９に基づき説明する。
【０１２１】
図９において、投入メダルセンサは、投入メダルセンサ３１による投入メダルの検出状況を示し、スタートスイッチは、スタートスイッチ７の検出状況を示し、払出センサは、払出センサ３２ｃによる払出メダルの検出状況を示し、払出エラーは、メダル切れやメダル詰まりなどによるエラー状況を示し、メダルＩＮ信号は、メダルＩＮ信号の出力状況を示し、メダルＯＵＴ信号は、メダルＯＵＴ信号の出力状況を示す。また、図９においてゲーム開始とは、スタートスイッチ７の操作が有効に検出され、ゲームを開始したタイミングであり、ゲーム終了とは、ＣＰＵ４１ａが行う１ゲームの制御が全て終了したタイミングである。また、メダルＩＮ信号は、１パルス出力することにより賭数の設定のために１枚のメダルが用いられる旨を示す信号であり、メダルＯＵＴ信号は、１パルス出力することにより１枚のメダルが払い出された旨を示す信号である。
【０１２２】
図９（ａ）に示すように、規定数の賭数が未だ設定されておらず、メダルの投入が許可された状態においてメダルの投入が検出されると、メダルの投入が投入メダルセンサ３１により１枚検出される毎に賭数が１ずつ加算される。そして、規定数の賭数が設定されると、スタートスイッチ７の操作が有効化される。その後、スタートスイッチ７の操作が検出された時点、すなわち当該ゲームに用いられる賭数が確定した時点で、ＣＰＵ４１ａは設定された賭数分のメダルＩＮ信号をまとめて出力する。また、規定数の賭数の全部または一部をクレジットを用いて賭数が設定された場合にも、規定数の賭数が設定され、スタートスイッチ７の操作が検出された時点で、ＣＰＵ４１ａが設定された賭数分のメダルＩＮ信号をまとめて出力する。
【０１２３】
メダルの払出を伴う入賞が発生し、クレジットに加算される場合には、クレジットに１加算される毎に、ＣＰＵ４１ａはメダル１枚の払出を示す１パルスのメダルＯＵＴ信号を出力し、ホッパーユニット３４からメダルが払い出される場合には、図９（ｂ）に示すように、メダルが１枚払い出され、払出センサ３２ｃにより検出される毎にＣＰＵ４１ａはメダル１枚の払出を示す１パルスのメダルＯＵＴ信号を出力する。このため、図９（ｂ）に示すように、メダルの払出中に最後にメダルの払出が検出されてから予め定められた払出メダルなし時間が経過してメダル切れと判定されたり、メダルの連続検出時間が予め定められたメダル詰まり時間を超えてメダル詰まりと判定され、払出エラー状態となって払出動作が停止した場合には、払出動作の停止前に、実際に払い出された枚数分のメダルＯＵＴ信号のみが出力され、払出エラーが解除され、残りの払出が再開して残りのメダルが払い出されて払出センサ３２ｃに検出される毎に残りのメダルの払出に伴うメダルＯＵＴ信号が出力されることとなる。そして、最後のメダルの払出が検出され、メダルＯＵＴ信号の出力が完了した時点で１ゲームの制御が終了し、この時点でメダルの投入が許可される。
【０１２４】
本実施例のスロットマシン１は、設定値に応じてメダルの払出率が変わるものであり、後述する内部抽選の当選確率は、設定値に応じて定まるものとなる。以下、設定値の変更操作について説明する。
【０１２５】
設定値を変更するためには、設定キースイッチ３７をＯＮ状態としてからスロットマシン１の電源をＯＮする必要がある。設定キースイッチ３７をＯＮ状態として電源をＯＮすると、設定値表示器２４に設定値の初期値として１が表示され、リセット／設定スイッチ３８の操作による設定値の変更操作が可能な設定変更モードに移行する。設定変更モードにおいて、リセット／設定スイッチ３８が操作されると、設定値表示器２４に表示された設定値が１ずつ更新されていく（設定６からさらに操作されたときは、設定１に戻る）。そして、スタートスイッチ７が操作されると設定値が確定し、確定した設定値がメイン制御部４１のＲＡＭ４１ｃに格納される。そして、設定キースイッチ３７がＯＦＦされると、遊技の進行が可能な状態に移行する。
【０１２６】
本実施例のスロットマシン１においては、メイン制御部４１のＣＰＵ４１ａが電圧低下信号を検出した際に、電断割込処理（メイン）を実行する。電断割込処理（メイン）では、レジスタを後述するＲＡＭ４１ｃのスタックに退避し、メイン制御部４１のＲＡＭ４１ｃにいずれかのビットが１となる破壊診断用データ（本実施例では、５ＡＨ）、すなわち０以外の特定のデータを格納するとともに、ＲＡＭ４１ｃの全ての領域に格納されたデータに基づくＲＡＭパリティが０となるようにＲＡＭパリティ調整用データを計算し、ＲＡＭ４１ｃに格納する処理を行うようになっている。尚、ＲＡＭパリティとはＲＡＭ４１ｃの該当する領域（本実施例では、全ての領域）の各ビットに格納されている値の排他的論理和として算出される値である。このため、ＲＡＭ４１ｃの全ての領域に格納されたデータに基づくＲＡＭパリティが０であれば、ＲＡＭパリティ調整用データは０となり、ＲＡＭ４１ｃの全ての領域に格納されたデータに基づくＲＡＭパリティが１であれば、ＲＡＭパリティ調整用データは１となる。
【０１２７】
そして、ＣＰＵ４１ａは、その起動時においてＲＡＭ４１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ４１ｃに記憶されているデータに基づいてＣＰＵ４１ａの処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、他のエラー状態と異なり、リセットスイッチ２３やリセット／設定スイッチ３８を操作しても解除されないようになっており、前述した設定変更モードにおいて新たな設定値が設定されるまで解除されることがない。
【０１２８】
また、ＣＰＵ４１ａは、後述する内部抽選処理において設定された賭数が遊技状態に応じた賭数であるか否かを判定するとともに、内部抽選に用いる設定値が適正な値であるか否かを判定する。
【０１２９】
そして、設定された賭数が遊技状態に応じた賭数ではない場合、または内部抽選に用いる設定値が適正な値でない場合にも、ＲＡＭ異常と判定し、ＲＡＭ異常エラーコードをセットしてＲＡＭ異常エラー状態に制御し、遊技の進行を不能化させるようになっている。尚、前述のようにＲＡＭ異常エラー状態は、他のエラー状態と異なり、リセットスイッチ２３やリセット／設定スイッチ３８を操作しても解除されないようになっており、前述した設定変更モードにおいて新たな設定値が設定されるまで解除されることがない。
【０１３０】
本実施例のスロットマシン１は、前述のように遊技状態に応じて設定可能な賭数の規定数が定められており、遊技状態に応じて定められた規定数の賭数が設定されたことを条件にゲームを開始させることが可能となる。本実施例では、後に説明するが、遊技状態として、レギュラーボーナス、通常遊技状態、ＲＴ（１）（リプレイタイム（１））、ＲＴ（２）（リプレイタイム（２））、ＲＴ（３）（リプレイタイム（３））、ＲＴ（４）（リプレイタイム（４））、ＲＴ（５）（リプレイタイム（５））があるが、どの遊技状態においても賭数の規定数として３が定められている。このため、遊技状態がレギュラーボーナスであるか、通常遊技状態であるか、ＲＴ（１）〜ＲＴ（５）であるか、に関わらず、賭数として３が設定されるとゲームを開始させることが可能となる。尚、本実施例では、遊技状態に応じた規定数の賭数が設定された時点で、全ての入賞ラインＬ１〜Ｌ６が有効化されるようになっており、遊技状態に関わらず、賭数として３が設定された時点で全ての入賞ラインＬ１〜Ｌ６が有効化されることとなる。
【０１３１】
本実施例のスロットマシン１は、全てのリール２Ｌ、２Ｃ、２Ｒが停止した際に、有効化された入賞ライン（本実施例の場合、常に全ての入賞ラインが有効化されるため、以下では、有効化された入賞ラインを単に入賞ラインと呼ぶ）上に役と呼ばれる図柄の組み合わせが揃うと入賞となる。役は、同一図柄の組み合わせであっても良いし、異なる図柄を含む組み合わせであっても良い。入賞となる役の種類は、遊技状態に応じて定められているが、大きく分けて、メダルの払い出しを伴う小役と、賭数の設定を必要とせずに次のゲームを開始可能となる再遊技役と、遊技状態の移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭ４１ｃに設定されている必要がある。
【０１３２】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組み合わせが揃うまで有効とされ、許容された役の組み合わせが揃ったゲームにおいて無効となる。すなわち特別役の当選フラグが一度当選すると、例え、当該フラグにより許容された役の組み合わせを揃えることができなかった場合にも、その当選フラグは無効とされずに、次のゲームへ持ち越されることとなる。尚、特別役のうち後述するビッグボーナス（４）、ビッグボーナス（５）は当選したゲームにおいて必ず入賞することとなるため、次ゲーム以降に持ち越されることはない。
【０１３３】
図１０は、当選役テーブルを示す図である。当選役テーブルは、メイン制御部４１のＲＯＭ４１ｂに予め格納されており、内部抽選において抽選対象となる役及び役の組み合わせに対応して、抽選が行われる順番に割り当てられた役番号（０〜１６）が登録されている。
【０１３４】
このスロットマシン１における役としては、特別役としてビッグボーナス（１）、ビッグボーナス（２）、ビッグボーナス（３）、ビッグボーナス（４）、ビッグボーナス（５）が、小役として赤チェリー、青チェリー、白チェリー、ベルが、再遊技役としてリプレイ（１）、リプレイ（２）が定められている。また、スロットマシン１における役の組み合わせとしては、ビッグボーナス（１）＋赤チェリー、ビッグボーナス（２）＋青チェリー、ビッグボーナス（３）＋白チェリー、ベル＋赤チェリー、ベル＋青チェリー、ベル＋白チェリーが定められている。すなわち、役及び役の組み合わせの合計は１７となっている。
【０１３５】
本実施例のスロットマシン１においては、図１０に示すように、遊技状態が、通常遊技状態、ＲＴ（１）〜ＲＴ（５）であるか、レギュラーボーナスであるかによって抽選の対象となる役及び役の組み合わせが異なる。さらに遊技状態が通常遊技状態、ＲＴ（１）、ＲＴ（３）、持越中以外のＲＴ（２）であるか、ＲＴ（４）、持越中のＲＴ（２）であるか、によっても抽選の対象となる役及び役の組み合わせが異なる。
【０１３６】
本実施例では、遊技状態に応じた状態番号が割り当てられており、内部抽選を行う際に、現在の遊技状態に応じた状態番号を設定し、この状態番号と賭数に応じて抽選対象となる役を特定することが可能となる。具体的には、通常遊技状態（後述するように通常遊技状態において特別役が当選するとＲＴ（４）に移行するため、通常遊技状態において特別役が持ち越されることはない）においては状態番号として「０」が設定され、ＲＴ（１）（後述するようにＲＴ（１）において特別役が当選するとＲＴ（１）が終了するため、ＲＴ（１）において特別役が持ち越されることはない）においては、状態番号として「１」が設定され、ＲＴ（２）においていずれの特別役も持ち越されていない場合には、状態番号として「２」が設定され、ＲＴ（３）（後述するようにＲＴ（３）において特別役が当選するとＲＴ（３）が終了するため、ＲＴ（３）において特別役が持ち越されることはない）においては、状態番号として「３」が設定され、ＲＴ（４）（後述するように通常遊技状態において特別役が当選したとき、またはＲＴ（１）、ＲＴ（３）において特別役が当選したとき、ＲＴ（２）の終了時に特別役が当選しているときにＲＴ（４）に移行するため、ＲＴ（４）においては必ず特別役が持ち越されている）においては、状態番号として「４」が設定され、ＲＴ（２）においていずれかの特別役が持ち越されている場合には、状態番号として「５」が設定され、レギュラーボーナスである場合には、状態番号として「６」が設定されるようになっている。
【０１３７】
図１０に示すように、遊技状態が通常遊技状態、ＲＴ（１）〜ＲＴ（３）であり、いずれの特別役も持ち越されていない状態、すなわち状態番号として「０」、「１」、「２」または「３」が設定されている場合には、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベル、すなわち役番号０〜１３の役及び役の組み合わせが内部抽選の対象となる。
【０１３８】
また、遊技状態がＲＴ（４）またはＲＴ（２）であり、いずれかの特別役が持ち越されている状態、すなわち状態番号として「４」または「５」が設定されている場合には、リプレイ（１）、リプレイ（２）、赤チェリー、青チェリー、白チェリー、ベル、すなわち役番号８〜１３の役が内部抽選の対象となる。また、遊技状態がレギュラーボーナス、すなわち状態番号として「６」が設定されている場合には、ベル、ベル＋赤チェリー、ベル＋青チェリー、ベル＋白チェリー、すなわち役番号１３以降の役及び役の組み合わせが内部抽選の対象となる。
【０１３９】
赤チェリーは、いずれの遊技状態においても左リールについて入賞ラインのいずれかに「赤チェリー」の図柄が導出されたときに入賞となり、１枚のメダルが払い出される。青チェリーは、いずれの遊技状態においても左リールについて入賞ラインのいずれかに「青チェリー」の図柄が導出されたときに入賞となり、１枚のメダルが払い出される。白チェリーは、いずれの遊技状態においても左リールについて入賞ラインのいずれかに「白チェリー」の図柄が導出されたときに入賞となり、１枚のメダルが払い出される。尚、「赤チェリー」、「青チェリー」または「白チェリー」の図柄が左リールの上段または下段に停止した場合には、入賞ラインＬ１、Ｌ３、Ｌ５または入賞ラインＬ２、Ｌ４、Ｌ６の３本の入賞ラインに赤チェリー、青チェリーまたは白チェリーの組み合わせが揃うこととなり、３本の入賞ライン上で赤チェリー、青チェリーまたは白チェリーに入賞したこととなるので、３枚のメダルが払い出されることとなる。
【０１４０】
ベルは、いずれの遊技状態においても入賞ラインのいずれかに「ベル−ベル−ベル」の組み合わせが揃ったときに入賞となり、１５枚のメダルが払い出される。
【０１４１】
リプレイ（１）は、レギュラーボーナス以外の遊技状態において入賞ラインのいずれかに「リプレイ−リプレイ−リプレイ」の組み合わせが揃ったときに入賞となる。（リプレイ（２）は、レギュラーボーナス以外の遊技状態において入賞ラインのいずれかに「ベル−リプレイ−リプレイ」の組み合わせが揃ったときに入賞となる。リプレイ（１）またはリプレイ（２）が入賞したときには、メダルの払い出しはないが次のゲームを改めて賭数を設定することなく開始できるので、次のゲームで設定不要となった賭数に対応した３枚のメダルが払い出されるのと実質的には同じこととなる。
【０１４２】
ビッグボーナスは、レギュラーボーナス以外の遊技状態において入賞ラインのいずれかに「赤７−赤７−赤７」の組み合わせ、「青７−青７−青７」、「白７−白７−白７」の組み合わせ、「ベル−リプレイ−ベル」の組み合わせ、「リプレイ−リプレイ−ベル」の組み合わせが揃ったときに入賞となる。本実施例において「赤７−赤７−赤７」の組み合わせが揃ったときに入賞となるビッグボーナスをビッグボーナス（１）とし、「青７−青７−青７」の組み合わせが揃ったときに入賞となるビッグボーナスをビッグボーナス（２）とし、「白７−白７−白７」の組み合わせが揃ったときに入賞となるビッグボーナスをビッグボーナス（３）とし、「ベル−リプレイ−ベル」の組み合わせが揃ったときに入賞となるビッグボーナスをビッグボーナス（４）とし、「リプレイ−リプレイ−ベル」の組み合わせが揃ったときに入賞となるビッグボーナスをビッグボーナス（５）とする。
【０１４３】
ビッグボーナス（１）が入賞すると、遊技状態がビッグボーナス（１）に移行し、ビッグボーナス（２）が入賞すると、遊技状態がビッグボーナス（２）に移行し、ビッグボーナス（３）が入賞すると、遊技状態がビッグボーナス（３）に移行し、ビッグボーナス（４）が入賞すると、遊技状態がビッグボーナス（４）に移行し、ビッグボーナス（５）が入賞すると、遊技状態がビッグボーナス（５）に移行する。ビッグボーナス（１）〜（５）に移行すると、ビッグボーナス（１）〜（５）への移行と同時にレギュラーボーナスに移行する。レギュラーボーナスは、１２ゲームを消化したとき、または８ゲーム入賞（役の種類は、いずれでも可）したとき、のいずれか早いほうで終了する。遊技状態がレギュラーボーナスにある間は、レギュラーボーナス中フラグがＲＡＭ４１ｃに設定される。レギュラーボーナスが終了した際に、ビッグボーナス（１）〜（５）が終了していなければ、再度レギュラーボーナスに移行し、ビッグボーナス（１）〜（５）が終了するまで繰り返しレギュラーボーナスに制御される。すなわちビッグボーナス（１）〜（５）中は、常にレギュラーボーナスに制御されることとなる。
【０１４４】
そして、ビッグボーナス（１）〜（３）は、当該ビッグボーナス（１）〜（３）中において遊技者に払い出したメダルの総数が４００枚を超えたときに終了する。この際、レギュラーボーナスの終了条件が成立しているか否かに関わらずレギュラーボーナスも終了する。また、ビッグボーナス（４）は、当該ビッグボーナス（４）中において遊技者に払い出したメダルの総数が３００枚を超えたときに終了し、ビッグボーナス（５）は、当該ビッグボーナス（５）中において遊技者に払い出したメダルの総数が１００枚を超えたときに終了する。この際、レギュラーボーナスの終了条件が成立しているか否かに関わらずレギュラーボーナスも終了する。
【０１４５】
遊技状態がビッグボーナス（１）、ビッグボーナス（２）、ビッグボーナス（３）、ビッグボーナス（４）、ビッグボーナス（５）にある間は、それぞれビッグボーナス（１）中フラグ、ビッグボーナス（２）中フラグ、ビッグボーナス（３）中フラグ、ビッグボーナス（４）中フラグ、ビッグボーナス（５）中フラグがＲＡＭ４１ｃに設定される。
【０１４６】
以下、本実施例の内部抽選について説明する。内部抽選は、上記した各役への入賞を許容するか否かを、全てのリール２Ｌ、２Ｃ、２Ｒの表示結果が導出表示される以前に（実際には、スタートスイッチ７の検出時）決定するものである。内部抽選では、まず、後述するように内部抽選用の乱数（０〜１６３８３の整数）が取得される。そして、遊技状態及び賭数に応じて定められた各役及び役の組み合わせについて、取得した内部抽選用の乱数と、遊技状態、賭数及び設定値に応じて定められた各役及び役の組み合わせの判定値数に応じて行われる。本実施例においては、各役及び役の組み合わせの判定値数から、一般役、特別役がそれぞれ単独で当選する判定値の範囲と、一般役及び特別役が重複して当選する判定値の範囲と、が特定されるようになっており、内部抽選における当選は、排他的なものではなく、１ゲームにおいて一般役と特別役とが同時に当選することがあり得る。ただし、種類の異なる特別役については、重複して当選する判定値の範囲が特定されることがなく、種類の異なる特別役については、排他的に抽選を行うものである。
【０１４７】
遊技状態、賭数に応じて定められた各役及び役の組み合わせの参照は、図１０に示した当選役テーブルに登録された役番号の順番で行われる。
【０１４８】
遊技状態が通常遊技状態、ＲＴ（１）〜ＲＴ（３）であり、いずれの特別役も持ち越されていない状態、すなわち状態番号として「０」、「１」、「２」または「３」が設定されている場合には、当選役テーブルを参照し、役番号０〜１３の役及び役の組み合わせ、すなわちビッグボーナス（１）［役番号０］、ビッグボーナス（２）［役番号１］、ビッグボーナス（３）［役番号２］、ビッグボーナス（４）［役番号３］、ビッグボーナス（５）［役番号４］、ビッグボーナス（１）＋赤チェリー［役番号５］、ビッグボーナス（２）＋青チェリー［役番号６］、ビッグボーナス（３）＋白チェリー［役番号７］、リプレイ（１）［役番号８］、リプレイ（２）［役番号９］、赤チェリー［役番号１０］、青チェリー［役番号１１］、白チェリー［役番号１２］、ベル［役番号１３］が内部抽選の対象役として順に読み出される。
【０１４９】
遊技状態がＲＴ（４）またはＲＴ（２）であり、いずれかの特別役が持ち越されている状態、すなわち状態番号として「４」または「５」が設定されている場合には、当選役テーブルを参照し、役番号８〜１３の役、すなわちリプレイ（１）［役番号８］、リプレイ（２）［役番号９］、赤チェリー［役番号１０］、青チェリー［役番号１１］、白チェリー［役番号１２］、ベル［役番号１３］が内部抽選の対象役として順に読み出される。
【０１５０】
遊技状態がレギュラーボーナス、すなわち状態番号として「６」が設定されている場合には、当選役テーブルを参照し、役番号１３〜１６の役、すなわちベル［役番号１３］、ベル＋赤チェリー［役番号１４］、ベル＋青チェリー［役番号１５］、ベル［役番号１６］が内部抽選の対象役として順に読み出される。
【０１５１】
内部抽選では、内部抽選の対象となる役または役の組み合わせ及び現在の遊技状態を示す状態番号について定められた判定値数を、内部抽選用の乱数に順次加算し、加算の結果がオーバーフローしたときに、当該役または役の組み合わせに当選したものと判定される。
【０１５２】
そして、いずれかの役または役の組み合わせの当選が判定された場合には、当選が判定された役または役の組み合わせに対応する当選フラグをＲＡＭ４１ｃに割り当てられた内部当選フラグ格納ワーク（iwin_flag）に設定する。内部当選フラグ格納ワーク（iwin_flag）は、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、役番号０〜４のいずれかの役（特別役）が当選した場合には、当該特別役が当選した旨を示す特別役の当選フラグを特別役格納ワークに設定し、一般役格納ワークに設定されている当選フラグをクリアする。また、役番号５〜７のいずれかの役（特別役＋一般役）が当選した場合には、当該特別役が当選した旨を示す特別役の当選フラグを特別役格納ワークに設定し、当該一般役が当選した旨を示す一般役の当選フラグを一般役格納ワークに設定する。また、役番号８〜１６のいずれかの役（一般役）が当選した場合には、当該一般役が当選した旨を示す一般役の当選フラグを一般役格納ワークに設定する。尚、いずれの役及び役の組み合わせにも当選しなかった場合には、一般役格納ワークのみクリアする。
【０１５３】
各役及び役の組み合わせの判定値数は、メイン制御部４１のＲＯＭ４１ｂに予め格納された役別テーブル（図示略）に登録されている判定値数の格納アドレスに従って読み出されるものとなる。
【０１５４】
判定値数は、その値が２５６以上のものとなるものもあり、１バイト分では記憶できないので、判定値数毎に２バイト分の記憶領域を用いて登録されるものとなる。また、判定値数は、前述した遊技状態を特定可能な状態番号及び賭数に対応して登録されている。同一の役または同一の役の組み合わせであっても、遊技状態に応じて当選確率が異なっている場合があり、遊技状態が同一であっても賭数に応じて当選確率が異なっている場合があるからである。また、それぞれの判定値数は、設定値に関わらずに共通になっているものと、設定値に応じて異なっているものとがある。判定値数が設定値に関わらずに共通である場合には、共通フラグが設定される（値が「１」とされる）。
【０１５５】
また、役別テーブルには、各役に入賞したときに払い出されるメダルの払出枚数も登録されている。もっとも、入賞したときにメダルの払い出し対象となる役は、赤チェリー、青チェリー、白チェリー、ベルだけである。ビッグボーナス（１）、ビッグボーナス（２）、ビッグボーナス（３）、ビッグボーナス（４）、ビッグボーナス（５）の入賞は、遊技状態の移行を伴うものであり、メダルの払い出し対象とはならない。リプレイでは、メダルの払い出しを伴わないが、次のゲーム（必ず通常遊技状態かＲＴ（１）〜（４））で賭数の設定に用いるメダルの投入が不要となるので実質的には３枚の払い出しと変わらない。
【０１５６】
図１１〜図１３は、内部抽選用の乱数の値と各役及び役の組み合わせの判定値数と、当選との関係の一例を示す図である。図１１では通常遊技状態、ＲＴ（１）、ＲＴ（２）、ＲＴ（３）においていずれの特別役も持ち越されていないときの、図１２ではＲＴ（４）、ＲＴ（２）においていずれかの特別役が持ち越されているときの、図１３ではレギュラーボーナスにあるときの例をそれぞれ示している。図１１〜図１３のいずれも、設定値が６の場合の例を示している。
【０１５７】
例えば、図１１に示すように、通常遊技状態においては、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベルが内部抽選の対象となる。また、本実施例では、設定値６において、通常遊技状態の各役の判定値数として、８、８、８、８、８、２４、２４、２４、２２３６、１、３００、３００、３００、１３９２がそれぞれ登録されており、最初に内部抽選の対象となるビッグボーナス（１）は、判定値数の８を加算することで加算結果がオーバーフローすることとなる１６３７６〜１６３８３が内部抽選用の乱数として取得されたときに当選となる。
【０１５８】
次に内部抽選の対象役となるビッグボーナス（２）は、ビッグボーナス（１）の判定値数８とビッグボーナス（２）の判定値数８とを合計した１６を加算することで加算結果がオーバーフローすることとなる１６３６８〜１６３７５が内部抽選用の乱数として取得されたときに当選となる。同様に、ビッグボーナス（３）は、１６３６０〜１６３６７が内部抽選用の乱数として取得されたときに、ビッグボーナス（４）は、１６３５２〜１６３５９が内部抽選用の乱数として取得されたときに、ビッグボーナス（５）は、１６３４４〜１６３５１が内部抽選用の乱数として取得されたときに、ビッグボーナス（１）＋赤チェリーは、１６３２０〜１６３４３が内部抽選用の乱数として取得されたときに、ビッグボーナス（２）＋青チェリーは、１６２９６〜１６３１９が内部抽選用の乱数として取得されたときに、ビッグボーナス（３）＋白チェリーは、１６２７２〜１６２９５が内部抽選用の乱数として取得されたときに、リプレイ（１）は、１４０３６〜１６２７１が内部抽選用の乱数として取得されたときに、リプレイ（２）は、１４０３５が内部抽選用の乱数として取得されたときに、赤チェリーは、１３７３５〜１４０３４が内部抽選用の乱数として取得されたときに、青チェリーは、１３４３５〜１３７３４が内部抽選用の乱数として取得されたときに、白チェリーは、１３１３５〜１３４３４が内部抽選用の乱数として取得されたときに、ベルは、１１７４３〜１３１３４が内部抽選用の乱数として取得されたときに、それぞれ当選と判定される。尚、０〜１１７４２が内部抽選用の乱数として取得されたときには、全ての役にハズレとなる。
【０１５９】
これらの判定値数に基づいて算出される各役及び役の組み合わせのおおよその当選確率は、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベルのそれぞれについて、１／２０４８、１／２０４８、１／２０４８、１／２０４８、１／２０４８、１／６８２．７、１／６８２．７、１／６８２．７、１／７．３３、１／１６３８４、１／５４．６、１／５４．６、１／５４．６、１／１１．７７となる。
【０１６０】
また、ＲＴ（１）においては、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベルが内部抽選の対象となり、本実施例では、設定値６において、ＲＴ（１）の各役の判定値数として、８、８、８、８、８、２４、２４、２４、１２０００、２８０、３００、３００、３００、１３９２がそれぞれ登録されており、それぞれの役のおおよその当選確率は、１／２０４８、１／２０４８、１／２０４８、１／２０４８、１／２０４８、１／６８２．７、１／６８２．７、１／６８２．７、１／１．３７、１／５８．５１、１／５４．６、１／５４．６、１／５４．６、１／１１．７７となり、通常遊技状態と比較してリプレイ（１）、リプレイ（２）の当選確率がともに高くなる。
【０１６１】
また、ＲＴ（２）においていずれの特別役も持ち越されていない場合には、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベルが内部抽選の対象となり、本実施例では、設定値６において、ＲＴ（２）においていずれの特別役も持ち越されていない場合の各役の判定値数として、８、８、８、８、８、２４、２４、２４、１３８８０、２０、３００、３００、３００、１３９２がそれぞれ登録されており、それぞれの役のおおよその当選確率は、１／２０４８、１／２０４８、１／２０４８、１／２０４８、１／２０４８、１／６８２．７、１／６８２．７、１／６８２．７、１／１．１８、１／８１９．２、１／５４．６、１／５４．６、１／５４．６、１／１１．７７となり、ＲＴ（１）と比較してさらにリプレイ（１）の当選確率が高くなるが、リプレイ（２）の当選確率は低くなる。尚、それでも通常遊技状態と比較すると、リプレイ（２）の当選確率は高い。
【０１６２】
また、ＲＴ（３）においては、ビッグボーナス（１）、ビッグボーナス（２）、ビッグボーナス（３）、ビッグボーナス（４）、ビッグボーナス（５）、ビッグボーナス（１）＋赤チェリー、ビッグボーナス（２）＋青チェリー、ビッグボーナス（３）＋白チェリー、リプレイ（１）、リプレイ（２）、赤チェリー、青チェリー、白チェリー、ベルが内部抽選の対象となり、本実施例では、設定値６において、ＲＴ（３）の各役の判定値数として、８、８、８、８、８、２４、２４、２４、８１００、１、３００、３００、３００、１３９２がそれぞれ登録されており、それぞれの役のおおよその当選確率は、１／２０４８、１／２０４８、１／２０４８、１／２０４８、１／２０４８、１／６８２．７、１／６８２．７、１／６８２．７、１／２．０２、１／１６３８４、１／５４．６、１／５４．６、１／５４．６、１／１１．７７となり、通常遊技状態と比較するとリプレイ（２）の当選確率は同じで、リプレイ（１）の当選確率が高くなるが、ＲＴ（１）やＲＴ（２）（非持越中）に比較すると、リプレイ（１）、リプレイ（２）の当選確率はともに低い。
【０１６３】
図１２に示すように、ＲＴ（４）においては、リプレイ（１）、リプレイ（２）、赤チェリー、青チェリー、白チェリー、ベルが内部抽選の対象となり、本実施例では、設定値６において、ＲＴ（４）の各役の判定値数として、８１００、１、３２４、３２４、３２４、１３９２がそれぞれ登録されており、それぞれの役のおおよその当選確率は、１／２．０２、１／１６３８４、１／５０．６、１／５０．６、１／５０．６、１／１１．７７となり、通常遊技状態においていずれの特別役も持ち越されていない場合においては内部抽選の対象となった、特別役及び特別役を含む役の組み合わせが内部抽選の対象外となり、特別役＋赤チェリー、特別役＋青チェリー、特別役＋白チェリーの当選確率が減少した分、赤チェリー、青チェリー、白チェリーの単独での当選確率が通常遊技状態と比較して高くなり、それ以外の小役の当選確率は、通常遊技状態と同じである。また、再遊技役の当選確率は、ＲＴ（３）と同じであり、通常遊技状態と比較するとリプレイ（２）の当選確率は同じで、リプレイ（１）の当選確率が高くなるが、ＲＴ（１）やＲＴ（２）（非持越中）に比較すると、リプレイ（１）、リプレイ（２）の当選確率はともに低い。
【０１６４】
また、ＲＴ（２）においていずれかの特別役が持ち越されている場合には、リプレイ（１）、リプレイ（２）、赤チェリー、青チェリー、白チェリー、ベルが内部抽選の対象となり、本実施例では、設定値６において、ＲＴ（２）においていずれかの特別役が持ち越されている場合の各役の判定値数として、１３８８０、２０、３２４、３２４、３２４、１３９２がそれぞれ登録されており、それぞれの役のおおよその当選確率は、１／１．１８、１／８１９．２、１／５０．６、１／５０．６、１／５０．６、１／１１．７７となり、ＲＴ（２）においていずれの特別役も持ち越されていない場合においては内部抽選の対象となった特別役及び特別役を含む役の組み合わせが内部抽選の対象外となり、特別役＋赤チェリー、特別役＋青チェリー、特別役＋白チェリーの当選確率が減少した分、赤チェリー、青チェリー、白チェリーの単独での当選確率がＲＴ（２）においていずれの特別役も持ち越されていない場合に比較して高くなり、それ以外の当選確率は、ＲＴ（２）においていずれの特別役も持ち越されていない場合と同じである。
【０１６５】
図１３に示すように、レギュラーボーナスでは、ベル、赤チェリー＋ベル、青チェリー＋ベル、白チェリー＋ベル、内部抽選の対象となり、本実施例では、設定値６において、レギュラーボーナスでの各役の判定値数として、１４７５０、３２４、３２４、３２４がそれぞれ登録されており、それぞれの役のおおよその当選確率は、１／１．１１、１／５０．６、１／５０．６、１／５０．６となり、レギュラーボーナスにおいては、通常遊技状態やＲＴ（１）、ＲＴ（２）、ＲＴ（３）、ＲＴ（４）においては内部抽選の対象とならないベル、赤チェリー＋ベル、青チェリー＋ベル、白チェリー＋ベルが内部抽選の対象となる。
【０１６６】
図１３は、リールモータ３２Ｌ、３２Ｃ、３２Ｒの構成を示す図である。リールモータ３２Ｌ、３２Ｃ、３２Ｒは、例えば、ハイブリッド型ステッピングモータであり、ステータ３２ｂと、これに対向するロータ３２ａとで構成されている。尚、ロータ３２ａは、図示しない多数の歯車状突極を有し、これに回転軸と同方向に磁化された永久磁石が組み込まれている。これらリールモータ３２Ｌ、３２Ｃ、３２Ｒは、ＣＰＵ４１ａの制御に基づきモータ駆動回路４５から出力されるパルス信号を受け、ステータ３２ｂの各励磁相φ１〜φ４が所定の手順に従って励磁されることにより、１パルスを受信する度に所定の角度（１ステップ）ずつロータ３２ａを回転させる。
【０１６７】
図１４（ａ）は、リールモータ３２Ｌ、３２Ｃ、３２Ｒの始動時の制御方法を示すタイミングチャートである。図において、φ１〜φ４は、各励磁相を示し、「ＯＮ」は励磁状態を、「ＯＦＦ」は消磁状態を、各々示す。ＣＰＵ４１ａは、リールモータ３２Ｌ、３２Ｃ、３２Ｒの始動時において、停止相のみが励磁された状態から停止相を始点として後述する１−２相励磁方式にて回転方向に励磁を開始する。詳しくは、例えば停止相が（φ３）の場合には、（φ３）のみが励磁された状態から、（φ３、φ４）、（φ４）、（φ４、φ１）…の順で、φ１〜φ４を２相、１相、２相と交互に励磁する。
【０１６８】
仮に停止相とは異なる相を始点として励磁を開始した場合には、急激にロータ３２ａの永久磁石が励磁相に吸引されることとなり、回転の開始時にリールが振動してしまうこととなるが、本実施例では、停止相を始点として励磁を開始するので、ロータ３２ａと一体的に結合されているリールが滑らかに始動するようになる。
【０１６９】
図１４（ｂ）は、リールモータ３２Ｌ、３２Ｃ、３２Ｒの回転中及び停止時の制御方法を示すタイミングチャートである。
【０１７０】
まず、回転中、すなわちリールを停止させる条件が成立するまでの間は、１−２相励磁方式でリールモータを駆動して各リール２Ｌ、２Ｃ、２Ｒを回転させる。例えば、φ１〜φ４を励磁する旨を示すパルス信号を図１４（ｂ）に示すタイミングでＯＮ／ＯＦＦし、ロータ３２ａの回転方向に沿って、（φ４、φ１）、（φ１）、（φ１、φ２）、（φ２）、（φ２、φ３）、（φ３）、（φ３、φ４）、（φ４）、（φ４、φ１）…の順で、２相、１相、２相、１相、２相と１ステップごとに交互にφ１〜φ４を励磁して、ロータ３２ａを回転させることにより、リール２Ｌ、２Ｃ、２Ｒを回転させる。
【０１７１】
次に、回転中のリールを停止させる条件が成立した場合、すなわち、ロータ３２ａが後述するオーバーシュート量だけ脱調することにより、停止操作により選択された図柄（目標図柄）を導出表示可能な角度位置（目標停止角度位置）に到達する角度位置となった場合には、２相が励磁された状態からリールの停止制御に移行する。例えば、リールを停止させる条件が、停止条件成立ステップとして図１４（ｂ）に示す期間に成立した場合には、２相が励磁される状態に移行する時点Ｔａまで待って、停止制御に移行する。
【０１７２】
リールの停止制御は、図１４（ｂ）のＴ１、Ｔ２に示されるように、２段階で行われる。Ｔ１で行われる制御を２相励磁停止制御と呼び、Ｔ２で行われる制御を３相励磁停止制御と呼ぶ。
【０１７３】
２相励磁停止制御は、１−２相励磁方式でリールモータが駆動されている場合において、１相を励磁した状態から２相を励磁する状態に移行する時点Ｔａから開始され、その２相を励磁する状態を所定のホールド時間Ｔ１だけ保持する制御である。例えば、図１４（ｂ）に示すように、（φ１）を励磁した状態から（φ１、φ２）を励磁する状態に移行する時点から、（φ１、φ２）を励磁した状態をホールド時間Ｔ１だけ保持する。これにより、高速回転していた各リールモータのロータ３２ａは急制動がかけられる。
【０１７４】
尚、ホールド時間Ｔ１は脱調を引起すことになるオーバーシュート量に応じて定められ、リールモータのホールディングトルクの大きさやロータ３２ａのイナーシャ、バネ常数等によって異なる。本実施例では、オーバーシュート量がステッピングモータの４ステップ分であるものとし、ホールド時間Ｔ１は、リールモータが３ステップ分駆動するのに必要な時間として設定する。そして、ロータ３２ａの目標停止角度位置を、ホールド時間Ｔ１に合わせて、２相励磁停止制御が開始された段階から３ステップ先に設定する。
【０１７５】
このため、ホールド時間Ｔ１が経過した時点Ｔｂでは、ロータ３２ａが目標停止角度位置の直前の位置にあり、かつ、その回転速度が制動された状態にある。そこで、Ｔｂの時点で励磁パターンを切替えて３相励磁停止制御を開始する。すなわち、φ１を消磁し、目標停止角度位置に対応する停止相φ３と、当該停止相を挟んで相反する位置にある２つのブレーキ相φ２、φ４とを所定の時間Ｔ２だけ励磁する。これにより、ブレーキ相φ２、φ４によるブレーキを得ながら停止相φ３のホールディングトルク安定点、すなわち目標停止角度位置でロータ３２ａが停止する。その結果、ロータ３２ａと一体的に結合されているリールは、目標図柄を導出表示可能な目標停止位置に、正確かつ振動することなく停止する。
【０１７６】
３相励磁停止制御がＴ２の間実行された後（Ｔｃ）、ブレーキ相φ２、φ４を消磁し、停止相φ３の励磁状態を維持したまま、モータ電圧をＨからＬにする。ロータ３２ａの停止後も、停止相φ３の励磁状態を維持するのは、ホールディングトルクとディテントトルクとの位相差や摩擦の影響によるずれによって、ロータ３２ａが停止相φ３のホールディングトルク安定点から外れることを防止するためである。これにより、リールが一旦停止した後に微動すること、及び、次回リールモータを始動させる時のロータ３２ａの角度位置が、停止時の角度位置とずれてしまうことを防止できる。
【０１７７】
ロータ３２ａの停止後も維持されている停止相φ３の励磁状態は、次ゲームの開始操作が行われることなく所定時間（本実施例では３０秒であり、待機状態（デモ演出）へ移行するのと同じタイミング）が経過した場合（Ｔｄ）に解除される。すなわち、ロータ３２ａの停止後、次ゲームの開始操作が行われることなく所定時間が経過した場合には、φ１〜φ４が全て消磁されることになる。このため、例えば、励磁相が長時間継続して励磁されることによる発熱に伴って、ステッピングモータを構成する部品等に負担がかかることがないので、これら部品の劣化を防止することができる。また、本実施例では、次ゲームの開始操作が行われない状態が所定時間継続して待機状態（デモ演出）へ移行するタイミングで励磁状態が解除されるので、遊技客が遊技している間は、リールに配置された図柄がずれにくい状態を保つことができる一方、遊技客が遊技している可能性の低い状態では、ステッピングモータの構成部品にかかる負荷を軽減できるようになる。
【０１７８】
また、リールモータを停止させるための制御方法としては、全相励磁停止制御、すなわち全ての励磁相を同時に励磁することによってロータ３２ａを停止させる制御や、２相励磁停止制御、すなわち隣り合う２つの励磁相を同時に励磁することによってロータ３２ａを停止させる制御が従来から公知である（例えば、特開昭６１−２４０８４６号公報、実開昭６２−３６７８７号公報参照）。
【０１７９】
本実施例のスロットマシン１では、前述したようにリールを滑らかに回転開始させるために、リールモータの回転開始時にはロータ３２ａの正確な停止位置を特定しておく必要がある。
【０１８０】
しかしながら、前述した全相励磁停止制御を用いてリールモータの停止制御を行った場合には、急制動に起因するオーバーシュート量だけロータ３２ａが回転した後に停止する。このオーバーシュート量はメカニカルな要素に基づいて決まることからロータ３２ａの停止位置を正確に判別することが困難であるため、前述した滑らかなリールの始動を正確に制御することができないという問題がある。
【０１８１】
また、前述した２相励磁停止制御を用いてリールモータの停止制御を行った場合には、最終的に励磁された２つの励磁相の均衡点にロータ３２ａの停止位置が収束することとなり、停止位置を正確に特定することが可能となるが、ロータ３２ａが励磁に対して過度に応答することに伴う振動を抑えることができないため、リールの停止態様が見苦しくなってしまうという問題がある。
【０１８２】
これに対して、本実施例のように２相励磁停止制御と３相励磁停止制御とを併用してリールモータの停止制御を行うことで、２相励磁停止制御によってロータ３２ａの回転が急速に制動されつつ目標停止角度位置に誘導され、その後、３相励磁停止制御によって、目標停止角度位置の停止相を挟んで相反する位置にある２つのブレーキ相の励磁によりブレーキを得ながら、停止相の励磁により目標停止角度位置にロータ３２ａが停止することとなるため、回転中のロータ３２ａを振動させることなく目標停止角度位置に停止させることができる。更に、ロータ３２ａは目標停止角度位置に停止することから、ロータ３２ａの正確な停止位置が特定されるため、回転開始時にリールを滑らかに回転させることができる。
【０１８３】
次に、リール２Ｌ、２Ｃ、２Ｒの停止制御について説明する。
【０１８４】
本実施例では、リールの停止制御の方法として、予めＲＯＭ４１ｂに登録されているテーブル作成用データから作成される停止制御テーブルの停止制御テーブルによる停止制御（以下テーブル方式とも呼ぶ）、停止操作のタイミング毎に引込可能位置を検索し、その検索結果に基づく停止制御（以下コントロール方式とも呼ぶ）、テーブル方式とコントロール方式の双方による停止制御（以下テーブル＋コントロール方式とも呼ぶ）の３つの方法を採用しており、内部抽選の結果、リールの停止状況に応じていずれかの方法によって停止制御を行う。
【０１８５】
これら３つの方法のうちどの方法で停止制御を行うかは予め定められている。詳しくは、図１６に示すように、内部抽選の結果がハズレの場合には、ゲーム開始後、全てのリールが未だ回転中の状態で最初に行われる停止操作（以下、第１停止とも呼ぶ）、いずれか１つのリールが既に停止し、２つのリールが回転中の状態、すなわち２番目に行われる停止操作（以下、第２停止とも呼ぶ）、いずれか２つのリールが停止し、１つのリールが回転中の状態、すなわち３番目に行われる停止操作（以下、第３停止とも呼ぶ）のいずれの停止操作においてもテーブル方式によって停止制御を行う。
【０１８６】
内部抽選の結果がリプレイ（１）、リプレイ（２）、ベル、ビッグボーナス（１）＋リプレイ（１）、ビッグボーナス（１）＋リプレイ（２）、ビッグボーナス（２）＋リプレイ（１）、ビッグボーナス（２）＋リプレイ（２）、ビッグボーナス（３）＋リプレイ（１）、ビッグボーナス（３）＋リプレイ（２）、ビッグボーナス（４）、ビッグボーナス（５）の場合には、第１停止においてはテーブル方式によって停止制御を行い、第２停止、第３停止においてはコントロール方式によって停止制御を行う。
【０１８７】
内部抽選の結果が赤チェリー、青チェリー、白チェリー、ベル＋赤チェリー、ベル＋青チェリー、ベル＋白チェリー、ビッグボーナス（１）、ビッグボーナス（１）＋赤チェリー、ビッグボーナス（１）＋青チェリー、ビッグボーナス（１）＋白チェリー、ビッグボーナス（１）＋ベル、ビッグボーナス（２）、ビッグボーナス（２）＋赤チェリー、ビッグボーナス（２）＋青チェリー、ビッグボーナス（２）＋白チェリー、ビッグボーナス（２）＋ベル、ビッグボーナス（３）、ビッグボーナス（３）＋赤チェリー、ビッグボーナス（３）＋青チェリー、ビッグボーナス（３）＋白チェリー、ビッグボーナス（３）＋ベルの場合には、第１停止、第２停止、第３停止のいずれの停止操作においてもテーブル＋コントロール方式によって停止制御を行う。
【０１８８】
テーブル方式及びテーブル＋コントロール方式によって停止制御を行う際に用いる停止制御テーブルを作成するためのテーブル作成用データは、ＲＯＭ４１ｂに予め登録されており、ＲＯＭ４１ｂに格納されているテーブルインデックスを参照して選択される。
【０１８９】
テーブルインデックスには、内部抽選による当選フラグの設定状態（以下、内部当選状態と呼ぶ）別に、テーブルインデックスを参照する際の基準アドレス（table_index）から、テーブル作成用データが格納された領域の先頭アドレスを示すインデックスデータが格納されているアドレスまでの差分が登録されている。これにより当選役に応じた差分を取得し、基準アドレス（table_index）に対してその差分を加算することで該当するインデックスデータを取得することが可能となる。
【０１９０】
本実施例では、内部抽選の結果の全てについて個別のテーブル作成用データから作成される停止制御テーブルを用いるものではない。詳しくは、ハズレ、ベル、ビッグボーナス（４）、ビッグボーナス（５）については、個別のテーブル作成用データが予め用意されているが、それ以外の役及び役の組み合わせについては、複数の役または役の組み合わせについて共通に用いられる５種類の共通テーブル作成用データが予め用意されており、テーブルインデックスには、ハズレ、ベル、ビッグボーナス（４）、ビッグボーナス（５）のそれぞれについて、個別のテーブル作成用データが格納された領域の先頭アドレスを示すインデックスデータが格納されているとともに、５種類の共通テーブル作成用データ（１）〜（５）が格納された領域の先頭アドレスを示すインデックスデータがそれぞれ格納されている。
【０１９１】
共通テーブル作成用データは、赤チェリー、ベル＋赤チェリー、ビッグボーナス（１）、ビッグボーナス（１）＋赤チェリー、ビッグボーナス（１）＋青チェリー、ビッグボーナス（１）＋白チェリー、ビッグボーナス（１）＋ベルについて共通に用いられる共通テーブル作成用データ（１）、青チェリー、ベル＋青チェリー、ビッグボーナス（２）、ビッグボーナス（２）＋赤チェリー、ビッグボーナス（２）＋青チェリー、ビッグボーナス（２）＋白チェリー、ビッグボーナス（２）＋ベルについて共通に用いられる共通テーブル作成用データ（２）、白チェリー、ベル＋白チェリー、ビッグボーナス（３）、ビッグボーナス（３）＋赤チェリー、ビッグボーナス（３）＋青チェリー、ビッグボーナス（３）＋白チェリー、ビッグボーナス（３）＋ベルについて共通に用いられる共通テーブル作成用データ（３）、リプレイ（１）、ビッグボーナス（１）＋リプレイ（１）、ビッグボーナス（２）＋リプレイ（１）、ビッグボーナス（３）＋リプレイ（１）について共通に用いられる共通テーブル作成用データ（４）、リプレイ（２）、ビッグボーナス（１）＋リプレイ（２）、ビッグボーナス（２）＋リプレイ（２）、ビッグボーナス（３）＋リプレイ（２）について共通に用いられる共通テーブル作成用データ（５）からなる。
【０１９２】
テーブル作成用データは、停止操作位置に応じた滑りコマ数を示す停止制御テーブルと、リールの停止状況に応じて参照すべき停止制御テーブルのアドレスと、からなる。
【０１９３】
リールの停止状況に応じて参照される停止制御テーブルは、第１停止か、第２停止において左リールのみ停止しているか、中リールのみ停止しているか、右リールのみ停止しているか、第３停止において左、中リールが停止しているか、左、右リールが停止しているか、中、右リールが停止しているか、によって異なる場合があり、さらに、いずれかのリールが停止している状況においては、停止済みのリールの停止位置によっても異なる場合があるので、それぞれの状況について、参照すべき停止制御テーブルのアドレスが回転中のリール別に登録されており、テーブル作成用データの先頭アドレスに基づいて、それぞれの状況に応じて参照すべき停止制御テーブルのアドレスが特定可能とされ、この特定されたアドレスから、それぞれの状況に応じて必要な停止制御テーブルを特定できるようになっている。尚、リールの停止状況や停止済みのリールの停止位置が異なる場合でも、同一の停止制御テーブルが適用される場合においては、停止制御テーブルのアドレスとして同一のアドレスが登録されているものもあり、このような場合には、同一の停止制御テーブルが参照されることとなる。
【０１９４】
停止制御テーブルは、停止操作が行われたタイミング別の滑りコマ数を特定可能なデータである。本実施例では、前述のようにリールモータ３２Ｌ、３２Ｃ、３２Ｒに、１６８ステップ（０〜１６７）の周期で１周するステッピングモータを用いている。すなわちリールモータ３２Ｌ、３２Ｃ、３２Ｒを１６８ステップ駆動させることでリール２Ｌ、２Ｃ、２Ｒが１周することとなる。そして、リール１周に対して１６ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。そして、停止制御テーブルには、領域番号別の滑りコマ数が所定のルールで圧縮して格納されており、停止制御テーブルを展開することによって領域番号別の滑りコマ数を取得できるようになっている。
【０１９５】
前述のようにテーブルインデックス及びテーブル作成用データを参照して作成される停止制御テーブルは、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ設定されたテーブルである。
【０１９６】
ハズレに対応するテーブル作成用データには、いずれの役の組み合わせも入賞ライン上に揃わない停止位置を最大４コマの引込範囲で停止させるとともに、チャンス目（ハズレ時に導出されることのない停止位置の組み合わせ）を構成する停止位置及びリーチ目（特別役が当選していることを条件として導出される停止位置の組み合わせ）が停止しないように定められた停止制御テーブルが格納されている。
【０１９７】
ベルに対応するテーブル作成用データには、ベルの組み合わせが入賞ラインＬ１〜Ｌ４のいずれかに揃う停止位置を最大４コマの引込範囲で引き込んで停止させるように定められた停止制御テーブルが格納されている。
【０１９８】
ビッグボーナス（４）に対応するテーブル作成用データには、ビッグボーナス（４）の組み合わせが入賞ラインＬ５、Ｌ６のいずれかに揃う停止位置を最大４コマの引込範囲で引き込んで停止させるように定められた停止制御テーブルが格納されている。
【０１９９】
ビッグボーナス（５）に対応するテーブル作成用データには、ビッグボーナス（５）の組み合わせが入賞ラインＬ５、Ｌ６のいずれかに揃う停止位置を最大４コマの引込範囲で引き込んで停止させるように定められた停止制御テーブルが格納されている。
【０２００】
共通テーブル作成用データ（１）には、赤チェリーの組み合わせ及びビッグボーナス（１）の組み合わせが入賞ラインＬ１〜Ｌ４のいずれかに揃う停止位置を最大４コマの引込範囲で引き込んで停止させるとともに、チャンス目を構成する停止位置、リーチ目を構成する停止位置が停止可能に定められた停止制御テーブルが格納されている。
【０２０１】
特に、共通テーブル作成用データ（１）から特定される停止制御テーブルのうち、全てのリールが回転中の状態で、左リールに適用される停止制御テーブルにおいては、図１９に示すように、最大４コマの引込範囲で「赤チェリー」を入賞ラインＬ１〜Ｌ４に引込可能な領域番号１〜７に対して、「赤チェリー」を入賞ラインＬ１〜Ｌ４に引き込む滑りコマ数が定められている。また、最大４コマの引込範囲で「赤７」を入賞ラインＬ１〜Ｌ４に引込可能な領域番号１２〜１８に対して、「赤７」を入賞ラインＬ１〜Ｌ４に引き込む滑りコマ数が定められている。尚、本実施例では、左リールにおいて「赤チェリー」を最大４コマの引込範囲で入賞ラインＬ１〜Ｌ４に引込可能な範囲と、「赤７」を最大４コマの引込範囲で入賞ラインＬ１〜Ｌ４に引込可能な範囲と、が重複しないため、双方の図柄を共通して引込可能な範囲は存在しないようになっている。また、最大４コマの引込範囲で「赤７」及び「赤チェリー」のいずれも入賞ラインＬ１〜Ｌ４に引き込めない範囲については、最大４コマの引込範囲の一部にチャンス目を構成する停止位置及びリーチ目を構成する停止位置を引き込む滑りコマ数が定められている。
【０２０２】
共通テーブル作成用データ（２）には、青チェリーの組み合わせ及びビッグボーナス（２）の組み合わせが入賞ラインＬ１〜Ｌ４のいずれかに揃う停止位置を最大４コマの引込範囲で引き込んで停止させるとともに、チャンス目を構成する停止位置が停止可能に定められた停止制御テーブルが格納されている。
【０２０３】
特に、共通テーブル作成用データ（２）から特定される停止制御テーブルのうち、全てのリールが回転中の状態で、左リールに適用される停止制御テーブル停止制御テーブルにおいては、最大４コマの引込範囲で「青チェリー」を入賞ラインＬ１〜Ｌ４に引込可能な領域番号０、１５〜２０に対して、「青チェリー」を入賞ラインＬ１〜Ｌ４に引き込む滑りコマ数が定められている。また、最大４コマの引込範囲で「青７」を入賞ラインＬ１〜Ｌ４に引込可能な領域番号５〜１１に対して、「青７」を入賞ラインＬ１〜Ｌ４に引き込む滑りコマ数が定められている。尚、本実施例では、左リールにおいて「青チェリー」を最大４コマの引込範囲で入賞ラインＬ１〜Ｌ４に引込可能な範囲と、「青７」を最大４コマの引込範囲で入賞ラインＬ１〜Ｌ４に引込可能な範囲と、が重複しないため、双方の図柄を共通して引込可能な範囲は存在しないようになっている。また、最大４コマの引込範囲で「青７」及び「青チェリー」のいずれも入賞ラインＬ１〜Ｌ４に引き込めない範囲については、最大４コマの引込範囲の一部にチャンス目を構成する停止位置及びリーチ目を構成する停止位置を引き込む滑りコマ数が定められている。
【０２０４】
共通テーブル作成用データ（３）には、白チェリーの組み合わせ及びビッグボーナス（３）の組み合わせが入賞ラインＬ１〜Ｌ４のいずれかに揃う停止位置を最大４コマの引込範囲で引き込んで停止させるとともに、チャンス目を構成する停止位置が停止可能に定められた停止制御テーブルが格納されている。
【０２０５】
特に、共通テーブル作成用データ（３）から特定される停止制御テーブルのうち、全てのリールが回転中の状態で、左リールに適用される停止制御テーブル停止制御テーブルにおいては、最大４コマの引込範囲で「白チェリー」を入賞ラインＬ１〜Ｌ４に引込可能な領域番号８〜１４に対して、「白チェリー」を入賞ラインＬ１〜Ｌ４に引き込む滑りコマ数が定められている。また、最大４コマの引込範囲で「白７」を入賞ラインＬ１〜Ｌ４に引込可能な領域番号０〜４、１９、２０に対して、「白７」を入賞ラインＬ１〜Ｌ４に引き込む滑りコマ数が定められている。尚、本実施例では、左リールにおいて「白チェリー」を最大４コマの引込範囲で入賞ラインＬ１〜Ｌ４に引込可能な範囲と、「白７」を最大４コマの引込範囲で入賞ラインＬ１〜Ｌ４に引込可能な範囲と、が重複しないため、双方の図柄を共通して引込可能な範囲は存在しないようになっている。また、最大４コマの引込範囲で「白７」及び「白チェリー」のいずれも入賞ラインＬ１〜Ｌ４に引き込めない範囲については、最大４コマの引込範囲の一部にチャンス目を構成する停止位置及びリーチ目を構成する停止位置を引き込む滑りコマ数が定められている。
【０２０６】
共通テーブル作成用データ（４）には、リプレイ（１）の組み合わせが入賞ラインＬ１〜Ｌ４のいずれかに揃う停止位置を最大４コマの引込範囲で引き込んで停止させるように定められた停止制御テーブルが格納されている。
【０２０７】
共通テーブル作成用データ（５）には、リプレイ（２）の組み合わせが入賞ラインＬ１〜Ｌ４のいずれかに揃う停止位置を最大４コマの引込範囲で引き込んで停止させるように定められた停止制御テーブルが格納されている。
【０２０８】
尚、ベルの当選時には、第１停止のみ停止制御テーブルが用いられるので、ベルに対応するテーブル作成用データには、第１停止用の停止制御テーブルのみが格納されており、第２停止以降に参照すべき停止制御テーブルのアドレスや第２停止以降に用いられる停止制御テーブルは格納されていない。同様にリプレイ（１）、ビッグボーナス（１）＋リプレイ（１）、ビッグボーナス（２）＋リプレイ（１）、ビッグボーナス（３）＋リプレイ（１）の当選時、リプレイ（２）、ビッグボーナス（１）＋リプレイ（２）、ビッグボーナス（２）＋リプレイ（２）、ビッグボーナス（３）＋リプレイ（２）の当選時、ビッグボーナス（４）の当選時、ビッグボーナス（５）の当選時においても、第１停止のみ停止制御テーブルが用いられるので、これらに対応する共通テーブル作成用データ（４）、共通テーブル作成用データ（５）、ビッグボーナス（４）に対応するテーブル作成用データ、ビッグボーナス（５）に対応するテーブル作成用データには、第１停止用の停止制御テーブルのみが格納されており、第２停止以降に参照すべき停止制御テーブルのアドレスや第２停止以降に用いられる停止制御テーブルは格納されていない。
【０２０９】
ここで停止制御の方法別の停止制御の内容について説明する。
【０２１０】
まず、ＣＰＵ４１ａが、テーブル方式によって停止制御を行う場合には、リールの回転が開始したとき、またはリールが停止し、かつ未だ回転中のリールが残っているときに、リールの停止操作が有効になる前の段階においてテーブルインデックスを参照し、未停止のリールについて内部抽選の結果、停止済みのリールがある場合には、そのリールの停止位置に対応するテーブル作成用データの停止制御テーブルを選択する。
【０２１１】
そして、選択した停止制御テーブルを展開してリール別にＲＡＭ４１ｃに割り当てられた仮想滑りコマテーブル（図１８参照）に格納する。
【０２１２】
仮想滑りコマテーブルは、図１８に示すように、各リール毎に、領域番号に対応して、各領域番号に対応する領域が停止基準位置（本実施例では、透視窓３の下段図柄の領域）に位置するタイミング（リール基準位置からのステップ数が各領域番号のステップ数の範囲に含まれるタイミング）でストップスイッチ８Ｌ、８Ｃ、８Ｒの操作が検出された場合の滑りコマ数がそれぞれ格納されるテーブルであり、停止制御テーブルから展開した滑りコマ数が、該当するリールの該当する領域番号に対応して格納されることとなる。
【０２１３】
次に、ＣＰＵ４１ａが、コントロール方式によって停止制御を行う場合には、リールが停止し、かつ未だ回転中のリールが残っているときに、リールの停止操作が有効になる前の段階において未停止のリールについて内部抽選の結果、停止済みのリールの停止位置に基づいて、停止位置毎に異常入賞（内部抽選で当選していない役）の判定及び停止禁止位置（停止した場合に、未停止のリールにおいて異常入賞（当選役以外の入賞）や重複入賞を回避できなくなる停止位置、特別役が当選していないにも関わらずリーチ目を回避できなくなる停止位置）の判定を行い、異常入賞や停止禁止位置である場合には、停止禁止位置フラグを設定する。
【０２１４】
次いで、停止操作位置毎に内部抽選の結果に対応する停止位置（当選役が入賞ライン上に揃う停止位置）を検索する。
【０２１５】
詳しくは、停止操作位置毎に、０〜４の滑りコマ数別の停止位置を、役に応じた順番（ベル、ビッグボーナス（４）、ビッグボーナス（５）の場合には、滑りコマ数が４、０、３、１、２の順番、リプレイ（１）、リプレイ（２）の場合には、滑りコマ数が０、１、２、３、４の順番）で特定し、特定した停止位置において当選役が入賞ライン上に揃う停止位置か否かの判定をし、当選役が入賞ライン上に揃う停止位置と判定された場合には、更に、その停止位置に対して停止禁止位置フラグが設定されているか否かの判定をし、停止禁止位置フラグが設定されていなければ、その停止位置を取得し、取得した停止位置となる滑りコマ数を仮想滑りコマテーブルにおける該当するリールの該当する停止操作位置の領域番号に格納する。
【０２１６】
また、当選役が入賞ライン上に揃う停止位置と判定された場合でも、その停止位置に対して停止禁止位置フラグが設定されていれば、次の停止位置についての判定を行う。また、全ての滑りコマ数の停止位置の判定を行っても当選役が入賞ライン上に揃う停止位置がない場合、または当選役が入賞ライン上に揃う停止位置があっても停止禁止位置フラグが設定されている場合には、最後に判定した停止位置となる滑りコマ数を仮想滑りコマテーブルの該当するリール、該当する停止操作位置の領域番号に格納する。すなわちベル、ビッグボーナス（４）、ビッグボーナス（５）の場合には、滑りコマ数４、リプレイ（１）、リプレイ（２）の場合には０がそれぞれ格納されることとなる。また、最後に判定した停止位置に対して停止禁止位置フラグが設定されている場合には、停止禁止位置フラグが設定されていない停止位置まで遡って取得し、取得した停止位置となる滑りコマ数を仮想滑りコマテーブルにおける該当するリールの該当する停止操作位置の領域番号に格納する。尚、本実施例では、後述するように「ベル」、「リプレイ」の図柄が全てのリールにおいて４コマ以内の間隔で配置されており、０〜５コマの範囲でリールを引き込んで停止させることにより必ずベル、ビッグボーナス（４）、ビッグボーナス（５）、リプレイ（１）またはリプレイ（２）の組み合わせを入賞ライン上に揃えることが可能であるため、必ず当選役が入賞ライン上に揃う停止位置となる滑りコマ数が格納されることとなる。
【０２１７】
仮想滑りコマテーブルにおける回転中のリールの全ての領域番号に対して滑りコマ数が格納された後、停止操作を有効とし、この状態でストップスイッチ８Ｌ、８Ｃ、８Ｒのうち、回転中のリールに対応するいずれかの操作が有効に検出されたときに、停止操作を検出した時点のリール基準位置からのステップ数に基づいて停止操作位置の領域番号を特定し、停止操作が検出されたリールの仮想滑りコマテーブルを参照し、特定した停止操作位置の領域番号に対応する滑りコマ数を取得する。そして取得した滑りコマ数に基づいて、操作されたストップスイッチ８Ｌ、８Ｃ、８Ｒに対応するリール２Ｌ、２Ｃ、２Ｒの回転を停止させる制御を行う。
【０２１８】
次に、ＣＰＵ４１ａが、テーブル＋コントロール方式によって停止制御を行う場合には、リールの回転が開始したとき、またはリールが停止し、かつ未だ回転中のリールが残っているときに、リールの停止操作が有効になる前の段階においてテーブルインデックスを参照し、未停止のリールについて内部抽選の結果に対応するテーブル作成用データから、停止済みのリールの停止位置に対応する停止制御テーブルを選択する。
【０２１９】
そして、選択した停止制御テーブルを展開して停止操作位置毎の滑りコマ数を取得し、取得した滑りコマ数を仮想滑りコマテーブルにおける該当するリールの該当する領域番号に格納する。
【０２２０】
次いで、未停止のリールについて内部抽選の結果、停止済みのリールの停止位置に基づいて、停止位置毎に異常入賞（内部抽選で当選していない役）の判定及び停止禁止位置（停止した場合に、未停止のリールにおいて異常入賞（当選役以外の入賞）や重複入賞を回避できなくなる停止位置、特別役が当選していないにも関わらずリーチ目を回避できなくなる停止位置）の判定を行い、異常入賞や停止禁止位置である場合には、停止禁止位置フラグを設定する。
【０２２１】
特に、本実施例では、共通テーブル作成用データから特定される停止制御テーブルにおいて、複数の役を入賞ラインに揃えることが可能とされている。
【０２２２】
このため、最終停止リールについて、他の停止済みのリールの結果として当選していない役の一部が入賞ラインに揃っている場合には、その入賞ラインに当選していない役が揃ってしまう停止位置に対して停止禁止位置フラグが設定される。また、第１停止または第２停止であっても、未停止のリールにおいて異常入賞や重複入賞を回避できなくなる停止位置（例えば、一方の役は回避できるものの、他の役が揃ってしまう等）について停止禁止位置フラグが設定される。また、特別役が当選していないにも関わらず、リーチ目となってしまう停止位置に対して停止位置禁止フラグが設定される。
【０２２３】
次いで、停止操作位置毎に、内部抽選の結果、停止済みのリールの停止位置に基づいて、停止操作位置毎に停止位置を検索する。
【０２２４】
詳しくは、停止操作位置毎に、０〜４の滑りコマ数別の停止位置を、仮想滑りコマテーブルに格納されている滑りコマ数に応じて定められた順番（本実施例では、図１７（ａ）に示す順番が定められている。例えば、仮想滑りコマテーブルに格納されている滑りコマ数が０であれば、滑りコマ数０、滑りコマ数３、滑りコマ数１、滑りコマ数２、滑りコマ数４の順番）で特定し、特定した停止位置の優先度と、仮想滑りコマテーブルに格納されている停止制御テーブルから展開された滑りコマ数による停止位置の優先度と、を比較する。
【０２２５】
そして、比較の結果、仮想滑りコマテーブルに格納されている滑りコマ数による停止位置の優先度よりも滑りコマ数別に特定した停止位置の優先度の方が高いか否かを判定する。停止位置の優先度は、図１７（ｂ）に示すように、停止禁止位置フラグが設定されている停止位置よりも停止禁止位置フラグが設定されていない停止位置の方が優先度が高く、当選役が入賞ラインＬ１〜Ｌ４のいずれにも揃わない停止位置よりも当選役が入賞ラインＬ１〜Ｌ４のいずれかに揃う停止位置の方が優先度が高く、当選役が特別役＋小役である場合には、小役が入賞ラインＬ１〜Ｌ４のいずれかに揃う停止位置よりも特別役が入賞ラインＬ１〜Ｌ４のいずれかに揃う停止位置の方が優先度が高いものとして判定する。また、第１停止及び第２停止においては、当選役が特別役＋小役である場合に、当選した特別役と小役の双方が入賞ラインＬ１〜Ｌ４のいずれかに揃う停止位置があれば、停止禁止位置フラグが設定されている場合を除いて、その停止位置を単独で特別役や小役が入賞ラインＬ１〜Ｌ４のいずれかに揃う停止位置よりも優先度が高いものとして判定する。このため、本実施例では、特別役と小役が同時に当選している場合には、当選した特別役を小役よりも優先して入賞ラインに揃える制御が行われることとなる。また、当選役が払出の異なる複数の小役である場合に、相対的に払出の少ない小役が入賞ラインＬ１〜Ｌ４のいずれかに揃う停止位置よりも相対的に払出の多い小役が入賞ラインＬ１〜Ｌ４のいずれかに揃う停止位置の方が優先度が高いものとして判定する。このため、本実施例では、払出の異なる複数の小役が同時に当選している場合には、相対的に払出枚数の多い小役を相対的に払出枚数の少ない小役よりも優先して入賞ラインに揃える制御が行われることとなる。また、当選役が入賞ラインＬ１〜Ｌ６のいずれにも揃う停止位置であれば、当選役が入賞ラインＬ５、Ｌ６のいずれかに揃う停止位置よりも当選役が入賞ラインＬ１〜Ｌ４のいずれかに揃う停止位置の方が優先度が高いものとして判定する。尚、停止位置の優先度を判定する際には、図１７（ｂ）に示すように停止位置の種類同士の優先度を設定した優先度テーブルを設け、優先度テーブルを参照してどちらの停止位置の優先度が高いか否かを判定するようにしても良いし、予め定められた優先度（図１７（ｂ）に示す優先度）に従って、優先度の高い停止位置が優先度の低い停止位置よりも優先度が高いと判定されるようにしたプログラム（例えば、双方の停止位置が当選役が揃う停止位置か否かを判定し、一方は当選役が揃わない停止位置であり、他方は当選役が揃う停止位置であれば、当選役が揃う停止位置の方が優先度が高いと判定するプログラムなど）とすることで、どちらの停止位置の優先度が高いか否かを判定するようにしても良い。
【０２２６】
そして、仮想滑りコマテーブルに格納されている滑りコマ数による停止位置の優先度よりも滑りコマ数別に特定した停止位置の優先度の方が高いと判定された場合には、仮想滑りコマテーブルにおける該当するリールの該当する停止操作位置の領域番号に格納されている滑りコマ数を、滑りコマ数別に検索した停止位置となる滑りコマ数に更新する。
【０２２７】
また、全ての滑りコマ数の停止位置と比較しても、仮想滑りコマテーブルに格納されている滑りコマ数による停止位置の優先度よりも滑りコマ数別に検索した停止位置の優先度の方が高いと判定されなかった場合には、仮想滑りコマテーブルに格納されている滑りコマ数を更新せず、停止制御テーブルから展開した滑りコマ数を維持する。
【０２２８】
例えば、ビッグボーナス（１）のみが当選しており、全てのリールが未だ回転中の状態を例に説明すると、図１８に示すように、左リールの領域番号０、８〜２０の停止操作位置については、停止制御テーブルから展開された滑りコマ数による停止位置に対して停止禁止フラグも設定されておらず、かつこれら停止位置の優先度よりも高い停止位置が、滑りコマ数別に特定した停止位置には存在しないことから、停止制御テーブルから展開されて仮想滑りコマテーブルに格納されている滑りコマ数が維持される。また、領域番号１〜７の停止操作位置については、停止制御テーブルから展開された滑りコマ数による停止位置（領域番号５、７）に対して停止禁止位置フラグが設定されている。すなわちこれらの停止操作位置から特定される停止位置の優先度よりも高い停止位置が存在するので、そのうち図１９（ａ）に示す順番で、最も早い段階で優先度が高いと判定される滑りコマ数（領域番号５、７の停止操作位置については滑りコマ数３、領域番号１〜４、６の停止操作位置については滑りコマ数０）に仮想滑りコマテーブルの滑りコマ数を更新する。
【０２２９】
そして、仮想滑りコマテーブルにおける回転中のリールの全ての領域番号に対して滑りコマ数の優先度の比較が終了した後、停止操作を有効とし、この状態でストップスイッチ８Ｌ、８Ｃ、８Ｒのうち、回転中のリールに対応するいずれかの操作が有効に検出されたときに、停止操作を検出した時点のリール基準位置からのステップ数に基づいて停止操作位置の領域番号を特定し、停止操作が検出されたリールの仮想滑りコマテーブルを参照し、特定した停止操作位置の領域番号に対応する滑りコマ数を取得する。そして取得した滑りコマ数に基づいて、操作されたストップスイッチ８Ｌ、８Ｃ、８Ｒに対応するリール２Ｌ、２Ｃ、２Ｒの回転を停止させる制御を行う。
【０２３０】
本実施例では、一の遊技状態における一の内部抽選結果、及びリールの停止状況（及び停止済みのリールの停止位置）に対応する停止制御の方法、テーブル方式及びテーブル＋コントロール方式で停止制御を行う際に参照する停止制御テーブル、コントロール方式で停止制御を行う際の停止位置の検索順、テーブル＋コントロール方式で停止制御を行う際の停止位置の優先度の判定順、が一意的に定められており、仮想滑りコマテーブルに格納される滑りコマ数も、一の遊技状態における一の内部抽選結果、及びリールの停止状況（及び停止済みのリールの停止位置）に対して一意となる。このため、遊技状態、内部抽選結果、リールの停止状況（及び停止済みのリールの停止位置）の全てが同一条件となった際に、同一の制御パターンに基づいてリールの停止制御が行われることとなる。
【０２３１】
本実施例では、いずれの停止制御を適用した場合にも、滑りコマ数が必ず０〜４の範囲となるため、停止操作を検出してから最大４コマ図柄を引き込んでリールを停止させることが可能である。すなわち停止操作を検出した停止操作位置を含め、最大５コマの範囲から図柄の停止位置を指定できるようになっている。また、１図柄分リールを移動させるのに１コマの移動が必要であるので、停止操作を検出してから最大４図柄を引き込んでリールを停止させることが可能であり、停止操作を検出した停止操作位置を含め、最大５図柄の範囲から図柄の停止位置を指定できることとなる。
【０２３２】
このため、いずれかの役に当選している場合には、停止制御の方法に関わらず、当選役を４コマの範囲で最大限引き込み、当選していない役が揃わないように引き込む滑りコマ数が仮想滑りコマテーブルに格納され、リールの停止制御が行われる一方、いずれの役にも当選していない場合には、いずれの役も揃わない滑りコマ数が仮想滑りコマテーブルに格納され、リールの停止制御が行われる。これにより、停止操作が行われた際に、入賞ライン上に最大４コマの引込範囲で当選している役の図柄を揃えて停止させることができれば、これを揃えて停止させる制御が行われ、当選していない役の図柄は、最大４コマの引込範囲でハズシて停止させる制御が行われることとなる。
【０２３３】
いずれの役も当選していない場合、すなわちハズレの場合には、第１〜３停止時においては、ハズレに対応するテーブル作成用データを用いていずれの役も入賞ラインに揃うことがなく、チャンス目も停止することのない滑りコマ数が仮想滑りコマテーブルに格納される。これにより、停止操作が行われた際に、いずれの役も入賞ラインに揃うことがなく、かつチャンス目、リーチ目も停止しないように停止制御が行われることとなる。
【０２３４】
リプレイ（１）、ビッグボーナス（１）＋リプレイ（１）、ビッグボーナス（２）＋リプレイ（１）、ビッグボーナス（３）＋リプレイ（１）のいずれかが当選している場合には、第１停止時においては、共通データ作成用テーブル（４）を用いてリプレイ（１）の組み合わせを構成する図柄を４コマの引込範囲で入賞ラインＬ１〜Ｌ４のいずれかに最大限引き込む滑りコマ数が仮想滑りコマテーブルに格納され、リールの停止制御が行われる。また、第２、第３停止時においては、停止済みのリールの停止位置から入賞ラインＬ１〜Ｌ４に最大４コマの引込範囲でリプレイ（１）を揃えて停止させる停止位置が停止操作位置毎に検索され、リプレイ（１）を揃えて停止させる停止位置となる滑りコマ数が停止操作位置毎に仮想滑りコマテーブルに格納される。これにより、停止操作が行われた際に、入賞ラインＬ１〜Ｌ４に最大４コマの引込範囲でリプレイ（１）の組み合わせを揃えて停止させることができれば、これを揃えて停止させる制御が行われることとなる。
【０２３５】
リプレイ（２）、ビッグボーナス（１）＋リプレイ（２）、ビッグボーナス（２）＋リプレイ（２）、ビッグボーナス（３）＋リプレイ（２）のいずれかが当選している場合には、第１停止時においては、共通データ作成用テーブル（５）を用いてリプレイ（２）の組み合わせを構成する図柄を４コマの引込範囲で入賞ラインＬ１〜Ｌ４のいずれかに最大限引き込む滑りコマ数が仮想滑りコマテーブルに格納される。また、第２、第３停止時においては、停止済みのリールの停止位置から入賞ラインＬ１〜Ｌ４に最大４コマの引込範囲でリプレイ（２）を揃えて停止させる停止位置が停止操作位置毎に検索され、リプレイ（２）を揃えて停止させる停止位置となる滑りコマ数が停止操作位置毎に仮想滑りコマテーブルに格納される。これにより、停止操作が行われた際に、入賞ラインＬ１〜Ｌ４に最大４コマの引込範囲でリプレイ（２）の組み合わせを揃えて停止させることができれば、これを揃えて停止させる制御が行われることとなる。
【０２３６】
赤チェリーが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、赤チェリー以外の役の入賞（ビッグボーナス（１））や重複入賞、リーチ目を回避できない停止禁止位置となる滑りコマ数が格納された停止操作位置については、停止禁止位置以外の停止位置となる滑りコマ数に更新される。詳しくは、第１停止及び第２停止時においては、第３停止リールの停止操作位置によっては赤チェリー以外の入賞や重複入賞、リーチ目を回避不可能となる停止位置となる滑りコマ数が格納された停止操作位置の滑りコマ数が、赤チェリー以外の入賞や重複入賞、リーチ目を回避可能となる停止位置となる滑りコマ数に更新され、それ以外の停止操作位置の滑りコマ数は維持される。また、第３停止時においては、赤チェリー以外の入賞や重複入賞、リーチ目を回避不可能となる停止位置となる滑りコマ数が格納された停止操作位置の滑りコマ数が、赤チェリー以外の入賞や重複入賞、リーチ目を回避可能となる停止位置となる滑りコマ数に更新され、それ以外の停止操作位置の滑りコマ数は維持される。これにより、停止操作が行われた際に、入賞ラインＬ１〜Ｌ４に最大４コマの引込範囲で赤チェリーの組み合わせを揃えて停止させることができれば、これを揃えて停止させる制御が行われ、当選していないビッグボーナス（１）の組み合わせ、リーチ目は、最大４コマの引込範囲でハズシて停止させる制御が行われることとなる。
【０２３７】
青チェリーが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、青チェリー以外の役の入賞（ビッグボーナス（２））や重複入賞、リーチ目を回避できない停止禁止位置となる滑りコマ数が格納された停止操作位置については、停止禁止位置以外の停止位置となる滑りコマ数に更新される。これにより、停止操作が行われた際に、入賞ラインＬ１〜Ｌ４に最大４コマの引込範囲で青チェリーの組み合わせを揃えて停止させることができれば、これを揃えて停止させる制御が行われ、当選していないビッグボーナス（２）の組み合わせ、リーチ目は、最大４コマの引込範囲でハズシて停止させる制御が行われることとなる。
【０２３８】
白チェリーが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、白チェリー以外の役の入賞（ビッグボーナス（３））や重複入賞、リーチ目を回避できない停止禁止位置となる滑りコマ数が格納された停止操作位置については、停止禁止位置以外の停止位置となる滑りコマ数に更新される。これにより、停止操作が行われた際に、入賞ラインＬ１〜Ｌ４に最大４コマの引込範囲で白チェリーの組み合わせを揃えて停止させることができれば、これを揃えて停止させる制御が行われ、当選していないビッグボーナス（３）の組み合わせ、リーチ目は、最大４コマの引込範囲でハズシて停止させる制御が行われることとなる。
【０２３９】
ベルが当選している場合には、第１停止時においては、ベルに対応するデータ作成用テーブルを用いてベルの組み合わせを構成する図柄を４コマの引込範囲で入賞ラインＬ１〜Ｌ４のいずれかに最大限引き込む滑りコマ数が仮想滑りコマテーブルに格納される。また、第２、第３停止時においては、停止済みのリールの停止位置から入賞ラインＬ１〜Ｌ４に最大４コマの引込範囲でベルを揃えて停止させる停止位置が停止操作位置毎に検索され、ベルを揃えて停止させる停止位置となる滑りコマ数が停止操作位置毎に仮想滑りコマテーブルに格納される。これにより、停止操作が行われた際に、入賞ラインＬ１〜Ｌ４に最大４コマの引込範囲でベルの組み合わせを揃えて停止させることができれば、これを揃えて停止させる制御が行われることとなる。
【０２４０】
ベル＋赤チェリーが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、赤チェリーを構成する図柄を入賞ラインＬ１〜Ｌ４に引き込む停止操作位置のうち、赤チェリーよりも払出枚数の多いベルを入賞ラインＬ１〜Ｌ４に引き込める停止操作位置の滑りコマ数、赤チェリーを構成する図柄を入賞ラインＬ１〜Ｌ４に引き込まない停止操作位置の滑りコマ数が、ベルを入賞ラインＬ１〜Ｌ４に引き込む滑りコマ数に更新され、赤チェリー及びベル以外の役の入賞（ビッグボーナス（１））や重複入賞、リーチ目を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でベルの組み合わせを揃えて停止させることができれば、これを揃えて停止させる制御が行われ、入賞ラインＬ１〜Ｌ４に最大４コマの引込範囲でベルの組み合わせを引き込めない場合には、入賞ラインＬ１〜Ｌ４に最大４コマの引込範囲で赤チェリーの組み合わせを揃えて停止させることができれば、これを揃えて停止させる制御が行われることとなる。すなわちこのような場合には、赤チェリーよりも払出枚数の多いベルを入賞ラインＬ１〜Ｌ４に揃える制御が優先され、ベルを引き込めない場合にのみ、赤チェリーを入賞させることが可能となる。尚、本実施例では、後述のようにベルを構成する図柄が全てのリールについて引込範囲内となるように配置されているため、ベル＋赤チェリーが当選した場合には、必ずベルの組み合わせが入賞ラインＬ１〜Ｌ４のいずれかに揃うようになっている。
【０２４１】
ベル＋青チェリーが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、青チェリーを構成する図柄を入賞ラインＬ１〜Ｌ４に引き込む停止操作位置のうち、青チェリーよりも払出枚数の多いベルを入賞ラインＬ１〜Ｌ４に引き込める停止操作位置の滑りコマ数、青チェリーを構成する図柄を入賞ラインＬ１〜Ｌ４に引き込まない停止操作位置の滑りコマ数が、ベルを入賞ラインＬ１〜Ｌ４に引き込む滑りコマ数に更新され、青チェリー及びベル以外の役の入賞（ビッグボーナス（２））や重複入賞、リーチ目を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でベルの組み合わせを揃えて停止させることができれば、これを揃えて停止させる制御が行われ、入賞ラインＬ１〜Ｌ４に最大４コマの引込範囲でベルの組み合わせを引き込めない場合には、入賞ラインＬ１〜Ｌ４に最大４コマの引込範囲で青チェリーの組み合わせを揃えて停止させることができれば、これを揃えて停止させる制御が行われることとなる。すなわちこのような場合には、青チェリーよりも払出枚数の多いベルを入賞ラインＬ１〜Ｌ４に揃える制御が優先され、ベルを引き込めない場合にのみ、青チェリーを入賞させることが可能となる。尚、本実施例では、後述のようにベルを構成する図柄が全てのリールについて引込範囲内となるように配置されているため、ベル＋青チェリーが当選した場合には、必ずベルの組み合わせが入賞ラインＬ１〜Ｌ４のいずれかに揃うようになっている。
【０２４２】
ベル＋白チェリーが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、白チェリーを構成する図柄を入賞ラインＬ１〜Ｌ４に引き込む停止操作位置のうち、白チェリーよりも払出枚数の多いベルを入賞ラインＬ１〜Ｌ４に引き込める停止操作位置の滑りコマ数、白チェリーを構成する図柄を入賞ラインＬ１〜Ｌ４に引き込まない停止操作位置の滑りコマ数が、ベルを入賞ラインＬ１〜Ｌ４に引き込む滑りコマ数に更新され、白チェリー及びベル以外の役の入賞（ビッグボーナス（３））や重複入賞、リーチ目を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でベルの組み合わせを揃えて停止させることができれば、これを揃えて停止させる制御が行われ、入賞ラインＬ１〜Ｌ４に最大４コマの引込範囲でベルの組み合わせを引き込めない場合には、入賞ラインＬ１〜Ｌ４に最大４コマの引込範囲で白チェリーの組み合わせを揃えて停止させることができれば、これを揃えて停止させる制御が行われることとなる。すなわちこのような場合には、白チェリーよりも払出枚数の多いベルを入賞ラインＬ１〜Ｌ４に揃える制御が優先され、ベルを引き込めない場合にのみ、白チェリーを入賞させることが可能となる。尚、本実施例では、後述のようにベルを構成する図柄が全てのリールについて引込範囲内となるように配置されているため、ベル＋白チェリーが当選した場合には、必ずベルの組み合わせが入賞ラインＬ１〜Ｌ４のいずれかに揃うようになっている。
【０２４３】
ビッグボーナス（１）が当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（１）以外の役の入賞（赤チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新される。詳しくは、第１停止及び第２停止時においては、第３停止リールの停止操作位置によってはビッグボーナス（１）以外の入賞や重複入賞を回避不可能となる停止位置となる滑りコマ数が格納された停止操作位置の滑りコマ数が、ビッグボーナス（１）以外の入賞や重複入賞を回避可能となる停止位置となる滑りコマ数に更新され、それ以外の停止操作位置の滑りコマ数は維持される。また、第３停止時においては、ビッグボーナス（１）以外の入賞や重複入賞を回避不可能となる停止位置となる滑りコマ数が格納された停止操作位置の滑りコマ数が、ビッグボーナス（１）以外の入賞や重複入賞を回避可能となる停止位置となる滑りコマ数に更新され、それ以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、当選していない赤チェリーの組み合わせは、最大４コマの引込範囲でハズシて停止させる制御が行われることとなる。
【０２４４】
ビッグボーナス（１）＋赤チェリーが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（１）及び赤チェリー以外の役の入賞（異常入賞）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新される。詳しくは、第１停止及び第２停止時においては、第３停止リールの停止操作位置によってはビッグボーナス（１）及び赤チェリー以外の入賞や重複入賞を回避不可能となる停止位置となる滑りコマ数が格納された停止操作位置の滑りコマ数が、ビッグボーナス（１）及び赤チェリー以外の入賞や重複入賞を回避可能となる停止位置となる滑りコマ数に更新され、それ以外の停止操作位置の滑りコマ数は維持される。また、第３停止時においては、ビッグボーナス（１）及び赤チェリー以外の入賞や重複入賞を回避不可能となる停止位置となる滑りコマ数が格納された停止操作位置の滑りコマ数が、ビッグボーナス（１）及び赤チェリー以外の入賞や重複入賞を回避可能となる停止位置となる滑りコマ数に更新され、それ以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、入賞ラインＬ１〜Ｌ４に最大４コマの引込範囲で赤チェリーの組み合わせを揃えて停止させることができれば、これを揃えて停止させる制御が行われることとなる。
【０２４５】
ビッグボーナス（１）＋青チェリーが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（１）を構成する図柄を入賞ラインＬ１〜Ｌ４に引き込めない停止操作位置のうち、青チェリーが入賞ラインＬ１〜Ｌ４に揃う停止位置とならない停止操作位置の滑りコマ数が、青チェリーが入賞ラインＬ１〜Ｌ４に揃う停止位置となる滑りコマ数に更新され、ビッグボーナス（１）及び青チェリー以外の役の入賞（赤チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、入賞ラインＬ１〜Ｌ４に最大４コマの引込範囲でビッグボーナス（１）の組み合わせを引き込めない場合には、入賞ラインＬ１〜Ｌ４に最大４コマの引込範囲で青チェリーの組み合わせを揃えて停止させることができれば、これを揃えて停止させる制御が行われ、当選していない赤チェリーの組み合わせは、最大４コマの引込範囲でハズシて停止させる制御が行われることとなる。すなわちこのような場合には、青チェリーよりもビッグボーナス（１）を入賞ラインＬ１〜Ｌ４に揃える制御が優先され、ビッグボーナス（１）を引き込めない場合にのみ、青チェリーを入賞させることが可能となる。
【０２４６】
ビッグボーナス（１）＋白チェリーが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（１）を構成する図柄を入賞ラインＬ１〜Ｌ４に引き込めない停止操作位置のうち、白チェリーが入賞ラインＬ１〜Ｌ４に揃う停止位置とならない停止操作位置の滑りコマ数が、白チェリーが入賞ラインＬ１〜Ｌ４に揃う停止位置となる滑りコマ数に更新され、ビッグボーナス（１）及び白チェリー以外の役の入賞（赤チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、入賞ラインＬ１〜Ｌ４に最大４コマの引込範囲でビッグボーナス（１）の組み合わせを引き込めない場合には、入賞ラインＬ１〜Ｌ４に最大４コマの引込範囲で白チェリーの組み合わせを揃えて停止させることができれば、これを揃えて停止させる制御が行われ、当選していない赤チェリーの組み合わせは、最大４コマの引込範囲でハズシて停止させる制御が行われることとなる。すなわちこのような場合には、白チェリーよりもビッグボーナス（１）を入賞ラインＬ１〜Ｌ４に揃える制御が優先され、ビッグボーナス（１）を引き込めない場合にのみ、白チェリーを入賞させることが可能となる。
【０２４７】
ビッグボーナス（１）＋ベルが当選している場合には、第１〜３停止時においては、共通データ作成用テーブル（１）を用いて赤チェリーの組み合わせを構成する図柄及びビッグボーナス（１）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、第１停止及び第２停止時においては、ビッグボーナス（１）を構成する図柄を入賞ラインＬ１〜Ｌ４に引き込めない停止操作位置のうち、ベルが入賞ラインＬ１〜Ｌ４に揃う停止位置とならない停止操作位置の滑りコマ数が、ベルが入賞ラインＬ１〜Ｌ４に揃う停止位置となる滑りコマ数に更新され、ビッグボーナス（１）を構成する図柄を入賞ラインＬ１〜Ｌ４に引き込むがベルが入賞ラインＬ１〜Ｌ４に揃う停止位置とならない停止操作位置のうち、ビッグボーナス（１）を構成する図柄及びベルの双方が入賞ラインＬ１〜Ｌ４に揃う停止位置を最大４コマの範囲で引き込める停止操作位置であれば、ビッグボーナス（１）を構成する図柄及びベルの双方が入賞ラインＬ１〜Ｌ４に揃う停止位置となる滑りコマ数に更新される。また、第３停止時においては、第１停止及び第２停止リールのいずれかの入賞ラインＬ１〜Ｌ４にベルが揃っている場合には、当該入賞ライン上にベル以外の図柄を引き込む停止操作位置の滑りコマ数が、当該入賞ライン上にベルを引き込む滑りコマ数に更新される。また、ビッグボーナス（１）及びベル以外の役の入賞（赤チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、入賞ラインＬ１〜Ｌ４に最大４コマの引込範囲でビッグボーナス（１）の組み合わせを引き込めない場合には、入賞ラインＬ１〜Ｌ４に最大４コマの引込範囲でベルの組み合わせを揃えて停止させることができれば、これを揃えて停止させる制御が行われ、当選していない赤チェリーの組み合わせは、最大４コマの引込範囲でハズシて停止させる制御が行われることとなる。すなわちこのような場合には、ベルよりもビッグボーナス（１）を入賞ラインＬ１〜Ｌ４に揃える制御が優先され、ビッグボーナス（１）を引き込めない場合にのみ、ベルを入賞させることが可能となる。尚、第１停止及び第２停止において更新前の滑りコマ数がビッグボーナス（１）の組み合わせのみが揃う停止位置であり、引込範囲内にビッグボーナス（１）の組み合わせとベルの組み合わせの双方が揃いうる停止位置（禁止位置を除く）があれば、その停止位置に更新され、停止制御が行われるようになっている。
【０２４８】
ビッグボーナス（２）が当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（２）以外の役の入賞（青チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、それ以外の停止操作位置の滑りコマ数は維持される。これにより、停止操作が行われた際に、入賞ラインＬ１〜Ｌ４に最大４コマの引込範囲でビッグボーナス（１）の組み合わせを揃えて停止させることができれば、これを揃えて停止させる制御が行われ、当選していない赤チェリーの組み合わせは、最大４コマの引込範囲でハズシて停止させる制御が行われることとなる。
【０２４９】
ビッグボーナス（２）＋赤チェリーが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（２）を構成する図柄を入賞ラインＬ１〜Ｌ４に引き込めない停止操作位置のうち、赤チェリーが入賞ラインＬ１〜Ｌ４に揃う停止位置とならない停止操作位置の滑りコマ数が、赤チェリーが入賞ラインＬ１〜Ｌ４に揃う停止位置となる滑りコマ数に更新され、ビッグボーナス（２）及び赤チェリー以外の役の入賞（青チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（２）の組み合わせを揃えて停止させることができれば、これを揃えて停止させる制御が行われ、入賞ラインＬ１〜Ｌ４に最大４コマの引込範囲でビッグボーナス（２）の組み合わせを引き込めない場合には、入賞ラインＬ１〜Ｌ４に最大４コマの引込範囲で赤チェリーの組み合わせを揃えて停止させることができれば、これを揃えて停止させる制御が行われ、当選していない青チェリーの組み合わせは、最大４コマの引込範囲でハズシて停止させる制御が行われることとなる。すなわちこのような場合には、赤チェリーよりもビッグボーナス（２）を入賞ラインＬ１〜Ｌ４に揃える制御が優先され、ビッグボーナス（２）を引き込めない場合にのみ、赤チェリーを入賞させることが可能となる。
【０２５０】
ビッグボーナス（２）＋青チェリーが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（２）及び青チェリー以外の役の入賞（異常入賞）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、それ以外の停止操作位置の滑りコマ数は維持される。リールの停止制御が行われる。これにより、停止操作が行われた際に、入賞ラインＬ１〜Ｌ４に最大４コマの引込範囲でビッグボーナス（２）の組み合わせを揃えて停止させることができれば、これを揃えて停止させる制御が行われ、入賞ラインＬ１〜Ｌ４に最大４コマの引込範囲で青チェリーの組み合わせを揃えて停止させることができれば、これを揃えて停止させる制御が行われることとなる。
【０２５１】
ビッグボーナス（２）＋白チェリーが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（２）を構成する図柄を入賞ラインＬ１〜Ｌ４に引き込めない停止操作位置のうち、白チェリーが入賞ラインＬ１〜Ｌ４に揃う停止位置とならない停止操作位置の滑りコマ数が、白チェリーが入賞ラインＬ１〜Ｌ４に揃う停止位置となる滑りコマ数に更新され、ビッグボーナス（２）及び白チェリー以外の役の入賞（赤チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（２）の組み合わせを揃えて停止させることができれば、これを揃えて停止させる制御が行われ、入賞ラインＬ１〜Ｌ４に最大４コマの引込範囲でビッグボーナス（２）の組み合わせを引き込めない場合には、入賞ラインＬ１〜Ｌ４に最大４コマの引込範囲で白チェリーの組み合わせを揃えて停止させることができれば、これを揃えて停止させる制御が行われ、当選していない青チェリーの組み合わせは、最大４コマの引込範囲でハズシて停止させる制御が行われることとなる。すなわちこのような場合には、白チェリーよりもビッグボーナス（２）を入賞ラインＬ１〜Ｌ４に揃える制御が優先され、ビッグボーナス（２）を引き込めない場合にのみ、白チェリーを入賞させることが可能となる。
【０２５２】
ビッグボーナス（２）＋ベルが当選している場合には、第１〜３停止時においては、共通データ作成用テーブル（２）を用いて青チェリーの組み合わせを構成する図柄及びビッグボーナス（２）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、第１停止及び第２停止時においては、ビッグボーナス（２）を構成する図柄を入賞ラインＬ１〜Ｌ４に引き込めない停止操作位置のうち、ベルが入賞ラインＬ１〜Ｌ４に揃う停止位置とならない停止操作位置の滑りコマ数が、ベルが入賞ラインＬ１〜Ｌ４に揃う停止位置となる滑りコマ数に更新され、ビッグボーナス（２）を構成する図柄を入賞ラインＬ１〜Ｌ４に引き込むがベルが入賞ラインＬ１〜Ｌ４に揃う停止位置とならない停止操作位置のうち、ビッグボーナス（２）を構成する図柄及びベルの双方が入賞ラインＬ１〜Ｌ４に揃う停止位置を最大４コマの範囲で引き込める停止操作位置であれば、ビッグボーナス（２）を構成する図柄及びベルの双方が入賞ラインＬ１〜Ｌ４に揃う停止位置となる滑りコマ数に更新される。また、第３停止時においては、第１停止及び第２停止リールのいずれかの入賞ラインＬ１〜Ｌ４にベルが揃っている場合には、当該入賞ライン上にベル以外の図柄を引き込む停止操作位置の滑りコマ数が、当該入賞ライン上にベルを引き込む滑りコマ数に更新される。また、ビッグボーナス（２）及びベル以外の役の入賞（青チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でビッグボーナス（２）の組み合わせを揃えて停止させることができれば、これを揃えて停止させる制御が行われ、入賞ラインＬ１〜Ｌ４に最大４コマの引込範囲でビッグボーナス（２）の組み合わせを引き込めない場合には、入賞ラインＬ１〜Ｌ４に最大４コマの引込範囲でベルの組み合わせを揃えて停止させることができれば、これを揃えて停止させる制御が行われ、当選していない青チェリーの組み合わせは、最大４コマの引込範囲でハズシて停止させる制御が行われることとなる。すなわちこのような場合には、ベルよりもビッグボーナス（２）を入賞ラインＬ１〜Ｌ４に揃える制御が優先され、ビッグボーナス（２）を引き込めない場合にのみ、ベルを入賞させることが可能となる。尚、第１停止及び第２停止において更新前の滑りコマ数がビッグボーナス（２）の組み合わせのみが揃う停止位置であり、引込範囲内にビッグボーナス（２）の組み合わせとベルの組み合わせの双方が揃いうる停止位置（禁止位置を除く）があれば、その停止位置に更新され、停止制御が行われるようになっている。
【０２５３】
ビッグボーナス（３）が当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（３）以外の役の入賞（白チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、それ以外の停止操作位置の滑りコマ数は維持される。これにより、停止操作が行われた際に、入賞ラインＬ１〜Ｌ４に最大４コマの引込範囲でビッグボーナス（３）の組み合わせを揃えて停止させることができれば、これを揃えて停止させる制御が行われ、当選していない白チェリーの組み合わせは、最大４コマの引込範囲でハズシて停止させる制御が行われることとなる。
【０２５４】
ビッグボーナス（３）＋赤チェリーが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（３）を構成する図柄を入賞ラインＬ１〜Ｌ４に引き込めない停止操作位置のうち、赤チェリーが入賞ラインＬ１〜Ｌ４に揃う停止位置とならない停止操作位置の滑りコマ数が、赤チェリーが入賞ラインＬ１〜Ｌ４に揃う停止位置となる滑りコマ数に更新され、ビッグボーナス（３）及び赤チェリー以外の役の入賞（白チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（３）の組み合わせを揃えて停止させることができれば、これを揃えて停止させる制御が行われ、入賞ラインＬ１〜Ｌ４に最大４コマの引込範囲でビッグボーナス（３）の組み合わせを引き込めない場合には、入賞ラインＬ１〜Ｌ４に最大４コマの引込範囲で赤チェリーの組み合わせを揃えて停止させることができれば、これを揃えて停止させる制御が行われ、当選していない白チェリーの組み合わせは、最大４コマの引込範囲でハズシて停止させる制御が行われることとなる。すなわちこのような場合には、赤チェリーよりもビッグボーナス（３）を入賞ラインＬ１〜Ｌ４に揃える制御が優先され、ビッグボーナス（３）を引き込めない場合にのみ、赤チェリーを入賞させることが可能となる。
【０２５５】
ビッグボーナス（３）＋青チェリーが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（３）を構成する図柄を入賞ラインＬ１〜Ｌ４に引き込めない停止操作位置のうち、青チェリーが入賞ラインＬ１〜Ｌ４に揃う停止位置とならない停止操作位置の滑りコマ数が、青チェリーが入賞ラインＬ１〜Ｌ４に揃う停止位置となる滑りコマ数に更新され、ビッグボーナス（３）及び青チェリー以外の役の入賞（白チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、これら以外の停止操作位置の滑りコマ数は維持される。これにより、停止操作が行われた際に、入賞ラインＬ１〜Ｌ４に最大４コマの引込範囲でビッグボーナス（３）の組み合わせを揃えて停止させることができれば、これを揃えて停止させる制御が行われ、入賞ラインＬ１〜Ｌ４に最大４コマの引込範囲でビッグボーナス（３）の組み合わせを引き込めない場合には、入賞ラインＬ１〜Ｌ４に最大４コマの引込範囲で青チェリーの組み合わせを揃えて停止させることができれば、これを揃えて停止させる制御が行われ、当選していない白チェリーの組み合わせは、最大４コマの引込範囲でハズシて停止させる制御が行われることとなる。すなわちこのような場合には、青チェリーよりもビッグボーナス（３）を入賞ラインＬ１〜Ｌ４に揃える制御が優先され、ビッグボーナス（３）を引き込めない場合にのみ、青チェリーを入賞させることが可能となる。
【０２５６】
ビッグボーナス（３）＋白チェリーが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、ビッグボーナス（３）及び白チェリー以外の役の入賞（異常入賞）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新され、それ以外の停止操作位置の滑りコマ数は維持される。これにより、停止操作が行われた際に、入賞ラインＬ１〜Ｌ４に最大４コマの引込範囲でビッグボーナス（３）の組み合わせを揃えて停止させることができれば、これを揃えて停止させる制御が行われ、入賞ラインＬ１〜Ｌ４に最大４コマの引込範囲で白チェリーの組み合わせを揃えて停止させることができれば、これを揃えて停止させる制御が行われることとなる。
【０２５７】
ビッグボーナス（３）＋ベルが当選している場合には、第１〜３停止時においては、共通データ作成用テーブル（３）を用いて白チェリーの組み合わせを構成する図柄及びビッグボーナス（３）の組み合わせを構成する図柄を４コマの引込範囲で入賞ラインＬ１〜Ｌ４のいずれかに最大限引き込む滑りコマ数、チャンス目を引き込む滑りコマ数及びリーチ目を引き込む滑りコマ数が仮想滑りコマテーブルに格納された後、第１停止及び第２停止時においては、ビッグボーナス（３）を構成する図柄を入賞ラインＬ１〜Ｌ４に引き込めない停止操作位置のうち、ベルが入賞ラインＬ１〜Ｌ４に揃う停止位置とならない停止操作位置の滑りコマ数が、ベルが入賞ラインＬ１〜Ｌ４に揃う停止位置となる滑りコマ数に更新され、ビッグボーナス（３）を構成する図柄を入賞ラインＬ１〜Ｌ４に引き込むがベルが入賞ラインＬ１〜Ｌ４に揃う停止位置とならない停止操作位置のうち、ビッグボーナス（３）を構成する図柄及びベルの双方が入賞ラインＬ１〜Ｌ４に揃う停止位置を最大４コマの範囲で引き込める停止操作位置であれば、ビッグボーナス（３）を構成する図柄及びベルの双方が入賞ラインＬ１〜Ｌ４に揃う停止位置となる滑りコマ数に更新される。また、第３停止時においては、第１停止及び第２停止リールのいずれかの入賞ラインＬ１〜Ｌ４にベルが揃っている場合には、当該入賞ライン上にベル以外の図柄を引き込む停止操作位置の滑りコマ数が、当該入賞ライン上にベルを引き込む滑りコマ数に更新される。また、ビッグボーナス（３）及びベル以外の役の入賞（白チェリー）や重複入賞を回避できない停止禁止位置（特別役が当選しているため、リーチ目を回避できない停止位置は停止禁止位置とはならない）となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でビッグボーナス（３）の組み合わせを揃えて停止させることができれば、これを揃えて停止させる制御が行われ、入賞ラインＬ１〜Ｌ４に最大４コマの引込範囲でビッグボーナス（３）の組み合わせを引き込めない場合には、入賞ラインＬ１〜Ｌ４に最大４コマの引込範囲でベルの組み合わせを揃えて停止させることができれば、これを揃えて停止させる制御が行われ、当選していない白チェリーの組み合わせは、最大４コマの引込範囲でハズシて停止させる制御が行われることとなる。すなわちこのような場合には、ベルよりもビッグボーナス（３）を入賞ラインＬ１〜Ｌ４に揃える制御が優先され、ビッグボーナス（３）を引き込めない場合にのみ、ベルを入賞させることが可能となる。尚、第１停止及び第２停止において更新前の滑りコマ数がビッグボーナス（３）の組み合わせのみが揃う停止位置であり、引込範囲内にビッグボーナス（３）の組み合わせとベルの組み合わせの双方が揃いうる停止位置（禁止位置を除く）があれば、その停止位置に更新され、停止制御が行われるようになっている。
【０２５８】
ビッグボーナス（４）が当選している場合には、第１停止時においては、ビッグボーナス（４）に対応するデータ作成用テーブルを用いてビッグボーナス（４）の組み合わせを構成する図柄を４コマの引込範囲で入賞ラインＬ５、Ｌ６のいずれかに最大限引き込む滑りコマ数が仮想滑りコマテーブルに格納される。また、第２、第３停止時においては、停止済みのリールの停止位置から入賞ラインＬ５、Ｌ６に最大４コマの引込範囲でビッグボーナス（４）を揃えて停止させる停止位置が停止操作位置毎に検索され、ビッグボーナス（４）を揃えて停止させる停止位置となる滑りコマ数が停止操作位置毎に仮想滑りコマテーブルに格納される。これにより、停止操作が行われた際に、入賞ラインＬ５、Ｌ６に最大４コマの引込範囲でビッグボーナス（４）の組み合わせを揃えて停止させることができれば、これを揃えて停止させる制御が行われることとなる。
【０２５９】
ビッグボーナス（５）が当選している場合には、第１停止時においては、ビッグボーナス（５）に対応するデータ作成用テーブルを用いてビッグボーナス（５）の組み合わせを構成する図柄を４コマの引込範囲で入賞ラインＬ５、Ｌ６のいずれかに最大限引き込む滑りコマ数が仮想滑りコマテーブルに格納される。また、第２、第３停止時においては、停止済みのリールの停止位置から入賞ラインＬ５、Ｌ６に最大４コマの引込範囲でビッグボーナス（５）を揃えて停止させる停止位置が停止操作位置毎に検索され、ビッグボーナス（５）を揃えて停止させる停止位置となる滑りコマ数が停止操作位置毎に仮想滑りコマテーブルに格納される。これにより、停止操作が行われた際に、入賞ラインＬ５、Ｌ６に最大４コマの引込範囲でビッグボーナス（５）の組み合わせを揃えて停止させることができれば、これを揃えて停止させる制御が行われることとなる。
【０２６０】
このように本実施例では、ビッグボーナス（４）及びビッグボーナス（５）以外の役については、リール２Ｌ、２Ｃ、２Ｒの一直線上に位置する図柄に跨って設定される入賞ラインＬ１〜Ｌ４に揃うように制御されるのに対して、ビッグボーナス（４）及びビッグボーナス（５）については、全てのリールにおいて上段・中段・下段のうち停止する位置が異なり、かつ一直線上に位置しない図柄に跨って入賞ラインＬ５、Ｌ６に揃うようになっている。
【０２６１】
また、本実施例では、内部抽選の結果がビッグボーナス（１）または赤チェリーの場合、ビッグボーナス（２）または青チェリーの場合、ビッグボーナス（３）＋白チェリーの場合において、それぞれの構成図柄を最大４コマの引込範囲で入賞ラインＬ１〜Ｌ４に引き込むとともに、当選役を引き込めない停止操作位置の一部については、チャンス目を引き込む滑りコマ数、リーチ目を引き込む滑りコマ数が仮想滑りコマテーブルに格納された後、当選役以外の役の入賞（異常入賞）や重複入賞、リーチ目（特別役が当選していない場合のみ）を回避できない停止禁止位置となる滑りコマ数が格納された停止操作位置については、停止禁止位置以外の停止位置となる滑りコマ数に更新され、それ以外の停止操作位置の滑りコマ数が維持されるようになっているので、内部抽選の結果に応じて停止禁止位置以外の停止位置となる停止操作位置で停止操作がなされた場合には、表示結果が同一となる。特に、本実施例では、共通テーブル作成用データの滑りコマ数として、いずれかのビッグボーナスと対応するチェリーの組み合わせの双方を引き込めない停止操作位置の一部には、チャンス目を引き込む滑りコマ数が定められているので、前述のような制御を行うことにより、共通のチャンス目を導出させることが可能となる。
【０２６２】
また、赤チェリー、青チェリー、白チェリーについては、左リールの上段または下段に対応する色のチェリーが停止するのみで、入賞となるので、赤チェリー、青チェリー、白チェリーの当選時において左リールの入賞ライン上にいずれかの色の「７」または対応する色の「チェリーが」が停止しなかった場合には、中、右リールの滑りコマ数として、ビッグボーナス（１）〜（３）のうち対応するビッグボーナスが当選している場合と同一の滑りコマ数が適用される。また、いずれかのチェリー当選時において左リールの入賞ラインＬ１〜Ｌ４に当選したチェリーの色に対応しない「７」が停止した場合にも、中リール及び左リールの滑りコマ数として、ビッグボーナス（１）〜（３）のうち当選したチェリーに対応するビッグボーナスが当選している場合と同一の滑りコマ数が適用される。このため、いずれかのチェリーに当選し、かつ取りこぼした場合には、当選したチェリーに対応するビッグボーナスを取りこぼした場合と同一の停止位置が高い割合で停止することとなる。
【０２６３】
ここで、図３に示すように、「ベル」、「リプレイ」については、リール２Ｌ、２Ｃ、２Ｒのいずれについても５図柄以内、すなわち４コマ以内の間隔で配置されており、４コマの引込範囲で必ず任意の位置に停止させることができる。つまり、ベル、リプレイ（１）、リプレイ（２）、ビッグボーナス（４）、ビッグボーナス（５）の当選フラグがそれぞれ設定されているときには、遊技者によるストップスイッチ８Ｌ、８Ｃ、８Ｒの操作タイミングに関わらずに、必ず当該役を入賞させることができる。
【０２６４】
また、「赤チェリー」、「青チェリー」及び「白チェリー」についてはそれぞれ左リールに１個ずつしか配置されていないため、「赤チェリー」、「青チェリー」及び「白チェリー」が入賞ラインに対して４コマの引込範囲に位置するタイミングで左リールの停止操作を行わなければ、赤チェリー、青チェリー、白チェリーの組み合わせを揃えることができない。このため、赤チェリーの当選時には、領域番号１〜７のタイミングで左リールの停止操作がなされた場合にのみ赤チェリーの組み合わせがいずれかの入賞ラインに揃って入賞させることが可能であり、それ以外のタイミング、すなわち領域番号０、８〜２０のタイミングで左リールの停止操作がなされた場合に赤チェリーの組み合わせはいずれの入賞ラインにも揃うことがなく、取りこぼすこととなる。また、青チェリーの当選時には、領域番号０、１５〜２０のタイミングで左リールの停止操作がなされた場合にのみ青チェリーの組み合わせがいずれかの入賞ラインに揃って入賞させることが可能であり、それ以外のタイミング、すなわち領域番号１〜１４のタイミングで左リールの停止操作がなされた場合に青チェリーの組み合わせはいずれの入賞ラインにも揃うことがなく、取りこぼすこととなる。また、白チェリーの当選時には、領域番号８〜１４のタイミングで左リールの停止操作がなされた場合にのみ白チェリーの組み合わせがいずれかの入賞ラインに揃って入賞させることが可能であり、それ以外のタイミング、すなわち領域番号０〜７、１５〜２０のタイミングで左リールの停止操作がなされた場合に白チェリーの組み合わせはいずれの入賞ラインにも揃うことがなく、取りこぼすこととなる。
【０２６５】
また、本実施例では、「赤チェリー」図柄が左リールのいずれかの入賞ライン上に停止する表示態様（領域番号５・６・７、７・８・９）と、「青チェリー」図柄が左リールのいずれかの入賞ライン上に停止する表示態様（領域番号１９・２０・０、０・１・２）と、「白チェリー」図柄が左リールのいずれかの入賞ライン上に停止する表示態様（領域番号１２・１３・１４、１４・１５・１６）と、がそれぞれ最大引込範囲である４コマを超えて配置されている。
【０２６６】
このため、「赤チェリー」図柄を最大４コマ引き込んでいずれかの入賞ライン上に停止させることが可能な停止操作位置（領域番号１〜７）で停止操作が行われた場合に、「青チェリー」図柄及び「白チェリー」図柄を最大４コマ引き込んでいずれかの入賞ライン上に停止させることも、「青チェリー」図柄を最大４コマ引き込んでいずれかの入賞ライン上に停止させることが可能な停止操作位置（領域番号０、１５〜２０）で停止操作が行われた場合に、「赤チェリー」図柄及び「白チェリー」図柄を最大４コマ引き込んでいずれかの入賞ライン上に停止させることも、「白チェリー」図柄を最大４コマ引き込んでいずれかの入賞ライン上に停止させることが可能な停止操作位置（領域番号８〜１４）で停止操作が行われた場合に、「赤チェリー」図柄及び「青チェリー」図柄を最大４コマ引き込んでいずれかの入賞ライン上に停止させることも、できないようになっている。すなわち「赤チェリー」図柄を入賞ライン上に引込可能な範囲のうちどのタイミングで停止操作を行っても「青チェリー」図柄及び「白チェリー」図柄が入賞ライン上に停止することがなく、「青チェリー」図柄を入賞ライン上に引込可能な範囲のうちどのタイミングで停止操作を行っても「赤チェリー」図柄及び「白チェリー」図柄が入賞ライン上に停止することがなく、「白チェリー」図柄を入賞ライン上に引込可能な範囲のうちどのタイミングで停止操作を行っても「赤チェリー」図柄及び「青チェリー」図柄が入賞ライン上に停止することのない位置に「赤チェリー」図柄と「青チェリー」図柄と「白チェリー」図柄とがそれぞれ配列されているので、「赤チェリー」図柄と「青チェリー」図柄と「白チェリー」図柄を同時に狙える停止操作位置が存在しないこととなる。
【０２６７】
また、左リールの領域のうちどの領域についても「赤チェリー」図柄、「青チェリー」図柄または「白チェリー」図柄をいずれかの入賞ライン上に引き込む領域が存在しており、「赤チェリー」図柄、「青チェリー」図柄または「白チェリー」図柄を入賞ライン上に引き込むことを回避可能な領域が存在しないようになっている。すなわち「赤チェリー」図柄、「青チェリー」図柄または「白チェリー」図柄のいずれの図柄も入賞ライン上に停止させない停止操作位置が存在しないこととなり、意図的に「赤チェリー」図柄、「青チェリー」及び「白チェリー」図柄を入賞ライン上に停止させないことができないようになっている。
【０２６８】
また、「赤７」、「青７」及び「白７」については、リール２Ｌ、２Ｃ、２Ｒのいずれについても１個ずつしか配置されていないため、ビッグボーナス（１）、ビッグボーナス（２）、ビッグボーナス（３）の組み合わせが揃いうる入賞ラインに対して４コマの引込範囲で停止操作を行わなければビッグボーナス（１）、ビッグボーナス（２）、ビッグボーナス（３）の組み合わせを揃えることができない。このため、ビッグボーナス（１）、ビッグボーナス（２）、ビッグボーナス（３）当選時には、４コマの引込範囲以外のタイミングで左リールの停止操作がなされた場合にビッグボーナス（１）、ビッグボーナス（２）、ビッグボーナス（３）の組み合わせはいずれの入賞ラインにも揃うことがなく、取りこぼすこととなる。
【０２６９】
また、本実施例では、「赤７」図柄が左リールのいずれかの入賞ライン上に停止する表示態様（領域番号１６・１７・１８、１８・１９・２０）と、「青７」図柄が左リールのいずれかの入賞ライン上に停止する表示態様（領域番号９・１０・１１、１１・１２・１３）と、「白７」図柄が左リールのいずれかの入賞ライン上に停止する表示態様（領域番号２・３・４、４・５・６）と、がそれぞれ最大引込範囲である４コマを超えて配置されている。
【０２７０】
このため、「赤７」図柄を最大４コマ引き込んでいずれかの入賞ライン上に停止させることが可能な停止操作位置（領域番号１２〜１８）で停止操作が行われた場合に、「青７」図柄及び「白７」図柄を最大４コマ引き込んでいずれかの入賞ライン上に停止させることも、「青７」図柄を最大４コマ引き込んでいずれかの入賞ライン上に停止させることが可能な停止操作位置（領域番号５〜１１）で停止操作が行われた場合に、「赤７」図柄及び「白７」図柄を最大４コマ引き込んでいずれかの入賞ライン上に停止させることも、「白７」図柄を最大４コマ引き込んでいずれかの入賞ライン上に停止させることが可能な停止操作位置（領域番号０〜４、１９〜２０）で停止操作が行われた場合に、「赤７」図柄及び「青７」図柄を最大４コマ引き込んでいずれかの入賞ライン上に停止させることも、できないようになっている。すなわち「赤７」図柄を入賞ライン上に引込可能な範囲のうちどのタイミングで停止操作を行っても「青７」図柄及び「白７」図柄が入賞ライン上に停止することがなく、「青７」図柄を入賞ライン上に引込可能な範囲のうちどのタイミングで停止操作を行っても「赤７」図柄及び「白７」図柄が入賞ライン上に停止することがなく、「白７」図柄を入賞ライン上に引込可能な範囲のうちどのタイミングで停止操作を行っても「赤７」図柄及び「青７」図柄が入賞ライン上に停止することのない位置に「赤７」図柄と「青７」図柄と「白７」図柄とがそれぞれ配列されているので、「赤７」図柄と「青７」図柄と「白７」図柄を同時に狙える停止操作位置が存在しないこととなる。
【０２７１】
また、本実施例では、「赤チェリー」図柄が左リールのいずれかの入賞ライン上に停止する表示態様（領域番号５・６・７、７・８・９）と「赤７」図柄が左リールのいずれかの入賞ライン上に停止する表示態様（領域番号１６・１７・１８、１８・１９・２０）、「青チェリー」図柄が左リールのいずれかの入賞ライン上に停止する表示態様（領域番号１９・２０・０、０・１・２）と「青７」図柄が左リールのいずれかの入賞ライン上に停止する表示態様（領域番号９・１０・１１、１１・１２・１３）、「白チェリー」図柄が左リールのいずれかの入賞ライン上に停止する表示態様（領域番号１２・１３・１４、１４・１５・１６）と「白７」図柄が左リールのいずれかの入賞ライン上に停止する表示態様（領域番号２・３・４、４・５・６）、すなわちいずれかの色の「チェリー」図柄が左リールのいずれかの入賞ライン上に停止する表示態様と同系色の「７」図柄が左リールのいずれかの入賞ライン上に停止する表示態様がそれぞれ最大引込範囲である４コマを超えて配置されている。
【０２７２】
このため、「赤チェリー」図柄を最大４コマ引き込んでいずれかの入賞ライン上に停止させることが可能な停止操作位置（領域番号１〜７）で停止操作が行われた場合に、「赤７」図柄を最大４コマ引き込んでいずれかの入賞ライン上に停止させることができず、「赤７」図柄を最大４コマ引き込んでいずれかの入賞ライン上に停止させることが可能な停止操作位置（領域番号１２〜１８）で停止操作が行われた場合に、「赤チェリー」図柄を最大４コマ引き込んでいずれかの入賞ライン上に停止させることができないようになっており、「青チェリー」図柄を最大４コマ引き込んでいずれかの入賞ライン上に停止させることが可能な停止操作位置（領域番号０、１５〜２０）で停止操作が行われた場合に、「青７」図柄を最大４コマ引き込んでいずれかの入賞ライン上に停止させることができず、「青７」図柄を最大４コマ引き込んでいずれかの入賞ライン上に停止させることが可能な停止操作位置（領域番号５〜１１）で停止操作が行われた場合に、「青チェリー」図柄を最大４コマ引き込んでいずれかの入賞ライン上に停止させることができないようになっており、「白チェリー」図柄を最大４コマ引き込んでいずれかの入賞ライン上に停止させることが可能な停止操作位置（領域番号８〜１４）で停止操作が行われた場合に、「白７」図柄を最大４コマ引き込んでいずれかの入賞ライン上に停止させることができず、「白７」図柄を最大４コマ引き込んでいずれかの入賞ライン上に停止させることが可能な停止操作位置（領域番号０〜４、１９〜２０）で停止操作が行われた場合に、「白チェリー」図柄を最大４コマ引き込んでいずれかの入賞ライン上に停止させることができないようになっている。
【０２７３】
すなわちいずれかの色の「チェリー」図柄を入賞ライン上に引込可能な範囲のうちどのタイミングで停止操作を行っても同系色の「７」図柄が入賞ライン上に停止することがなく、いずれかの色の「７」図柄を入賞ライン上に引込可能な範囲のうちどのタイミングで停止操作を行っても同系色の「チェリー」図柄が入賞ライン上に停止することのない位置に「赤７」図柄、「青７」図柄、「白７」図柄、「赤チェリー」図柄、「青チェリー」図柄、「白チェリー」図柄がそれぞれ配列されているので、同系色の「チェリー」図柄と「７」図柄を同時に狙える停止操作位置が存在しないこととなる。
【０２７４】
また、前述のように内部抽選においては、左リールにおいて「赤７」を構成図柄とするビッグボーナス（１）と左リールにおいて「赤７」と同時に狙える停止操作位置が存在しない「赤チェリー」を構成図柄とする赤チェリー、左リールにおいて「青７」を構成図柄とするビッグボーナス（２）と左リールにおいて「青７」と同時に狙える停止操作位置が存在しない「青チェリー」を構成図柄とする青チェリー、左リールにおいて「白７」を構成図柄とするビッグボーナス（３）と左リールにおいて「白７」と同時に狙える停止操作位置が存在しない「白チェリー」を構成図柄とする白チェリー、がそれぞれ同時当選可能とされており、同時に狙える停止操作位置が存在する特別役と小役同士は同時に当選しないようになっている。
【０２７５】
また、内部抽選においては、ビッグボーナス（１）は赤チェリーと、ビッグボーナス（２）は青チェリーと、ビッグボーナス（３）は白チェリーと、それぞれ同時当選可能とされている。すなわちビッグボーナス（１）〜（３）がそれぞれ、同時に狙える停止操作位置が存在しない「赤チェリー」、「青チェリー」、「白チェリー」を左リールの構成図柄とする赤チェリー、青チェリー、白チェリーと同時当選可能とされている。
【０２７６】
次に、チャンス目及びリーチ目について説明する。
【０２７７】
本実施例におけるチャンス目とは、通常遊技状態、ＲＴ（１）〜（４）において特別役が当選し、かつ当選した特別役を取りこぼしたとき、またはいずれかのチェリーが当選し、かつ当選したチェリーを取りこぼしたときに導出されうる表示態様であり、本実施例では、「赤チェリー−ａｎｙ−ａｎｙ」「青チェリー−ａｎｙ−ａｎｙ」「白チェリー−ａｎｙ−ａｎｙ」のいずれかの組み合わせ、すなわち入賞ラインに揃えばそれぞれ赤チェリー、青チェリー、白チェリーの入賞が判定される図柄の組み合わせが仮想入賞ラインＬｖに揃った場合にチャンス目が成立する。
【０２７８】
本実施例におけるリーチ目とは、通常遊技状態、ＲＴ（１）〜（４）において特別役（ビッグボーナス（１）〜（３））が当選し、かつ当選した特別役を取りこぼしたときに導出されうる表示態様であり、本実施例では、「赤７−赤７−赤７」「青７−青７−青７」「白７−白７−白７」のいずれかの組み合わせ、すなわち入賞ラインに揃えばそれぞれビッグボーナス（１）、ビッグボーナス（２）、ビッグボーナス（３）の入賞が判定される図柄の組み合わせが仮想入賞ラインＬｖに揃った場合にリーチ目が成立する。
【０２７９】
ここで、チャンス目及びリーチ目を導出させる際のリールの停止制御の一例を説明する。
【０２８０】
本実施例では、ビッグボーナス（１）〜（３）のいずれかが当選している場合には、「赤チェリー−ａｎｙ−ａｎｙ」「青チェリー−ａｎｙ−ａｎｙ」「白チェリー−ａｎｙ−ａｎｙ」のいずれかの組み合わせが仮想入賞ラインＬｖに揃えることが可能に制御され、赤チェリーが単独で当選している場合には、「青チェリー−ａｎｙ−ａｎｙ」「白チェリー−ａｎｙ−ａｎｙ」のいずれかの組み合わせが仮想入賞ラインＬｖに揃えることが可能に制御され、青チェリーが単独で当選している場合には、「赤チェリー−ａｎｙ−ａｎｙ」「白チェリー−ａｎｙ−ａｎｙ」のいずれかの組み合わせが仮想入賞ラインＬｖに揃えることが可能に制御され、白チェリーが単独で当選している場合には、「赤チェリー−ａｎｙ−ａｎｙ」「青チェリー−ａｎｙ−ａｎｙ」のいずれかの組み合わせが仮想入賞ラインＬｖに揃えることが可能に制御されるのに対して、いずれの役も当選していない場合には、「赤チェリー−ａｎｙ−ａｎｙ」「青チェリー−ａｎｙ−ａｎｙ」「白チェリー−ａｎｙ−ａｎｙ」のいずれの組み合わせも仮想入賞ラインＬｖに揃わないように制御される。
【０２８１】
このため、「赤チェリー−ａｎｙ−ａｎｙ」「青チェリー−ａｎｙ−ａｎｙ」「白チェリー−ａｎｙ−ａｎｙ」のいずれかの組み合わせが仮想入賞ラインＬｖに揃った場合には、チャンス目が成立し、いずれかの特別役に当選している可能性が示唆されることとなる。
【０２８２】
また、本実施例では、ビッグボーナス（１）が当選している場合には、「青７−青７−青７」「白７−白７−白７」のいずれかの組み合わせを仮想入賞ラインＬｖに揃えることが可能に制御され、ビッグボーナス（２）が当選している場合には、「赤７−赤７−赤７」「白７−白７−白７」のいずれかの組み合わせを仮想入賞ラインＬｖに揃えることが可能に制御され、ビッグボーナス（３）が当選している場合には、「赤７−赤７−赤７」「青７−青７−青７」のいずれかの組み合わせを仮想入賞ラインＬｖに揃えることが可能に制御されるのに対して、いずれの特別役も当選していない場合には、仮想入賞ラインに「赤７−赤７−赤７」「青７−青７−青７」「白７−白７−白７」のいずれかの組み合わせの構成図柄が聴牌（最終的に図柄の組み合わせを揃えることが可能に制御されているか否かに関わらず、いずれか２つのリールを停止した時点で、構成図柄が仮想入賞ラインＬｖに停止している状態、すなわち最終停止リールにおいて構成図柄が仮想入賞ラインＬｖに停止することで図柄の組み合わせが仮想入賞ラインＬｖに揃い得る状態）することはあっても、最終的に「赤７−赤７−赤７」「青７−青７−青７」「白７−白７−白７」のいずれの組み合わせも仮想入賞ラインＬｖに揃わないように制御される。
【０２８３】
このため、「赤７−赤７−赤７」「青７−青７−青７」「白７−白７−白７」のいずれかの組み合わせが仮想入賞ラインＬｖに揃った場合には、リーチ目が成立し、いずれかの特別役に当選している旨が示唆されることとなる。
【０２８４】
本実施例においてＣＰＵ４１ａは、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０２８５】
尚、本実施例では、ストップスイッチ８Ｌ、８Ｃ、８Ｒの操作が検出されたことを条件に、対応するリールに表示結果を停止させる制御を行うようになっているが、リールの回転が開始してから、予め定められた自動停止時間が経過した場合に、リールの停止操作がなされない場合でも、停止操作がなされたものとみなして自動的に各リールを停止させる自動停止制御を行うようにしても良い。この場合には、遊技者の操作を介さずにリールが停止することとなるため、例え、いずれかの役が当選している場合でもいずれの役も構成しない表示結果を導出させることが好ましい。
【０２８６】
本実施例においてＣＰＵ４１ａは、ビッグボーナス（１）及びビッグボーナス（２）の終了後、特別役及び小役の抽選確率は通常遊技状態と同一であるが、リプレイ（１）及びリプレイ（２）の当選確率がともに通常遊技状態よりも高確率となり、かつ１ゲームあたりのメダルの払出率（対象となる役の当選確率×払出枚数の合計値／１ゲームに必要な賭数）が１を超えるリプレイタイム（１）（ＲＴ（１））に制御する。遊技状態がＲＴ（１）にある間は、ＲＴ（１）中フラグがＲＡＭ４１ｃに設定される。そして、ＲＴ（１）は、いずれの特別役も当選せず、リプレイ（２）も入賞せずに規定ゲーム数（本実施例では、ビッグボーナス（１）の終了後であれば５０ゲーム、ビッグボーナス（２）の終了後であれば２０ゲーム）に到達するか、規定ゲーム数に到達する前にいずれかの特別役に当選するか、リプレイ（２）が入賞し、後述するＲＴ（２）に移行することで終了するようになっている。
【０２８７】
また、通常遊技状態、ＲＴ（１）、後述するＲＴ（３）においてリプレイ（２）が入賞したときに、特別役（いずれの特別役も持ち越されていない場合）及び小役の抽選確率は通常遊技状態と同一であるが、リプレイ（１）の当選確率が通常遊技状態及びＲＴ（１）よりも高確率となり、リプレイ（２）の当選確率が通常遊技状態よりも高確率となり、かつ１ゲームあたりのメダルの払出率がＲＴ（１）よりもさらに高いリプレイタイム（２）（ＲＴ（２））に制御する。遊技状態がＲＴ（２）にある間は、ＲＴ（２）中フラグがＲＡＭ４１ｃに設定される。そして、ＲＴ（２）は、いずれの特別役も入賞せず、いずれのチェリーも入賞せずに規定ゲーム数（本実施例では２００ゲーム）に到達するか、規定ゲーム数に到達する前にいずれかの特別役に入賞するか、いずれかのチェリーが入賞することで終了するようになっている。また、ＲＴ（２）中にいずれかの特別役が当選した場合には、以後、いずれかのチェリーが入賞してもＲＴ（２）が終了することはなく、規定ゲーム数に到達するか、当選した特別役が入賞するまでは、当該ＲＴ（２）が終了することがない。また、ＲＴ（２）中にいずれかのチェリーと特別役が同時に当選し、かつ当選したチェリーが入賞してもＲＴ（２）が終了することはなく、規定ゲーム数に到達するか、当選した特別役が入賞するまでは、当該ＲＴ（２）が終了することがない。
【０２８８】
また、通常遊技状態においていずれかのチェリーが入賞したときに、特別役及び小役、リプレイ（２）の抽選確率は通常遊技状態と同一であるが、リプレイ（１）の当選確率が通常遊技状態よりも高確率となり、かつ１ゲームあたりのメダルの払出率が１以下となるリプレイタイム（３）（ＲＴ（３））に制御する。遊技状態がＲＴ（３）にある間は、ＲＴ（３）中フラグがＲＡＭ４１ｃに設定される。そして、ＲＴ（３）は、いずれの特別役も当選せず、リプレイ（２）も当選せずに規定ゲーム数（本実施例では５ゲーム）に到達するか、規定ゲーム数に到達する前にいずれかの特別役に当選し、後述するＲＴ（４）に移行するか、リプレイ（２）が入賞し、ＲＴ（２）に移行することで終了するようになっている。
【０２８９】
また、通常遊技状態、ＲＴ（１）、ＲＴ（３）においていずれかの特別役が当選したとき（いずれかのチェリーと同時に当選している場合を含む）、またはＲＴ（２）においていずれかの特別役が当選した後、規定ゲーム数に到達することで当該ＲＴ（２）が終了したときに、小役、リプレイ（２）の抽選確率は通常遊技状態と同一であるが、リプレイ（１）の当選確率が通常遊技状態よりも高確率となり、かつ１ゲームあたりのメダルの払出率が１以下となるリプレイタイム（４）（ＲＴ（４））に制御する。遊技状態がＲＴ（４）にある間は、ＲＴ（４）中フラグがＲＡＭ４１ｃに設定される。そして、ＲＴ（４）は、当選した特別役が入賞し、ビッグボーナスに移行することで終了するようになっている。尚、ＲＴ（２）に規定ゲーム数はなく、一度移行すると特別役が入賞するまで継続する。
【０２９０】
このように、通常遊技状態においていずれかのチェリーが入賞すると最大５ゲームにわたり通常遊技状態よりも再遊技役の当選確率が高まるＲＴ（３）に移行するとともに、特別役に当選した場合（いずれかのチェリーと同時に当選している場合を含む）にも通常遊技状態よりも再遊技役の当選確率が高まるＲＴ（４）に移行する。そして、再遊技役と特別役とが同時に当選した場合には、特別役を構成する図柄の組み合わせよりも再遊技役を構成する図柄の組み合わせを入賞ラインに対して優先的に引き込む制御が行われるため、通常遊技状態において特別役と同時当選する可能性のあるいずれかのチェリーが入賞してＲＴ（３）またはＲＴ（４）に移行すると、例え特別役が当選していてもその特別役を構成する図柄の組み合わせが揃いづらく、特別役が当選しているか否かの判別が困難となる。
【０２９１】
通常遊技状態における１ゲームあたりのメダルの払出率は、図１０の抽選確率によれば０．６２であり、１ゲームあたり約１．１４枚ずつメダルが減少することとなるが、赤チェリー、青チェリー、白チェリーは、これらの役を構成する図柄を同時に狙うことができず、実質的な出現率は１／３となるので、通常遊技状態における実質的な１ゲーム当たりのメダルの払出率は、０．５８であり、１ゲームあたり約１．２６枚ずつメダルが減少することとなる。
【０２９２】
ＲＴ（１）における実質的な１ゲーム当たりのメダルの払出率は、１．１９であり、１ゲームあたり約０．５８枚ずつメダルが増加することとなる。ＲＴ（２）における実質的な１ゲーム当たりのメダルの払出率は、１．２９であり、１ゲームあたり約０．８８枚ずつメダルが増加することとなるが、ＲＴ（２）においていずれかのチェリーを入賞させるとＲＴ（２）が終了してしまうこととなるため、ＲＴ（２）を継続させるためにチェリーの入賞を回避した場合の実質的な１ゲーム当たりのメダルの払出率は、１．２７であり、１ゲームあたり約０．８２枚ずつメダルが増加することとなる。ＲＴ（３）、ＲＴ（４）における実質的な１ゲーム当たりのメダルの払出率は、０．９３であり、１ゲームあたり約０．１８枚ずつメダルが減少することとなる。
【０２９３】
このように実質的な１ゲーム当たりのメダルの払出率は、ＲＴ（２）＞ＲＴ（１）＞ＲＴ（３）、ＲＴ（４）＞通常遊技状態という大小関係が成立し、このうちＲＴ（１）、ＲＴ（２）ではメダルが増加が期待できるのに対して、通常遊技状態、ＲＴ（３）、ＲＴ（４）ではメダルの増加は期待できないこととなる。
【０２９４】
本実施例では、ＲＴ（２）中にいずれかのチェリーが入賞すると、いずれの特別役も当選していなければ、当該ＲＴ（１）の開始から規定ゲーム数に到達する前であってもＲＴ（２）が終了することとなるが、赤チェリー、青チェリー、白チェリーを構成する左リールの「赤チェリー」図柄、「青チェリー」図柄及び「白チェリー」図柄についてはそれぞれ左リールに１個ずつしか配置されていないため、赤チェリー、青チェリー、白チェリーの組み合わせが揃いうる入賞ラインに対して４コマの引込範囲で停止操作を行わなければ赤チェリー、青チェリー、白チェリーの組み合わせが揃うことを回避できるうえに、例え左リールに特別役の組み合わせを構成する図柄がいずれかの入賞ライン上に停止した場合でも、中リール、右リールにおいて特別役の組み合わせを構成する図柄が４つ以上の間隔を空けて配置されており、当該構成図柄を引き込めない停止操作位置が存在するため、特別役の組み合わせが揃うことも回避できる。この結果、赤チェリー、青チェリー、白チェリーまたは特別役の組み合わせが揃うことを回避する操作手順で停止操作を行うことにより、いずれかのチェリーや特別役が当選している場合でもこれらいずれかのチェリーや特別役が入賞してＲＴ（２）が終了してしまうことを回避することができる。
【０２９５】
しかしながら、赤チェリー、青チェリー、白チェリーを構成する左リールの「赤チェリー」図柄、「青チェリー」図柄及び「白チェリー」図柄を意図的に入賞ライン上に停止させないことができないので、ＲＴ（２）中にいずれかのチェリーが当選した場合に、その種類が分からなければ意図的にチェリーを外すことは不可能であり、２／３の確率で当選したチェリーを取りこぼすこととなるが、１／３の確率で当選したチェリーが入賞し、いずれの特別役も当選していない場合には、ＲＴ（２）が終了することとなる。
【０２９６】
ＣＰＵ４１ａは、満タンセンサ３５ａの検出状態に基づいてオーバーフロータンク３５が満タン状態か否かを判定し、満タン状態と判定された場合に、リセット操作（リセットスイッチ２３、またはリセット／設定スイッチ３８の操作）がなされるまでゲームの進行を不能動化する満タンエラー状態に制御する。
【０２９７】
図２０、２２は、ＣＰＵ４１ａによる満タンエラー状態の制御に係るタイミングチャートである。
【０２９８】
図２０、２２において、リール回転は、リール２Ｌ、２Ｃ、２Ｒが回転をしている状態を示し、メダル払出は、小役の入賞に伴いホッパーモータ３４ｂの駆動によりメダルの払出動作がなされている状態を示し、リプレイゲーム中フラグは、リプレイが入賞してから、次のゲームにおいてリール２Ｌ、２Ｃ、２Ｒの全ての停止するまでの間ＲＡＭ４１ｃに設定されるリプレイゲーム中フラグの設定状況を示し、満タンセンサは、満タンセンサ３５ａの検出状態を示し、投入メダルセンサ信号は、投入メダルセンサ３１による投入メダルの検出状態を示し、満タンフラグは、満タンセンサ３５ａの検出状況（満タンセンサ３５ａの検出状態を示す検出フラグの有無）に基づいてオーバーフロータンクの満タン状態が判定された際にＲＡＭ４１ｃに設定される満タンフラグの設定状況を示し、エラーは、満タン状態が判定されたことに伴う満タンエラーの発生状況を示している。また、図２０、２２においてゲーム開始とは、スタートスイッチ７が操作され、ゲームが開始されたタイミングであり、ゲーム制御終了とは、メダルの払出を伴う場合にはメダルの払出が終了したタイミングであり、メダル払出を伴わない場合には、リール２Ｌ、２Ｃ、２Ｒの全てのリールが停止したタイミングである。
【０２９９】
ＣＰＵ４１ａは、満タンセンサ３５ａから出力される検出信号の出力状況をタイマ割込処理において２．２４ｍｓ毎に行うスイッチ入力判定処理において監視している。スイッチ入力判定処理においては、他のスイッチ類（スタートスイッチ７やストップスイッチ８Ｌ、８Ｃ、８Ｒなど）の入力判定を行う場合には、ｏｆｆの状態からｏｎの状態に切り替わり、連続して一定期間（スイッチの種類毎に割り当てられた回数）スイッチのｏｎが判定されたことを条件に、該スイッチのｏｎ状態を判定し、当該スイッチの検出フラグをＲＡＭ４１ｃに設定するようになっているが、満タンセンサ３５ａについては、図２０（ｂ）に示すように、ｏｆｆの状態からｏｎの状態に切り替わるのみで、満タンセンサ３５ａのｏｎ状態を判定し、当該センサの検出フラグをＲＡＭ４１ｃに設定するようになっている。これは、満タンセンサ３５ａが他のスイッチ類よりも高い電圧で駆動されており、ノイズなどが発生しても電圧のブレが少なく、誤検出が発生しにくいからである。このようにスイッチ入力判定処理において、満タンセンサ３５ａの検出信号がｏｆｆからｏｎに変化するのみで満タンセンサ３５ａのｏｎ状態を判定するようになっており、ｏｆｆからｏｎに変化してからの継続時間などを計時する必要がなく、満タンセンサ３５ａの検出状態の判定に係る制御を簡素化することができる。
【０３００】
ＣＰＵ４１ａは、ゲーム制御の終了後、最初にメダルの投入が検出されたタイミングにおいて１ゲームにつき１回のみ、満タンセンサ３５ａの検出状態（検出フラグの有無）に基づいて満タン状態か否かを判定し、満タンセンサ３５ａがｏｎの状態であれば満タン状態と判定し、満タン状態を示す満タンフラグをＲＡＭ４１ｃに設定する。尚、再遊技役が入賞した次のゲームにおいては、そのゲームが終了するまでメダルの投入が許可されることがないので、メダルの投入が有効に検出されることはなく、再遊技役が入賞した次のゲームにおいては、満タン状態か否かの判定は省略され、満タンセンサ３５ａが検出されていても満タン状態と判定されることはなく、満タンフラグが設定されることもない。また、本実施例では、メダルの投入が許可されていない状態であっても投入メダルセンサ３１の検出自体は行っているが、仮にリプレイゲーム中にメダルの投入が検出されたとしても、有効なメダルの投入とは判定せず、この場合にも満タン状態か否かの判定は省略される。また、本実施例では、ゲーム制御終了後、メダルの投入が可能な状態であっても、クレジットを用いて賭数が設定され、メダルが投入されずにゲームが開始した場合にも、メダルの投入が検出されないので、このような場合にも、満タン状態か否かの判定は省略され、満タンセンサ３５ａが検出されていても満タン状態と判定されることはなく、満タンフラグが設定されることもない。
【０３０１】
また、ＣＰＵ４１ａは、ゲーム制御終了後、次のゲームのメダルが投入可能となる前のタイミングで満タンフラグが設定されているか否か、すなわち満タン状態と判定されたか否かを判定し、満タンフラグが設定されている場合には、ゲームの進行を不能動化し、リセット操作がなされるまで満タンエラー状態に制御する。尚、ＣＰＵ４１ａは、ゲーム制御終了後、満タンフラグが設定されているか否かの判定を行う前に、リプレイゲーム中フラグがＲＡＭ４１ｃに設定されているか否か、すなわち当該ゲームがリプレイゲームであるか否かを判定し、リプレイゲームであれば満タンフラグが設定されているか否かの判定を省略するようになっており、このような場合には、満タンフラグが設定されていても満タンエラー状態には制御せず、そのリプレイゲームが終了し、リプレイゲームでなければ、次のゲームのメダルが投入可能となる前のタイミングで満タンフラグが判定され、満タンエラー状態に制御されることとなる。
【０３０２】
例えば、図２０（ａ）に示すように、ゲーム制御の終了後、最初にメダルの投入が検出された時点で、満タンセンサ３５ａの検出状態に基づいて満タン状態か否かを判定し、満タンセンサ３５ａがｏｎであれば、満タン状態と判定し、満タンフラグをＲＡＭ４１ｃに設定する。その後当該ゲームにおいて再遊技役が入賞していなければ、当該ゲームの制御終了後、次のゲームのメダルが投入可能となる前のタイミングで満タンエラー状態に制御する。一方、当該ゲームで再遊技役が入賞し、リプレイゲーム中フラグが設定された場合（図示略）には、当該ゲームの終了後に満タンエラー状態に制御することはなく、次のゲーム（リプレイゲーム）の終了後、さらにその次のゲーム（その次のゲームもリプレイゲームであれば、さらにその次のゲーム）のメダルが投入可能となる前のタイミングで満タンエラー状態に制御する。すなわち再遊技役が入賞したゲームの次のゲームでは、満タンエラー状態に制御されることはない。
【０３０３】
また、図２１に示すように、再遊技役が入賞したゲームの次のゲームにおいては、メダルの投入が許可されることがなく、メダルの投入も有効に検出されることはなく、このような状態で満タンセンサ３５ａが検出されていても満タン状態と判定されることはなく、満タンフラグが設定されることもない。そして、当該ゲームの制御終了後、当該ゲームで再遊技役が入賞せず、メダルが投入可能な状態となって、最初にメダルの投入が検出された時点で、満タン状態と判定し、満タンフラグをＲＡＭ４１ｃに設定し、そのゲームにおいて再遊技役が入賞していなければ、当該ゲームの制御終了後、次のゲームのメダルが投入可能となる前のタイミングで満タンエラー状態に制御する。
【０３０４】
また、特に図示しないが、ゲーム制御終了後、メダルの投入が可能な状態であっても、クレジットを用いて賭数が設定され、メダルが投入されずにゲームが開始した場合には、メダルの投入が検出されることはなく、このような状態で満タンセンサ３５ａが検出されていても満タン状態と判定されることはなく、満タンフラグが設定されることもない。そして、当該ゲームの制御終了後、メダルが投入可能な状態となって、最初にメダルの投入が検出された時点で、満タン状態と判定し、満タンフラグをＲＡＭ４１ｃに設定することとなる。すなわちクレジットを用いて賭数が設定されることによりゲームが行われ、その間メダルの投入がなければ、次回メダルが投入されるゲームまで、満タン状態の判定が行われることがなく、満タンエラー状態に制御されることもない。
【０３０５】
次に、満タンエラー状態の制御の変形例について図２２〜２４に示すタイミングチャートに基づいて説明する。
【０３０６】
図２２〜２４において、メダル投入フラグは、ゲーム制御終了後、メダルの投入が検出されてから、次のゲーム以降にメダルの投入が許可されるまでのＲＡＭ４１ｃに設定されるメダル投入フラグの設定状況を示す。
【０３０７】
ＣＰＵ４１ａは、ゲーム制御の終了後、次のゲームのメダルの投入が許可される前のタイミングにおいて１ゲームにつき１回のみ、満タンセンサ３５ａの検出状態に基づいて満タン状態か否かを判定する。尚、ＣＰＵ４１ａは、満タン状態か否かの判定を行う前に、リプレイゲーム中フラグに基づいて次のゲームがリプレイゲームか否かを判定し、リプレイゲームであると判定した場合には、さらにメダル投入フラグが設定されているか否か、すなわち前のゲームにおいてメダルが投入されたか否かを判定し、メダル投入フラグが設定されていると判定した場合においてのみ、満タン状態か否かの判定を行うようになっている。このため、前のゲームにおいて再遊技役が入賞し、当該ゲームにおいてメダルの投入が必要ない場合（当該ゲームがリプレイゲームの場合）や、前のゲームにおいてクレジットを用いて賭数が設定され、メダルが投入されずにゲームが開始した場合には、満タンセンサ３５ａが検出されていても満タン状態か否かの判定は省略され、満タン状態と判定されることはない。
【０３０８】
また、ＣＰＵ４１ａは、満タン状態であると判定した場合に、次のゲームのメダルが投入可能となる前のタイミングでゲームの進行を不能動化し、リセット操作がなされるまで満タンエラー状態に制御する。尚、ＣＰＵ４１ａは、ゲーム制御終了後、満タン状態か否かの判定を行う前に、次のゲームがリプレイゲームであるか否かを判定し、リプレイゲームであれば満タン状態か否かの判定を省略するようになっており、このような場合には、満タンセンサ３５ａが検出されていても満タンエラー状態には制御しない。一方、リプレイゲームでなければ、前のゲームにおいてメダルが投入されたか否かを判定し、前のゲームにおいてメダルが投入されていなければ満タン状態か否かの判定を省略するようになっており、このような場合には、満タンセンサ３５ａが検出されていても満タンエラー状態には制御せず、前のゲームにおいてメダルが投入されていれば次のゲーム以降のゲーム制御終了後、さらにその次のゲームのメダルが投入可能となる前のタイミングで満タン状態か否かが判定され、満タンエラー状態に制御されることとなる。
【０３０９】
例えば、図２２に示すように、ゲームの制御終了後、次のゲームのメダルが投入可能となる前のタイミングで、次のゲームがリプレイゲームか否かを判定し、次のゲームがリプレイゲームでなければ、さらに前のゲームにおいてメダルが投入されたか否かを判定し、前のゲームにおいてメダルが投入されていれば、満タンセンサ３５ａの検出状態に基づいて満タン状態か否かを判定する。そして、満タン状態と判定した場合には、次のゲームのメダルが投入可能となる前のタイミングで満タンエラー状態に制御する。
【０３１０】
また、図２３に示すように、ゲーム制御終了後、メダル投入フラグが設定されていない場合、すなわち前のゲームにおいてクレジットを用いて賭数が設定され、メダルが投入されずにゲームが開始した場合には、満タン状態か否かが判定されることはなく、このような状態で満タンセンサ３５ａにより満タン状態が検出されていても当該ゲームのゲーム制御終了後、満タンエラー状態に制御されることはない。そして、次のゲーム以降メダルが投入されたゲーム（リプレイゲームは除く）の制御終了後、満タン状態と判定され、メダルが投入可能となる前のタイミングで満タンエラー状態に制御される。
【０３１１】
また、図２４に示すように、ゲーム制御終了後、次のゲームがリプレイゲームである場合、すなわち前のゲームにおいて再遊技役が入賞し、当該ゲームにおいてメダルの投入が必要ない場合には、満タン状態か否かが判定されることはなく、このような状態で満タンセンサ３５ａにより満タン状態が検出されていても当該ゲームのゲーム制御終了後、満タンエラー状態に制御されることはない。そして、次のゲーム以降メダルが投入されたゲーム（リプレイゲームは除く）の制御終了後、満タン状態と判定され、メダルが投入可能となる前のタイミングで満タンエラー状態に制御される。
【０３１２】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、停止相ワーク、非保存ワーク、未使用領域、スタック領域に区分されている。
【０３１３】
重要ワークは、各種表示器やＬＥＤの表示用データ、Ｉ／Ｏポート４１ｄの入出力データ、遊技時間の計時カウンタ等、ビッグボーナス終了時に初期化すると不都合があるデータが格納されるワークである。一般ワークは、停止制御テーブル、停止図柄、メダルの払出枚数、ビッグボーナス中のメダル払出総数等、ビッグボーナス終了時に初期化可能なデータが格納されるワークである。特別ワークは、演出制御基板９０へコマンドを送信するためのデータ、各種ソフトウェア乱数等、設定開始前にのみ初期化されるデータが格納されるワークである。設定値ワークは、内部抽選処理で抽選を行う際に用いる設定値が格納されるワークであり、設定開始前（設定変更モードへの移行前）の初期化において０が格納された後、１に補正され、設定終了時（設定変更モードへの終了時）に新たに設定された設定値が格納されることとなる。停止相ワークは、リールモータ３２Ｌ、３２Ｃ、３２Ｒの停止相を示すデータが格納されるワークであり、リールモータ３２Ｌ、３２Ｃ、３２Ｒが停止状態となった際にその停止相を示すデータが格納されることとなる。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。スタック領域は、ＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【０３１４】
本実施例においてメイン制御部４１のＣＰＵ４１ａは、設定キースイッチ３７、リセット／設定スイッチ３８の双方がＯＮの状態での起動時、ＲＡＭ異常エラー発生時、設定キースイッチ３７のみがＯＮの状態での起動時、ビッグボーナス終了時、設定キースイッチ３７、リセット／設定スイッチ３８の双方がＯＦＦの状態での起動時においてＲＡＭ４１ｃのデータが破壊されていないとき、１ゲーム終了時の６つからなる初期化条件が成立した際に、各初期化条件に応じて初期化される領域の異なる５種類の初期化を行う。
【０３１５】
初期化０は、起動時において設定キースイッチ３７、リセット／設定スイッチ３８の双方がＯＮの状態であり、設定変更モードへ移行する場合において、その前に行う初期化、またはＲＡＭ異常エラー発生時に行う初期化であり、初期化０では、ＲＡＭ４１ｃの格納領域のうち、使用中スタック領域を除く全ての領域（未使用領域及び未使用スタック領域を含む）が初期化される。初期化１は、起動時において設定キースイッチ３７のみがＯＮの状態であり、設定変更モードへ移行する場合において、その前に行う初期化であり、初期化１では、ＲＡＭ４１ｃの格納領域のうち、使用中スタック領域及び停止相ワークを除く全ての領域（未使用領域及び未使用スタック領域を含む）が初期化される。初期化２は、ビッグボーナス終了時に行う初期化であり、初期化２では、ＲＡＭ４１ｃの格納領域のうち、一般ワーク、未使用領域及び未使用スタック領域が初期化される。初期化３は、起動時において設定キースイッチ３７、リセット／設定スイッチ３８の双方がＯＦＦの状態であり、かつＲＡＭ４１ｃのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭ４１ｃの格納領域のうち、未使用領域及び未使用スタック領域が初期化される。
【０３１６】
尚、本実施例では、初期化０、初期化１を設定変更モードの移行前に行っているが、設定変更モードの終了時、すなわち設定が確定した後に行うようにしても良い。この場合、設定値ワークを初期化してしまうと確定した設定値が失われてしまうこととなるので、設定値ワークの初期化は行われない。
【０３１７】
前述のようにリールを滑らかに回転開始させるためには、リールモータの回転開始時にロータ３２ａの正確な停止位置を特定しておく必要があるが、従来のように設定変更に伴ってリールモータの停止相を示すデータを含むＲＡＭ４１ｃのデータを初期化してしまうと、設定変更後、ロータ３２ａの正確な停止位置を特定することが不可能であり、最初にリールモータを回転させる場合には、急激にロータ３２ａの永久磁石が励磁相に吸引されてしまい、回転の開始時にリールが振動してしまうこととなる。
【０３１８】
これに対して本実施例では、リールモータ３２Ｌ、３２Ｃ、３２Ｒの停止時における停止相を示すデータ（０、１、２、３がそれぞれφ１、φ２、φ３、φ４を示す）がＲＡＭ４１ｃに割り当てられた停止相ワークに設定されることで、ロータ３２ａの正確な停止位置を特定可能とする。そして起動時において設定キースイッチ３７のみがＯＮの状態であり、設定変更モードへ移行する場合においては、ＲＡＭ４１ｃが初期化されるが、停止相ワークは初期化されないようになっており、設定変更後の遊技状態においても停止相ワークに格納されたリールモータ３２Ｌ、３２Ｃ、３２Ｒの停止相を示すデータが維持されるようになっている。このため、設定変更後、最初にリールモータ３２Ｌ、３２Ｃ、３２Ｒを回転させる場合にも、これらのロータ３２ａの正確な停止位置を特定することが可能となり、このような状況であってもリールを滑らかに回転開始させることが可能となる。
【０３１９】
また、起動時において設定キースイッチ３７、リセット／設定スイッチ３８の双方がＯＮの状態であり、設定変更モードへ移行する場合においては、停止相ワークも含めてＲＡＭ４１ｃを初期化することが可能となるため、起動時において設定変更モードへ移行させる際の操作方法によって、停止相ワークを初期化させるか否かを選択できるようになっている。
【０３２０】
次に、ＣＰＵ４１ａが演出制御基板９０に対して送信するコマンドについて説明する。
【０３２１】
本実施例では、メイン制御部４１のＣＰＵ４１ａが演出制御基板９０に対して、ＢＥＴコマンド、内部当選コマンド、リール回転開始コマンド、リール停止コマンド、入賞判定コマンド、払出開始コマンド、払出終了コマンド、遊技状態コマンド、待機コマンド、打止コマンド、エラーコマンド、初期化コマンド、設定終了コマンド、電源投入コマンド、操作検出コマンド、ドアコマンドを含む複数種類のコマンドを送信する。
【０３２２】
ＢＥＴコマンドは、メダルの投入枚数、すなわち賭数の設定に使用されたメダル枚数を特定可能なコマンドであり、メダル投入時、１枚ＢＥＴスイッチ５またはＭＡＸＢＥＴスイッチ６が操作されて賭数が設定されたときに送信される。
【０３２３】
内部当選コマンドは、内部当選フラグの当選状況、並びに成立した内部当選フラグの種類を特定可能なコマンドであり、スタートスイッチ７が操作されてゲームが開始したときに送信される。
【０３２４】
リール回転開始コマンドは、リールの回転の開始を通知するコマンドであり、リール２Ｌ、２Ｃ、２Ｒの回転が開始されたときに送信される。
【０３２５】
リール停止コマンドは、停止するリールが左リール、中リール、右リールのいずれかであるか、該当するリールの停止操作位置の領域番号、該当するリールの停止位置の領域番号、を特定可能なコマンドであり、各リールの停止制御が行われる毎に送信される。
【０３２６】
入賞判定コマンドは、入賞の有無、並びに入賞の種類、入賞時のメダルの払出枚数を特定可能なコマンドであり、全リールが停止して入賞判定が行われた後に送信される。
【０３２７】
払出開始コマンドは、メダルの払出開始を通知するコマンドであり、入賞やクレジット（賭数の設定に用いられたメダルを含む）の精算によるメダルの払出が開始されたときに送信される。また、払出終了コマンドは、メダルの払出終了を通知するコマンドであり、入賞及びクレジットの精算によるメダルの払出が終了したときに送信される。
【０３２８】
遊技状態コマンドは、次ゲームの遊技状態（通常遊技状態であるか、ＲＴ（１）中であるか、ＲＴ（２）中であるか、ＲＴ（３）中であるか、ＲＴ（４）中であるか、ビッグボーナス中であるか、レギュラーボーナス中であるか、等）及びＲＴ（１）〜（３）の残りゲーム数を特定可能なコマンドであり、ゲームの終了時に送信される。
【０３２９】
待機コマンドは、待機状態へ移行する旨を示すコマンドであり、１ゲーム終了後、賭数が設定されずに一定時間経過して待機状態に移行するとき、クレジット（賭数の設定に用いられたメダルを含む）の精算によるメダルの払出が終了し、払出終了コマンドが送信された後に送信される。
【０３３０】
打止コマンドは、打止状態の発生または解除を示すコマンドであり、ＢＢ終了後、エンディング演出待ち時間が経過した時点で打止状態の発生を示す打止コマンドが送信され、リセット操作がなされて打止状態が解除された時点で、打止状態の解除を示す打止コマンドが送信される。
【０３３１】
エラーコマンドは、エラー状態の発生または解除を示すコマンドであり、エラーが判定され、エラー状態に制御された時点でエラー状態の発生を示すエラーコマンドが送信され、リセット操作がなされてエラー状態が解除された時点で、エラー状態の解除を示すエラーコマンドが送信される。
【０３３２】
初期化コマンドは、遊技状態が初期化された旨及び設定変更モードの開始を示すコマンドであり、ＲＡＭ４１ｃが初期化され、設定変更モードに移行した時点で送信される。
【０３３３】
設定終了コマンドは、設定変更モードの終了を示すコマンドであり、設定終了時、すなわち設定変更モードの終了時に送信される。
【０３３４】
電源投入コマンドは、電源投入時にいずれかの特別役に当選しているか否かを示すコマンドであり、起動時に電断前の状態に復帰することが可能な場合に、電断前の状態に復帰するときに送信される。
【０３３５】
操作検出コマンドは、１枚ＢＥＴスイッチ５、ＭＡＸＢＥＴスイッチ６、スタートスイッチ７、ストップスイッチ８Ｌ、８Ｃ、８Ｒ、精算スイッチ１０のいずれかの操作が検出された旨、及び操作されたスイッチの種類を示すコマンドであり、これらいずれかのスイッチが検出された時点で送信される。また、操作検出コマンドは、これらスイッチが遊技の進行上、無効化されている状態（例えば、クレジットが０の場合や規定数の賭数が設定されているため、１枚ＢＥＴスイッチ５やＭＡＸＢＥＴスイッチ６の操作が無効化されている状態、賭数が規定数に満たないためにスタートスイッチ７が無効化されている状態、リールが変動中ではないためにストップスイッチ８Ｌ、８Ｃ、８Ｒが無効化されている状態、クレジットが０であるために精算スイッチ６が無効化されている状態など）であるか否かに関わらず、これらスイッチの操作が検出されれば送信されるようになっており、これらのスイッチが遊技の進行になんら関連せずに操作された場合であってもスイッチの操作が検出された旨、及び検出されたスイッチの種類を示す操作検出コマンドが送信されることとなる。
【０３３６】
ドアコマンドは、ドア開放検出スイッチ２５の検出状態、すなわちＯＮ（開放状態）／ＯＦＦ（閉状態）を示すコマンドであり、電源投入時、１ゲーム終了時（ゲーム終了後、次のゲームの賭数の設定が開始可能となる前までの時点）、ドア開放検出スイッチ２５の検出状態が変化（ＯＮからＯＦＦ、ＯＦＦからＯＮ）した時に送信される。
【０３３７】
これらコマンドのうちドアコマンドを除くコマンドは、後述する起動処理及びゲーム処理において生成され、ＲＡＭ４１ｃの特別ワークに設けられた通常コマンド用送信バッファに一時格納され、前述したタイマ割込処理（メイン）において送信される。
【０３３８】
通常コマンド送信用バッファには、最大で１６個のコマンドを格納可能な領域が設けられており、複数のコマンドを蓄積できるようになっている。また、各コマンドを格納する領域には、各格納領域毎にアドレス（０〜１５）が割り当てられている。更に、通常コマンド送信用バッファには、次に送信すべきコマンドが格納されている領域のアドレスを示す送信ポインタと次にコマンドを格納すべき領域のアドレスを示す格納ポインタが設定されている。送信ポインタは、通常コマンド送信用バッファに格納された未送信のコマンドが送信される毎に１加算され、格納ポインタは、コマンドを格納する際に１加算されるようになっており、未送信のコマンドが全て送信されたとき及び未送信のコマンドで通常コマンド送信用バッファの全ての領域が満タンとなったときに送信ポインタが示すアドレスと格納ポインタのアドレスとが同一の番号となる。尚、未送信のコマンドが格納されている場合には、未送信フラグがセットされるため、送信ポインタが示すアドレスと格納ポインタのアドレスとが同一の番号の場合に、未送信フラグがセットされていれば、通常コマンド送信用バッファが未送信のコマンドで満タンである旨が示され、未送信フラグがセットされていなければ未送信のコマンドが空である旨が示されるようになっている。
【０３３９】
ドアコマンドは、前述したタイマ割込処理（メイン）中のドア監視処理においてＲＡＭ４１ｃの特別ワークに設けられたドアコマンド送信用バッファに格納され、前述したタイマ割込処理（メイン）において送信される。
【０３４０】
ドアコマンド送信用バッファは、通常コマンド送信用バッファとは別個に設けられており、ドアコマンドを１個のみ格納可能な領域が割り当てられている。ドアコマンド送信用バッファには、電源投入時または１ゲーム終了時にその時点のドア開放検出スイッチ２５の検出状態を示すドアコマンドが格納され、ドア開放検出スイッチ２５の検出状態が変化した時にその変化後の検出状態を示すドアコマンドが格納される。また、ドアコマンド送信用バッファに格納されたドアコマンドは、当該ドアコマンドが送信された後もクリアされることがなく、その後、新たに格納されるドアコマンドによって上書きされるようになっている。尚、電源投入時または１ゲーム終了時には、ドアコマンド送信用バッファに格納されているドアコマンドの送信を要求するドアコマンド送信要求１が設定され、ドアコマンド送信要求１が設定されているか、ドア開放検出スイッチ２５の検出状態が変化したときに、ドアコマンド送信要求２が設定されるようになっており、このドアコマンド送信要求２が設定されることによりドアコマンド送信用バッファに格納されているドアコマンドの送信が命令されるようになっている。
【０３４１】
本実施例においてＣＰＵ４１ａは、０．５６ｍｓの間隔で割込３を発生させるとともに、割込３の発生によりタイマ割込処理を実行するので、タイマ割込処理は０．５６ｍｓ毎に実行されることとなる。また、タイマ割込処理では、タイマ割込１〜４が繰り返し行われるようになっており、これらタイマ割込１〜４に固有な処理が２．２４ｍｓの間隔で行われることとなる。そして、通常コマンド送信用バッファに格納されたコマンド及びドアコマンド送信用バッファに格納されたドアコマンドの送信を行うコマンド送信処理は、タイマ割込２で実行されるので、コマンド送信処理も２．２４ｍｓの間隔で実行されることとなる。
【０３４２】
一方、サブ制御部９１のＣＰＵ９１ａでは、後述する受信用バッファにバッファしたコマンドを１．１２ｍｓの間隔で実行するタイマ割込処理（サブ）において取得する。このため、ＣＰＵ４１ａがタイマ割込処理を実行する毎、すなわち０．５６ｍｓの間隔でコマンドの送信処理を行った場合には、サブ制御部９１側でコマンドを正常に受信できない可能性がある。
【０３４３】
しかしながら、本実施例では、前述のようにＣＰＵ４１ａがタイマ割込処理４回につき１回の割合、すなわち２．２４ｍｓの間隔でコマンド送信処理を実行するとともに１回のコマンド送信処理では、通常コマンド送信用バッファに格納されたコマンド及びドアコマンド送信用バッファに格納されたドアコマンドのうちの１つのみ送信することで、複数のコマンドが連続して送信される場合でも、最低２．２４ｍｓの間隔をあけて送信されることとなり、サブ制御部９１側でこれら連続して送信されるコマンドを確実に取得することができる。
【０３４４】
本実施例では、起動処理またはゲーム処理においてゲームの進行に応じてドアコマンド以外のコマンドが生成され、通常コマンド送信用バッファに格納される。一方ドアコマンドは、起動処理またはゲーム処理においてドアコマンド送信用バッファに格納されているドアコマンドの送信を要求するドアコマンド送信要求１が設定された場合、またはドア開放検出スイッチ２５の検出状態が変化した場合に、ドアコマンド送信用バッファに格納される。
【０３４５】
タイマ割込２内のコマンド送信処理において通常コマンド送信用バッファに格納された未送信のコマンドまたはドアコマンド送信用バッファに格納された未送信のドアコマンドが検知されると、遅延時間が設定され、設定した遅延時間が経過した時点で、通常コマンド送信用バッファに格納された未送信のコマンドまたはドアコマンド送信用バッファに格納された未送信のドアコマンドが送信される。
【０３４６】
具体的には、コマンド送信処理において通常コマンド送信用バッファに格納された未送信のコマンドまたはドアコマンド送信用バッファに格納された未送信のドアコマンドを検知すると、０〜１７の範囲に設定された遅延用乱数値を取得し、ＲＡＭ４１ｃの特別ワークに設けられた遅延カウンタに設定する。
【０３４７】
この際、当該遅延カウンタ値を設定したコマンド送信処理及びその後のタイマ割込２内において実行するコマンド送信処理において遅延カウンタ値を１ずつ減算していき、遅延カウンタ値が０となった時点で、通常コマンド送信用バッファに格納された未送信のコマンドまたはドアコマンド送信用バッファに格納された未送信のドアコマンドを送信する。
【０３４８】
すなわち、コマンド送信処理において検知されたコマンドは、コマンド送信処理の実行間隔（２．２４ｍｓ）の倍数に相当する時間、詳しくはその際取得した遅延カウンタの値から１を減算した値にコマンド送信処理の実行間隔（２．２４ｍｓ）を乗じた時間｛遅延カウンタの値は０〜１７の値なので０〜３５．８４ｍｓ｝が経過した後、送信されることとなる。
【０３４９】
また、本実施例では、通常コマンド送信用バッファに複数のコマンドを格納可能な領域が設けられており、通常コマンド送信用バッファに格納されたコマンドまたはドアコマンド送信用バッファに格納されたドアコマンドの送信を待たずに、新たに生成したコマンドを通常コマンド送信用バッファの空き領域に格納することが可能とされている。すなわち通常コマンド送信用バッファには複数のコマンドを蓄積できるようになっている。このため、コマンドの送信が遅延されることに伴ってゲームの進行が停止してしまうことを回避できる。尚、通常コマンド送信用バッファが未送信のコマンドで満タンの場合はこの限りでない。
【０３５０】
また、コマンド格納処理では、通常コマンド送信用バッファに複数のコマンドを格納する際にこれらコマンドをその生成順に格納するとともに、コマンド送信処理では通常コマンド送信用バッファに格納された順番でコマンドを送信するようになっている。すなわち通常コマンド送信用バッファに格納されたコマンドは、生成された順番で送信されるようになっている。尚、電源投入コマンド及び初期化コマンドについては、最優先で送信されるようになっており、電源投入コマンドまたは初期化コマンドが通常コマンド送信用バッファに格納されるよりも前に他のコマンド（以下、ドアコマンド、電源投入コマンド及び初期化コマンド以外のコマンドを通常コマンドと呼ぶ）が既に格納されている場合（初期化コマンドの場合、その前に通常コマンド送信用バッファ内の格納データもクリアされるため、既に通常コマンドが格納されていることはない）であっても、電源投入コマンドまたは初期化コマンドが優先して送信される。また、通常コマンド送信用バッファに通常コマンドが格納されている状態で、ドアコマンドの送信が要求された場合（ドアコマンド送信要求２が設定されている場合）には、原則として通常コマンド送信用バッファに格納されているコマンドよりもドアコマンド送信用バッファに格納されているドアコマンドを優先して送信するようになっている。尚、通常コマンド送信用バッファに格納されているコマンドが電源投入コマンド、初期化コマンドである場合、または通常コマンド送信用バッファに格納されている通常コマンドの送信待ち（遅延中）の状態でドアコマンドの送信が要求された場合にはこの限りではなく、電源投入コマンド、初期化コマンド、または送信待ちの通常コマンドを優先して送信し、電源投入コマンド、初期化コマンド、または送信待ちの通常コマンドが送信された後、ドアコマンドを送信する。送信待ちの通常コマンドを送信した後、通常コマンド送信用バッファに未送信の通常コマンドが残っている場合には、ドアコマンド送信用バッファに格納されているドアコマンドを優先して送信する。
【０３５１】
本実施例のスロットマシン１では、リール２Ｌ、２Ｃ、２Ｒに配列された図柄数が２１個とされているとともに、回転速度が７５０ｍｓで１回転（１分間で８０回転）するように構成されており、各リール２Ｌ、２Ｃ、２Ｒが１図柄移動するのに要する時間は３５．７ｍｓ（＝７５０／２１ｍｓ）となる。
【０３５２】
また、演出制御基板９０側で目押しの補助となるような演出が行われてしまうことを防止するためには、ＣＰＵ４１ａが演出制御基板９０にコマンドを送信するときに、遅延時間の最大値としてリール２Ｌ、２Ｃ、２Ｒが１図柄移動するのに要する時間以上の時間を設定する必要がある。すなわち本実施例では、遅延時間の最大値として３５．７ｍｓ以上の時間を設定する必要がある。
【０３５３】
一方、演出制御基板９０に搭載されたサブ制御部９１による演出と、メイン制御部４１による制御とのズレが大きくなって違和感が生じるのを防止するためには、コマンド送信処理における遅延時間の最大値をできるだけ短くすることが好ましい。すなわち本実施例の場合には、遅延時間の最大値が３５．７ｍｓ以上の値で、かつ３５．７ｍｓに可能な限り近い値に設定されることが好ましい。また、本実施例では、前述したようにコマンド送信処理における遅延時間がコマンド送信処理の実行間隔（２．２４ｍｓ）の倍数に相当する時間のみ設定可能とされており、これら２．２４ｍｓの倍数で３５．７ｍｓ以上の値のうち最小の値は、２．２４ｍｓ×１６＝３５．８４ｍｓとなることから、本実施例のスロットマシン１において最適な遅延時間の最大値は３５．８４ｍｓとなる。
【０３５４】
このため、遅延カウンタの値の上限値として１７を設定すれば良く、このようにすれば遅延時間の最大値を、本実施例において目押しの補助となるような演出を防止するために最低限必要な遅延時間の最大値以上の値のうち最小の値とすることができる。
【０３５５】
ＣＰＵ４１ａは、約１００ｍｓ毎にドア開放検出スイッチ２５の検出状態を監視する。詳しくは、タイマ割込処理（メイン）のタイマ割込１〜４のいずれでも行う、すなわち０．５６ｍｓ毎に行うポート入力処理においてドア開放検出スイッチ２５からの検出信号を正論理化した入力状態（ドア開放検出スイッチ２５ＯＮ＝１、ドア閉塞状態で０）を取得し、タイマ割込処理（メイン）のタイマ割込２で行う、すなわち２．２４ｍｓ毎に行うドア監視処理において、前述のポート入力処理において取得したドア開放検出スイッチ２５の検出信号の確定状態（２回連続同一となった入力状態）を、約１００ｍｓ（ドア監視処理４５回）論理和し続け、その結果を使用してドア開放検出スイッチ２５の検出状態を判定する。そして、約１００ｍｓが経過した時点で算出結果が１の場合、すなわちその間に１回でもドア開放検出スイッチ２５のＯＮ（開放状態）が検出された場合には、ドア開放検出スイッチ２５のＯＮと判定し、算出結果が０の場合、すなわちその間に１回もドア開放検出スイッチ２５のＯＮ（開放状態）が検出されていない場合には、ドア開放検出スイッチ２５のＯＦＦと判定する。この判定の結果と、ドアコマンド送信用バッファに格納されているドアコマンドが示すドア開放検出スイッチ２５の検出状態と、が一致すればドア開放検出スイッチ２５の検出状態に変化なしと判定し、一致しなければドア開放検出スイッチ２５の検出状態が変化したと判定し、ドアコマンド送信用バッファに格納されているドアコマンドを、変化後の検出状態を示すドアコマンドに更新し、ドアコマンド送信要求２を設定して当該ドアコマンドの送信を命令する。また、ＣＰＵ４１ａは、ドア開放検出スイッチ２５の検出状態が変化したと判定した場合に、ドアコマンドの送信命令に加えて、外部出力基板１０００に対するドア開放信号の出力状態の更新を要求する。
【０３５６】
また、ＣＰＵ４１ａは、電源投入時または１ゲーム終了時に、起動処理またはゲーム処理においてドアコマンド送信要求１を設定し、ドアコマンド送信用バッファに格納されているドアコマンドの送信を要求する。一方ドア監視処理においては、ドアコマンド送信要求１が設定されているか否かを判定し、ドアコマンド送信要求１が設定されている場合には、ドアコマンドの送信要求ありと判定し、ドアコマンド送信要求２を設定してドアコマンド送信用バッファに格納されているドアコマンドの送信を命令する。また、ＣＰＵ４１ａは、ドアコマンド送信要求１が設定されている場合に、ドアコマンドの送信命令に加えて、外部出力基板１０００に対するドア開放信号の出力状態の更新を要求する。
【０３５７】
このようにドアコマンドの送信を命令する場合には、併せて外部出力基板１０００に対するドア開放信号の出力状態の更新も要求されるため、ドア開放信号の出力状態は、ドアコマンドの送信命令にリンクして更新されるようになっている。
【０３５８】
本実施例では、前述のようにドアコマンドを通常コマンドよりも優先して行うとともに、ドアコマンドについても他のコマンドと同様にランダムに決定された遅延時間が経過した後に送信される。一方、コマンドの遅延時間の最大が３５．８４ｍｓであるので、通常コマンド送信用バッファに通常コマンドが格納されている状態でドアコマンドの送信が要求された場合には、ドアコマンドを送信した後、さらに通常コマンド送信用バッファに格納されている通常コマンドを送信するまでに約７２ｍｓ必要とするが、ドア開放検出スイッチ２５の監視間隔がドアコマンドを送信した後、さらに通常コマンド送信用バッファに格納されている通常コマンドを送信するまでに要する約７２ｍｓよりも短いと、ドア開放検出スイッチ２５の検出状態が連続して変化した場合に、その変化し続けている間は、通常コマンド送信用バッファに格納されている通常コマンドが送信されないこととなるため、通常コマンド送信用バッファがオーバーフローしてしまう可能性がある。このため、本実施例では、ドア開放検出スイッチ２５の監視間隔が、ドアコマンドを送信した後、さらに通常コマンド送信用バッファに格納されている通常コマンドを送信するまでに要する約７２ｍｓよりも長い約１００ｍｓに設定されており、これにより、ドア開放検出スイッチ２５の検出状態が連続して変化した場合でも、ドアコマンドが送信された後、次のドアコマンドが送信されるまでの間に、通常コマンド送信用バッファに格納されている通常コマンドを少なくとも１つ以上送信することが可能となり、通常コマンド送信用バッファがオーバーフローしないようになっている。
【０３５９】
次に、ＣＰＵ４１ａが演出制御基板９０に対して送信するコマンドに基づいてサブ制御部９１が実行する演出の制御について説明する。
【０３６０】
サブ制御部９１のＣＰＵ９１ａは、ＣＰＵ４１ａからのコマンドの送信を示すストローブ信号を入力した際に、コマンド受信割込処理を実行する。コマンド受信処理では、ＲＡＭ９１ｃに設けられた受信用バッファに、コマンド伝送ラインから取得したコマンドを格納する。
【０３６１】
受信用バッファには、最大で１２８個のコマンドを格納可能な領域が設けられており、複数のコマンドを蓄積できるようになっている。また、各コマンドを格納する領域には、各格納領域毎にアドレス（０〜１２７）が割り当てられている。更に、受信用バッファには、次に読み出すべきコマンドが格納されている領域のアドレスを示す読み出しポインタと次にコマンドを格納すべき領域のアドレスを示す格納ポインタが設定されている。読み出しポインタは、受信用バッファに格納された未処理のコマンドが読み出される毎に１加算され、格納ポインタは、受信したコマンドを格納する際に１加算されるようになっており、未処理のコマンドが全て読み出されたとき及び未処理のコマンドで受信用バッファの全ての領域が満タンとなったときに読み出しポインタが示すアドレスと格納ポインタのアドレスとが同一の番号となる。尚、未処理のコマンドが格納されている場合には、未処理フラグがセットされるため、読み出しポインタが示すアドレスと格納ポインタのアドレスとが同一の番号の場合に、未処理フラグがセットされていれば、受信用バッファが未処理のコマンドで満タンである旨が示され、未処理フラグがセットされていなければ未処理のコマンドが空である旨が示されるようになっている。
【０３６２】
ＣＰＵ９１ａは、タイマ割込処理（サブ）において、受信用バッファに未処理のコマンドが格納されているか否かを判定し、未処理のコマンドが格納されている場合には、そのうち最も早い段階で受信したコマンドに基づいてＲＯＭ９１ｂに格納された制御パターンテーブルを参照し、制御パターンテーブルに登録された制御内容に基づいて液晶表示器５１、演出効果ＬＥＤ５２、スピーカ５３、５４、リールＬＥＤ５５等の各種演出装置の制御を行う。
【０３６３】
尚、本実施例では、ＣＰＵ９１ａがタイマ割込処理（サブ）を行う時間間隔（１．１２ｍｓ）が、ＣＰＵ４１ａがコマンドを送信する時間間隔（２．２４ｍｓ）よりも短い間隔であるため、通常のゲームに伴う動作が行われていれば、ＣＰＵ４１ａから連続してコマンドが送信される場合であっても受信用バッファに格納された未処理のコマンドは、次のコマンドを受信するまでにタイマ割込処理（サブ）によって読み出されることとなり、受信用バッファに未処理のコマンドが複数蓄積されることはなく、ＣＰＵ４１ａから送信されたコマンドを受信すると、その後最初に行われるタイマ割込処理（サブ）によって受信したコマンドは読み出され、コマンドに対応する処理が行われる。
【０３６４】
制御パターンテーブルには、複数種類の演出パターン毎に、コマンドの種類に対応する液晶表示器５１の表示パターン、演出効果ＬＥＤ５２の点灯態様、スピーカ５３、５４の出力態様、リールＬＥＤの点灯態様等、これら演出装置の制御パターンが登録されており、ＣＰＵ９１ａは、コマンドを受信した際に、制御パターンテーブルの当該ゲームにおいてＲＡＭ９１ｃに設定されている演出パターンに対応して登録された制御パターンのうち、受信したコマンドの種類に対応する制御パターンを参照し、当該制御パターンに基づいて演出装置の制御を行う。これにより演出パターン及び遊技の進行状況に応じた演出が実行されることとなる。
【０３６５】
尚、ＣＰＵ９１ａは、あるコマンドの受信を契機とする演出の実行中に、新たにコマンドを受信した場合には、実行中の制御パターンに基づく演出を中止し、新たに受信したコマンドに対応する制御パターンに基づく演出を実行するようになっている。すなわち演出が最後まで終了していない状態でも、新たにコマンドを受信すると、受信した新たなコマンドが新たな演出の契機となるコマンドではない場合を除いて実行していた演出はキャンセルされて新たなコマンドに基づく演出が実行されることとなる。
【０３６６】
演出パターンは、内部当選コマンドを受信した際に、内部当選コマンドが示す内部抽選の結果に応じた選択率にて選択され、ＲＡＭ９１ｃに設定される。演出パターンの選択率は、ＲＯＭ９１ｂに格納された演出テーブルに登録されており、ＣＰＵ９１ａは、内部当選コマンドを受信した際に、内部当選コマンドが示す内部抽選の結果に応じて演出テーブルに登録されている選択率を参照し、その選択率に応じて複数種類の演出パターンからいずれかの演出パターンを選択し、選択した演出パターンを当該ゲームの演出パターンとしてＲＡＭ９１ｃに設定するようになっている。
【０３６７】
制御パターンテーブルには、特定のコマンド（待機コマンド、打止コマンド、エラーコマンド、初期化コマンド、設定終了コマンド、特別役の当選を示す電源投入コマンド等）を受信した際に参照される特定の制御パターンが格納されており、ＣＰＵ９１ａは、これら特定のコマンドを受信した場合には、当該ゲームにおいて設定されている演出パターンに関わらず、当該コマンドに対応する特定の制御パターンを参照し、当該制御パターンに基づいて演出装置の制御を行う。
【０３６８】
待機コマンドを受信した場合には、デモ演出（デモンストレーション演出）を実行するためのデモパターンが制御パターンとして参照される。尚、後述する連続演出及び追加演出が実行されている場合、これらの演出の結果がボーナスの当選を示す結果であり、次ゲームの賭数の設定操作で後述する確定演出が実行される場合、確定演出が実行されている場合、ビッグボーナスに伴うボーナス中演出が実行されている場合には、デモ演出の実行が禁止されるようになっており、このような状態で待機コマンドを受信してもデモパターンが制御パターンとして参照されることはなく、デモ演出が実行されることもない。
【０３６９】
打止状態の発生を示す打止コマンド受信した場合には、打止状態である旨を報知するための打止報知パターンが制御パターンとして参照される。また、打止状態の解除を示す打止コマンドを受信した場合には、前述したデモパターンが制御パターンとして参照される。すなわち打止状態が解除されるとデモ演出が実行されることとなる。
【０３７０】
エラー状態の発生を示すエラーコマンドを受信した場合には、エラー状態である旨及びその種類を報知するためのエラー報知パターンが制御パターンとして参照される。また、エラー状態の解除を示すエラーコマンドを受信した場合には、エラー発生時に実行していた制御パターンが参照される。すなわちエラー発生時の演出が最初から実行されることとなる。
【０３７１】
初期化コマンドを受信した場合には、設定変更中である旨を報知するための設定中報知パターンが参照される。また、設定終了コマンドを受信した場合には、前述したデモパターンが制御パターンとして参照される。すなわち初期化コマンドを受信すると設定変更中報知が実行され、その後、設定終了コマンドを受信するとデモ演出が実行されることとなる。
【０３７２】
特別役の当選を示す電源投入コマンドを受信した場合には、特別役の当選を報知するための特別役告知パターンが参照される。すなわち、特別役の当選を示す電源投入コマンドを受信すると特別役の当選を報知する告知演出が実行されることとなる。尚、特別役の当選を報知する告知演出は、一度実行されると、当該特別役が入賞した旨を示す入賞判定コマンドを受信するまで継続するようになっている。
【０３７３】
サブ制御部９１のＣＰＵ９１ａは、電断検出回路９８から出力された電圧低下信号を検出したとき、及び表示制御回路９２からのＶブランク割込信号が一定期間入力されなかった場合、表示制御回路９２に対して命令したにも関わらず、命令に対応する完了割込信号が一定期間入力されなかった場合に、電断割込処理（メイン）と同様の電断割込処理（サブ）を実行する。電断割込処理（サブ）では、レジスタを後述するＲＡＭ４１ｃのスタックに退避し、サブ制御部９１のＲＡＭ９１ｃにいずれかのビットが１となる破壊診断用データ（本実施例では、５ＡＨ）、すなわち０以外の特定のデータを格納するとともに、ＲＡＭ９１ｃの全ての領域に格納されたデータに基づくＲＡＭパリティが０となるようにＲＡＭパリティ調整用データを計算し、ＲＡＭ９１ｃに格納する処理を行うようになっている。その後、ＣＰＵ９１ａは何らの処理も行わないループ処理に移行するが、表示制御回路９２からのＶブランク割込信号が一定期間入力されなかった場合や、表示制御回路９２に対して命令したにも関わらず、命令に対応する完了割込信号が一定期間入力されなかった場合に行われた電断割込処理である場合には、駆動電圧が低下しているわけではないので、その後、リセット回路９５からリセット信号が出力されることでＣＰＵ９１ａが再起動するようになっている。
【０３７４】
そして、ＣＰＵ９１ａは、起動時（再起動時）においてＲＡＭ９１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ９１ｃに記憶されているデータに基づいて電断前の演出状態（詳しくは電断前に最後にコマンドを受信した時点の状態）に復帰させるようになっている。具体的には、最後に実行していた制御パターンを参照し、当該制御パターンに基づく制御を実行する。これにより電断前に実行していた制御パターンに基づく演出が最初から実行されることとなる。また、起動時においてＲＡＭ９１ｃの全ての領域に格納されたデータに基づいて計算したＲＡＭパリティが０でない場合（１の場合）や破壊診断用データの値が正しくない場合には、ＲＡＭ異常と判定し、ＲＡＭ９１ｃの全ての領域を初期化するようになっている。
【０３７５】
このように本実施例では、ＣＰＵ９１ａが電圧低下信号を検出したときのみならず、後述する表示制御回路９２からのＶブランク割込信号が一定期間入力されなかった場合、表示制御回路９２に対して命令したにも関わらず、命令に対応する完了割込信号が一定期間入力されなかった場合、すなわち何らかの原因で表示制御回路９２がハングアップした場合にも、電断割込処理（サブ）が実行され、その後ＣＰＵ９１ａの再起動が行われるようになっている。そして、ＣＰＵ９１ａの再起動に伴って、表示制御回路９２を初期化することにより表示制御回路９２がハングアップする前の状態からＣＰＵ９１ａの制御が再開されるようになっている。
【０３７６】
また、ＣＰＵ９１ａは、起動時にＲＡＭ９１ｃに記憶されているデータに基づいて電断前の演出状態に復帰可能な否かに関わらず、実際に演出を開始する前に、初期化コマンドまたは電源投入コマンドのいずれかを受信するまで待機する。そしてこの状態で初期化コマンドを受信した場合には、ＲＡＭ９１ｃのデータをクリアする。また、この状態で特別役の当選を示す電源投入コマンドを受信した場合には、特別役の当選を示す告知演出を実行し、特別役の非当選を示す電源投入コマンドを受信した場合には、電断前の演出状態に復帰可能であれば復帰し、復帰不能であればデモ演出を実行する。また、初期化コマンドまたは電源投入コマンドの受信待ちの状態では、コマンドの受信に基づき演出を実行するタイマ割込処理の実行は許可されないようになっており、他のコマンドを受信した場合でも、受信したコマンドに基づく演出が行われることはなく、起動後、初期化コマンドまたは電源投入コマンドを受信して、タイマ割込処理の実行が許可されるまでは、何らの演出も行われることはない。
【０３７７】
一方、ＣＰＵ９１ａは、後述する表示制御回路９２からのＶブランク割込信号が一定期間入力されなかった場合、表示制御回路９２に対して命令したにも関わらず、命令に対応する完了割込信号が一定期間入力されなかった場合、すなわち何らかの原因で表示制御回路９２がハングアップした場合において、電断割込処理（サブ）を実行する前にＲＡＭ９１ｃに再起動フラグを設定し、その後起動したＣＰＵ９１ａが、再起動フラグの有無を判定することにより、電源投入による起動であるか、表示制御回路９２のハングアップによる再起動であるか、を区別できるようになっている。
【０３７８】
そして、ＣＰＵ９１ａは、表示制御回路９２のハングアップによる再起動であると判定した場合において、再起動前の演出状態に復帰可能であれば、初期化コマンドまたは電源投入コマンドの受信を待たず、再起動前の演出状態に復帰させるようになっている。このため、ＣＰＵ９１ａが、電源投入による起動ではなく、表示制御回路９２のハングアップによって再起動する場合であるにも関わらず、初期化コマンドも電源投入コマンドも受信できずに、演出が行われなくなってしまうことを防止できる。
【０３７９】
ＣＰＵ９１ａは、ドアコマンドの受信に基づき、前面扉２ｂが開放されている旨を示すドア開放報知を行う。詳しくは、ＣＰＵ９１ａがドアコマンドを受信したときに、その後、１００ｍｓ経過しても新たにドアコマンドを受信しなかった場合に、受信したドアコマンドが示すドア開放検出スイッチ２５の検出状態を確定検出状態とし、確定検出状態がＯＮ（ドア開放）であれば、ドア開放報知を行う。ドア開放報知では、演出効果ＬＥＤ５２を点滅させ、液晶表示器５１にドア開放報知画面を表示させるとともに、エラー警告音を出力する。そして、その後ドアコマンドを受信し、１００ｍｓ経過しても新たにドアコマンドを受信せずにドアコマンドが示す検出状態が確定検出状態となり、確定検出状態がＯＦＦ（ドア閉塞）であれば、ドア開放報知を停止し、もとの演出に復帰する。
【０３８０】
また、最後にドアコマンドを受信してから、１００ｍｓ経過しないうちに新たにドアコマンドを受信したときは、その前に受信したコマンドが示すドア開放検出スイッチ２５の検出状態を確定検出状態とせず、新たなドアコマンドの受信後、１００ｍｓ経過してもさらにドアコマンドを受信しなかった場合に、最後に受信したドアコマンドが示すドア開放検出スイッチ２５の検出状態と確定検出状態とし、確定検出状態がＯＮ（ドア開放）であれば、ドア開放報知を行い、確定検出状態がＯＦＦ（ドア閉塞）であれば、ドア開放報知を停止する。
【０３８１】
このため、ドア開放報知を行っていない状態で、ドア開放検出スイッチ２５のＯＮ（ドア開放）を示すドアコマンドを受信しても、その後１００ｍｓ以内にドア開放検出スイッチ２５のＯＦＦ（ドア閉塞）を示すドアコマンドを受信した場合には、ドア開放報知は行われず、ドア開放報知を行っている状態で、ドア開放検出スイッチ２５のＯＦＦ（ドア閉塞）を示すドアコマンドを受信しても、その後１００ｍｓ以内にドア開放検出スイッチ２５のＯＮ（ドア開放）を示すドアコマンドを受信した場合には、ドア開放報知を停止しない。
【０３８２】
また、ドアコマンドを受信した後、１００ｍｓ以内に新たにドアコマンドを受信し、さらにその後１００ｍｓ以内に新たにドアコマンドを受信した場合など、１００ｍｓ以内の間隔で連続してドアコマンドを受信した場合には、その間、ドア開放報知の状態は維持し（ドア開放報知を行っていない状態であれば、ドア開放報知を開始することがなく、ドア開放報知を行っている状態であれば継続する）、最後に受信したドアコマンドの後、１００ｍｓ経過した時点で確定した検出状態に基づきドア開放報知の状態を決定し、それまでドア開放報知が行われており、かつ確定した検出状態がＯＮ（ドア開放）であれば、ドア開放報知を継続し、確定した検出状態がＯＦＦ（ドア閉塞）であれば、ドア開放報知を停止する一方、それまでドア開放報知が行われておらず、かつ確定した検出状態がＯＦＦ（ドア閉塞）であれば、ドア開放報知は行わず、確定した検出状態がＯＮ（ドア開放）であれば、ドア開放報知を開始する。
【０３８３】
このように本実施例では、メイン制御部４１のＣＰＵ４１ａは、ドア開放検出スイッチ２５の検出状態を示すドアコマンドを送信するのみで、ドア開放検出スイッチ２５の検出状態から前面扉２ｂが開放されているか否かの判定は行わず、サブ制御部９１のＣＰＵ９１ａが、ＣＰＵ４１ａから受信したドアコマンドが示すドア開放検出スイッチ２５の検出状態に基づいて前面扉２ｂが開放されているか否かの判定を行い、その判定結果に基づいてドア開放報知を行うようになっている。
【０３８４】
ＣＰＵ９１ａは、メイン制御部４１からエラーの発生を示すエラーコマンドを受信したとき、すなわちメイン制御部４１側で何らかのエラーが発生したときに、液晶表示器５１にエラーの発生を示すエラー報知画面を表示するとともに、エラー警告音を出力して外部にエラーの発生を報知するようになっている。エラー報知は、メイン制御部４１からエラーの解消を示すエラーコマンドを受信するまで継続して実行され、エラーの解消を示すエラーコマンドを受信することでエラー報知を終了し、エラー発生時に実行していた演出状態に復帰するようになっている。
【０３８５】
ＣＰＵ９１ａは、メイン制御部４１から初期化コマンドを受信したとき、すなわちメイン制御部４１側で設定変更モードに移行したときに、液晶表示器５１に設定変更中を示す設定中報知画面を表示するとともに、エラー警告音を出力して外部に設定変更中である旨を報知するようになっている。設定変更中報知は、メイン制御部４１から設定終了コマンドを受信するまで継続して実行され、設定終了コマンドを受信することで設定変更中報知を終了し、デモ演出に移行するようになっている。
【０３８６】
ＣＰＵ９１ａとタッチパネルコントローラ９９とは、シリアル通信にてデータの送受が可能に接続されている。
【０３８７】
ＣＰＵ９１ａは、起動時にタッチパネルコントローラ９９に対してハードウェアリセットを命令して、タッチパネルコントローラ９９を初期化させるとともに、初期化の終了に伴いタッチパネルコントローラ９９から送信されたステータスレポートを解析し、異常がなければシステムオンコマンドを送信し、タッチパネルコントローラ９９のシステムを起動させる。これに伴い、タッチパネルコントローラ９９は、タッチ操作を検出可能な状態に移行する。
【０３８８】
また、ＣＰＵ９１ａは、起動時以外でも、タッチパネルコントローラ９９に対して送信したコマンドに対する応答が一定時間経過しても返信されない場合に、起動時と同様にハードウェアリセットを命令してタッチパネルコントローラ９９のシステムを再起動させるようになっている。
【０３８９】
タッチパネルコントローラ９９は、受光装置５７ａ、５７ｂからの信号に基づき、６０秒間連続して発光装置５６ａ、５６ｂからのいずれかのビームが遮蔽されたときに、該当するビーム座標を不良ビームと判定し、それ以後、不良ビームとして判定したビーム座標でのタッチ操作の検出を無効化し、有効化されているビームのみでタッチ操作の検出を行うようになっている。その後、発光装置５６ａ、５６ｂからの遮蔽状態が解除された場合には、無効化されたビーム座標でのタッチ操作の検出を再び有効化するようになっている。
【０３９０】
このようにタッチパネルコントローラ９９では、６０秒間連続して発光装置５７ａ、５７ｂからのいずれかのビームが遮蔽された場合に不良ビームと判定し、該当するビーム座標を無効化するようになっており、受光装置５７ａ、５７ｂや発光装置５６ａ、５６ｂが破損している場合、固形物が付着している場合、物が置かれている場合などによって不良ビームが生じても、不良ビームのみ無効化され、有効なビームによってタッチ操作を検出できるため、不良ビームが生じてもタッチパネルを正常に機能させることができるようになっている。
【０３９１】
尚、本実施例では、不良ビームと判定され、無効化されたビーム座標は、発光装置５６ａ、５６ｂからの遮蔽状態が解除された場合に有効化され、自動的に復旧するようになっているが、例えば、タッチパネルコントローラ９９のハードウェアリセットなどを契機に復旧させるようにしても良い。
【０３９２】
また、ＣＰＵ９１ａは、１秒毎に不良ビーム解析要求コマンドを送信する。タッチパネルコントローラ９９は、不良ビーム解析要求コマンドを受信すると、発光装置５６ａ、５６ｂからのビームのうち遮蔽されているビーム及びその遮蔽時間を示すレポートを返信する。そして、ＣＰＵ９１ａは、タッチパネルコントローラ９９から返信されたレポートが、１０秒以上遮蔽されている連続する２本以上のビームが存在する旨を示す場合に、液晶表示器５１に、「ものをどけてください」と表示し、タッチパネル上の物の除去を促す報知を行う。
【０３９３】
このように発光装置５６ａ、５６ｂからのビームのうち一定時間以上遮蔽されている連続する２本以上のビームが存在する場合、すなわち何らかの物体がタッチパネル上に位置する可能性がある場合に、物の除去を促す報知が行われるため、これら物が置かれていることなどによる不良ビームを早期に発見し解消することができる。
【０３９４】
また、不良ビームに伴うビーム座標が無効化されるまでの時間よりも早い段階で物の除去を促す報知が行われるので、ビーム座標が無効化される前に、不良ビームの原因を取り除くことが可能となる。
【０３９５】
尚、ＣＰＵ９１ａは、物の除去を促す報知を行った後、１０秒以上遮蔽されている連続する２本以上のビームが存在しない旨を示すレポートをタッチパネルコントローラ９９から返信されたとき、すなわち物が除去されて不良ビームが解消された場合、または一定時間（３０秒）経過したとき、すなわち物が置かれっぱなしの場合や受光装置５７ａ、５７ｂや発光装置５６ａ、５６ｂが破損している場合には、報知を停止する。
【０３９６】
ＣＰＵ９１ａは、ＲＡＭ９１ｃに設定された音量レベルに基づく音量にてスピーカ５３、５４から音声を出力させる制御を行う。
【０３９７】
また、ＣＰＵ９１ａは、タッチパネルによって所定の音量設定操作がなされることにより、音量調整画面を表示させるとともに、音量調整画面が表示されている状態でタッチパネルによってスピーカ５３、５４から出力される音声の出力音量レベルを指定するための音量指定操作がなされることにより、ＲＡＭ９１ｃに設定されている音量レベルを当該操作によって指定された音量レベルに変更するようになっており、店員または遊技者の操作によってスピーカ５３、５４から出力される音声の出力音量レベルを任意に変更できるようになっている。
【０３９８】
尚、ＣＰＵ９１ａは、ドア開放報知、設定変更中報知、エラー報知に伴ってエラー警告音を出力する場合には、ＲＡＭ９１ｃに設定されている音量レベルに関わらず、常に最大音量レベルの音量にてスピーカ５３、５４から報知音を出力させる制御を行う。
【０３９９】
ＣＰＵ９１ａは、内部当選コマンドを受信したときに、内部当選コマンドから特定される内部当選フラグの当選状況、並びに成立した内部当選フラグの種類をＲＡＭ９１ｃに保存し、次に内部当選コマンドを受信して更新されるまで保持する。リール停止コマンドを受信したときには、リール停止コマンドから特定される停止リール、該当するリールの停止操作位置の領域番号、該当するリールの停止位置の領域番号をＲＡＭ９１ｃに保存し、次にリール回転開始コマンドを受信したとき、すなわち次のゲームにおけるリールの回転開始まで保持し、回転開始に伴い消去する。入賞判定コマンドを受信したときには、入賞判定コマンドから特定される入賞の有無、並びに入賞の種類、入賞時のメダルの払出枚数をＲＡＭ９１ｃに保存し、次に入賞判定コマンドを受信して更新されるまで保持する。遊技状態コマンドを受信したときには、遊技状態コマンドから特定される次ゲームの遊技状態（通常遊技状態であるか、ＲＴ（１）中であるか、ＲＴ（２）中であるか、ＲＴ（３）中であるか、ＲＴ（４）中であるか、ビッグボーナス中であるか、レギュラーボーナス中であるか、等）及びＲＴ（１）〜（３）の残りゲーム数をＲＡＭ９１ｃに保存し、次に遊技状態コマンドを受信して更新されるまで保持する。
【０４００】
ＣＰＵ９１ａは、メイン制御部４１から待機コマンドを受信したとき、すなわち１ゲームの終了後、一定時間以上に亘って継続して遊技の進行のための操作が行われていないとき、及びクレジットまたは賭数の精算操作がなされたときに、液晶表示器５１に所定のデモンストレーション画像を表示して前述したデモ演出を行うようになっている。尚、後述する連続演出または追加演出等が実行されている場合、賭数の設定により確定演出が実行される場合、既に確定演出が実行されている場合、ビッグボーナス演出が実行されている場合には、一定時間以上に亘って継続して遊技の進行のための操作が行われずメイン制御部４１から待機コマンドを受信した場合やクレジットまたは賭数の精算操作がなされてメイン制御部４１から待機コマンドを受信した場合でもデモ演出を行わないようになっている。尚、後述する連続演出または追加演出、ビッグボーナス演出が行われている状態では、演出が継続している間は、ゲーム終了後も遊技効果音（ＢＧＭ）が出力されるようになっており、このような状態で待機コマンドを受信した場合には、デモ演出は行わないが、ＲＡＭ９１ｃに設定されている音量レベルにて出力されている遊技効果音の音量レベルをＲＡＭ９１ｃに設定されている音量レベルに関わらず最小の音量レベル（消音）とする制御を行い、その後、ゲームの進行に伴って賭数の設定操作がなされ、ＢＥＴコマンドを受信すると消音中の音量を元のレベル（ＲＡＭ９１ｃに設定されている音量レベル）まで戻すようになっている。
【０４０１】
ＣＰＵ９１ａは、リールの回転が開始した後、所定時間（本実施例では６０秒）が経過したとき、つまりリール回転開始コマンドを取得した後、全てのリールについてリール停止コマンドを取得しないまま所定時間（本実施例では６０秒）が経過したときに、リールの停止操作を促す促進報知を行うようになっている。また、特に連続演出または追加演出、ビッグボーナス演出が行われている状態においては、リールの回転が開始した後、所定時間（本実施例では６０秒）が経過したときに促進報知に加えて、ＲＡＭ９１ｃに設定されている音量レベルにて出力されている遊技効果音の音量レベルをＲＡＭ９１ｃに設定されている音量レベルに関わらず最小の音量レベル（消音）とする制御を行い、その後、全てのリールについてのリール停止コマンドを受信すると消音中の音量を元のレベル（ＲＡＭ９１ｃに設定されている音量レベル）まで戻すようになっている。
【０４０２】
ＣＰＵ９１ａは、いずれかの入賞ラインに役（ビッグボーナス（４）、ビッグボーナス（５）を除く）が揃って入賞が発生したときに、役が揃った入賞ラインに停止した図柄に対応するリールＬＥＤ５５を点滅させることによって入賞が発生した旨を示す入賞報知演出を行う。
【０４０３】
尚、入賞報知演出は、役が揃った入賞ラインに停止した図柄を装飾することで入賞が発生した旨を示す演出であれば良く、例えば、液晶表示器５１において役が揃った入賞ラインに停止した図柄の前面領域に画像を表示させることで当該図柄を装飾し、入賞が発生した旨を報知するものでも良い。
【０４０４】
ＣＰＵ９１ａは、いずれかの入賞が発生したゲームでは、そのゲームの終了を判定した時点から入賞報知演出を開始し、入賞した役が再遊技役以外であれば次ゲームの賭数の設定操作（メダルの投入、１枚ＢＥＴスイッチ５、ＭＡＸＢＥＴスイッチ６の操作）がなされる（ＢＥＴコマンドを受信する）か、クレジットの精算操作（精算スイッチ１０の操作）がなされる（待機コマンドを受信する）か、いずれの操作もなされずに一定時間が経過する（待機コマンドを受信する）か、のいずれかの条件が成立したときに実行中の入賞報知演出を終了する。一方、入賞した役が再遊技役であれば、ゲームの開始操作（スタートスイッチ７の操作）がなされたときに実行中の入賞報知演出を終了する。
【０４０５】
ＣＰＵ９１ａは、メダルの払出を伴わない役が入賞した場合（メダルの払出を伴わない役が入賞した旨を示す入賞判定コマンドを受信した場合）には、図２５に示すように、全てのリールが停止した時点（遊技状態コマンドを受信した時点）でゲームの終了と判定し、メダルの払出を伴う役が入賞した場合（メダルの払出を伴う役が入賞した旨を示す入賞判定コマンドを受信した場合）には、図２６に示すように、全てのリールが停止した後、メダルの払出（クレジットへの加算を含む）が終了した時点（遊技状態コマンドを受信した時点）でゲームの終了と判定する。
【０４０６】
一方、ＣＰＵ４１ａは、図２５、図２６に示すように、ゲームの開始と同時に賭数の設定操作及びクレジットの精算操作を禁止するとともに、いずれの入賞も発生しなかった場合、またはメダルの払出を伴わない役（再遊技役を除く）が入賞した場合には、図２５に示すように、全てのリールが停止した時点で賭数の設定操作及びクレジットの精算操作を許可し、メダルの払出を伴う役が入賞した場合には、図２６に示すように、いずれかのチェリーが入賞した場合を除き、全てのリールが停止した後、メダルの払出（クレジットへの加算を含む）が終了した時点で賭数の設定操作及びクレジットの精算操作を許可する。
【０４０７】
このため、メダルの払出を伴わない役（再遊技役を除く）が入賞した場合には、図２５に示すように、全てのリールが停止し、次ゲームの賭数の設定操作及びクレジットの精算操作が許可された時点から入賞報知演出を開始し、次のゲームの賭数の設定操作がなされた時点、クレジットの精算操作がなされた時点またはこれらの操作がなされずに一定時間が経過した時点で入賞報知演出を終了する。また、再遊技役が入賞した場合には、賭数の設定操作及びクレジットの精算操作は許可されないので、この場合には、全てのリールが停止した時点から入賞報知演出を開始し、次のゲームの開始操作がなされた時点で入賞報知演出を終了することとなる。
【０４０８】
また、メダルの払出を伴う役が入賞した場合には、図２６に示すように、全てのリールが停止した後、メダルの払出（クレジットのへの加算を含む）が終了し、次のゲームの賭数の設定操作及びクレジットの精算操作が許可された時点から入賞報知演出を開始し、次のゲームの賭数の設定操作がなされた時点、クレジットの精算操作がなされた時点またはこれらの操作がなされずに一定時間が経過した時点で入賞報知演出を終了することとなる。
【０４０９】
また、ＣＰＵ４１ａは、図２７に示すように、通常遊技状態においていずれかのチェリーが入賞した場合には、チェリーの入賞に伴うメダルの払出の終了後、後述する連続演出に関連する導入演出の実行時間と等しい演出待ち時間が経過するまで賭数の設定操作及びクレジットの精算操作を禁止し、演出待ち時間が経過した時点で賭数の設定操作及びクレジットの精算操作を許可するようになっている。この場合でもＣＰＵ９１ａは、メダルの払出（クレジットへの加算を含む）が終了した時点（いずれかのチェリーが入賞した旨を示す入賞判定コマンドを受信した後、払出終了コマンドを受信した時点）でゲームの終了と判定するため、いずれかのチェリーが入賞した場合には、図２７に示すように、全てのリールが停止した後、賭数の設定操作及びクレジットの精算操作が禁止されている状態であっても、メダルの払出（クレジットへの加算を含む）が終了した時点から入賞報知演出を開始し、その後演出待ち時間が経過して賭数の設定操作及びクレジットの精算操作が許可された後、次のゲームの賭数の設定操作がなされた時点、クレジットの精算操作がなされた時点またはこれらの操作がなされずに一定時間が経過した時点で入賞報知演出を終了することとなる。
【０４１０】
ＣＰＵ９１ａは、３つのリールのうち２つのリールが停止した時点で、入賞ラインＬ１〜Ｌ４のいずれかにビッグボーナス（１）〜（３）のいずれかの組み合わせが表示上揃いうる場合、すなわちビッグボーナス（１）〜（３）のいずれかが当選しているか否かに関わらず、停止済みリールにおいて入賞ラインＬ１〜Ｌ４のいずれかにビッグボーナス（１）〜（３）のいずれかの構成図柄が聴牌している場合（最終的に図柄の組み合わせを揃えることが可能に制御されているか否かに関わらず、いずれか２つのリールを停止した時点で、構成図柄が入賞ラインＬ１〜Ｌ４に停止している状態、すなわち最終停止リールにおいて構成図柄が入賞ラインＬ１〜Ｌ４に停止することで図柄の組み合わせが入賞ラインＬ１〜Ｌ４に揃い得る状態）に、聴牌音を出力することでビッグボーナス（１）〜（３）のいずれかの役が聴牌している旨を報知する聴牌報知を行う。尚、入賞ラインＬ５、Ｌ６にビッグボーナス（１）〜（３）のいずれかの役が聴牌しても聴牌報知は行わない。
【０４１１】
また、ＣＰＵ９１ａは３つのリールのうち２つのリールが停止した時点で、入賞ラインＬ１〜Ｌ４のいずれかにビッグボーナス（１）〜（３）の組み合わせの構成図柄が聴牌していない場合であっても、仮想入賞ラインＬｖにビッグボーナス（１）〜（３）のいずれかの構成図柄が聴牌している場合に前述と同様に聴牌音を出力して聴牌報知を行う。
【０４１２】
また、仮想入賞ラインＬｖにビッグボーナス（１）〜（３）のいずれかの組み合わせが揃ったときには、仮想入賞ラインＬｖに停止した図柄に対応するリールＬＥＤ５５を点滅させることによって仮想入賞ラインにビッグボーナス（１）〜（３）のいずれかの組み合わせが揃った旨を示す仮想入賞報知演出を行う。前述のように、ビッグボーナス（１）〜（３）の組み合わせは、特別役が当選していることを条件に仮想入賞ラインＬｖに揃いうるため、仮想入賞報知演出は、リーチ目が成立した旨を報知するリーチ目報知演出としても機能する。
【０４１３】
本実施例のＣＰＵ９１ａが実行する演出として、特に液晶表示器５１において行われる演出としては、遊技状態がＲＴ（１）、ＲＴ（２）、ビッグボーナスにあるときにそれぞれ実行されるＲＴ（１）演出、ＲＴ（２）演出またはビッグボーナス演出、複数ゲームにわたり継続して実行するとともに、最終的にボーナスに当選しているか否かを示す演出結果を導く連続演出及び追加演出、更に、通常遊技状態またはＲＴ（１）〜（４）において一般役が当選している旨を報知する一般役告知演出（小役告知演出、リプレイ告知演出）、特別役の当選が既に告知されている状態において小役が当選している旨を報知する確定後小役告知演出、特別役の当選が既に告知されている状態において当選した特別役の種類を報知することで特別役の入賞を促す特別役入賞推奨演出を含む単発演出もある。
【０４１４】
ＲＴ（２）演出について説明すると、ＲＴ（２）演出は、ＲＴ（２）中において転落役（赤チェリー、青チェリー、白チェリー）が当選した場合（転落役の当選を示す内部当選フラグを受信した場合）に、転落役が当選した旨を報知する転落役当選報知、当選した転落役の種類（内部当選フラグから特定される転落役の種類）を報知する転落役種類報知を含む。
【０４１５】
転落役種類報知は、赤チェリーが当選した旨、青チェリーが当選した旨、白チェリーが当選した旨を、その当選を示唆する色（赤チェリーが当選した旨を示す場合には赤、青チェリーが当選した旨を示す場合には青、白チェリーが当選した旨を示す場合には白）を報知することにより、転落役の種類を報知する。
【０４１６】
尚、転落役種類報知は、当選した転落役の種類を遊技者が認識可能なものであれば良く、当選した転落役の種類そのもの、或いは図柄組み合わせ、転落役の種類によって異なる図柄、これら転落役の種類を示唆する画像などを液晶表示器５１に表示することで報知するものや、対応するＬＥＤの点灯、対応する音声の出力などによって報知するものであっても良い。更には、転落役の種類に応じて異なる図柄の指標となる図柄（転落役の構成図柄の近くに位置し、転落役の構成図柄よりも目立つ図柄など）、当該指標図柄を示唆する画像などを報知するようにしても良い。
【０４１７】
ＣＰＵ９１ａは、ＲＴ（２）において入賞することで当該ＲＴ（２）が終了することとなる転落役が当選した際に転落役種類報知を実行するか否かを決定する転落役報知抽選を、ビッグボーナス（１）（２）中、ＲＴ（１）（２）中に実行し、この転落役報知抽選に当選した場合には、転落役報知回数を決定し、決定した転落役報知回数をＲＡＭ９１ｃに設定する。また、ＲＡＭ９１ｃに転落役報知回数が残っている状態で転落役報知抽選に当選した場合には、ＲＡＭ９１ｃに残っている転落役報知回数に対して新たに決定した転落役報知回数を加算する。そして、ＲＴ（２）においていずれの特別役も当選していない状態において、いずれかのチェリーが当選した際（いずれかのチェリーの当選を示す内部当選コマンドを受信したとき）に、転落役報知回数が残っているか否かを判定し、転落役報知回数が残っている場合には、当選したチェリーに対応する転落役種類報知を実行する。すなわち赤チェリーが当選したときに、赤チェリーの当選を示唆する赤を報知する転落役種類報知を実行し、青チェリーが当選したときに、青チェリーの当選を示唆する青を報知する転落役種類報知を実行し、白チェリーが当選したときに、白チェリーの当選を示唆する白を報知する転落役種類報知を実行する。また、ＲＴ（２）においていずれの特別役も当選していない状態において、いずれかのチェリーが当選した際に、転落役種類報知が１回実行される毎に転落役報知回数が１減算されるので、転落役報知回数が残っている範囲内でいずれかのチェリーが当選した際に、転落役種類報知が実行されることとなる。尚、ＲＴ（２）においていずれの特別役も当選していない状態において、いずれかのチェリーが当選した際に、転落役報知回数が残っていない場合には、いずれかの転落役が当選した旨を報知する転落役報知を実行する。
【０４１８】
本実施例では、ＲＴ（２）においていずれの特別役も当選していない状態においていずれかのチェリーが入賞すると、当該ＲＴ（２）の開始から規定ゲーム数に到達する前であってもＲＴ（２）が終了することとなるが、前述のように赤チェリー、青チェリー、白チェリーを構成する左リールの「赤チェリー」図柄、「青チェリー」図柄及び「白チェリー」図柄を意図的に入賞ライン上に停止させないことができないので、ＲＴ（２）においていずれの特別役も当選していない状態においていずれかのチェリーが当選した場合に、その種類が分からなければ意図的にチェリーを外すことは不可能であり、２／３の確率で当選したチェリーを取りこぼすこととなるが、１／３の確率で当選したチェリーが入賞し、ＲＴ（２）が終了することとなってしまう。
【０４１９】
これに対してＲＴ（２）においていずれの特別役も当選していない状態において、いずれかのチェリーが当選した際に、転落役種類報知が実行されると、遊技者は報知された色によって示唆された色によって、赤チェリー、青チェリー、白チェリーの組み合わせのうち、どの組み合わせが当選したかを認識することが可能となり、赤チェリー、青チェリー、白チェリーを構成する左リールの「赤チェリー」図柄、「青チェリー」図柄及び「白チェリー」図柄を意図的に入賞ラインに停止させない停止操作位置を特定することが可能となる。
【０４２０】
このため、ＲＴ（２）においていずれの特別役も当選していない状態において、いずれかのチェリーが当選した場合には、転落役種類報知が実行されることによって、遊技者は意図的に当選したチェリーを取りこぼすことによって、チェリーの入賞に伴うＲＴ（２）の終了を回避することが可能となる。
【０４２１】
また、前述のように左リールにおいて同系色のチェリーと「７」図柄は同時に狙える停止操作位置は存在しないので、遊技者は転落役種類報知によって示唆された色の「７」図柄を狙って左リールの停止操作を行うことによって、当選した色のチェリーが入賞することはなく、ＲＴ（２）の終了を回避できるようになっている。すなわち転落役種類報知では、示唆された色によって当選した転落役の種類が報知されることに加えて、当該転落役の入賞を回避する際の指標となる位置も報知されるようになっている。
【０４２２】
ＣＰＵ９１ａは、ビッグボーナス（１）（２）中の転落役報知抽選に当選した場合に、転落役報知回数を１回〜４回の範囲で選択する報知回数抽選を実行し、当選した転落役報知回数をＲＡＭ９１ｃに設定するか、ＲＡＭ９１ｃに既に設定されている場合にはその回数に加算する。
【０４２３】
ビッグボーナス（１）（２）中の報知回数抽選では、図２８（ａ）に示すように、１回〜４回が選択される割合が、当該報知回数抽選が実行されるビッグボーナスがビッグボーナス（１）（「赤７−赤７−赤７」の組み合わせで移行したビッグボーナス）であるか、ビッグボーナス（２）（「青７−青７−青７」の組み合わせで移行したビッグボーナス）であるか、によって異なり、ビッグボーナス（１）において転落役報知抽選に当選した際に実行される報知回数抽選では、転落役報知回数が１回：２０％、２回：２０％、３回：４０％、４回：２０％の割合で選択されるようになっており、その平均回数は２．６回となり、ビッグボーナス（２）において転落役報知抽選に当選した際に実行される報知回数抽選では、転落役報知回数が１回：５０％、２回：３０％、３回：１５％、４回：５％の割合で選択されるようになっており、その平均回数は１．７５回となる。すなわちビッグボーナス（１）において転落役報知抽選に当選した際に実行される報知回数抽選では、報知回数が相対的に多い回数が、ビッグボーナス（２）において転落役報知抽選に当選した際に実行される報知回数抽選よりも高い割合で選択され、ビッグボーナス（２）において転落役報知抽選に当選した際に実行される報知回数抽選では、報知回数が相対的に少ない回数が、ビッグボーナス（１）において転落役報知抽選に当選した際に実行される報知回数抽選よりも高い割合で選択されるようになっている。このため、ビッグボーナス（１）で転落役報知抽選に当選した方が、ビッグボーナス（２）で転落役報知抽選に当選した場合よりも多くの転落役報知回数の獲得を期待できるようになっている。
【０４２４】
ＣＰＵ９１ａは、ビッグボーナス（１）（２）に対応するビッグボーナス演出として、ＢＢ演出モードＡ〜Ｃのいずれかの演出モードのうちビッグボーナス（１）またはビッグボーナス（２）の入賞時（ビッグボーナス（１）またはビッグボーナス（２）の入賞を示す入賞判定コマンドを受信したとき）に遊技者が選択した演出モードのビッグボーナス演出を実行する。詳しくは、ビッグボーナス（１）またはビッグボーナス（２）の入賞時に液晶表示器５１にＢＢ演出モードＡ〜Ｃを定期的に順番に表示し、所望のＢＢ演出モードが表示されているタイミングで賭数設定操作を行うこと（ＢＥＴコマンドを受信すること）によってその時点で表示されているＢＢ演出モードが設定されるようになっている。尚、ＢＢ演出モードはこれに限らず、タッチパネルの操作でＢＢ演出モードを遊技者が選択できるようにしても良い。
【０４２５】
また、ＣＰＵ９１ａは、図２８（ｂ）に示すように、ＢＢ演出モードに応じて異なる契機で転落役報知抽選を実行するとともに、その際の当選確率もＢＢ演出モードに応じて異なる確率を適用し、さらに転落役報知抽選に当選した旨の告知もＢＢ演出モードに応じて異なる契機で行うようになっている。
【０４２６】
詳しくは、ＢＢ演出モードＡが選択されている場合には、ビッグボーナス（１）またはビッグボーナス（２）中にベルが入賞したとき（ベル入賞を示す入賞判定コマンドを受信したとき）に転落役報知抽選を実行し、その際の当選確率は約４．４％となる。また転落役報知抽選に当選した場合には、当選したゲーム以降、ベル入賞時（ベル入賞を示す入賞判定コマンドを受信したとき）の１／２の確率で転落役報知抽選に当選した旨を告知し、ビッグボーナスの終了までに告知されなければ当該ビッグボーナスの終了時（ビッグボーナスの終了を示す遊技状態コマンドを受信したとき）に転落役報知抽選に当選した旨を告知する。
【０４２７】
ＢＢ演出モードＢが選択されている場合には、ビッグボーナス（１）またはビッグボーナス（２）中においてハズレのとき（ハズレを示す内部当選コマンドを受信したとき）に転落役報知抽選を実行し、その際の当選確率は１００％となる。また、転落役報知抽選に当選した場合には、その時点ですぐに転落役報知抽選に当選した旨を告知する。
【０４２８】
ＢＢ演出モードＣが選択されている場合には、ビッグボーナス（１）またはビッグボーナス（２）中にいずれかのチェリーが当選したとき（いずれかのチェリーの当選を示す内部当選コマンドを受信したとき）に転落役報知抽選を実行し、その際の当選確率は約６８％となる。また、転落役報知抽選に当選した場合には、当該ビッグボーナスの終了時（ビッグボーナスの終了を示す遊技状態コマンドを受信したとき）に転落役報知抽選に当選した旨を告知する。
【０４２９】
尚、ＢＢ演出モードＡ〜Ｃに関わらず、ビッグボーナス（１）またはビッグボーナス（２）中の各ゲームにおいて転落役報知抽選に当選する実質的な確率（ＢＢ演出モードＡ：ベルの入賞確率（当選確率）×転落役報知抽選の当選確率、ＢＢ演出モードＢ：ハズレ確率、ＢＢ演出モードＣ：（赤チェリーの当選確率＋青チェリーの当選確率＋白チェリーの当選確率）／３）はほぼ同じ確率（約４％）となる。
【０４３０】
また、ＣＰＵ９１ａは、ビッグボーナス（１）（２）中の転落役報知抽選に当選した場合には、当該ビッグボーナス（１）（２）の終了時に、ミニゲームを実行する。
【０４３１】
ミニゲームは、液晶表示器５１に表示された内容に応じて遊技者がタッチパネルを操作することにより得点を獲得するゲームであり、ＣＰＵ９１ａは、ミニゲーム終了時に、当該ミニゲームで獲得した得点が第１の得点以上か否かを判定し、第１の得点以上の場合には、ＲＡＭ９１ｃに設定されている転落役報知回数に２を加算し、第１の得点未満であれば、さらに第１の得点よりも低い第２の得点以上か否かを判定し、第２の得点以上である場合には、ＲＡＭ９１ｃに設定されている転落役報知回数に１を加算し、第２の得点未満であれば、転落役報知回数を加算しない。
【０４３２】
また、ＣＰＵ９１ａは、ミニゲームにおいてタッチパネルの操作が一切行われずにミニゲームが終了した場合やミニゲーム終了前に賭数の設定操作などによってミニゲームが中止された場合にも、ミニゲームの得点が第２の得点未満の場合と同様に転落役報知回数を加算しない。
【０４３３】
このように本実施例では、ミニゲームにおいてタッチパネルの操作を行った場合には、その結果に応じて転落役報知回数、すなわち転落役の当選時にＲＴ（２）の終了を回避することが可能な転落役報知回数が付与されるのに対して、ミニゲームにおいてタッチパネルの操作を一切行わなかった場合やミニゲーム終了前にミニゲームが中止された場合には、転落役報知回数が付与されないようになっている。
【０４３４】
また、ＣＰＵ９１ａは、ＲＴ（１）（２）においていずれの特別役も当選していない状態においても転落役報知抽選を実行するようになっている。図２８（ｂ）に示すように、ＲＴ（１）（２）中においていずれの特別役も当選していない状態においては、ハズレのとき（ハズレを示す内部当選コマンドを受信したとき）に転落役報知抽選を実行し、その際の当選確率は、ＲＴ（１）において５％、ＲＴ（２）において２０％となる。またこの場合に転落役報知抽選に当選した場合には、その時点で転落役報知抽選に当選した旨を告知する。そして、ＲＴ（１）（２）において転落役報知抽選に当選した場合にも転落役報知回数を１回〜４回の範囲で選択する報知回数抽選を実行し、当選した転落役報知回数をＲＡＭ９１ｃに設定するか、ＲＡＭ９１ｃに既に設定されている場合にはその回数に加算する。
【０４３５】
ＲＴ（１）（２）において実行される報知回数抽選では、図２８（ａ）に示すように、１回〜４回がそれぞれ２５％の割合で選択されるようになっている。
【０４３６】
ＣＰＵ９１ａは、ＲＴ（２）中においていずれの特別役も持ち越されていない状態でいずれかの特別役といずれかのチェリーとが同時に当選したときに、転落役報知回数が残存していれば、転落役種類報知を実行する。この際、転落役報知回数は減算せず、その時点の転落役報知回数を仮報知回数として新たに記憶し、仮報知回数を１回減算する。尚、転落役報知回数が残存していなければ、転落役当選報知を実行する。この際、転落役が入賞した場合には、次のゲームの賭数設定操作がなされた時点で、特別役に当選した旨を報知するとともに、ＲＴ（２）の継続を報知する。
【０４３７】
また、ＣＰＵ９１ａは、いずれかの特別役が持ち越されている状態でかつ特別役の当選が報知されていない状態においていずれかのチェリーが当選したときに、転落役報知回数または仮報知回数が残存していれば、転落役種類報知を実行する。この際、転落役報知回数は減算せず、仮報知回数が既に記憶されていれば仮報知回数を１回減算し、仮報知回数が記憶されていなければ、その時点の転落役報知回数を仮報知回数として新たに記憶し、仮報知回数を１回減算する。尚、転落役報知回数も仮報知回数も残存していなければ、転落役当選報知を実行する。この際、転落役が入賞した場合には、次のゲームの賭数設定操作がなされた時点で、特別役に当選した旨を報知するとともに、ＲＴ（２）の継続を報知する。
【０４３８】
ＣＰＵ９１ａは、いずれかの特別役が持ち越されている状態でかつ特別役の当選が報知されている状態においていずれかのチェリーが当選したときに、転落役報知回数または仮報知回数が残存しているか否かに関わらず、転落役種類報知を実行する。
【０４３９】
本実施例では、ＲＴ（２）においていずれかの特別役が当選している状態においていずれかのチェリーが入賞してもＲＴ（２）が終了することはないので、ＲＴ（２）においていずれかの特別役が当選した後は、赤チェリー、青チェリー、白チェリーを入賞させた方がより多くのメダルを獲得できるが、前述のように赤チェリー、青チェリー、白チェリーを構成する左リールの「赤チェリー」図柄、「青チェリー」図柄及び「白チェリー」図柄を意図的に入賞ライン上に停止させることができないので、赤チェリー、青チェリー、白チェリーが当選しても、これら赤チェリー、青チェリー、白チェリーを意図的に入賞させることは不可能であり、これらの役に当選した場合には、１／３の確率で入賞させることができるが、２／３の確率で取りこぼしてしまう。
【０４４０】
これに対してＲＴ（２）においていずれかの特別役が当選している状態において、かつ特別役の当選が報知されている場合には、赤チェリー、青チェリー、白チェリーのいずれかが当選した際に、転落役種類報知が実行されると、当選役を認識することが可能となり、当選した赤チェリー、青チェリー、白チェリーを全て入賞させることが可能となる。
【０４４１】
このように本実施例では、ＲＴ（２）においていずれの特別役も当選していない状態であれば、いずれかのチェリーが当選した際に、当選したチェリーが入賞することでＲＴ（２）が終了してしまうこととなるが、ＲＴ（２）においていずれかの特別役が当選すると、以後、いずれかのチェリーが入賞してもＲＴ（２）が終了することがなく、当選したチェリーを入賞させることが可能となるため、ＲＴ（２）において特別役が当選することにより、以後、特別役が当選する前に比較してより多くのメダルを獲得することが可能となる。
【０４４２】
また、ＲＴ（２）においていずれかの特別役が当選しており、かつその旨が報知されている状態では、いずれかのチェリーが当選した際に、転落役種類報知が実行されるため、当選したチェリーを取りこぼすことなく入賞させることが可能となる。尚、特別役が当選していてもその旨が報知されていない状態においては、特別役が当選していない状態と同じ態様に制御される、すなわちいずれかのチェリーが当選した際に、転落役報知回数（仮報知回数）が残存していれば転落役種類報知が実行され、転落役報知回数（仮報知回数）が残存していなければ、転落役当選報知が実行されるので、ＲＴ（２）において特別役の当選が報知されていない状態であっても、常に特別役の当選に対する遊技者の期待感を持たせることができる。
【０４４３】
また、ＲＴ（２）においていずれの特別役も持ち越されていない状態で特別役といずれかのチェリーが同時に当選したとき、またはいずれかの特別役が持ち越されている状態でかつ特別役の当選が報知されていない状態でいずれかのチェリーが当選したときに、当選したチェリーが入賞した場合には、次のゲームの賭数設定操作を契機に特別役の当選を報知するとともに、ＲＴ（２）の継続を報知するので、ＲＴ（２）が終了したと思っていた遊技者に対して意外性を与えることができる。
【０４４４】
ＣＰＵ９１ａは、ＲＴ（２）の残りゲーム数（規定ゲーム数に到達するまでのゲーム数であり、遊技状態コマンドが示すＲＴ（２）の残りゲーム数）が５ゲームとなったときに、ＲＴ（２）の終了までの５ゲームにわたり連続演出を必ず実行するとともに、ＲＴ（２）の残りゲーム数（遊技状態コマンドが示すＲＴ（２）の残りゲーム数）が１１ゲームとなるまでの期間において、いずれの役も入賞しなかったとき（ハズレを示す入賞判定コマンドを受信したとき）に連続演出を実行するか否かを決定する連続演出抽選を実行し、連続演出抽選に当選した場合にも５ゲームにわたり連続演出を実行する。
【０４４５】
連続演出には、最終的にボーナスの当選を報知する当たりパターンと、最終的に特別役に当選していない旨を報知するハズレパターンと、が定められており、ＣＰＵ９１ａは、ＲＴ（２）の残りゲーム数が５ゲームとなったときには、その時点でいずれかの特別役に当選している場合には、必ず当たりパターンに基づく連続演出を実行し、いずれの特別役も当選していない場合には、必ずハズレパターンに基づく連続演出を実行する。
【０４４６】
これに対して連続演出抽選では、図２９に示すように、いずれかの特別役に当選している場合にも、ハズレパターンを決定する場合があり、いずれかの特別役に当選している場合に連続演出抽選でハズレパターンが決定された場合には、最終的にハズレを報知するハズレパターンに基づいて連続演出を実行するようになっている。
【０４４７】
詳しくは、連続演出抽選において、ビッグボーナス（１）〜（３）が当選している場合には、５％の確率で当たりパターンを決定し、２０％の確率でハズレパターンを決定する。また、いずれの特別役も当選していない場合には２０％の確率でハズレパターンを決定し、当たりパターンを決定することはない。
【０４４８】
そして、ＣＰＵ９１ａは、ビッグボーナス（１）〜（３）のいずれかに当選している場合に連続演出抽選で当たりパターンが決定され、決定された当たりパターンに基づく連続演出が実行され、特別役の当選が報知されることで、ＲＴ（２）演出における表示画面の背景を選択する背景選択抽選を行うようになっており、ＲＴ（２）演出における表示画面の背景を背景選択抽選で選択された背景に変更するようになっている。
【０４４９】
ＲＴ（２）演出における表示画面の背景は、昼、夕方、夜の３種類からなり、ＲＴ（２）演出の背景は常に昼から始まるようになっている。そして背景選択抽選では、ビッグボーナス（１）が当選している場合には、昼：５０％、夕方：３０％、夜：２０％の割合で背景を選択し、ビッグボーナス（２）が当選している場合には、昼：７０％、夕方：２０％、夜：１０％の割合で背景を選択し、ビッグボーナス（３）が当選している場合には、昼：８５％、夕方：１０％、夜：５％の割合で背景を選択する。
【０４５０】
このように背景選択抽選では、ビッグボーナス（３）に当選しているときよりもビッグボーナス（２）に当選しているときの方が夕方、夜が高い割合で選択され、ビッグボーナス（１）に当選しているときの方が更に夕方、夜が高い割合で選択されるようになっている。このため、背景が夕方や夜に変更されることで、より遊技者にとって有利度の高いビッグボーナス（１）の当選が期待できるようになっている。一方、ビッグボーナス（１）が当選している場合でも、５０％は昼が選択され、背景が変更されないことがあるため、背景が変更しない場合でもビッグボーナス（１）の当選に期待が持てるようになっている。
【０４５１】
また、ＣＰＵ９１ａは、通常遊技状態において、特別役と同時当選する可能性のある赤チェリー、青チェリー、白チェリーが当選したとき（いずれかのチェリーの当選を示す内部当選コマンドを受信したとき）、ＲＴ（１）において特別役と同時当選する可能性のある赤チェリー、青チェリー、白チェリーが当選したとき（いずれかのチェリーの当選を示す内部当選コマンドを受信したとき）に実行する連続演出抽選に当選した場合にも５ゲームにわたり連続演出を実行する。尚、通常遊技状態においてはいずれかのチェリーが当選した際に必ず連続演出を実行するのに対して、ＲＴ（１）においては連続演出抽選に当選した際に連続演出を実行するため、通常遊技状態においてはＲＴ（１）中よりも高い頻度で連続演出が実行されることとなる。
【０４５２】
また、ＣＰＵ９１ａは、通常遊技状態においていずれかのチェリーが入賞したときに連続演出に関連する導入演出を実行する。前述のようにＣＰＵ４１ａは、通常遊技状態においていずれかのチェリーが入賞した場合に、チェリーの入賞に伴うメダルの払出の終了後、導入演出の実行時間と等しい演出待ち時間が経過するまで賭数の設定操作を禁止し、演出待ち時間が経過した時点で賭数の設定操作を許可するようになっている。このため、導入演出が実行されている間は、賭数の設定操作がなされることによって実行中の導入演出がキャンセルされないようになっている。
【０４５３】
また、通常遊技状態においていずれかのチェリーが入賞すると最大５ゲームにわたり通常遊技状態よりも再遊技役の当選確率が高まるＲＴ（３）に移行するとともに、特別役に当選した場合（いずれかのチェリーと同時に当選している場合を含む）にも通常遊技状態よりも再遊技役の当選確率が高まるＲＴ（４）に移行する。そして、再遊技役と特別役とが同時に当選した場合には、特別役を構成する図柄の組み合わせよりも再遊技役を構成する図柄の組み合わせを入賞ラインに対して優先的に引き込む制御が行われるため、通常遊技状態においていずれかのチェリーの入賞を契機とする連続演出が実行されている間は、例え特別役が当選していてもその特別役を構成する図柄の組み合わせが揃いづらく、この間は、特別役が当選しているか否かの判別が困難となる。また、ＲＴ（１）（２）中も、通常遊技状態よりも再遊技役の当選確率が高いので、これらの期間中に連続演出が行われている場合にも、特別役が当選しているか否かの判別が困難となる。
【０４５４】
次に、連続演出について説明する。
【０４５５】
連続演出は、いずれも液晶表示器５１に所定の画像を表示することにより行われる。また、連続演出における個々のゲーム毎の演出は、いずれもスタートスイッチ７の操作時（内部当選コマンドを受信したとき）に開始し、リール２Ｌ、２Ｃ、２Ｒの全ての回転が停止したとき（全てのリールについてリール停止コマンドを受信したとき）に終了するものである。最終ゲーム以外の個々のゲーム毎の演出の結果は、遊技者側の攻撃、遊技者側のダメージの２通りであり、最終ゲームの演出の結果は、遊技者の勝ち、負けの２通りであるが、演出の過程としてはこれよりも多くの種類のものがある。
【０４５６】
連続演出は、前述のように通常遊技状態においていずれかのチェリーが入賞したとき、ＲＴ（２）の残りゲーム数（遊技状態コマンドが示すＲＴ（２）の残りゲーム数）が５ゲームとなったとき、またはＲＴ（１）、ＲＴ（２）において連続演出抽選に当選したときに開始される。そして当たりパターンの連続演出では、連続演出が終了することとなるゲーム（最終ゲーム）においてリール２Ｌ、２Ｃ、２Ｒの全ての回転が停止したとき（全てのリールについてリール停止コマンドを受信したとき）に、特別役に当選している旨（遊技者の勝ち）が確定的に報知される。
【０４５７】
また、ハズレパターンの連続演出では、連続演出の結果としてハズレの結果（遊技者の負け）、すなわちいずれの特別役にも当選していない旨が報知される。また、連続演出抽選で、いずれかの特別役に当選しているにも関わらず、ハズレパターンが当選した場合には、意図的にハズレが報知されることとなるが、通常遊技状態においていずれかのチェリーが単独で当選した場合、ＲＴ（１）中にいずれの特別役も当選していない状態で連続演出抽選に当選した場合、ＲＴ（２）の残り５ゲームで、いずれの特別役も当選していない場合に、ハズレパターンに基づく連続演出を開始した場合には、連続演出が開始してから終了するまでにいずれかの特別役に当選し、連続演出の終了までに当選した特別役が入賞しなかったときに、そのまま連続演出を終了してハズレの結果を報知したままでは、連続演出の終了時点における状況とは異なった内容を遊技者に報知してしまうこととなる。
【０４５８】
このため、通常遊技状態においていずれかのチェリーが単独で当選した場合、ＲＴ（１）中にいずれの特別役も当選していない状態で連続演出抽選に当選した場合、ＲＴ（２）の残り５ゲームで、いずれの特別役も当選していない場合に開始したハズレパターンの連続演出では、最終ゲームの開始時点において、演出が開始した後にいずれかの特別役に当選したかどうかを判断し、連続演出が開始した後にいずれの特別役にも当選していない場合には、当該ゲームの終了時にハズレの結果が報知され、連続演出が開始した後にいずれかの特別役に当選した場合には、最終ゲームの演出の結果を差し替えて特別役に当選している旨が確定的に報知されるか、差し替えずに次のゲームで追加演出を実行し、この追加演出で特別役に当選している旨が確定的に報知される。
【０４５９】
ＣＰＵ９１ａは、通常遊技状態、ＲＴ（１）中及びＲＴ（２）中において、特別役が当選しているか否かに関わらず実行されるが、特別役に当選しているときに特別役に当選していないときよりも高い確率で実行することで特別役に当選している可能性を示すチャンス演出を実行する。チャンス演出は、内部当選コマンドを受信した際に実行する演出パターン選択処理において、チャンス演出用の演出パターンが選択されることにより実行される。演出パターン選択処理では、通常遊技状態において、ＲＴ（１）中及びＲＴ（２）中に比較して高い確率でチャンス演出用の演出パターンを選択するようになっており、通常遊技状態においてはＲＴ（１）中及びＲＴ（２）中よりも高い頻度でチャンス演出が実行されるようになっている。
【０４６０】
また、ＣＰＵ９１ａは、通常遊技状態、ＲＴ（１）〜（４）中においてリプレイ（１）が当選しているときに、リプレイ（１）が当選している旨を示すリプレイ告知演出を実行するようになっている。リプレイ告知演出は、特別役に当選していないときよりも特別役に当選しているときの方が高い確率で実行されるため、リプレイ告知演出が実行されることで、特別役に当選している可能性が示唆されることとなる。リプレイ告知演出は、内部当選コマンドを受信した際に実行する演出パターン選択処理において、リプレイ告知演出用の演出パターンが選択されることにより実行される。演出パターン選択処理では、ＲＴ（１）〜（４）中においてリプレイ（１）が当選した際に、通常遊技状態においてリプレイ（１）が当選した場合に比較して低い確率でリプレイ告知演出用の演出パターンを選択するようになっている。
【０４６１】
また、ＣＰＵ９１ａは、通常遊技状態、ＲＴ（１）〜（４）中及び後述するビッグボーナス（４）またはビッグボーナス（５）の告知期間において小役が当選しているときに、小役が当選している旨を示す小役告知演出を実行するようになっている。小役告知演出は、特別役に当選していないときよりも特別役に当選しているときの方が高い確率で実行されるため、小役告知演出が実行されることで、特別役に当選している可能性が示唆されることとなる。小役告知演出は、内部当選コマンドを受信した際に実行する演出パターン選択処理において、小役告知演出用の演出パターンが選択されることにより実行される。小役告知演出には、第１の小役告知演出と第２の小役告知演出があり、演出パターン選択処理では、通常遊技状態、ＲＴ（１）〜（３）中において特別役が当選していない状態で小役が単独で当選したときには、第１の小役告知演出用の演出パターンを、第２の小役告知演出用の演出パターンよりも高い割合で選択し、通常遊技状態、ＲＴ（１）〜（４）中において、特別役と小役が同時に当選したときまたは特別役が当選している状態で小役が当選したとき、ビッグボーナス（４）またはビッグボーナス（５）の後述する告知期間において小役が当選したときには、第２の小役告知演出用の演出パターンを、第１の小役告知用の演出パターンよりも高い割合で選択するようになっている。
【０４６２】
また、ＣＰＵ９１ａは、前述のＲＴ（２）演出中を除き、いずれかの特別役の当選を示す演出を行った場合、またはＲＴ（２）演出中にいずれかの特別役の当選を示す演出を行った後、当該ＲＴ（２）演出が終了した場合に、次のゲームの賭数が最初に設定された時点（メダルが投入されるか、１枚ＢＥＴスイッチ５またはＭＡＸＢＥＴスイッチ６が操作された時点、すなわち最初にＢＥＴコマンドを受信した時点）で、特別役の当選確定を示す確定画面を液晶表示器５１に表示させて特別役の当選が確定した旨を遊技者に対して告知する確定演出を実行する。確定演出は、当選した特別役が入賞するまで（当選した特別役の入賞を示す入賞コマンドを受信するまで）継続して行われるようになっており、当選した特別役が入賞すること（当選した特別役の入賞を示す入賞コマンドを受信すること）で終了する。
【０４６３】
また、ＣＰＵ９１ａは、確定演出の後、規定数の賭数を設定するのに必要なメダル数よりも多くの数のメダルの払出を伴う小役が当選したときには、当該小役が当選した旨及びその種類を示す確定後小役告知演出を１００％の割合で実行する。尚、確定演出の実行後、規定数の賭数を設定するのに必要なメダル数以下のメダルの払出を伴う小役が当選した場合には、確定後小役告知演出は実行せず、後述する特別役入賞推奨演出を実行する。
【０４６４】
確定後小役告知演出では、確定演出が実行されていない状態で小役が当選したときに実行される小役告知演出とは、異なる報知態様にて小役の当選及びその種類を報知する。例えば、確定後小役告知演出では、小役告知演出で液晶表示器５１に表示される画像とは異なる画像で小役の当選を報知したり、小役告知演出での小役告知音とは異なる告知音にて小役の当選を報知したりするものである。
【０４６５】
また、ＣＰＵ９１ａは、確定演出が実行されていない状態においては、小役が当選したときに特別役の当選の有無、遊技状態などに応じた割合で小役告知演出を実行するのに対して、確定演出の後、規定数の賭数を設定するのに必要なメダル数よりも多くの数のメダルの払出を伴う小役が当選したときには、１００％の割合で確定後小役告知演出を実行する。また、確定演出が実行されていない状態での小役告知演出は、ゲーム開始から全てのリールが停止するまでの複数のタイミングのうちいずれかのタイミングで実行される可能性があるのに対して、確定後小役告知演出は、必ずリールの停止操作が有効となる前に実行する。
【０４６６】
本実施例では、小役として３枚の払出を伴う赤チェリー、青チェリー、白チェリー、１５枚の払出を伴うベルが適用されており、遊技状態に関わらず規定数の賭数は３であり、規定数の賭数を設定するのに３枚のメダルを必要とするため、確定演出の後、ベルが当選したときに１００％の割合でベルが当選した旨を示す告知後小役演出を実行する。尚、確定演出の実行後、赤チェリー、青チェリー、白チェリーが当選した場合には、確定後小役告知演出は実行せず、後述する特別役入賞推奨演出を実行する。
【０４６７】
また、ＣＰＵ９１ａは、確定演出の後、特別役以外にいずれの役も当選しなかったとき、または規定数の賭数を設定するのに必要なメダル数以下のメダルの払出を伴う小役が当選したときに、１００％の割合で特別役の種類を報知することで特別役の入賞を促す特別役入賞推奨演出を実行する。特別役入賞推奨演出は、必ずリールの停止操作が有効となる前に実行する。
【０４６８】
本実施例では前述のように規定数の賭数を設定するのに３枚のメダルを必要とするため、特別役以外にいずれの役も当選しなかったとき、赤チェリー、青チェリー、白チェリーが当選した場合に特別役入用推奨演出を実行する。
【０４６９】
また、本実施例においてＣＰＵ９１ａは、転落役報知抽選、報知回数抽選、連続演出抽選、背景選択抽選、演出パターン選択処理を行う際に、同一の乱数カウンタから取得した乱数を用いるようになっている。すなわち複数種類の抽選に対して同一の乱数カウンタから取得した乱数を用いて抽選を行うようになっており、これら複数種類の抽選のそれぞれに対して乱数カウンタを設ける必要がない。尚、本実施例では、これら全ての抽選に対して同一の乱数カウンタから取得した乱数を用いて抽選を行うようになっているが、全ての抽選に対して同一の乱数カウンタから取得した乱数を用いる場合でなくとも、少なくとも複数種類の抽選に対して同一の乱数カウンタから取得した乱数を用いるものであれば上記の効果は得られる。
【０４７０】
次に、ビッグボーナス（４）またはビッグボーナス（５）が入賞した際に実行するボーナス演出について説明する。
【０４７１】
ＣＰＵ９１ａは、ビッグボーナス（４）またはビッグボーナス（５）が入賞したときに、他の役が入賞したときのように入賞報知演出を行わず、さらにビッグボーナス（４）、ビッグボーナス（５）に移行してもそれまでの遊技状態の演出を継続する。
【０４７２】
さらに、ビッグボーナス（４）及びビッグボーナス（５）の組み合わせは、「７」などの目立つ図柄よりもそのサイズが小さく、各リールに配置されている数も多い「ベル」及び「リプレイ」にて構成され、かつ２種類以上の図柄にて構成されており、入賞ラインに揃ったことが分かりづらいようになっている。さらにビッグボーナス（４）及びビッグボーナス（５）以外の役については、リール２Ｌ、２Ｃ、２Ｒを跨って一直線上に並ぶ入賞ラインＬ１〜Ｌ４に揃うように制御されるのに対して、ビッグボーナス（４）及びビッグボーナス（５）については、全てのリールにおいて上段・中段・下段のうち停止する位置が異なり、かつ一直線上に位置しない図柄に跨って設定される入賞ラインＬ５、Ｌ６に揃うようになっており、ビッグボーナス（４）及びビッグボーナス（５）の組み合わせが入賞ラインに揃ったことが一層分かりづらいようになっている。
【０４７３】
そして図３０に示すように、ビッグボーナス（４）またはビッグボーナス（５）が入賞し、遊技状態がビッグボーナス（４）またはビッグボーナス（５）に移行すると、最大３ゲームの告知期間において入賞告知抽選を行い、入賞告知抽選に当選することで、ビッグボーナス（４）またはビッグボーナス（５）に移行した旨を告知するボーナス告知演出を行う。尚、告知期間において入賞告知抽選に当選しなければ３ゲームの終了とともに強制的にボーナス告知演出を行う。
【０４７４】
また、前述のように告知期間以外で、かつ特別役が当選していない状態で小役が単独で当選したときには、第１の小役告知演出が第２の小役告知演出よりも高い割合で実行されるのに対して、告知期間において小役が当選したときには、第２の小役告知演出が第１の小役告知演出よりも高い割合で実行されるようになっており、告知期間においては、告知期間以外で、かつ特別役が当選していない状態において実行される頻度の低い第２の小役告知演出が高い頻度で実行されるようになっている。
【０４７５】
ボーナス告知演出の後、ビッグボーナス中の総払出枚数がビッグボーナス（５）の終了条件となる１００枚を超えるまで、第１のボーナス演出を実行し、ビッグボーナス中の総払出枚数が１００枚を超えたゲームで第１のボーナス演出を終了する。そして、ビッグボーナス（５）であれば、そのままビッグボーナス（５）の終了とともにボーナス演出も終了するのに対して、ビッグボーナス（４）であれば、次のゲームの終了までの間のいずれかのタイミング（賭数の設定操作、スタート操作、停止操作のいずれかのタイミングを抽選で決定する）で継続告知を行い、ビッグボーナス中の総払出枚数がビッグボーナス（４）の終了条件となる３００枚を超えるまで、第２のボーナス演出を実行し、ビッグボーナス中の総払出枚数が３００枚を超えたゲームで第２のボーナス演出を終了し、ビッグボーナス（４）の終了とともにボーナス演出も終了する。
【０４７６】
本実施例においてＣＰＵ４１は、ゲーム終了後から賭数の設定操作がなされずに一定時間（３０秒）経過したとき、クレジットの精算操作がなされたとき、賭数の精算操作がなされたときに待機コマンドを送信するようになっている。
【０４７７】
一方、サブ制御部９１のＣＰＵ９１ａは、連続演出やボーナス演出により遊技効果音を継続して出力している状態において、待機コマンドを受信したときに、ＲＡＭ９１ｃに設定されている音量レベルにて出力されている遊技効果音の音量レベルをＲＡＭ９１ｃに設定されている音量レベルに関わらず最小の音量レベル（消音）とする制御を行ようになっている。
【０４７８】
このため、図３１（ａ）に示すように、連続演出やボーナス演出により遊技効果音を継続して出力している状態において、ゲーム終了後から遊技の進行操作がなされずに一定時間（３０秒）が経過したときに、ＲＡＭ９１ｃに設定されている音量レベルにて出力中の遊技効果音を下げる制御（消音制御）が行われることとなる。
【０４７９】
また、図３１（ｂ）に示すように、連続演出やボーナス演出により遊技効果音を継続して出力している状態において、ゲーム終了後から一定時間（３０秒）が経過する前であっても、クレジットの精算操作がなされたときには、一定時間の経過を待たず、ＲＡＭ９１ｃに設定されている音量レベルにて出力中の遊技効果音を下げる制御（消音制御）が行われることとなる。
【０４８０】
また、メイン制御部４１は、賭数が設定されている状態においては、ゲーム終了後から経過した時間に関わらず待機コマンドを送信しないようになっている。
【０４８１】
このため、図３２（ａ）に示すように、連続演出やボーナス演出により遊技効果音を継続して出力している状態において、ゲーム終了後から一定時間（３０秒）が経過する前に賭数が設定されたときには、ゲーム終了後から一定時間が経過しても遊技効果音の消音制御は行われず、その後、賭数の精算操作がなされ、待機コマンドが送信されたときに、遊技効果音の消音制御が行われるうようになっている。
【０４８２】
また、図３２（ｂ）に示すように、連続演出やボーナス演出により遊技効果音を継続して出力している状態において、ゲーム終了後から一定時間（３０秒）が経過する前に賭数が設定され、かつゲーム終了後から一定時間が経過する前であっても、賭数の精算操作がなされ、待機コマンドが送信されたときには、一定時間の経過を待たず、ＲＡＭ９１ｃに設定されている音量レベルにて出力中の遊技効果音を下げる制御（消音制御）が行われることとなる。
【０４８３】
尚、ＣＰＵ９１ａは、消音制御を行った後、賭数が設定されたとき、すなわち待機コマンドを受信した後、ＢＥＴコマンドを受信したときに遊技効果音を元のレベル（ＲＡＭ９１ｃに設定されている音量レベル）まで戻すようになっている。
【０４８４】
また、賭数が既に設定されている状態において、ゲーム終了後から一定時間（３０秒）が経過した場合でも、メイン制御部４１が待機コマンドを送信しないようになっている。このため、ＣＰＵ９１ａは、ゲーム終了後から一定時間が経過した場合でも、賭数が既に設定されており、遊技者がゲームを開始する意志がある状態であれば、デモ演出を行わないようになっている。
【０４８５】
また、賭数が既に設定されている状態において、ゲーム終了後から一定時間（３０秒）が経過した場合でも、メイン制御部４１が待機コマンドを送信しないようになっているので、この状態で遊技効果音が継続して出力されている場合でも、ＣＰＵ９１ａは、遊技者がゲームを開始する意志がある状態であるため、遊技効果音を消音する制御は行わないようになっている。
【０４８６】
本実施例の演出制御基板９０は、出荷前にコマンドシミュレータ（試験用の遊技制御基板）を接続することにより、演出制御基板９０に搭載された各部の動作試験を行えるようになっている。
【０４８７】
動作試験では、コマンドシミュレータにて動作させる部品及びその動作態様を指定した検査コマンドを送信する。
【０４８８】
本実施例のスロットマシン１には、サブ制御部９１が制御するＬＥＤ、ランプ、冷陰極管などの電飾部品、スピーカ、液晶表示器５１、タッチパネルが搭載されており、出力ポートとその出力ポートに対応する部品及びその動作態様を検査コマンドにて指定することで、指定された部品の動作を検査すること可能である。検査コマンドは２バイトから構成されており、１バイト目で出力ポートを指定し、２バイト目で動作させる部品及びその動作態様を指定する。
【０４８９】
電飾部品の動作を検査する検査コマンドでは、動作態様として点灯、消灯を指定するとともに、さらに電飾部品が複数色の点灯が可能な部品であれば、さらにその点灯色も指定することが可能である。
【０４９０】
スピーカの動作を検査する検査コマンドでは、動作態様として左のみ、右のみ左右両方からの出力、出力される音の種類、音声ＲＯＭ（スピーカから出力される音声データが格納されるＲＯＭ）のＲＯＭチェックを指定することが可能である。
【０４９１】
液晶表示器５１の動作を検査する検査コマンドでは、動作態様としてカラーバーの表示、赤表示、緑表示、青表示、白表示、黒表示、静電試験用画面の表示、ＣＧＲＯＭ（液晶表示器５１に表示される画像データ（ＣＧデータ）が格納されるＲＯＭ）のＲＯＭチェック、液晶表示器５１の表示領域チェック、ＣＧＲＯＭに格納された画像データＡ〜Ｄの表示、ＶＲＡＭのチェックを指定することが可能である。
【０４９２】
タッチパネルの動作を検査する検査コマンドでは、動作態様としてタッチパネルの不良ビームのチェック、タッチパネルの動作チェックを指定することが可能である。尚、タッチパネルの不良チェックを指定した場合には、同時に音声ＲＯＭ及びＣＧＲＯＭのＲＯＭチェックも同時に指定される。
【０４９３】
その他の検査コマンドとしてボーナス中演出のバックアップを確認するための検査コマンドがあり、この検査コマンドでは、ボーナス中画面の表示、ボーナス中の電飾部品の動作、ボーナス中のＢＧＭ出力が指定される。
【０４９４】
１つの検査コマンドでは、１つの出力ポートとその出力ポートに対応する部品及び動作態様のみを指定することが可能であり、出力ポートの異なる部品を同時に動作させて検査する場合には、それぞれの出力ポートを指定した検査コマンドを連続して送信する。このため、全ての電飾部品を動作させる試験を行うだけでも、本実施例では、４０の検査コマンドを連続して送信する必要があり、さらに電飾部品以外の部品の動作も同時に試験を行う場合には、その組み合わせに応じて最大１２８の検査コマンドを連続して送信する必要がある。
【０４９５】
尚、コマンドシミュレータでは、複数の電飾部品の動作を指定する検査コマンド、電飾部品の動作を指定する検査コマンドとスピーカの動作を指定する検査コマンド、液晶表示器５１の動作を指定する検査コマンド、スピーカの動作を指定する検査コマンドと液晶表示器５１の動作を指定する検査コマンドをそれぞれ同時に送信することはできるが、液晶表示器５１の動作を指定する検査コマンドとそれとは異なる液晶表示器５１の動作を指定する検査コマンド、液晶表示器５１の動作を指定する検査コマンドとタッチパネルの動作を指定する検査コマンドなど、同時に実施することができない動作を指定する動作コマンドを同時に送信することはできないようになっている。
【０４９６】
前述のように通常のゲームに伴う動作が行われていれば、ＣＰＵ４１ａから連続してコマンドが送信される場合であっても受信用バッファに格納された未処理のコマンドは、次のコマンドを受信するまでにタイマ割込処理（サブ）によって読み出されるので、受信用バッファに未処理のコマンドが複数蓄積されることはないが、コマンドシミュレータによる動作試験では、最大１２８の検査コマンドが連続して送信される可能性があるため、ＲＡＭ９１ｃの受信バッファには、１２８個のコマンドを格納可能な領域が設けられている。
【０４９７】
ＣＰＵ９１ａは、タイマ割込処理（サブ）において受信バッファに未処理のコマンドが格納されているか否か判定し、未処理のコマンドが格納されている場合には、受信バッファから最も早い段階で受信したコマンドを読み出し、読み出したコマンドが検査コマンドであるか否かを判定する。この結果、読み出したコマンドが検査コマンドである場合には、検査コマンドが指定する部品及びその動作態様を特定し、特定した部品を特定した動作態様にて動作させる。これによりコマンドシミュレータから送信した検査コマンドに基づく動作状況を外部から確認できるようになっている。
【０４９８】
ＣＰＵ９１ａは、電飾部品の動作を検査する検査コマンドを受信した場合に、検査コマンドが指定する電飾部品及びその点灯、消灯、点灯色など動作態様を特定し、該当する電飾部品を指定された動作態様にて動作させる。
【０４９９】
また、ＣＰＵ９１ａは、スピーカの動作を検査する検査コマンドを受信した場合に、左のみ、右のみ左右両方からの出力、出力される音の種類、音声ＲＯＭのＲＯＭチェックなど検査コマンドが指定する動作態様を特定し、スピーカを指定された動作態様にて動作させる。特に、音声ＲＯＭのＲＯＭチェックが指定された場合には、音声ＲＯＭに格納されている確認用データとＲＯＭ９１ｂに格納されている格納されているデータとを照合し、一致するか否かの結果を液晶表示器５１に表示させる。
【０５００】
また、ＣＰＵ９１ａは、液晶表示器５１の動作を検査する検査コマンドを受信した場合に、カラーバーの表示、赤表示、緑表示、青表示、白表示、黒表示、静電試験用画面の表示、ＣＧＲＯＭのＲＯＭチェック、液晶表示５１の表示領域チェック、ＣＧＲＯＭに格納された画像データＡ〜Ｄの表示、ＶＲＡＭのチェックなど検査コマンドが指定する動作態様を特定し、液晶表示器５１を指定された動作態様にて動作させる。特に、ＣＧＲＯＭのＲＯＭチェックが指定された場合には、音声ＲＯＭのＲＯＭチェックと同様に、ＣＧＲＯＭに格納されている確認用データとＲＯＭ９１ｂに格納されている格納されているデータとを照合し、一致するか否かの結果を液晶表示器５１に表示させる。また、液晶表示５１の表示領域チェックが指定された場合には、表示可能領域を示す画像を液晶表示器５１に表示させる。また、ＶＲＡＭチェックが指定された場合には、メモリ領域にＶＲＡＭを展開し、ＶＲＡＭチェック用の画像を液晶表示器５１に表示させる。
【０５０１】
また、ＣＰＵ９１ａは、タッチパネル５１の動作を検査する検査コマンドを受信した場合に、タッチパネルの不良ビームのチェック、タッチパネルの動作チェックなど検査コマンドが指定する動作態様を特定し、タッチパネル及び液晶表示器５１を指定された動作態様にて動作させる。特に、タッチパネルの不良ビームのチェックが指定された場合には、タッチパネルコントローラ９９に対して不良ビーム解析要求コマンドを送信し、返信されたレポートに基づいて６０秒以上遮蔽されているビームが存在するか否かを判定し、６０秒以上遮蔽されているビームが存在する場合には、遮蔽されているビームに対応させて液晶表示器５１に赤いラインを表示させる。また、タッチパネルの不良ビームのチェックが指定された場合には、併せて音声ＲＯＭ及びＣＧＲＯＭのＲＯＭチェックも行う。また、タッチパネルの動作チェックには２種類あり、動作チェック１が指定された場合には、タッチパネルを全面有効にし、液晶表示器５１に「触れてください」というテロップを表示させるとともに、タッチ操作が検出されるまで新たなコマンドの受信を禁止する。動作チェック２が指定された場合には、タッチパネルを全面有効にし、液晶表示器５１には６４分割した画面を表示し、タッチ操作が検出されたコマの色を変化させる。この場合も、タッチ操作が検出されるまで新たなコマンドの受信を禁止する。
【０５０２】
また、ＣＰＵ９１ａは、ボーナス中演出のバックアップを検査する検査コマンドを受信した場合に、検査コマンドが指定する部品及び動作態様を特定し、液晶表示器５１、スピーカ、電飾部品を指定された動作態様にて動作させる。
【０５０３】
このように、ＣＰＵ９１ａは、検査コマンドの受信に基づき、検査コマンドが指定する部品及びその動作態様を特定し、特定した部品を特定した動作態様にて動作させるようになっており、これによりコマンドシミュレータから送信した検査コマンドに基づく動作状況を外部から確認できるようになっている。
【０５０４】
次に、コマンドシミュレータを用いた検査状況の一例を説明する。この例では、ＣＧＲＯＭチェック、音声ＲＯＭチェック、液晶表示器５１のチェック、ＶＲＡＭのチェック、スピーカのチェック、タッチパネルのチェック、ボーナス中演出のバックアップチェックを順次行う。
【０５０５】
まず、コマンドシミュレータは、１回目のボタン操作がなされたときに、タッチパネルの不良ビームのチェック、ＣＧＲＯＭチェック、音声ＲＯＭチェックを指定する検査コマンドを送信する。これに伴いＣＰＵ９１ａが検査コマンドを受信すると、タッチパネルの不良ビームのチェック、ＣＧＲＯＭのＲＯＭチェック及び音声ＲＯＭのＲＯＭチェックを順次行い、その結果を液晶表示器５１に表示させる。
【０５０６】
タッチパネルの不良ビームのチェック、ＣＧＲＯＭ及び音声ＲＯＭのチェック結果を確認した後、２回目のボタン操作がなされると、カラーバーの表示を指定する検査コマンドを送信し、ＣＰＵ９１ａは、カラーバーを液晶表示器５１に表示させる。
【０５０７】
コマンドシミュレータは、カラーバーの表示を指定する検査コマンドを送信してから３秒間経過した後に１秒間隔でＣＧＲＯＭに格納されている画像データＡ〜Ｄの表示を指定する検査コマンド順次送信し、ＣＰＵ９１ａは検査コマンドを受信する毎に、液晶表示器５１の表示を指定された画像データに更新する。さらにコマンドシミュレータは、１秒間隔でＶＲＡＭのチェックを指定する検査コマンドを送信し、ＣＰＵ９１ａは検査コマンドを受信する毎に、ＶＲＡＭを展開してＶＲＡＭチェック用の画像を液晶表示器５１に表示させる。
【０５０８】
次いでコマンドシミュレータは、３回目のボタン操作がなされると、左スピーカによる検査音の出力を指定する検査コマンドを送信し、ＣＰＵ９１ａは、左スピーカから検査音を出力させる。コマンドシミュレータは、４回目のボタン操作がなされると、右スピーカによる検査音の出力を指定する検査コマンドを送信し、ＣＰＵ９１ａは、右スピーカから検査音を出力させる。コマンドシミュレータは、５回目のボタン操作がなされると、左右スピーカによる検査音の出力を指定する検査コマンドを送信し、ＣＰＵ９１ａは、左右スピーカから検査音を出力させる。
【０５０９】
次いでコマンドシミュレータは、６回目のボタン操作がなされると、タッチパネルのチェックを指定する検査コマンドを送信し、ＣＰＵ９１ａは、タッチパネルを全面有効とし、液晶表示器５１に「触れてください」とテロップ表示する。そして、タッチ操作が検出されると、「ＯＫ」と表示する。この際ＣＰＵ９１ａは、検査コマンドを受信した後、タッチ操作が検出されるまでコマンドの受信を禁止する。
【０５１０】
次いでコマンドシミュレータは、７回目のボタン操作がなされると、ボーナス中演出のバックアップチェックを指定する検査コマンドを送信し、ＣＰＵ９１ａは、液晶表示器５１にボーナス中画面を表示させ、スピーカからボーナス中ＢＧＭを出力させ、電飾部品をボーナス中の動作態様に動作させる。
【０５１１】
この状態で、電源を一時遮断し、再度電源投入した際に、液晶表示器５１、スピーカ、電飾部品の動作態様がボーナス中の態様に復帰しているか否かによって、ボーナス中演出が正常にバックアップされるか否かを確認することができる。
【０５１２】
次いでコマンドシミュレータは、８回目のボタン操作がなされると、初期化コマンドを送信し、ＣＰＵ９１ａによりＲＡＭ９１ｃのデータを初期化させて、一連のコマンドシミュレータによる動作試験を終了する。
【０５１３】
このように本実施例では、ＣＰＵ９１ａがタッチパネルのチェックを指定する検査コマンドを受信した後、タッチ操作が検出されるまでコマンドの受信を禁止するようになっており、タッチ操作が検出される前に、コマンドシミュレータのボタン操作がなされて、その後の検査コマンドが送信されても、当該検査コマンドが受信されることがなく、タッチパネルのチェックを正常に完了しないまま次の動作試験に進んでしまうことがない。
【０５１４】
次に、本実施例におけるメイン制御部４１のＣＰＵ４１ａが実行する各種制御内容を、図３３〜図４９に基づいて以下に説明する。
【０５１５】
ＣＰＵ４１ａは、リセット回路４９からリセット信号が入力されると、図３３のフローチャートに示す起動処理を行う。尚、リセット信号は、電源投入時及びメイン制御部４１の動作が停滞した場合に出力される信号であるので、起動処理は、電源投入に伴うＣＰＵ４１ａの起動時及びＣＰＵ４１ａの不具合に伴う再起動時に行われる処理である。
【０５１６】
起動処理では、まず、内蔵デバイスや周辺ＩＣ（断線監視ＩＣ５０を除く）、割込モード、スタックポインタ等を初期化した後（Ｓａ１）、入力ポートから電圧低下信号の検出データを取得し、電圧低下信号が入力されているか否か、すなわち電圧が安定しているか否かを判定し（Ｓａ２）、電圧低下信号が入力されている場合には、電圧低下信号が入力されているか否かの判定以外は、いずれの処理も行わないループ処理に移行する。
【０５１７】
Ｓａ２のステップにおいて電圧低下信号が入力されていないと判定した場合には、Ｉレジスタ及びＩＹレジスタの値を初期化する（Ｓａ３）とともに、打止スイッチ３６、自動精算スイッチ２９の状態を取得し、ＣＰＵ４１ａの特定のレジスタに打止機能、自動精算機能の有効／無効を設定する（Ｓａ４）。Ｉレジスタ及びＩＹレジスタの初期化により、Ｉレジスタには、割込発生時に参照する割込テーブルのアドレスが設定され、ＩＹレジスタには、ＲＡＭ４１ｃの格納領域を参照する際の基準アドレスが設定される。これらの値は、固定値であり、起動時には常に初期化されることとなる。
【０５１８】
次いで、ＲＡＭ４１ｃへのアクセスを許可し（Ｓａ５）、設定キースイッチ３７がＯＮの状態か否かを判定する（Ｓａ６）。Ｓａ６のステップにおいて設定キースイッチ３７がＯＮの状態でなければ、断線監視ＩＣ５０から断線フラグの記憶状態を取得し（Ｓａ７）、断線フラグが記憶されているか否かを判定する（Ｓａ８）。停電中に遊技制御基板４０と投入メダルセンサ３１との間の電気的な接続状態及び遊技制御基板４０と演出制御基板９０との間の電気的な接続状態が解除されていなければ、断線フラグは記憶されていないはずであり、断線フラグが記憶されている場合には、停電中に遊技制御基板４０と投入メダルセンサ３１との間の電気的な接続状態または遊技制御基板４０と演出制御基板９０との間の電気的な接続状態が解除されたこととなるため、断線異常を示すエラーコードをレジスタに設定し（Ｓａ９）、ＲＡＭ４１ｃの格納領域のうち、使用中スタック領域を除く全ての格納領域を初期化する初期化０を実行した後（Ｓａ１０）、ドアコマンド送信用バッファに格納されているドアコマンドの送信を命令する際にＲＡＭ４１ｃに設定されるドアコマンド送信要求２をクリアするとともに、ドアコマンド送信用バッファに格納されているドアコマンドの送信を要求するドアコマンド送信要求１をＲＡＭ４１ｃに設定し（Ｓａ１１）、割込を許可して（Ｓａ１２）、図３４に示すエラー処理に移行する。
【０５１９】
Ｓａ８のステップにおいて断線フラグが記憶されていない場合には、ＲＡＭ４１ｃの全ての格納領域（未使用領域及び未使用スタック領域を含む）のＲＡＭパリティを計算し（Ｓａ１３）、ＲＡＭパリティが０か否かを判定する（Ｓａ１４）。正常に電断割込処理（メイン）が行われていれば、ＲＡＭパリティが０になるはずであり、Ｓａ１３のステップにおいてＲＡＭパリティが０でなければ、ＲＡＭ４１ｃに格納されているデータが正常ではないので、ＲＡＭ異常を示すエラーコードをレジスタに設定し（Ｓａ１５）、ＲＡＭ４１ｃの格納領域のうち、使用中スタック領域を除く全ての格納領域を初期化する初期化０を実行した後（Ｓａ１０）、ドアコマンド送信要求２をクリアするとともに、ドアコマンド送信要求１を設定し（Ｓａ１１）、割込を許可して（Ｓａ１２）、図３４に示すエラー処理に移行する。
【０５２０】
また、Ｓａ１４のステップにおいてＲＡＭパリティが０であれば、更に破壊診断用データが正常か否かを判定する（Ｓａ１６）。正常に電断割込処理（メイン）が行われていれば、破壊診断用データが設定されているはずであり、Ｓａ１６のステップにおいて破壊診断用データが正常でない場合（破壊診断用データが電断時に格納される５Ａ（Ｈ）以外の場合）にも、ＲＡＭ４１ｃのデータが正常ではないので、ＲＡＭ異常を示すエラーコードをレジスタに設定し（Ｓａ１５）、ＲＡＭ４１ｃの格納領域のうち、使用中スタック領域を除く全ての格納領域を初期化する初期化０を実行した後（Ｓａ１０）、ＲＡＭ４１ｃに設定されているドアコマンド送信要求２をクリアするとともに、ドアコマンド送信要求１をＲＡＭ４１ｃに設定し（Ｓａ１１）、割込を許可して（Ｓａ１２）、図３４に示すエラー処理に移行する。また、Ｓａ１２のステップにおいて割込が許可されると、タイマ割込処理が定期的に実行されることとなり、これに伴いＳａ１１のステップで設定されたドアコマンド送信要求１に基づきドアコマンドがサブ制御部９１に対して送信される。
【０５２１】
エラー処理では、図３４に示すように、現在の遊技補助表示器１２の表示状態をスタックに退避し（Ｓｂ１）、レジスタに格納されているエラーコードを遊技補助表示器１２に表示する（Ｓｂ２）。
【０５２２】
次いで、レジスタに格納されているエラーコードを確認し、当該エラーコードが断線異常エラー、ＲＡＭ異常エラーまたは異常入賞エラーを示すエラーコードであるか否かを判定し（Ｓｂ３）、断線異常エラー、ＲＡＭ異常エラーまたは異常入賞エラーを示すエラーコードである場合には、いずれの処理も行わないループ処理に移行する。
【０５２３】
また、Ｓｂ３のステップにおいて、断線異常エラー、ＲＡＭ異常エラー及び異常入賞エラー以外を示すエラーコードではないと判定された場合には、リセット／設定スイッチ３８の操作が検出されているか否かを判定し（Ｓｂ４）、リセット／設定スイッチ３８の操作が検出されていなければ、更にリセットスイッチ２３の操作が検出されているか否かを判定し（Ｓｂ５）、リセットスイッチ２３の操作も検出されていなければ、Ｓｂ４のステップに戻る。すなわちリセット／設定スイッチ３８またはリセットスイッチ２３の操作が検出されるまで、遊技の進行が不能な状態で待機する。
【０５２４】
そして、Ｓｂ４のステップにおいてリセット／設定スイッチ３８の操作が検出された場合、またはＳｂ５のステップにおいてリセットスイッチ２３の操作が検出された場合には、レジスタに格納されているエラーコードをクリアし（Ｓｂ６）、遊技補助表示器１２の表示状態をＳｂ１のステップにおいてスタックに退避した表示状態に復帰させて（Ｓｂ７）、もとの処理に戻る。
【０５２５】
このようにエラー処理においては、断線異常エラー、ＲＡＭ異常エラー及び異常入賞エラー以外によるエラー処理であれば、リセット／設定スイッチ３８またはリセットスイッチ２３が操作されることで、エラー状態を解除してもとの処理に復帰するが、断線異常エラー、ＲＡＭ異常エラーまたは異常入賞エラーによるエラー処理であれば、リセット／設定スイッチ３８またはリセットスイッチ２３が操作されてもエラー状態が解除され、元の状態に復帰することはない。
【０５２６】
図３３に戻り、Ｓａ１６のステップにおいて破壊診断用データが正常であると判定した場合には、ＲＡＭ４１ｃのデータは正常であるので、ＲＡＭ４１ｃの非保存ワーク、未使用領域及び未使用スタック領域を初期化する初期化３を行った後（Ｓａ１７）、破壊診断用データをクリアし（Ｓａ１８）、ドア開放検出スイッチ２５の検出状態の監視間隔を計時するドア監視タイマの値、コマンドの送信遅延時間を計時する遅延カウンタの値、ドア開放検出スイッチ２５からの検出信号の入力状態の履歴をクリアし（Ｓａ１９）、ドアコマンド送信要求２をクリアするとともに、ドアコマンド送信要求１を設定する（Ｓａ２０）。次いで、電断前の状態でいずれかの特別役が当選しているか否かを判定し（Ｓａ２１）、電断前の状態でいずれかの特別役が当選している場合には、特別役の当選を示す電源投入コマンドを設定し（Ｓａ２２、Ｓａ１９のステップに進み、電断前の状態でいずれの特別役も当選していない場合には、特別役の非当選を示す電源投入コマンドを設定し（Ｓａ２３）、Ｓａ２４のステップに進む。
【０５２７】
Ｓａ２４のステップでは、各レジスタを電断前の状態、すなわちスタックに保存されている状態に復帰し、割込を許可して（Ｓａ２５）、電断前の最後に実行していた処理に戻る。また、Ｓａ２５のステップにおいて割込が許可されると、タイマ割込処理が定期的に実行されることとなり、これに伴いＳａ１７またはＳａ１８のステップにおいて設定された電源投入コマンドがサブ制御部９１に対して送信され、その後、Ｓａ２０のステップで設定されたドアコマンド送信要求１に基づきドアコマンドがサブ制御部９１に対して送信される。
【０５２８】
また、Ｓａ６のステップにおいて設定キースイッチ３７がＯＮの状態であれば、リセット／設定スイッチ３８がＯＮの状態か否かを判定する（Ｓａ２６）。Ｓａ２６のステップにおいてリセット／設定スイッチ３８がＯＮの状態であれば、ＲＡＭ４１ｃの格納領域のうち、使用中スタック領域を除く全ての格納領域を初期化する初期化０を実行した後（Ｓａ２７）、Ｓａ２９のステップに進む。一方Ｓａ２６のステップにおいてリセット／設定スイッチ３８がＯＦＦの状態であれば、ＲＡＭ４１ｃの格納領域のうち、停止相ワーク及び使用中スタック領域を除く全ての格納領域を初期化する初期化１を実行した後（Ｓａ２８）、Ｓａ２９のステップに進む。
【０５２９】
Ｓａ２９のステップでは、ドアコマンド送信要求２をクリアするとともに、ドアコマンド送信要求１を設定した後、Ｓａ３０のステップに進み、設定値ワークに格納されている値（この時点では０）を１に補正する。次いで、初期化コマンドをセットした後（Ｓａ３１）、割込を許可して（Ｓａ３２）、図３５に示す設定変更処理、すなわち設定変更モードに移行する（Ｓａ３３）。Ｓａ３２のステップにおいて割込が許可されると、タイマ割込処理が定期的に実行されることとなり、これに伴いＳａ３１のステップにおいて設定された初期化コマンドがサブ制御部９１に対して送信され、その後、Ｓａ２９のステップで設定されたドアコマンド送信要求１に基づきドアコマンドがサブ制御部９１に対して送信される。Ｓａ３３のステップにおける設定変更処理の終了後、設定終了コマンドを設定し（Ｓａ３４）、ゲーム処理に移行する。Ｓａ３４のステップにおいて設定された設定終了コマンドは、その後のタイマ割込処理においてサブ制御部９１に対して送信される。
【０５３０】
設定変更処理では、図３５に示すように、ＲＡＭ４１ｃの設定値ワークに格納されている設定値（設定変更処理に移行する前に設定値ワークの値は１に補正されているので、ここでは１である）を読み出す（Ｓｃ１）。
【０５３１】
その後、リセット／設定スイッチ３８とスタートスイッチ７の操作の検出待ちの状態となり（Ｓｃ２、Ｓｃ３）、Ｓｃ２のステップにおいてリセット／設定スイッチ３８の操作が検出されると、Ｓｃ１のステップにおいて読み出した設定値に１を加算し（Ｓｃ４）、加算後の設定値が７であるか否か、すなわち設定可能な範囲を超えたか否かを判定し（Ｓｃ５）、加算後の設定値が７でなければ、再びＳｃ２、Ｓｃ３のステップにおけるリセット／設定スイッチ３８とスタートスイッチ７の操作の検出待ちの状態に戻り、Ｓｃ５のステップにおいて加算後の設定値が７であれば設定値を１に補正した後（Ｓｃ６）、再びＳｃ２、Ｓｃ３のステップにおけるリセット／設定スイッチ３８とスタートスイッチ７の操作の検出待ちの状態に戻る。
【０５３２】
また、Ｓｃ３のステップにおいてスタートスイッチ７の操作が検出されると、その時点で選択されている変更後の設定値をＲＡＭ４１ｃの設定値ワークに格納して、設定値を確定した後（Ｓｃ７）、設定キースイッチ３７がＯＦＦの状態となるまで待機する（Ｓｃ８）。そして、Ｓｃ８のステップにおいて設定キースイッチ３７のＯＦＦが判定されると、図３３のフローチャートに復帰し、ゲーム処理に移行することとなる。
【０５３３】
このように起動処理においては、設定キースイッチ３７がＯＮの状態ではない場合に、断線フラグが記憶されているか否かを判定し、断線フラグが記憶されていればエラー処理に移行する。また、ＲＡＭパリティが０であるか否か、破壊診断用データが正常であるか否かを判定することでＲＡＭ４１ｃに記憶されているデータが正常か否かを判定し、ＲＡＭ４１ｃのデータが正常でなければ、エラー処理に移行する。断線異常エラー、ＲＡＭ異常エラーによるエラー処理では、断線異常エラー、ＲＡＭ異常エラーを示すエラーコードを遊技補助表示器１２に表示させた後、電断前の状態に復帰不能となるように初期化１を行ってＲＡＭ４１ｃを初期化し、いずれの処理も行わないループ処理に移行するので、ゲームの進行が不能化される。そして、ＲＡＭ４１ｃのデータが正常でなければ、割込が許可されることがないので、一度断線異常エラーまたはＲＡＭ異常エラーによるエラー処理に移行すると、設定キースイッチ３７がＯＮの状態で起動し、割込が許可されるまでは、電断しても電断割込処理（メイン）は行われない。すなわち電断割込処理（メイン）において新たにＲＡＭパリティが０となるようにＲＡＭ調整用データが計算されて格納されることはなく、破壊診断用データが新たに設定されることもないので、ＣＰＵ４１ａが再起動しても設定キースイッチ３７がＯＮの状態で起動した場合を除き、ＣＰＵ４１ａを再起動させてもゲームを再開させることができないようになっている。
【０５３４】
そして、断線異常エラーまたはＲＡＭ異常エラーによるエラー処理に一度移行すると、設定キースイッチ３７がＯＮの状態で起動し、ＲＡＭ４１ｃの使用中スタック領域を除く全ての領域が初期化された後、設定変更処理が行われ、リセット／設定スイッチ３８の操作により新たに設定値が選択・設定されるまで、ゲームの進行が不能な状態となる。すなわちＲＡＭ異常エラーによるエラー処理に移行した状態では、リセット／設定スイッチ３８の操作により新たに設定値が選択・設定されたことを条件に、ゲームの進行が不能な状態が解除され、ゲームを再開させることが可能となる。
【０５３５】
また、設定キースイッチ３７のみがＯＮの状態で起動した場合には、ＲＡＭ４１ｃの格納領域のうち、停止相ワーク及び使用中スタック領域を除く全ての格納領域を初期化する初期化１が実行された後、設定変更モードへ移行するのに対して、設定キースイッチ３７及びリセット／設定スイッチ３８の双方がＯＮの状態で起動した場合には、ＲＡＭ４１ｃの格納領域のうち、使用中スタック領域を除く全ての格納領域を初期化する初期化０が実行された後、設定変更モードへ移行するようになっており、設定キースイッチ３７のみがＯＮの状態で起動するか、設定キースイッチ３７及びリセット／設定スイッチ３８の双方がＯＮの状態で起動するか、によってリールモータ３２Ｌ、３２Ｃ、３２Ｒの停止相を示すデータを残して初期化するか、含めて初期化するか、を選択できるようになっている。
【０５３６】
また、起動後、電断前の状態に復帰するか否かに関わらず、ドアコマンド送信要求１を設定することで、電源投入コマンドまたは初期化コマンドを送信した後、直ちにドアコマンドがサブ制御部９１に対して送信されるようになっている。
【０５３７】
図３６は、ＣＰＵ４１ａが実行するゲーム処理の制御内容を示すフローチャートである。
【０５３８】
ゲーム処理では、ＢＥＴ処理（Ｓｄ１）、内部抽選処理（Ｓｄ２）、リール回転処理（Ｓｄ３）、入賞判定処理（Ｓｄ４）、払出処理（Ｓｄ５）、ゲーム終了時処理（Ｓｄ６）を順に実行し、ゲーム終了時処理が終了すると、再びＢＥＴ処理に戻る。
【０５３９】
Ｓｄ１のステップにおけるＢＥＴ処理では、賭数を設定可能な状態で待機し、遊技状態に応じた規定数の賭数が設定され、スタートスイッチ７が操作された時点で賭数を確定する処理を実行する。
【０５４０】
Ｓｄ２のステップにおける内部抽選処理では、Ｓｄ１のステップにおけるスタートスイッチ７の検出によるゲームスタートと同時に内部抽選用の乱数を抽出し、抽出した乱数の値に基づいて上記した各役への入賞を許容するかどうかを決定する処理を行う。この内部抽選処理では、それぞれの抽選結果に基づいて、ＲＡＭ４１ｃに当選フラグが設定される。
【０５４１】
Ｓｄ３のステップにおけるリール回転処理では、各リール２Ｌ、２Ｃ、２Ｒを回転させる処理、遊技者によるストップスイッチ８Ｌ、８Ｃ、８Ｒの操作が検出されたことに応じて対応するリール２Ｌ、２Ｃ、２Ｒの回転を停止させる処理を実行する。
【０５４２】
Ｓｄ４のステップにおける入賞判定処理では、Ｓｄ３のステップにおいて全てのリール２Ｌ、２Ｃ、２Ｒの回転が停止したと判定した時点で、各リール２Ｌ、２Ｃ、２Ｒに導出された表示結果に応じて入賞が発生したか否かを判定する処理を実行する。
【０５４３】
Ｓｄ５のステップにおける払出処理では、Ｓｄ４のステップにおいて入賞の発生が判定された場合に、その入賞に応じた払出枚数に基づきクレジットの加算並びにメダルの払出等の処理を行う。
【０５４４】
Ｓｄ６のステップにおけるゲーム終了時処理では、次のゲームに備えて遊技状態を設定する処理を実行する。また、ゲーム終了時処理では、ＲＴに関連する制御を行うＲＴ処理についても行われる。また、ゲーム終了時処理の最後に、ＲＡＭ４１ｃにドアコマンド送信要求１を設定し、ドアコマンドの送信を要求する。
【０５４５】
図３７及び図３８は、ＣＰＵ４１ａがＳｄ１のステップにおいて実行するＢＥＴ処理の制御内容を示すフローチャートである。
【０５４６】
ＢＥＴ処理では、まず、ＲＡＭ４１ｃにおいて賭数の値が格納されるＢＥＴカウンタの値をクリアし（Ｓｅ１）、遊技状態に応じた規定数（本実施例では遊技状態に関わらず３）をＲＡＭ４１ｃに設定し（Ｓｅ２）、ＲＡＭ４１ｃにリプレイゲームである旨を示すリプレイゲームフラグが設定されているか否かに基づいて当該ゲームがリプレイゲームであるか否かを判定する（Ｓｅ３）。
【０５４７】
Ｓｅ３のステップにおいて当該ゲームがリプレイゲームであると判定された場合には、ＢＥＴカウンタの値を１加算し（Ｓｅ４）、ＲＡＭ４１ｃに設定された賭数の規定数を参照し、ＢＥＴカウンタの値が規定数であるか否を判定し（Ｓｅ５）、ＢＥＴカウンタの値が規定数でなければＳｅ４のステップに戻り、ＢＥＴカウンタの値が規定数であれば、メダルの投入不可を示す投入不可フラグをＲＡＭ４１ｃに設定し（Ｓｅ６）、Ｓｅ１０のステップに進む。
【０５４８】
Ｓｅ３のステップにおいて当該ゲームがリプレイゲームでないと判定されれば、満タンフラグがＲＡＭ４１ｃに設定されているか否か、すなわち前のゲーム以前にオーバーフロータンク３５の満タン状態が判定されているか否かを判定し（Ｓｅ７）、満タンフラグが設定されていれば、満タン異常を示すエラーコードをレジスタに設定し（Ｓｅ８）、図３４に示すエラー処理に移行する。
【０５４９】
Ｓｅ７のステップにおいて満タンフラグが設定されていなければ、投入待ち前の設定を行い（Ｓｅ９）、Ｓｅ１０のステップに進む。投入待ち前の設定では、ＲＡＭ４１ｃに設定されている投入不可フラグをクリアし、１枚ＢＥＴスイッチ５、ＭＡＸＢＥＴスイッチ６、スタートスイッチ７、精算スイッチ１０の検出を有効化するとともに、メダルの投入が検出された際に、そのメダルが前のゲーム制御終了後、最初に投入されたメダルである旨を示す第１投入フラグをＲＡＭ４１ｃに設定する。
【０５５０】
Ｓｅ１０のステップにおいては、ＲＡＭ４１ｃに投入不可フラグが設定されているか否かに基づいてメダルの投入が可能な状態か否かを判定する。Ｓｅ１０のステップにおいてメダルの投入が可能な状態であると判定された場合には、流路切替ソレノイド３０をｏｎの状態とし、メダルの流路をホッパータンク側の経路としてメダルの投入が可能な状態とし（Ｓｅ１１）、Ｓｅ１３のステップに進み、メダルの投入が可能な状態でないと判定された場合には、流路切替ソレノイド３０をｏｆｆの状態とし、メダルの流路をメダル払出口９側の経路として新たなメダルの投入を禁止し（Ｓｅ１２）、Ｓｅ１３のステップに進む。
【０５５１】
Ｓｅ１３のステップにおいては、投入メダルセンサ３１により投入メダルの通過が検出されたか否かを判定する。Ｓｅ１３のステップにおいて投入メダルの通過が検出されていなければ、Ｓｅ２４のステップに進み、投入メダルの通過が検出されていれば、ＲＡＭ４１ｃに投入不可フラグが設定されているか否かに基づいてメダルの投入が可能な状態か否かを判定し（Ｓｅ１４）、メダルの投入が可能な状態でなければＳｅ２４のステップに進む。
【０５５２】
Ｓｅ１４のステップにおいてメダルの投入が可能な状態であれば、第１投入フラグがＲＡＭ４１ｃに設定されているか否かに基づいてゲーム制御終了後最初の投入であるか否かを判定し（Ｓｅ１５）、ゲーム制御終了後最初の投入でなければＳｅ１９のステップに進み、ゲーム制御終了後、最初の投入であれば、第１投入フラグをクリアし（Ｓｅ１６）、満タンセンサ３５ａが検出されているか否かを判定する（Ｓｅ１７）。Ｓｅ１７のステップにおいて満タンセンサ３５ａが検出されていなければＳｅ１９のステップに進み、満タンセンサ３５ａが検出されている場合には、オーバーフロータンク３５の満タン状態を示す満タンフラグをＲＡＭ４１ｃに設定し（Ｓｅ１８）、Ｓｅ１９のステップに進む。
【０５５３】
Ｓｅ１９のステップでは、ＲＡＭ４１ｃに設定された賭数の規定数を参照し、ＢＥＴカウンタの値が規定数であるか否を判定し、ＢＥＴカウンタの値が規定数でなければ、ＢＥＴカウンタの値を１加算し（Ｓｅ２０）、Ｓｅ１０のステップに戻る。
【０５５４】
Ｓｅ１９のステップにおいてＢＥＴカウンタの値が規定数であれば、ＲＡＭ４１ｃにおいてクレジットの値が格納されるクレジットカウンタの値を１加算し（Ｓｅ２１）、クレジットカウンタの値が上限値である５０であるか否かを判定し（Ｓｅ２２）、クレジットカウンタの値が５０でなければ、Ｓｅ１０のステップに戻り、クレジットカウンタの値が５０であれば投入不可フラグをＲＡＭ４１ｃに設定し（Ｓｅ２３）、Ｓｅ１０のステップに戻る。
【０５５５】
Ｓｅ２４のステップでは、スタートスイッチ７の操作が検出されているか否かを判定する。Ｓｅ２４のステップにおいてスタートスイッチ７の操作が検出されていなければＳｅ２９のステップに進み、スタートスイッチ７の操作が検出されていれば、ＲＡＭ４１ｃに設定された賭数の規定数を参照し、ＢＥＴカウンタの値が規定数であるか否かを判定する（Ｓｅ２５）。
【０５５６】
Ｓｅ２５のステップにおいてＢＥＴカウンタの値が規定数でなければ、Ｓｅ１０のステップに戻り、ＢＥＴカウンタの値が規定数であれば、投入不可フラグをＲＡＭ４１ｃに設定するとともに、流路切替ソレノイド３０をｏｆｆの状態とし、メダルの流路をメダル払出口９側の経路として新たなメダルの投入を禁止し（Ｓｅ２６）、ゲーム開始時の設定を行う（Ｓｅ２７）。ゲーム開始時の設定では、１枚ＢＥＴスイッチ５、ＭＡＸＢＥＴスイッチ６、スタートスイッチ７、精算スイッチ１０の操作の検出を無効化する。そして、Ｓｅ２７のステップの後、賭数、すなわちＢＥＴカウンタの値をメダルＩＮ信号の残り出力回数を示すメダルＩＮ信号出力カウンタの値に加算し（Ｓｅ２８）、ＢＥＴ処理を終了して図３６のフローチャートに復帰する。これに伴い、メダルの投入、１枚ＢＥＴスイッチ５及びＭＡＸＢＥＴスイッチ６の操作の検出に基づく賭数の設定が禁止されるとともに、精算スイッチ１０の操作の検出に基づくクレジットの精算が禁止されることとなる。
【０５５７】
Ｓｅ２９のステップにおいては、１枚ＢＥＴスイッチ５の操作が検出されているか否かを判定する。Ｓｅ２９のステップにおいて１枚ＢＥＴスイッチ５の操作が検出されていなければ、Ｓｅ３４のステップに進み、１枚ＢＥＴスイッチ５の操作が検出されていれば、ＲＡＭ４１ｃに設定された賭数の規定数を参照し、ＢＥＴカウンタの値が規定数であるか否かを判定する（Ｓｅ３０）。Ｓｅ３０のステップにおいてＢＥＴカウンタの値が規定数であればＳｅ１０のステップに戻り、ＢＥＴカウンタの値が規定数でなければ、クレジットカウンタの値が０であるか否かを判定し（Ｓｅ３１）、クレジットカウンタの値が０であればＳｅ１０のステップに戻る。Ｓｅ３１のステップにおいてクレジットカウンタの値が０でなければ、クレジットカウンタの値を１減算し（Ｓｅ３２）、ＢＥＴカウンタの値を１加算して（Ｓｅ３３）、Ｓｅ１０のステップに戻る。
【０５５８】
Ｓｅ３４のステップにおいては、ＭＡＸＢＥＴスイッチ６の操作が検出されているか否かを判定する。Ｓｅ３４のステップにおいてＭＡＸＢＥＴスイッチ６の操作が検出されていなければ、Ｓｅ３９のステップに進み、ＭＡＸＢＥＴスイッチ６の操作が検出されていれば、ＲＡＭ４１ｃに設定された賭数の規定数を参照し、ＢＥＴカウンタの値が規定数であるか否かを判定する（Ｓｅ３５）。Ｓｅ３５のステップにおいてＢＥＴカウンタの値が規定数であればＳｅ１０のステップに戻り、ＢＥＴカウンタの値が規定数でなければ、クレジットカウンタの値が０であるか否かを判定し（Ｓｅ３６）、クレジットカウンタの値が０であればＳｅ１０のステップに戻る。Ｓｅ３６のステップにおいてクレジットカウンタの値が０でなければ、クレジットカウンタの値を１減算し（Ｓｅ３７）、ＢＥＴカウンタの値を１加算して（Ｓｅ３８）、Ｓｅ３５のステップに戻る。
【０５５９】
Ｓｅ３９のステップにおいては、精算スイッチ１０の操作が検出されているか否かを判定する。Ｓｅ３９のステップにおいて精算スイッチ１０の操作が検出されていなければ、Ｓｅ１０のステップに戻り、精算スイッチ１０の操作が検出されていれば、ＲＡＭ４１ｃにリプレイゲームフラグが設定されているか否かに基づいて当該ゲームがリプレイゲームであるか否かを判定し（Ｓｅ４０）、当該ゲームがリプレイゲームであればＳｅ１０のステップに戻る。Ｓｅ４０のステップにおいて当該ゲームがリプレイゲームでなければ、ＢＥＴカウンタの値が０か否かを判定し（Ｓｅ４１）、ＢＥＴカウンタの値が０であればＳｅ３７のステップに進み、ＢＥＴカウンタの値が０でなければ、既に設定済み賭数の精算を行う旨を示す賭数精算フラグをＲＡＭ４１ｃに設定し（Ｓｅ４２）、Ｓｅ４３のステップに進む。Ｓｅ４３のステップにおいては、ホッパーモータ３４ｂを駆動してクレジットカウンタまたはＢＥＴカウンタに格納された値分のメダルを払い出す制御、すなわちクレジットとして記憶されているメダルまたは賭数の設定に用いられたメダルを返却する制御が行われる精算処理を行う。そして、Ｓｅ４３のステップにおける精算処理の後、ＲＡＭ４１ｃに設定されている投入不可フラグをクリアして（Ｓｅ４４）、Ｓｅ１０のステップに戻る。
【０５６０】
図３９は、ＣＰＵ４１ａがＳｄ２のステップにおいて実行する内部抽選処理の制御内容を示すフローチャートである。
【０５６１】
本実施例の内部抽選処理では、まず、当該ゲームの遊技状態に応じて予め定められたメダルの投入枚数である規定数を読み出し（Ｓｇ１）、Ｓｇ２のステップに進む。規定数は、いずれの遊技状態においても３枚とされている。
【０５６２】
Ｓｇ２のステップでは、メダルの投入枚数、すなわちＢＥＴカウンタの値が、Ｓｇ１のステップにて読み出した規定数と一致するか否かを判定し、メダルの投入枚数が規定数と一致すればＳｇ３のステップに進み、メダルの投入枚数が規定数と一致しなければＳｇ４のステップに進む。
【０５６３】
Ｓｇ３のステップでは、ＲＡＭ４１ｃの設定値ワークに格納されている設定値が１〜６の範囲であるか否か、すなわち設定値ワークに格納されている設定値が適正な値か否かを判定し、設定値が１〜６の範囲であればＳｇ５のステップに進み、１〜６の範囲でなければＳｇ４のステップに進む。
【０５６４】
Ｓｇ４のステップでは、ＲＡＭ４１ｃに格納されているデータが正常ではないと判定されたため、ＲＡＭ異常を示すエラーコードをレジスタに格納し、図３４に示すエラー処理に移行する。
【０５６５】
Ｓｇ５のステップでは、当該ゲームに用いる乱数を取得する乱数取得処理を行い、Ｓｇ６のステップに進む。乱数取得処理では、サンプリング回路４３にサンプリング指令を出力し、乱数発生回路４２が発生している乱数をラッチさせ、ラッチさせた乱数の値をＩ／Ｏポート４１ｄから入力して、これを抽出し、抽出した乱数に対して所定の論理演算を行い、その結果を乱数として取得する。
【０５６６】
Ｓｇ６のステップでは、当該ゲームの遊技状態に応じて状態番号（０〜６のいずれか）をＲＡＭ４１ｃに格納し、Ｓｇ７のステップに進む。Ｓｇ７のステップでは、状態番号が示す遊技状態に応じて最初に抽選対象とする役番号をＲＡＭ４１ｃに格納し、Ｓｇ８のステップに進む。Ｓｇ７のステップでは、状態番号が０〜３の場合、すなわち通常遊技状態、ＲＴ（１）、ＲＴ（２）、ＲＴ（３）においていずれの特別役も持ち越されていない場合には、最初に抽選対象とする役番号として０（ビッグボーナス（１））を設定し、状態番号が４、５のいずれかの場合、すなわちＲＴ（２）、ＲＴ（４）においていずれかの特別役が持ち越されている場合には、最初に抽選対象とする役番号として８（リプレイ（１））を設定し、状態番号が６の場合、すなわちレギュラーボーナスの場合には、最初に抽選対象とする役番号として１０（赤チェリー）を設定する。
【０５６７】
Ｓｇ８のステップでは、状態番号が６であるか否か、すなわちレギュラーボーナス中であるか否かを確認し、状態番号が６である場合、すなわちレギュラーボーナス中である場合にはＳｇ１０のステップに進む。状態番号が６でない場合にはＳｇ９のステップに進む。
【０５６８】
Ｓｇ９のステップでは、抽選対象とする役番号が１４であるか否か、すなわちレギュラーボーナス以外の遊技状態において抽選対象となる全ての役の抽選が終了したか否かを確認し、役番号が１４である場合にはＳｇ１１のステップに進む。１４でない場合にはＳｇ１０のステップに進む。
【０５６９】
Ｓｇ１０のステップでは、抽選対象とする役番号が１７であるか否か、すなわちレギュラーボーナスにおいて抽選対象となる全ての役の抽選が終了したか否かを確認し、役番号が１７である場合にはＳｇ１１のステップに進む。１７でない場合にはＳｇ１２のステップに進む。
【０５７０】
Ｓｇ１１のステップでは、ＲＡＭ４１ｃにおいて一般役の当選フラグが格納される一般役格納ワークをクリアして、内部抽選処理を終了し、図３６に示すフローチャートに復帰する。
【０５７１】
Ｓｇ１２のステップでは、処理対象の役番号に対応付けて、役別テーブルに登録されている共通フラグが１か否かを確認し、１である場合にはＳｇ１３のステップに進み、１でない場合にはＳｇ１４のステップに進む。
【０５７２】
Ｓｇ１３のステップでは、処理対象の役番号に対応付けて役別テーブルに登録されているＲＯＭ４１ｂの判定値数の格納領域のアドレスを読み出す。そして、このアドレスに格納されている判定値数を取得して、Ｓｇ１５のステップに進む。
【０５７３】
Ｓｇ１４のステップでは、まず、ＲＡＭ４１ｃに格納されている設定値を読み出し、さらに、処理対象の役番号及び読み出した設定値に対応付けて、役別テーブルに登録されているＲＯＭ４１ｂの判定値数の格納領域のアドレスを読み出す。そして、このアドレスに格納されている判定値数を取得して、Ｓｇ１５のステップに進む。
【０５７４】
Ｓｇ１５のステップでは、内部抽選用の乱数値に、Ｓｇ１３またはＳｇ１４のステップにおいて取得した判定値数を加算し、加算の結果を新たな乱数値とし、Ｓｇ１６のステップに進み、判定値数を内部抽選用の乱数値に加算したときにオーバーフローが生じたかを判定する。尚、オーバーフローの発生は、処理対象の役番号に該当する役が当選した旨を示している。そしてオーバーフローが生じた場合にはＳｇ１８のステップに進み、オーバーフローが生じなかった場合にはＳｇ１７のステップに進む。
【０５７５】
Ｓｇ１７のステップでは、処理対象の役番号に１を加算し、Ｓｇ８のステップに戻る。
【０５７６】
Ｓｇ１８のステップでは、役番号が０〜７であるか、すなわち特別役または特別役を含む役の組み合わせを示す役番号か否かを確認し、役番号が０〜７の場合にはＳｇ１９のステップに進み、役番号が０〜７でない場合にはＳｇ２０のステップに進む。
【０５７７】
Ｓｇ１９のステップでは、ＲＡＭ４１ｃにおいて特別役の当選フラグが格納される特別役格納ワークに、処理対象の役番号に対応する特別役の当選フラグを設定し、Ｓｇ２０のステップでは、ＲＡＭ４１ｃの一般役格納ワークに、処理対象の役番号に対応する一般役の当選フラグを設定して、内部抽選処理を終了し、図３６に示すフローチャートに復帰する。尚、Ｓｇ２０のステップでは、役番号が０〜４の場合、一般役は当選していないため、この場合には、ＲＡＭ４１ｃの一般役格納ワークをクリアする。
【０５７８】
図３９は、ＣＰＵ４１ａがＳｄ３のステップにおいて実行するリール回転処理の制御内容を示すフローチャートである。
【０５７９】
リール回転処理では、まず、前のゲームのリール回転開始時点からウェイトタイム（本実施例では、約４．１秒）が経過したか否かを判定し（Ｓｈ１）、ウェイトタイムが経過していなければ、ウェイトタイムが経過するまで待機する。
【０５８０】
そして、Ｓｈ１のステップにおいてウェイトタイムが経過していれば、ウェイトタイムを新たに設定する（Ｓｈ２）。
【０５８１】
次いで、リールモータの回転開始時の設定を行い、リールの回転を開始させる（Ｓｈ３）。そして、回転中のリール別に仮想滑りコマテーブルの滑りコマ数を設定する滑りコマ数設定処理を行い（Ｓｈ４）、停止準備完了時の設定を行う（Ｓｈ５）。これにより、停止操作を有効化させることが可能な状態となり、その後、後述するタイマ割込処理の原点通過時処理において、リールの定速回転が検出された時点で、停止操作が有効となる。
【０５８２】
次いで、ストップスイッチ８Ｌ、８Ｃ、８Ｒのいずれかのストップスイッチの操作が検出されたか否かを判定し（Ｓｈ６）、いずれのストップスイッチの操作も検出されていなければ、リール回転エラー（一定期間以上、リールセンサ３３によりリール基準位置が検出されない場合に判定されるエラー）が発生したか否かを判定し（Ｓｈ７）、リール回転エラーが発生していなければ、更に、投入エラー（メダルの投入が許可されている期間以外で、メダルの投入を検出した場合に判定されるエラー）が発生したか否か、及び払出エラー（メダルの払出が許可されている期間以外で、メダルの払出を検出した場合に判定されるエラー）が発生したか否かを判定し（Ｓｈ８、Ｓｈ９）、Ｓｈ７〜Ｓｈ９のステップにおいていずれのエラーの発生も判定されなければ、Ｓｈ６のステップに戻る。
【０５８３】
また、Ｓｈ８のステップにおいて投入エラーの発生が判定された場合、またはＳｈ９のステップにおいて払出エラーが判定された場合には、リール回転中の投入・払出エラーを示すエラーコードをレジスタに設定し（Ｓｈ１０）、図３４に示すエラー処理に移行する（Ｓｈ１１）。そして、エラーが解除された場合には、再びＳｈ６のステップに戻る。
【０５８４】
また、Ｓｈ７のステップにおいてリール回転エラーの発生が判定された場合には、リール回転エラーを示すエラーコードをレジスタに設定し（Ｓｈ１２）、図３４に示すエラー処理に移行する（Ｓｈ１３）。これに伴い、リールの回転も一時的に停止する。そして、エラーが解除された場合には、再びＳｈ３のステップに戻り、リールの回転が再開する。
【０５８５】
また、Ｓｈ６のステップにおいていずれかのストップスイッチの操作が検出された場合には、ストップスイッチに対応するリールモータにおける、その時点のリール基準位置からのステップ数（停止操作位置となるステップ数）を取得し、停止リールに対応するワークに設定した後（Ｓｈ１４）、停止操作に対応するリールの回転が停止するまで待機する（Ｓｈ１５）。
【０５８６】
そして、停止操作に対応するリールの回転が停止すると、全てのリールが停止したか否かを判定し（Ｓｈ１６）、全てのリールが停止していなければ、Ｓｈ４のステップに戻り、全てのリールが停止していれば、リール回転処理を終了して、図３６のフローチャートに復帰する。
【０５８７】
以上のようにリール回転処理では、リール２Ｌ、２Ｃ、２Ｒの回転が開始した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。尚、リール回転エラーの発生により、一時的にリールの回転が停止した場合でも、その後リール回転が再開した後、ストップスイッチ８Ｌ、８Ｃ、８Ｒの操作が検出されるまで、停止操作が未だ検出されていないリールの回転を継続し、ストップスイッチ８Ｌ、８Ｃ、８Ｒの操作が検出されたことを条件に、対応するリールに表示結果を停止させる制御を行うようになっている。
【０５８８】
図４１は、ＣＰＵ４１ａがＳｄ５のステップにおいて実行する払出処理の制御内容を示すフローチャートである。
【０５８９】
払出処理では、Ｓｄ４のステップにおける入賞判定処理の結果、入賞の発生が判定された際に設定されたメダルの付与枚数と既に払い出されたメダル枚数を示す払出枚数を比較し、払出が終わったか否かを確認する（Ｓｉ１）。
【０５９０】
そして払出が終わっていなければ、クレジットが上限に到達しているか否かに基づいてクレジットに加算できるか否かを確認し（Ｓｉ２）、クレジットに加算できる場合には、クレジットを１加算した（Ｓｉ３）後、メダルＯＵＴ信号の残り出力回数を示すメダルＯＵＴ信号出力カウンタの値を１加算し（Ｓｉ４）、Ｓｉ５のステップに進み、払出枚数を加算し、クレジット払出間隔の時間待ちを行った（Ｓｉ７）後、再びＳｉ１のステップに戻る。
【０５９１】
Ｓｉ２のステップにおいてクレジットに加算できない場合には、１枚払出処理を行った（Ｓｉ７）後、メダルＯＵＴ信号出力カウンタの値を１加算し（Ｓｉ８）、Ｓｉ９のステップに進み、払出枚数を加算し、再びＳｉ１のステップに戻る。
【０５９２】
Ｓｉ７のステップにおける１枚払出処理では、ホッパーモータ３４ｂを駆動してメダルを１枚払い出す制御を行っており、払出センサ３４ｃにより１枚のメダルの払出が正常に検出された場合のみＳｉ８のステップに進む。また、メダル詰まりが発生してないか、またはメダル切れになっていないか否かを監視し、メダル詰まり、またはメダル切れになっていると判定したとき、ホッパーモータ３４ｂを停止し、払出エラーをレジスタに設定し、図３４に示すエラー処理に移行する。そして払出エラーが解除された後、Ｓｇ１のステップに戻る。
【０５９３】
Ｓｉ１のステップにおいて払出が終わっていれば、ホッパーモータ３４ｂの駆動を停止し（Ｓｉ１０）、終了時処理へ移行する。
【０５９４】
このように、払出処理においては、１枚払出処理によってメダルの払出が払出センサ３４ｃに１枚検出される毎、またはクレジットを１加算する毎にメダルＯＵＴ出力カウンタの値を１加算する制御が行われるようになっている。
【０５９５】
図４２は、ＣＰＵ４１ａがＳｄ６のゲーム終了時処理において実行するＲＴ処理の制御内容を示すフローチャートである。
【０５９６】
ＲＴ処理では、まず、ＲＡＭ４１ｃにＲＴ（１）中フラグが設定されているか否かに基づいてＲＴ（１）中か否かを判定し（Ｓｊ１）、ＲＴ（１）中でなければ、Ｓｊ７のステップに進む。Ｓｊ１のステップにおいてＲＴ（１）中であれば、ＲＴの残りゲーム数を格納するためにＲＡＭ４１ｃに割り当てられたＲＴゲーム数カウンタの値を１減算し（Ｓｊ２）、残りＲＴゲーム数が０か、すなわちＲＴゲーム数カウンタの値が０か否かを判定する（Ｓｊ３）。Ｓｊ３のステップにおいて残りＲＴゲーム数が０でなければ、Ｓｊ４のステップに進み、いずれかの特別役が当選したか否かを判定し、いずれの特別役も当選していなければＳｊ７のステップに進む。Ｓｊ３のステップにおいて残りＲＴゲーム数が０の場合、及びＳｊ４のステップにおいていずれかの特別役が当選している場合には、ＲＡＭ４１ｃに設定されているＲＴ（１）中フラグをクリアし（Ｓｊ５）、残りＲＴゲーム数をクリアし（Ｓｊ６）、ＲＴ（１）を終了させてＳｊ７のステップに進む。
【０５９７】
Ｓｊ７のステップでは、ＲＡＭ４１ｃにＲＴ（２）中フラグが設定されているか否かに基づいてＲＴ（２）中か否かを判定し、ＲＴ（２）中でなければ、Ｓｊ１５のステップに進む。Ｓｊ７のステップにおいてＲＴ（２）中であれば、ＲＴゲーム数カウンタの値を１減算し（Ｓｊ８）、残りＲＴゲーム数が０か、すなわちＲＴゲーム数カウンタの値が０か否かを判定する（Ｓｊ９）。Ｓｊ９のステップにおいて残りＲＴゲーム数が０でなければ、Ｓｊ１０のステップに進み、いずれかの特別役が入賞したか否かを判定し、いずれの特別役も入賞していなければＳｊ１１のステップに進む。Ｓｊ１１のステップでは、いずれかの転落役が入賞したか否かを判定し、いずれかの転落役が入賞していればＳｊ１２のステップに進み、いずれの転落役も入賞していなければＳｊ１５のステップに進む。Ｓｊ１２のステップでは、いずれかの特別役が当選しているか否かを判定し、いずれかの特別役が当選していればＳｊ１５のステップに進む。Ｓｊ９のステップにおいて残りＲＴゲーム数が０の場合、Ｓｊ１０のステップにおいていずれかの特別役が入賞している場合、Ｓｊ１１のステップにおいていずれかの転落役が入賞しており、かつＳｊ１２のステップにおいていずれの特別役も当選していない場合には、ＲＡＭ４１ｃに設定されているＲＴ（２）中フラグをクリアし（Ｓｊ１３）、残りＲＴゲーム数をクリアし（Ｓｊ１４）、ＲＴ（２）を終了させてＳｊ１５のステップに進む。
【０５９８】
Ｓｊ１５のステップでは、ＲＡＭ４１ｃにＲＴ（３）中フラグが設定されているか否かに基づいてＲＴ（３）中か否かを判定し、ＲＴ（３）中でなければ、Ｓｊ２１のステップに進む。Ｓｊ１５のステップにおいてＲＴ（３）中であれば、ＲＴゲーム数カウンタの値を１減算し（Ｓｊ１６）、残りＲＴゲーム数が０か、すなわちＲＴゲーム数カウンタの値が０か否かを判定する（Ｓｊ１７）。Ｓｊ１７のステップにおいて残りＲＴゲーム数が０でなければ、Ｓｊ１８のステップに進み、いずれかの特別役が当選したか否かを判定し、いずれの特別役も当選していなければＳｊ２１のステップに進む。Ｓｊ１７のステップにおいて残りＲＴゲーム数が０の場合、及びＳｊ１８のステップにおいていずれかの特別役が当選している場合には、ＲＡＭ４１ｃに設定されているＲＴ（３）中フラグをクリアし（Ｓｊ１９）、残りＲＴゲーム数をクリアし（Ｓｊ２０）、ＲＴ（３）を終了させてＳｊ２１のステップに進む。
【０５９９】
Ｓｊ２１のステップでは、ＲＡＭ４１ｃにＲＴ（４）中フラグが設定されているか否かに基づいてＲＴ（４）中か否かを判定し、ＲＴ（４）中でなければ、Ｓｊ２４のステップに進む。Ｓｊ２１のステップにおいてＲＴ（４）中であれば、Ｓｊ２２のステップに進み、いずれかの特別役が入賞したか否かを判定し、いずれの特別役も入賞していなければＳｊ２４のステップに進む。Ｓｊ２２のステップにおいていずれかの特別役が入賞していれば、ＲＡＭ４１ｃに設定されているＲＴ（４）中フラグをクリアし（Ｓｊ２３）、ＲＴ（４）を終了させてＳｊ２４のステップに進む。
【０６００】
Ｓｊ２４のステップでは、リプレイ（２）が入賞したか否かを判定し、リプレイ（２）が入賞していなければＳｊ３０のステップに進み、リプレイ（２）が入賞していれば、いずれかの特別役が当選しているか否かを判定する（Ｓｊ２５）。Ｓｊ２５のステップにおいていずれかの特別役が当選していればＳｊ３０のステップに進み、いずれの特別役も当選していなければＳｊ２６のステップに進む。Ｓｊ２６のステップでは、ＲＡＭ４１ｃにＲＴ（１）中フラグ、またはＲＴ（３）中フラグが設定されているか否かに基づいてＲＴ（１）中、またはＲＴ（３）中か否かを判定し、ＲＴ（１）中でもなく、ＲＴ（３）中でもなければＳｊ２８のステップに進む。Ｓｊ２６のステップにおいて、ＲＴ（１）中であればＲＴ（１）中フラグをクリアし（Ｓｊ２７）、Ｓｊ２８のステップに進み、ＲＴ（３）中であればＲＴ（３）中フラグをクリアし（Ｓｊ２７）、Ｓｊ２８のステップに進む。Ｓｊ２８のステップでは、ＲＴゲーム数カウンタに２００を設定し、ＲＡＭ４１ｃにＲＴ（２）中フラグを設定し（Ｓｊ２９）、遊技状態をＲＴ（２）に移行させた後、Ｓｊ３０のステップに進む。
【０６０１】
Ｓｊ３０のステップでは、いずれかの特別役が当選しているか否かを判定し、いずれの特別役も当選していなければＳｊ３３のステップに進む。Ｓｊ３０のステップにおいて、いずれかの特別役が当選していれば、Ｓｊ３１のステップに進み、ＲＡＭ４１ｃにＲＴ（２）中フラグ、またはＲＴ（４）中フラグが設定されているか否かに基づいてＲＴ（２）中、またはＲＴ（４）中か否かを判定し、ＲＴ（２）中、またはＲＴ（４）中であればＳｊ３３のステップに進む。Ｓｊ３１のステップにおいてＲＴ（２）中でもなく、ＲＴ（４）中でもなければＲＡＭ４１ｃにＲＴ（４）中フラグを設定し（Ｓｊ３２）、遊技状態をＲＴ（４）に移行させた後、Ｓｊ３３のステップに進む。
【０６０２】
Ｓｊ３３のステップでは、いずれかのチェリーが入賞しているか否かを判定し、いずれのチェリーも入賞していなければＳｊ３７のステップに進む。Ｓｊ３３のステップにおいて、いずれかのチェリーが入賞していればＳｊ３４のステップに進み、通常遊技状態であるか否かを判定し、通常遊技状態でなければＳｊ３７のステップに進む。Ｓｊ３４のステップにおいて通常遊技状態であればＲＴゲーム数カウンタに５を設定し（Ｓｊ３５）、ＲＡＭ４１ｃにＲＴ（３）中フラグを設定し（Ｓｊ３６）、遊技状態をＲＴ（３）に移行させた後、Ｓｊ３７のステップに進む。
【０６０３】
Ｓｊ３７のステップでは、ビッグボーナス（１）の終了ゲームか否かを判定し、ビッグボーナス（１）の終了ゲームでなければ、Ｓｊ４０のステップに進み、ビッグボーナス（１）の終了ゲームであれば、ＲＴゲーム数カウンタに５０を設定し（Ｓｊ３８）、ＲＡＭ４１ｃにＲＴ（１）中フラグを設定し（Ｓｊ３９）、遊技状態をＲＴ（１）に移行させた後、Ｓｊ４０のステップに進む。
【０６０４】
Ｓｊ４０のステップでは、ビッグボーナス（２）の終了ゲームか否かを判定し、ビッグボーナス（２）の終了ゲームでなければ、ＲＴ処理を終了して元の処理に復帰し、ビッグボーナス（２）の終了ゲームであれば、ＲＴゲーム数カウンタに２０を設定し（Ｓｊ４１）、ＲＡＭ４１ｃにＲＴ（１）中フラグを設定し（Ｓｊ４２）、遊技状態をＲＴ（１）に移行させた後、ＲＴ処理を終了して元の処理に復帰する。
【０６０５】
図４３及び図４４は、ＣＰＵ４１ａが割込３の発生に応じて、すなわち０．５６ｍｓの間隔で起動処理やゲーム処理に割り込んで実行するタイマ割込処理（メイン）の制御内容を示すフローチャートである。
【０６０６】
タイマ割込処理（メイン）においては、まず、割込を禁止する（Ｓｋ１）。すなわち、タイマ割込処理の実行中に他の割込処理が実行されることを禁止する。そして、使用中のレジスタをスタック領域に退避した後（Ｓｋ２）、入力ポートから各種スイッチ類の検出データを入力するポート入力処理を行う（Ｓｋ３）。
【０６０７】
次いで、４種類のタイマ割込１〜４から当該タイマ割込処理（メイン）において実行すべきタイマ割込を識別するための分岐用カウンタを１進める（Ｓｋ４）。Ｓｋ４のステップでは、分岐用カウンタ値が０〜２の場合に１が加算され、カウンタ値が３の場合に０に更新される。すなわち分岐用カウンタ値は、タイマ割込処理が実行される毎に、０→１→２→３→０・・・の順番でループする。
【０６０８】
次いで、分岐用カウンタ値を参照して２または３か、すなわちタイマ割込３またはタイマ割込４かを判定し（Ｓｋ５）、タイマ割込３またはタイマ割込４ではない場合、すなわちタイマ割込１またはタイマ割込２の場合には、リールモータ３２Ｌ、３２Ｃ、３２Ｒの始動時または定速回転中か否かを確認し、リールモータ３２Ｌ、３２Ｃ、３２Ｒの始動時または定速回転中であれば、後述するＳｋ９のモータステップ処理において変更した位相信号データや後述するＳｋ２５の最終停止処理において変更した位相信号データを出力するモータ位相信号出力処理を実行する（Ｓｋ６）。
【０６０９】
次いで、分岐用カウンタ値を参照して１か否か、すなわちタイマ割込２か否かを判定し（Ｓｋ７）、タイマ割込２ではない場合、すなわちタイマ割込１の場合には、リールモータ３２Ｌ、３２Ｃ、３２Ｒの始動時のステップ時間間隔の制御を行うリール始動処理（Ｓｋ８）、リールモータ３２Ｌ、３２Ｃ、３２Ｒの位相信号データの変更を行うモータステップ処理（Ｓｋ９）、リールモータ３２Ｌ、３２Ｃ、３２Ｒの停止後、一定時間経過後に位相信号を１相励磁に変更するモータ位相信号スタンバイ処理（Ｓｋ１０）を順次実行した後、Ｓｋ２においてスタック領域に退避したレジスタを復帰し（Ｓｋ２１）、Ｓｋ１のステップにおいて禁止した割込を許可して（Ｓｋ２２）、割込前の処理に戻る。
【０６１０】
また、Ｓｋ７のステップにおいてタイマ割込２の場合には、各種表示器をダイナミック点灯させるＬＥＤダイナミック表示処理（Ｓｋ１１）、各種ＬＥＤ等の点灯信号等のデータを出力ポートへ出力する制御信号等出力処理（Ｓｋ１２）、各種ソフトウェア乱数を更新する乱数更新処理（Ｓｋ１３）、各種時間カウンタを更新する時間カウンタ更新処理（Ｓｋ１４）、ドア開放検出スイッチ２５の検出状態の監視、ドアコマンドの送信要求、送信命令などを行うドア監視処理（Ｓｋ１５）、通常コマンド送信用バッファまたはドアコマンド送信用バッファに格納されているコマンドをサブ制御部９１に対して送信するコマンド送信処理（Ｓｋ１６）、外部出力信号を更新する外部出力信号更新処理（Ｓｋ１７）を順次実行した後、Ｓｋ２においてスタック領域に退避したレジスタを復帰し（Ｓｋ２１）、Ｓｋ１のステップにおいて禁止した割込を許可して（Ｓｋ２２）、割込前の処理に戻る。
【０６１１】
また、Ｓｋ５のステップにおいてタイマ割込３またはタイマ割込４であれば、更に、分岐用カウンタ値を参照して３か否か、すなわちタイマ割込４か否かを判定し（Ｓｋ１８）、タイマ割込４でなければ、すなわちタイマ割込３であれば、回転中のリール２Ｌ、２Ｃ、２Ｒの原点通過（リール基準位置の通過）をチェックし、リール回転エラーの発生を検知するとともに、停止準備が完了しているか（停止準備完了コードが設定されているか）を確認し、停止準備が完了しており、かつ定速回転中であれば、回転中のリールに対応するストップスイッチの操作を有効化する原点通過時処理（Ｓｋ１９）、各種スイッチ類の検出信号に基づいてこれら各種スイッチが検出条件を満たしているか否かを判定するスイッチ入力判定処理（Ｓｋ２０）を順次実行した後、Ｓｋ２においてスタック領域に退避したレジスタを復帰し（Ｓｋ２１）、Ｓｋ１のステップにおいて禁止した割込を許可して（Ｓｋ２２）、割込前の処理に戻る。
【０６１２】
また、Ｓｋ１８のステップにおいてタイマ割込４であれば、ストップスイッチ８Ｌ、８Ｃ、８Ｒの検出、または自動停止制御に伴って停止リールのワークに停止操作位置が格納されたときに、停止リールのワークに格納された停止操作位置から停止位置を決定し、何ステップ後に停止すれば良いかを算出する停止スイッチ処理（Ｓｋ２３）、停止スイッチ処理で算出された停止までのステップ数をカウントして、停止する時期になったら２相励磁によるブレーキを開始する停止処理（Ｓｋ２４）、停止処理においてブレーキを開始してから一定時間後に３相励磁とする最終停止処理（Ｓｋ２５）を順次実行した後、Ｓｋ２においてスタック領域に退避したレジスタを復帰し（Ｓｋ２１）、Ｓｋ１のステップにおいて禁止した割込を許可して（Ｓｋ２２）、割込前の処理に戻る。
【０６１３】
図４５は、ＣＰＵ４１ａが前述したタイマ割込処理（メイン）のタイマ割込４内において実行する停止スイッチ処理の制御内容を示すフローチャートである。
【０６１４】
停止スイッチ処理では、まず、左、中、右の順番で全てのリールについて、該当するリールのワークに停止操作位置が設定されているか否か、すなわち停止操作が検出されたか、或いは自動停止により停止が指示されたかを判定し（Ｓｋ１０１、Ｓｋ１０２）、全てのリールについて停止操作が検出されていないか、停止が指示されていなければ、停止スイッチ処理を終了し、図４４のフローチャートに復帰する。
【０６１５】
また、Ｓｋ１０１のステップにおいて、いずれかのリールの停止操作が検出されている場合もしくはリールの停止が指示されている場合には、Ｓｋ１０３のステップに進む。
【０６１６】
Ｓｋ１０３のステップでは、当該リールに対応する仮想滑りコマテーブルを参照し、停止リールに対応するワークに設定されている停止操作位置のステップ数を含む領域番号から、停止位置となる領域番号を特定し、Ｓｋ１０４のステップに進み、現在のリール基準位置からのステップ数から、Ｓｋ１０３のステップにおいて特定した停止位置までに要するステップ数を算出し、算出したステップ数を設定した後、停止スイッチ処理を終了し、図４４のフローチャートに復帰する。
【０６１７】
図４６は、ＣＰＵ４１ａが前述したタイマ割込処理（メイン）のタイマ割込２内において実行するドア監視処理の制御内容を示すフローチャートである。
【０６１８】
ドア監視処理では、まず、ドア開放検出スイッチ２５の入力状態の履歴（ポート入力処理において取得したドア開放検出スイッチ２５の正論理化した検出信号の確定状態を約１００ｍｓ論理和し続けた値）であるドアセンサ履歴を更新する（Ｓｋ２０１）。すなわちドア開放検出スイッチ２５の正論理化した検出信号の確定状態とドアセンサ履歴との論理和をとって新たなドアセンサ履歴とする。
【０６１９】
次いで、ドア監視タイマの値が０か否か、すなわち前回の監視から約１００ｍｓが経過したか否かを判定し（Ｓｋ２０２）、ドア監視タイマの値が０でなければ、ドア監視タイマの値を１減算し（Ｓｋ２０３）、ドア監視処理を終了し、図４４のフローチャートに復帰する。
【０６２０】
Ｓｋ２０２のステップにおいてドア監視タイマの値が０であれば、ドアコマンド送信要求２が設定されているか否か、すなわち起動時において電源投入コマンドまたは初期化コマンドの送信を優先するために、ドアコマンドが送信待ちの状態か否かを判定し（Ｓｋ２０４）、ドアコマンド送信要求２が設定されていれば、ドア監視処理を終了し、図４４のフローチャートに復帰する。Ｓｋ２０４のステップにおいてドアコマンド送信要求２が設定されているか否かを判定し、ドアコマンド送信要求２が設定されている場合に、ドア監視処理を終了することで、ドアコマンド送信用バッファの値が更新されないようになっており、電源投入コマンドまたは初期化コマンドによる送信待ちの間に、ドアコマンド送信用バッファの値、すなわち起動後、最初のドア開放検出スイッチ２５の検出状態を示すドアコマンドが上書きされないようになっている。
【０６２１】
Ｓｋ２０４のステップにおいてドアコマンド送信要求２が設定されていなければ、ドア監視タイマの値として４４を設定し（Ｓｋ２０５）、新たに１００ｍｓの計時を開始する。そしてドアセンサ履歴をレジスタに取得し、ＲＡＭ４１ｃのドアセンサ履歴をクリアした後（Ｓｋ２０６）、レジスタに取得したドアセンサ履歴が示すドア開放検出スイッチ２５の検出状態と、ドアコマンド送信用バッファに格納されているドアコマンドが示すドア開放検出スイッチ２５の検出状態と、を比較し、ドア開放検出スイッチ２５の検出状態に変化があるか否かを判定する（Ｓｋ２０７）。
【０６２２】
Ｓｋ２０７のステップにおいてドア開放検出スイッチ２５の検出状態に変化がなければ、ドアコマンド送信要求１が設定されているか否か、すなわちＣＰＵ４１ａの起動またはゲームの終了に伴いドアコマンドの送信が要求されているか否かを判定し（Ｓｋ２０８）、ドアコマンド送信要求１が設定されていなければ、ドア監視処理を終了し、図４４のフローチャートに復帰する。
【０６２３】
Ｓｋ２０７のステップにおいてドア開放検出スイッチ２５の検出状態に変化がある場合、またはＳｋ２０８のステップにおいてドアコマンド送信要求１が設定されている場合には、ドアコマンド送信要求をクリアするとともに、ドアコマンド送信要求２を設定し（Ｓｋ２０９）、レジスタに取得したドアセンサ履歴（変化後のドア開放検出スイッチ２５の検出状態）に基づくドアコマンドをドアコマンド送信用バッファに格納する（Ｓｋ２１０）ことで、変化後のドアコマンドの送信を命令し、ドア開放信号更新要求を設定する（Ｓｋ２１１）ことで、ドア開放信号の出力状態を変化後の出力状態に更新することを要求した後、ドア監視処理を終了し、図４３のフローチャートに復帰する。
【０６２４】
図４７は、ＣＰＵ４１ａが前述したタイマ割込処理（メイン）のタイマ割込２内において実行するコマンド送信処理の制御内容を示すフローチャートである。
【０６２５】
コマンド送信処理では、まず、電源投入コマンドまたは初期化コマンドの送信遅延中か否かを判定し（Ｓｋ３０１）、電源投入コマンドまたは初期化コマンドの送信遅延中であれば、Ｓｋ３０８のステップに進み、電源投入コマンドまたは初期化コマンドの送信遅延中でなければ、未送信の電源投入コマンドまたは初期化コマンドが通常コマンド送信用バッファに格納されているか否かを判定する（Ｓｋ３０２）。
【０６２６】
Ｓｋ３０２のステップにおいて未送信の電源投入コマンドまたは初期化コマンドが通常コマンド送信用バッファに格納されている場合には、Ｓｋ３０７のステップに進み、未送信の電源投入コマンドまたは初期化コマンドが通常コマンド送信用バッファに格納されていない場合には、通常コマンドの送信遅延中か否かを判定する（Ｓｋ３０３）。
【０６２７】
Ｓｋ３０３のステップにおいて通常コマンドの送信遅延中であれば、Ｓｋ３０８のステップに進み、通常コマンドの送信遅延中でなければ、ドアコマンドの送信遅延中か否かを判定し（Ｓｋ３０４）、ドアコマンドの送信遅延中であれば、Ｓｋ３０８のステップに進み、ドアコマンドの送信遅延中でなければドアコマンド送信要求２が設定されているか、すなわちドアコマンドの送信が命令されているか否かを判定する（Ｓｋ３０５）。
【０６２８】
Ｓｋ３０５のステップにおいてドアコマンドの送信要求２が設定されていなければ、未送信の通常コマンドが通常コマンド送信用バッファに格納されているか否かを判定し（Ｓｋ３０６）、未送信の通常コマンドが通常コマンド送信用バッファに格納されている場合には、Ｓｋ３０７のステップに進み、未送信の通常コマンドが通常コマンド送信用バッファに格納されていない場合には、コマンド送信処理を終了し、図４３に示すフローチャートに復帰する。
【０６２９】
Ｓｋ３０７のステップでは、コマンド遅延用の乱数値（０〜１７）を取得し、遅延カウンタに格納し、Ｓｋ３０８のステップに進む。
【０６３０】
Ｓｋ３０８のステップでは、遅延カウンタ値を１減算した後、Ｓｋ３０９のステップに進み、遅延カウンタ値が０か否かを判定し、遅延カウンタ値が０でない場合には、コマンド送信処理を終了し、図４３に示すフローチャートに復帰する。
【０６３１】
Ｓｋ３０９のステップにおいて遅延カウンタ値が０の場合には、ドアコマンドの送信時か否かを判定し（Ｓｋ３１０）、ドアコマンドの送信時であれば、ドアコマンド送信要求２をクリアし、ドアコマンド送信用バッファのアドレスを設定し（Ｓｋ３１１）、Ｓｋ３１５のステップに進む。尚、ドアコマンド送信要求２は、ドア監視処理で設定された後、当該ドアコマンド送信要求２の設定に伴うドアコマンドが送信される直前までクリアされないため、ドアコマンド送信要求２が設定された後、電源投入コマンドまたは初期化コマンドによるドアコマンドの送信待ちの間に、ドアコマンド送信用バッファの値、すなわち起動後、最初のドア開放検出スイッチ２５の検出状態を示すドアコマンドが上書きされることがない。
【０６３２】
Ｓｋ３１０のステップにおいてドアコマンドの送信時でなければ、電源投入コマンドまたは初期化コマンドの送信時か否かを判定し（Ｓｋ３１２）、電源投入コマンドまたは初期化コマンドの送信時であれば、通常コマンド送信用バッファの電源投入コマンドまたは初期化コマンドが格納されているアドレスを設定し（Ｓｋ３１３）、Ｓｋ３１５のステップに進む。
【０６３３】
Ｓｋ３１２のステップにおいて電源投入コマンドまたは初期化コマンドの送信時ではない場合、すなわち通常コマンドの送信時であれば、通常コマンド送信用バッファの送信ポインタが示すアドレスを設定し（Ｓｋ３１４）、Ｓｋ３１５のステップに進む。
【０６３４】
Ｓｋ３１５のステップでは、Ｓｋ３１１、Ｓｋ３１３、Ｓｋ３１４のステップにおいて設定されたアドレスに格納されているコマンドを読み出し、サブ制御部９１に対して送信し、コマンド送信処理を終了して、図４３に示すフローチャートに復帰する。
【０６３５】
図４８は、ＣＰＵ４１ａが前述したタイマ割込処理（メイン）のタイマ割込２内において実行する外部出力信号更新処理の制御内容を示すフローチャートである。
【０６３６】
外部出力信号更新処理では、まず、ＢＢ中信号の設定に変更があるか否かを判定し（Ｓｋ４０１）、ＢＢ中信号の設定に変更がなければ、Ｓｋ４０３のステップに進み、ＢＢ中信号の設定に変更があれば、ＢＢ中の信号を変更後の出力状態に更新し（Ｓｋ４０２）、Ｓｋ４０３のステップに進む。
【０６３７】
Ｓｋ４０３のステップにおいて、ＲＢ中信号の設定に変更があるか否かを判定し、ＲＢ中信号の設定に変更がなければ、Ｓｋ４０５のステップに進み、ＲＢ中信号の設定に変更があれば、ＲＢ中の信号を変更後の出力状態に更新し（Ｓｋ４０４）、Ｓｋ４０５のステップに進む。
【０６３８】
Ｓｋ４０５のステップにおいて、ドア開放信号の更新要求があるか否かを判定し、ドア開放信号の更新要求がなければ、Ｓｋ４０７のステップに進み、ドア開放信号の更新要求があれば、ドア開放信号を変更後の出力状態に更新し（Ｓｋ４０６）、Ｓｋ４０７のステップに進む。
【０６３９】
Ｓｋ４０７のステップにおいて、エラー状態、または設定変更中であるか否かを判定し、エラー状態、または設定変更中でなければ、Ｓｋ４０９のステップに進み、エラー状態、または設定変更中であれば、対応する信号をＯＮに更新し（Ｓｋ４０８）、Ｓｋ４０９のステップに進む。
【０６４０】
Ｓｋ４０９のステップにおいて、エラー状態が解除しているか、または設定変更が終了しているか否かを判定し、エラー状態が解除していないか、または設定変更が終了していなければ、Ｓｋ４１１のステップに進み、エラー状態が解除しているか、または設定変更が終了していれば、対応する信号をＯＦＦに更新し（Ｓｋ４１０）、Ｓｋ４１１のステップに進む。
【０６４１】
Ｓｋ４１１のステップにおいて、メダルＩＮ信号及びメダルＯＵＴ信号の更新間隔を計時するための更新待ちカウンタの値が０か否かを判定し、更新待ちカウンタ値が０でなければ、外部出力信号送信処理を終了し（Ｓｋ４１２）、図４３に示すフローチャートに復帰する。
【０６４２】
Ｓｋ４１１のステップにおいて、更新待ちカウンタの値が０であれば、メダルＩＮ信号がＯＮであるか否かを判定し（Ｓｋ４１３）、メダルＩＮ信号がＯＮであれば、メダルＩＮ信号をＯＦＦに更新し（Ｓｋ４１４）、更新待ちカウンタに初期値（予め定められた更新待ち時間に応じた値）を設定し（Ｓｋ４２３）、図４３に示すフローチャートに復帰する。
【０６４３】
Ｓｋ４１３のステップにおいて、メダルＩＮ信号がＯＮでなければ、Ｓｋ４１５のステップに進む。
【０６４４】
Ｓｋ４１５のステップにおいて、メダルＯＵＴ信号がＯＮであるか否かを判定し、メダルＯＵＴ信号がＯＮであれば、メダルＯＵＴ信号をＯＦＦに更新し（Ｓｋ４１６）、更新待ちカウンタに初期値を設定し（Ｓｋ４２３）、図４３に示すフローチャートに復帰する。
【０６４５】
Ｓｋ４１５のステップにおいて、メダルＯＵＴ信号がＯＮでなければ、Ｓｋ４１７のステップに進む。
【０６４６】
Ｓｋ４１７のステップにおいて、メダルＩＮ信号出力カウンタの値が０か否かを判定し、メダルＩＮ信号出力カウンタの値が０であれば、Ｓｋ４２０のステップに進み、メダルＩＮ信号出力カウンタの値が０でなければ、メダルＩＮ信号をＯＮに更新し（Ｓｋ４１８）、メダルＩＮ信号出力カウンタの値を１減算し（Ｓｋ４１９）、更新待ちカウンタに初期値を設定し（Ｓｋ４２３）、図４３に示すフローチャートに復帰する。
【０６４７】
Ｓｋ４２０のステップにおいて、メダルＯＵＴ信号出力カウンタの値が０か否かを判定し、メダルＯＵＴ信号出力カウンタの値が０であれば、図４３に示すフローチャートに復帰し、メダルＯＵＴ信号出力カウンタの値が０でなければ、メダルＯＵＴ信号をＯＮに更新し（Ｓｋ４２１）、メダルＯＵＴ信号出力カウンタの値を１減算し（Ｓｋ４２２）、更新待ちカウンタに初期値を設定し（Ｓｋ４２３）、図４３に示すフローチャートに復帰する。
【０６４８】
このように、外部出力信号更新処理においてＣＰＵ４１ａがメダルＩＮ信号出力カウンタ及びメダルＯＵＴ信号出力カウンタをタイマ割込処理（メイン）により監視し、メダルの投入またはクレジットにより賭数が設定された後、スタートスイッチ７が検出され、メダルＩＮ信号出力カウンタが加算された場合に、メダルＩＮ信号が出力され、メダルの払出が検出され、メダルＯＵＴ信号出力カウンタが加算された場合に、メダルＯＵＴ信号出力されるようになっている。
【０６４９】
図４９は、ＣＰＵ４１ａが割込２の発生に応じて、すなわち電断検出回路４８からの電圧低下信号が入力されたときに起動処理やゲーム処理に割り込んで実行する電断割込処理（メイン）の制御内容を示すフローチャートである。
【０６５０】
電断割込処理（メイン）においては、まず、割込を禁止する（Ｓｍ１）。すなわち電断割込処理（メイン）の開始にともなってその他の割込処理が実行されることを禁止する。次いで、使用している可能性がある全てのレジスタをスタック領域に退避する（Ｓｍ２）。尚、前述したＩレジスタ及びＩＹレジスタの値は使用されているが、起動時の初期化に伴って常に同一の固定値が設定されるため、ここでは保存されない。
【０６５１】
次いで、入力ポートから電圧低下信号の検出データを取得し、電圧低下信号が入力されているか否かを判定する（Ｓｍ３）。この際、電圧低下信号が入力されていなければ、Ｓｍ２においてスタック領域に退避したレジスタを復帰し（Ｓｍ４）、Ｓｍ１のステップにおいて禁止した割込を許可して（Ｓｍ５）、割込前の処理に戻る。
【０６５２】
また、Ｓｍ３のステップにおいて電圧低下信号が入力されていれば、破壊診断用データ（本実施例では、５Ａ（Ｈ））をセットして（Ｓｍ６）、全ての出力ポートを初期化する（Ｓｍ７）。次いでＲＡＭ４１ｃの全ての格納領域（未使用領域及び未使用スタック領域を含む）の排他的論理和が０になるようにＲＡＭパリティ調整用データを計算してセットし（Ｓｍ８）、ＲＡＭ４１ｃへのアクセスを禁止する（Ｓｍ９）。
【０６５３】
そして、電圧低下信号が入力されているか否かの判定（Ｓｍ１０、尚、Ｓｍ１０は、Ｓｍ３と同様の処理である）を除いて、何らの処理も行わないループ処理に入る。すなわち、そのまま電圧が低下すると内部的に動作停止状態になる。よって、電断時に確実にＣＰＵ４１ａは動作停止する。また、このループ処理において、電圧が回復し、電圧低下信号が入力されない状態となると、前述した起動処理が実行され、ＲＡＭパリティが０となり、かつ破壊診断用データが正常であれば、元の処理に復帰することとなる。
【０６５４】
尚、本実施例では、ＲＡＭ４１ｃへのアクセスを禁止した後、電圧低下信号の出力状況を監視して、電圧低下信号が入力されなくなった場合に電圧の回復を判定し、起動処理へ移行するようになっているが、ループ処理において何らの処理も行わず、ループ処理が行われている間に、電圧が回復し、リセット回路４９からリセット信号が入力されたことに基づいて、起動処理へ移行するようにしても良い。
【０６５５】
次に、演出制御基板９０に搭載されたサブ制御部９１のＣＰＵ９１ａが実行する起動処理（サブ）を、図５０のフローチャートに基づいて以下に説明する。
【０６５６】
ＣＰＵ９１ａは、サブ制御部９１にリセット回路９５からリセット信号が入力されると、図５０に示す起動処理（サブ）を行う。尚、リセット信号は、電源投入時及びサブ制御部９１の動作が停滞した場合に出力される信号であるので、起動処理（サブ）は、電源投入に伴うＣＰＵ９１ａの起動時及びＣＰＵ９１ａの不具合または表示制御回路９２の不具合に伴う再起動時に行われる処理である。
【０６５７】
起動処理（サブ）では、内蔵デバイスや周辺ＩＣ、割込モード、スタックポインタ等を初期化し（Ｓｒ１）、表示制御回路９２を初期化した後（Ｓｒ２）、ＲＡＭ９１ｃへのアクセスを許可する（Ｓｒ３）。そして、ＲＡＭ９１ｃの全ての格納領域のＲＡＭパリティを計算し（Ｓｒ４）、ＲＡＭパリティが０か否かを判定する（Ｓｒ５）。
【０６５８】
ＲＡＭ９１ｃのデータが正常であれば、ＲＡＭパリティが０になるはずであり、Ｓｒ５のステップにおいてＲＡＭパリティが０であれば、ＲＡＭ９１ｃに格納されているデータが正常であるので、Ｓｒ６のステップに進み、電断前の演出状態を復帰させる。Ｓｒ６のステップでは、電断前に最後に実行していた制御パターンを設定した後、Ｓｒ７のステップに進む。
【０６５９】
また、Ｓｒ５のステップにおいてＲＡＭパリティが０でなければ、ＲＡＭ９１ｃに格納されているデータが正常ではないので、ＲＡＭ９１ｃを初期化し（Ｓｒ１５）、待機パターンを制御パターンとして設定した後（Ｓｒ１６）、Ｓｒ７のステップに進む。
【０６６０】
Ｓｒ７のステップでは、ＲＡＭ９１ｃに再起動フラグが設定されているか否か、すなわち表示制御回路９２の不具合に伴う再起動であるか否かを判定し、再起動フラグが設定されていればＳｒのステップに進み、再起動フラグが設定されていない場合、すなわち電源投入に伴う起動であればＳｒ８のステップに進み、コマンド受信割込処理のみを許可し、Ｓｒ９のステップに進む。
【０６６１】
Ｓｒ９のステップでは、初期化コマンドを受信したか否かを判定し、初期化コマンドを受信していない場合には、Ｓｒ１０のステップに進み、電源投入コマンドを受信した否かを判定する。また、初期化コマンドを受信した場合には、ＲＡＭ９１ｃを初期化した後（Ｓｒ１７）、設定中報知パターンを制御パターンとして設定し（Ｓｒ１８）、Ｓｒ１３のステップに進む。
【０６６２】
Ｓｒ１０のステップにおいて、電源投入コマンドを受信しなかった場合には、再びＳｒ９のステップに戻り、電源投入コマンドを受信した場合には、Ｓｒ１１のステップに進む。
【０６６３】
Ｓｒ１１のステップでは、Ｓｒ１０のステップにおいて受信した電源投入コマンドに基づいて電断前の状態で特別役が当選しているか否かを判定し（Ｓｒ１５）、電断前の状態で特別役が当選している場合には、特別役の当選を報知する特別役告知パターンを制御パターンとして設定した後（Ｓｒ１２）、設定された制御パターンに従って、液晶表示器５１、演出効果ＬＥＤ５２、スピーカ５３、５４、リールＬＥＤ５５等の各種演出装置の制御を行う演出制御処理を実行し（Ｓｒ１３）、全ての割込を許可して（Ｓｒ１４）、ループ処理に移行する。
【０６６４】
また、Ｓｒ１１のステップにおいて、電断前の状態で特別役が当選していない場合には、Ｓｒ６のステップにおいて設定された制御パターン、すなわち電断前に設定されていた制御パターンに従って、液晶表示器５１、演出効果ＬＥＤ５２、スピーカ５３、５４、リールＬＥＤ５５等の各種演出装置の制御を行う演出制御処理を実行し（Ｓｒ１３）、全ての割込を許可して（Ｓｒ１４）、ループ処理に移行する。すなわちこの時点でタイマ割込処理が許可されることに伴い、コマンドの受信に基づく各種の演出が実行可能な状態となる。
【０６６５】
図５１は、ＣＰＵ９１ａが内部クロックのカウントに基づいて１．１２ｍｓの間隔で実行するタイマ割込処理（サブ）の制御内容を示すフローチャートである。
【０６６６】
タイマ割込処理（サブ）においては、まず、タッチパネルの動作チェック中を示す検出待ちフラグがＲＡＭ９１ｃに設定されているか否かに基づいて、タッチパネルの動作チェック中か否かを判定し（Ｓｓ１）、タッチパネルの動作チェック中でなければＳｓ６のステップに進む。
【０６６７】
Ｓｓ１のステップでタッチパネルの動作チェック中であれば、タッチ操作が検出されたか否かを判定し（Ｓｓ２）、タッチ操作が検出されていなければＳｓ１６のステップに進み、タッチ操作が検出されていれば、タッチパネルの動作チェックの結果を液晶表示器５１に表示させた後（Ｓｓ３）、検出待ちフラグをクリアし、タッチパネルの動作チェック中において禁止されていたコマンド受信割込処理を許可し、Ｓｓ６のステップに進む。
【０６６８】
Ｓｓ６のステップでは、受信用バッファにコマンドが格納されているか否か、すなわちメイン制御部４１からコマンドを受信しているか否かを判定する。受信用バッファにコマンドが格納されていなければ、Ｓｓ１６のステップに進み、受信用バッファにコマンドが格納されていれば、受信用バッファからコマンドを取得し（Ｓｓ７）、Ｓｓ８のステップに進む。
【０６６９】
Ｓｓ８のステップでは、取得したコマンドが検査コマンドか否かを判定し、検査コマンドでなければＳｓ１３のステップに進み、検査コマンドであれば、さらにタッチパネルの動作チェックを指定する検査コマンドであるか否かを判定する（Ｓｓ９）。
【０６７０】
Ｓｓ９のステップにおいてタッチパネルの動作チェックを指定する検査コマンドでなければ、Ｓｓ１２のステップに進み、タッチパネルの動作チェックを指定する検査コマンドであれば、コマンド受信割込処理の禁止を設定するとともに（Ｓｓ１０）、タッチパネルの動作チェック中を示す検出待ちフラグをＲＡＭ９１ｃに設定し（Ｓｓ１１）、Ｓｓ１２のステップに進む。
【０６７１】
Ｓｓ１２のステップでは、取得した検査コマンドが指定する部品及び指定する動作態様を特定し、該当する部品を特定した動作態様にて動作させる動作試験処理を行い、Ｓｓ１６のステップに進む。
【０６７２】
Ｓｓ１３のステップでは、取得したコマンドが内部当選コマンドの場合に、ＲＯＭ９１ｂに格納されている演出テーブルを参照し、内部当選コマンドが示す内部抽選の結果に応じた選択率にて演出パターンを選択し、選択した演出パターンを当該ゲームの演出パターンとしてＲＡＭ９１ｃに設定する演出パターン選択処理を実行し、Ｓｓ１４のステップに進む。
【０６７３】
Ｓｓ１４のステップでは、ＲＯＭ９１ｂに格納されている制御パターンテーブルを参照し、ＲＡＭ９１ｃに設定されている演出パターン及び取得したコマンドに対応して登録されている制御パターンを読み出してＲＡＭ９１ｃに設定する制御パターン設定処理を実行し、Ｓｓ１５のステップに進む。
【０６７４】
Ｓｓ１５のステップでは、Ｓｓ１４のステップにおいて設定された制御パターンに従って、演出効果ＬＥＤ５２、スピーカ５３、５４、リールＬＥＤ等の各種演出装置の制御を行う演出制御処理を実行し、Ｓｓ１６のステップに進む。
【０６７５】
Ｓｓ１６のステップでは、タッチパネルコントローラ９９から取得したデータに基づいてタッチパネルの検出状況を解析するタッチパネル処理を行った後、Ｓｓ１７のステップに進み、各種カウンタの値を更新する処理を行った後、タイマ割込処理（サブ）を終了する。
【０６７６】
以上のようにタイマ割込処理（サブ）では、タッチパネルの動作チェックを指定する検査コマンドを受信して、タッチパネルの動作チェックを行う場合には、コマンド受信割込処理を、タッチ操作が検出されるまでの間禁止するようになっており、この間は、新たなコマンドを受信しないようになっており、この間に新たなコマンドが送信された場合でも、タッチ操作が検出され、動作チェックが完了するまでは、新たなコマンドは受信されず、当該コマンドに基づく処理が行われないようになっている。また、タッチパネルの動作チェックを指定する検査コマンドを受信した後、タッチ操作が検出されるまでの間は、コマンド受信割り込み処理が禁止されるのみならず、受信用バッファに格納されているコマンドの読み出しも行わないようになっており、既にコマンドを受信し、受信したコマンドが受信用バッファに格納されている場合であっても、タッチ操作が検出され、動作チェックが完了するまでは、受信用バッファに格納されているコマンドに基づく処理も行われないようになっている。
【０６７７】
本実施例では、遊技制御基板４０と遊技用電子部品との間のコネクタ接続の解除を規制することで、打ち込み器具の接続を困難としている。具体的には、遊技制御基板４０と投入メダルセンサ３１との間のコネクタ接続、すなわち遊技制御基板４０の基板側コネクタ６２０ａとケーブル６００ａのケーブル側コネクタ６１０ａとの接続、ケーブル６００ａのケーブル側コネクタ６１１ａと操作部中継基板１１０の基板側コネクタ６２１ａとの接続、操作部中継基板１１０の基板側コネクタ６２２ｇとケーブル６０１ｇのケーブル側コネクタ６１２ｇとの接続についてこれらコネクタ同士の接続の解除を規制している。基板側コネクタ６２０ａとケーブル側コネクタ６１０ａとの接続は、コネクタ規制部材５００ａによってその解除が規制され、ケーブル側コネクタ６１１ａと基板側コネクタ６２１ａとの接続、及び基板側コネクタ６２２ｇとケーブル側コネクタ６１２ｇとの接続は、コネクタ規制部材６５０によってその解除が規制されるようになっている。
【０６７８】
また、遊技制御基板４０とドア開放検出スイッチ２５との間のコネクタ接続の解除を規制することで、遊技制御基板４０とドア開放検出スイッチ２５との接続の解除を困難としている。具体的には、遊技制御基板４０とドア開放検出スイッチ２５との間のコネクタ接続、すなわち遊技制御基板４０の基板側コネクタ６２０ａとケーブル６００ａのケーブル側コネクタ６１０ａとの接続、ケーブル６００ａのケーブル側コネクタ６１１ａと操作部中継基板１１０の基板側コネクタ６２１ａとの接続、操作部中継基板１１０の基板側コネクタ６２２ｑとケーブル６０１ｑのケーブル側コネクタ６１２ｑとの接続についてこれらコネクタ同士の接続の解除を規制している。基板側コネクタ６２０ａとケーブル側コネクタ６１０ａとの接続は、コネクタ規制部材５００ａによってその解除が規制され、ケーブル側コネクタ６１１ａと基板側コネクタ６２１ａとの接続、及び基板側コネクタ６２２ｑとケーブル側コネクタ６１２ｑとの接続は、コネクタ規制部材６５０によってその解除が規制されるようになっている。
【０６７９】
また、遊技制御基板４０と演出制御基板９０の間のコネクタ接続の解除を規制することで、遊技制御基板４０と演出制御基板９０との接続の解除を困難としている。具体的には、遊技制御基板４０と演出制御基板９０との間のコネクタ接続、すなわち遊技制御基板４０の基板側コネクタ６２０ｄとケーブル６００ｄのケーブル側コネクタ６１０ｄとの接続、ケーブル６００ｄのケーブル側コネクタ６１１ｄと演出中継基板８０の基板側コネクタ６２１ｄとの接続、演出中継基板８０の基板側コネクタ６２２ｐとケーブル６０１ｐのケーブル側コネクタ６１２ｐとの接続、ケーブル６０１ｐのケーブル側コネクタ６１３ｐと演出制御基板９０の基板側コネクタ６２３ｐとの接続についてこれらコネクタ同士の接続の解除を規制している。基板側コネクタ６２０ｄとケーブル側コネクタ６１０ｄとの接続は、コネクタ規制部材５００ｂによってその解除が規制され、ケーブル側コネクタ６１１ｄと基板側コネクタ６２１ｄとの接続、及び基板側コネクタ６２２ｄとケーブル側コネクタ６１２ｄとの接続、ケーブル側コネクタ６１３ｐと基板側コネクタ６２３ｐとの接続は、それぞれ図示しないコネクタ規制部材によってその解除が規制されるようになっている。
【０６８０】
これらコネクタ規制部材は、互いに接続された基板側コネクタからのケーブル側コネクタの抜脱を規制可能に構成され、コネクタでの接続に関わる解除規制部位を破壊しない限り、解除不能とする接続解除規制状態を形成するもの、つまりは接続解除規制状態を解除した場合にその痕跡が残るように構成されていれば、その形態は任意であり、種々に変更可能である。
【０６８１】
具体的には、例えば基板側コネクタ及びケーブル側コネクタとは別個に形成され、両コネクタを接続した状態で装着することでコネクタの抜脱を規制することが可能なカバー体であっても良いし、あるいは、基板側コネクタまたはケーブル側コネクタのうち少なくとも一方に設けられ、コネクタ同士を互いに接続したときに互いに離脱不能に係止する係止部等であっても良いし、あるいは基板側コネクタが搭載される基板を収納可能な基板収納ケース等に設けられ、基板収納ケースにて基板を収納して封止状態としたときにコネクタの抜脱を規制する接続解除規制状態を形成する規制部等であっても良いし、あるいは互いに接続されたコネクタ同士を接着する接着剤等であっても良い。
【０６８２】
次に、遊技制御基板４０を収納する基板ケース２００及びコネクタ規制部材５００ａ、５００ｂの詳細な構造について説明する。
【０６８３】
図５２及び図５３は、基板ケース２００及び基板ケース２００をスロットマシン１の本体をなす筐体１ｂに取り付けるための取付ベース２５０、コネクタ規制部材５００ａ、５００ｂを示す分解斜視図であり、図５４は、基板ケース２００を取付ベース２５０に組み付けた状態を示す斜視図であり、図５５は、コネクタ規制部材５００ａ、５００ｂを構成する取付側部材５１０及びコネクタカバー５２０の要部拡大斜視図であり、図５６（ａ）は、図５５のＡ−Ａ断面図であり、図５６（ｂ）（ｃ）は、図５５のＢ−Ｂ断面図であり、図５７は、基板ケース２００を取付ベース２５０に組み付け、更に取付側部材５１０に対してコネクタカバーを装着した状態を示す斜視図であり、図５８（ａ）は、図５７のＣ−Ｃ断面図であり、図５８（ｂ）は、図５７のＤ−Ｄ断面図である。
【０６８４】
基板ケース２００は、図５２及び図５３に示すように、遊技制御基板４０の裏面側を覆うケース本体としての下部ケース２０１と、遊技制御基板４０の実装面側を覆う上部ケース２０３と、から構成され、遊技制御基板４０を挟持するように組み付けられるものである。尚、遊技制御基板４０の実装面には、特に詳細な図示はしないが、ＣＰＵ４１ａ、ＲＯＭ４１ｂ、ＲＡＭ４１ｃ等の電子素子や、他の基板からのケーブルの一端に設けられたケーブル側コネクタ等が接続される基板側コネクタ６２０ａ〜６２０ｄ等が多数実装されている。
【０６８５】
下部ケース２０１は、透明な合成樹脂からなり、略長方形状に形成される底板２０１ａと、該底板の周囲を囲むように形成された側壁と、により上面が開放する直方体状に成形されている。
【０６８６】
下部ケース２０１の一方の短辺の側壁２０１ｃには、２つの封止片２１１、２１１が外方に突出して設けられているとともに、他方の短辺の側壁２０１ｄには、２対の係止部２１０が外方に突出して設けられている。また、下部ケース２０１の底板２０１ａの裏面における側壁２０１ｃよりの両長辺側端及び側壁２０１ｄよりの両長辺側端には、後述する取付側部材５１０、５１０の係止片５１１が係合する係合溝２１２がそれぞれ形成されている。
【０６８７】
上部ケース２０３は、透明な合成樹脂からなり、図５２及び図５３に示すように、下面が開放するとともに、上面中央が膨出し、両短辺側に段部２０３ａ、２０３ｂが形成された凸型の箱状に成形されている。上部ケース２０３の下面は、下部ケース２０１と同型であり、下部ケース２０１と上部ケース２０３とを組み付けることで、内部に遊技制御基板４０を収容する空間が形成されるようになっている。
【０６８８】
上部ケース２０３の一方の短辺の側壁２０３ｃには、下部ケース２０１の一方の短辺の側壁２０１ｃに設けられた封止片２１１、２１１と対応する箇所にそれぞれ封止片２３１、２３１が外方に突出して設けられており、封止片２３１、２３１の間には、等間隔に４つの封止片２３２が外方に突出して設けられている。上部ケース２０３の他方の短辺の側壁２０３ｄには、下部ケース２０１の他方の短辺の側壁に設けられた２対の係止部２１０と対応する箇所にそれぞれ１対の係止部２１０と係合する係合部２３０がそれぞれ設けられている。また、上部ケース２０３の他方の短辺の側壁２０３ｄには、係合部２３０よりも外方よりの位置に、後述する取付ベース２５０の係止孔２５１ａ、２５１ａに係合する係止片２３５、２３５がそれぞれ設けられている。
【０６８９】
また、上部ケース２０３の両短辺側の段部２０３ａ、２０３ｂには、それぞれ凹部２０３ｅ、２０３ｆが形成されているとともに、段部２０３ａの凹部２０３ｅの底面には、基板ケース２００内に収容した遊技制御基板４０の基板側コネクタ６２０ｄに対応する箇所に基板側コネクタ６２０ｄを挿通可能な挿通孔２３４ｂが形成されており、段部２０３ｂの凹部２０３ｆの底面には、基板ケース２００内に収容した遊技制御基板４０の基板側コネクタ６２０ａに対応する箇所に基板側コネクタ６２０ａを挿通可能な挿通孔２３４ａが形成されている。
【０６９０】
取付ベース２５０は、基板ケース２００をスロットマシン１の本体をなす筐体１ｂに対して固定するための部材である。取付ベース２５０は、合成樹脂からなり、図５２及び図５０に示すように、下部ケース２０１の底板２０１ａよりも大きい略長方形状に形成される底板２５０ａと、該上板の周縁辺のうち２つの長縁辺に形成された側壁２５０ｂ、２５０ｃとにより上面が開放する直方体状に形成されている。取付ベース２５０の底板２５０ａには、複数箇所にビス孔２５２が形成されているとともに、一方の短辺側の縁辺には、中央部に切り欠き２５０ｅを有する側壁２５０ｄが形成されており、底板２５０ａには、側壁２５０ｄの切り欠き２５０ｅから中央に向かって１対のガイド２５４、２５４が設けられている。ガイド２５４、２５４の対向する面には、後述する固着部材２５５の両端部に形成された係止部２５７、２５７が嵌入されるガイド溝２５４ａ、２５４ａが形成されている。
【０６９１】
固着部材２５５は、合成樹脂からなり、上面に４カ所の固着孔２５６が形成されているとともに、両端部に係止部２５７、２５７が形成されている。固着部材２５５は、その係止部２５７、２５７を取付ベース２５０のガイド２５４、２５４に形成されたガイド溝２５４ａ、２５４ａに対してそれぞれ嵌入することで、取付ベース２５０に取り付けられる。
【０６９２】
取付ベース２５０における側壁２５０ｄが形成された短辺側には、先端に内方向きの係止爪２５３ａを有する係止柱２５３が底板２５０ａから立設されているとともに、反対側の短辺側の両端部には、上部ケース２０３の係合部２３０が挿入される係止孔２５１ａ、２５１ａが底板２５０ａから連設された係止孔部２５１、２５１が立設されている。
【０６９３】
コネクタ規制部材５００ａは、図５２及び図５３に示すように、基板ケース２００に対して取り付けられる取付側部材５１０と、取付側部材５１０に対して装着され、基板側コネクタ６２０ａに接続されたケーブル側コネクタ６１０ａの一部を被覆するコネクタカバー５２０と、から構成され、取付側部材５１０を基板ケース２００に対して取り付け、コネクタカバー５２０を装着することで、基板側コネクタ６２０ａからのケーブル側コネクタ６１０ａの抜脱が規制される。コネクタ規制部材５００ｂも、コネクタ規制部材５００ａとほぼ同一の構成であり、基板ケース２００に対して取り付けられる取付側部材５１０と、取付側部材５１０に対して装着され、基板側コネクタ６２０ｄに接続されたケーブル側コネクタ６１０ｄの一部を被覆するコネクタカバー５２０と、から構成され、取付側部材５１０を基板ケース２００に対して取り付け、コネクタカバー５２０を装着することで、基板側コネクタ６２０ｄからのケーブル側コネクタ６１０ｄの抜脱が規制される。
【０６９４】
取付側部材５１０は、透明な合成樹脂からなり、図５２及び図５３に示すように、基板ケース２００を構成する下部ケース２０１及び上部ケース２０３の表面形状に沿った形状に成形されている。詳しくは、取付側部材５１０は、上部ケース２０３の係合部２３０が設けられた短辺側に装着されるものであり、その形状は、基板ケース２００への取付時に上部ケース２０３における段部２０３ｂの凹部２０３ｆ（段部２０３ａの凹部２０３ｅ）の底面に当接するとともに、ケーブル側コネクタ６１０ａ（ケーブル側コネクタ６１０ｄ）を逃がす切り欠き５１２及び内側に係止孔５１３ａを有する筒状の係止孔部５１３が形成された基片５１０ａの両端から起立する起立片５１０ｂ、５１０ｂを介して上部ケース２０３における段部２０３ｂ（段部２０３ａ）の両端部上面に当接する上片５１０ｃ、５１０ｃが延設され、更に上片５１０ｃ、５１０ｃの両端から垂下する側片５１０ｄ、５１０ｄを介して係止部２５７、２５７が内向きに延設された形状であり、基板ケース２００への取付時に、取付側部材５１０の基片５１０ａ、上片５１０ｃ、５１０ｃの基板ケース２００に対する対向面が上部ケース２０３における段部２０３ｂ（段部２０３ａ）の上面及び凹部２０３ｆ（凹部２０３ｅ）の底面にそれぞれ当接するようになっている。
【０６９５】
係止孔部５１３における係止孔５１３ａの内面には、図５５に示すように、中心を挟んで対向する位置に係止溝５１４が、係止孔５１３ａの下端から上方に向かって設けられている。係止溝５１４は、係止孔５１３ａの下端からの深さの浅い浅溝部５１４ａとそれよりも深い深溝部５１４ｂとからなる略Ｌ字状で、対向する係止溝５１４、５１４の浅溝部５１４ａ、５１４ａ同士、深溝部５１４ｂ、５１４ｂ同士が、それぞれ中心を挟んで対向する位置に形成されている。すなわち係止溝５１４、５１４は、中心を挟んで点対称に形成されている。
【０６９６】
コネクタカバー５２０は、透明な合成樹脂からなり、図５２及び図５３に示すように、基板ケース２００に取り付けられた取付側部材５１０に対して取り付けた際に、基板側コネクタ６２０ａ（基板側コネクタ６２０ｄ）に接続されたケーブル側コネクタ６１０ａ（ケーブル側コネクタ６１０ｄ）の一部を被覆する断面視略コ字状の被覆部５２１が成形されているとともに、被覆部５２１の長手方向側面の一方の側面５２１ａに取付側部材５１０における係止孔部５１３の係止孔５１３ａの内周とほぼ同径の係止筒５２２が接続片５２２ａを介して設けられている。
【０６９７】
被覆部５２１の一方の側面５２１ａの下端は、取付側部材５１０に取り付けた際にその基片５１０ａの上面に当接するとともに、側面５２１ａの背面には、リブ５２１ｂ、５２１ｂが設けられ、そのリブ５２１ｂ、５２１ｂの下面も基片５１０ａの上面に当接するようになっている。
【０６９８】
係止筒５２２は、図５５に示すように、中心を挟んで対向する位置に、先端に外向きの係止爪５２３ａが形成され、内方に弾性変形可能な係合部５２３、５２３が設けられている。係合部５２３、５２３は、その係止爪５２３ａ、５２３ａが、コネクタカバー５２０を基板側コネクタ６２０ａ（基板側コネクタ６２０ｄ）にケーブル側コネクタ６１０ａ（ケーブル側コネクタ６１０ｄ）が接続されている状態で取付側部材５１０に取り付けた際に、係止孔５１３ａに形成された係止溝５１４、５１４の浅溝部５１４ａ、５１４ａに対して係合する位置に設けられている。
【０６９９】
次に、コネクタ規制部材５００ａ、５００ｂの基板ケース２００への取付状況及び基板ケース２００の筐体への取付状況について説明する。
【０７００】
まず、基板ケース２００を構成する下部ケース２０１及び上部ケース２０３の内部に遊技制御基板４０を収容して封止状態とする。下部ケース２０１及び上部ケース２０３を封止状態とするには、下部ケース２０１の２対の係止部２１０に対して、それぞれ対応する上部ケース２０３の係合部２３０を係合させた後、下部ケース２０１のいずれかの封止片２１１と上部ケース２０３の対応する封止片２３１とをワンウェイネジにて固着する。
【０７０１】
ワンウェイネジは、周知のように、一方向の回転によってネジを螺着することができるが、他方向に回転させようとしても回転させることができない、すなわち、そのネジを緩めることができない機能を有するネジである。このため、下部ケース２０１のいずれかの封止片２１１と上部ケース２０３の対応する封止片２３１とをワンウェイネジにて固着すると、封止片２１１及び封止片２３１のいずれか一方を破断させなければ、これらの固着を解除できないようになっている。
【０７０２】
そして、封止片２１１及び封止片２３１を固着することにより、下部ケース２０１に対する上部ケース２０３の長手方向の移動が規制され、その結果、下部ケース２０１の係止部２１０に対する上部ケース２０３の係合部２３０の係合の解除も規制されることとなり、上部ケース２０１と下部ケース２０３は、内部に遊技制御基板４０を収容した状態で一体化され、封止片２１１及び封止片２３１を破断しなければ、開放することができない状態となる。
【０７０３】
次に、遊技制御基板４０を封止状態とした基板ケース２００に対して、コネクタ規制部材５００ａ、５００ｂをそれぞれ構成する取付側部材５１０、５１０を取り付ける。取付側部材５１０は、その両側片５１０ｄ、５１０ｄを外方に向かって弾性変形させ、上部ケース２０３の段部２０３ｂ（段部２０３ａ）に装着する。そして弾性変形を解除することで、係止片５１１、５１１を下部ケース２０１の裏面における係合溝２１２、２１２に係合させることで取り付けられる。この際、取付側部材５１０の基片５１０ａ、上片５１０ｃ、５１０ｃは、それぞれ上部ケース２０３の段部２０３ｂ（段部２０３ａ）上面、凹部２０３ｆ（凹部２０３ｅ）の底面に当接するとともに、基片５１０ａに設けられた切り欠き５１２が、上部ケース２０３の凹部２０３ｆに設けられた挿通孔２３４ａ（凹部２０３ｅに設けられた挿通孔２３４ｂ）と一致し、これら切り欠き５１２及び挿通孔２３４ａ（挿通孔２３４ｂ）を介して、基板ケース２００に収容された遊技制御基板４０の基板側コネクタ６２０ａ（基板側コネクタ６２０ｄ）が基板ケース２００内から外部に露出するようになっている。
【０７０４】
次に、取付ベース２５０のビス孔２５２を介して取付ネジ２５９を筐体側の壁に螺入し、取付ベース２５０を筐体に対して固定するとともに、固着部材２５５の係止部２５７、２５７を取付ベース２５０のガイド溝２５４ａ、２５４ａにそれぞれ嵌入し、固着部材２５５を取付ベース２５０に対して装着する。
【０７０５】
次に、取付側部材５１０が取り付けられた基板ケース２００を取付ベース２５０に対して組み付ける。詳しくは、基板ケース２００の一端側に突出する係止片２３５、２３５をそれぞれ取付ベース２５０の係止孔部２５１、２５１の係止孔２５１ａ、２５１ａに挿入した後、図５４に示すように、基板ケース２００を取付ベース２５０の側壁２５０ｂ、２５０ｃの間に収容させるとともに、係止柱２５３の係止爪２５３ａによって基板ケース２００の他端側段部２０３ａの上面を係止して基板ケース２００を取付ベース２５０に仮止めする。この状態で上部ケース２０３の一端に設けられた４つの封止片２３２と取付ベース２５０に装着された固着部材２５５の固着孔２５６がそれぞれ対応する位置となり、この状態で、いずれかの封止片２３２の上方から対応する固着孔２５６に対して前述のワンウェイネジを螺入することで、封止片２３２と固着部材２５５とを固着する。
【０７０６】
そして、封止片２３２及び固着部材２５５を固着することにより、基板ケース２００の封止片２３２側の端部における取付ベース２５０からの取り外し方向への移動が規制されるとともに、係止柱２５３によって基板ケース２００の封止片２３２側への水平移動も規制されるので、基板ケース２００の一端側に突出する係止片２３５、２３５を取付ベース２５０の係止孔２５１ａ、２５１ａから外すことも不可能となる。更に、この状態では、取付ベース２５０の底板２５０ａのビス孔２５２は全て基板ケース２００に被覆され、取付ネジへの２５９へのアクセスも不能となり、取付ベース２５０を筐体から取り外すことも不可能となる。このようにして、取付側部材５１０が取り付けられた基板ケース２００は、取付ベース２５０を介して筐体に固定され、封止片２３２または固着部材２５５を破断しなければ、基板ケース２００を筐体から取り外すことができない状態となる。この際、基板ケース２００を構成する下部ケース２０１が、上部ケース２０３と取付ベース２５０との間に狭持された状態で基板ケース２００が取付ベース２５０を介して筐体に固定されるため、封止片２３２または固着部材２５５を破断しなければ、下部ケース２０１から上部ケースを取り外して遊技制御基板４０を取り出すことも不能化される。
【０７０７】
また、取付側部材５１０が取り付けられた基板ケース２００が取付ベース２５０（筐体）に対して取り外し不能に固定されると、図５８（ａ）に示すように、取付側部材５１０の側片５１０ｄ、５１０ｄが取付ベース２５０の側壁２５０ｂ、２５０ｃの内面に当接し、狭持されて取付側部材５１０の両側片５１０ｄ、５１０ｄの外方への変形が規制されるため、取付側部材５１０を基板ケース２００から取り外すことが不可能となる。
【０７０８】
次に、図５４に示すように、基板ケース２００の挿通孔２３４ａ、２３４ｂ及び取付側部材５１０における基片５１０ａの切り欠き５１２を介して露呈する遊技制御基板４０の基板側コネクタ６２０ａ、６２０ｂに対してケーブル６００ａのケーブル側コネクタ６１０ａ、ケーブル６００ｄのケーブル側コネクタ６１０ｄをそれぞれ接続した後、これら基板側コネクタ６２０ａとケーブル側コネクタ６１０ａ、基板側コネクタ６２０ｄとケーブル側コネクタ６１０ｄを接続した状態で、図５７に示すように、コネクタカバー５２０の被覆部５２１でケーブル側コネクタ６１０ａ、ケーブル側コネクタ６１０ｄの上方を被覆するとともに、コネクタカバー５２０の係止筒５２２を取付側部材５１０における係止孔部５１３の係止孔５１３ａに嵌入させる。これにより係止筒５２２の係合部５２３、５２３は、係止孔５１３ａの内周に当接して内方に弾性変形する。この際、係合部５２３、５２３は、被覆部５２１でケーブル側コネクタ６１０ａ、ケーブル側コネクタ６１０ｄを被覆する位置とすると、自ずと係止孔５１３ａの内面に形成された係止溝５１４、５１４のうち浅溝部５１４ａ、５１４ａに位置決めされることとなり、係止筒５２２を更に嵌入し、係合部５２３、５２３の先端の係止爪５２３ａ、５２３ａが係止溝５１４、５１４の浅溝部５１４ａ、５１４ａに到達することで、図５６（ａ）に示すように、係合部５２３、５２３の内方への弾性変形が開放され、係止爪５２３ａ、５２３ａがそれぞれ浅溝部５１４ａ、５１４ａに係合し、係止筒５２２の上方への移動が規制されるとともに、被覆部５２１の側面５２１ａと基板側コネクタ６２０ａ及びケーブル側コネクタ６１０ａの側面、基板側コネクタ６２０ｄ及びケーブル側コネクタ６１０ｄの側面とが当接して、係止筒５２２の係止孔部５１３に対する回転が規制されることにより、取付側部材５１０とコネクタカバー５２０とが連結し、一体化されたコネクタ規制部材５００ａが形成された状態となる。この状態では、係合部５２３、５２３が係止孔部５１３によって被覆されるため、外部から係合部５２３、５２３を内方に弾性変形させることが不可能となり、コネクタカバー５２０または取付側部材５１０を破断しなければ、コネクタカバー５２０を取付側部材５１０から取り外すことが不可能となる。
【０７０９】
また、コネクタカバー５２０を取付側部材５１０に対して取り外し不能に取り付けると、図５８（ａ）（ｂ）に示すように、被覆部５２１によってケーブル側コネクタ６１０ａ、ケーブル側コネクタ６１０ｄの上面の一部が被覆され、ケーブル側コネクタ６１０ａ、ケーブル側コネクタ６１０ｄの基板側コネクタ６２０ａ、基板側コネクタ６２０ｄからの抜き方向への移動が規制され、ケーブル側コネクタ６１０ａ、ケーブル側コネクタ６１０ｄの基板側コネクタ６２０ａ、基板側コネクタ６２０ｄからの抜脱が規制されるようになっている。
【０７１０】
このように、取付側部材５１０を基板ケース２００に取り付けた状態で、基板ケース２００を筐体に対して固着した後、ケーブル側コネクタ６１０ａ、ケーブル側コネクタ６１０ｄを基板側コネクタ６２０ａ、基板側コネクタ６２０ｄに接続し、その状態で基板側コネクタ６２０ａ、基板側コネクタ６２０ｄの一部を上方から被覆するようにして取付側部材５１０に取り付けることによって、ケーブル側コネクタ６１０ａ、ケーブル側コネクタ６１０ｄの基板側コネクタ６２０ａ、基板側コネクタ６２０ｄからの抜脱が不能化されるようになっている。
【０７１１】
次に、ケーブル側コネクタ６１０ａと基板側コネクタ６２０ａとの接続、ケーブル側コネクタ６１０ｄと基板側コネクタ６２０ｄとの接続を解除する際の状況について説明する。
【０７１２】
ケーブル側コネクタ６１０ａと基板側コネクタ６２０ａとの接続、ケーブル側コネクタ６１０ｄと基板側コネクタ６２０ｄとの接続を解除するには、取付側部材５１０またはコネクタカバー５２０を破断してコネクタカバー５２０を取付側部材５１０から取り外すか、基板ケース２００の封止片２３２または固着部材２５５を破断して、基板ケース２００を取付ベース２５０から取り外し、コネクタカバー５２０が取り付けられた状態のままの取付側部材５１０を基板ケース２００から取り外す必要がある。
【０７１３】
例えば、ケーブル６００ａ、６００ｄの故障などによりケーブル側コネクタ６１０ａまたはケーブル側コネクタ６１０ｄを基板側コネクタ６２０ａまたは基板側コネクタ６２０ｄから外す必要がある場合には、前者の方法で取り外し、基板の故障などにより基板ケース２００ごと交換する場合には、後者の方法で取り外せば良い。
【０７１４】
まず、ケーブル６００ａ（ケーブル６００ｄ）を交換するにあたり、ケーブル側コネクタ６１０ａ（ケーブル側コネクタ６１０ｄ）を基板側コネクタ６２０ａから外す必要がある場合に、コネクタ規制部材５００ａ（コネクタ規制部材５００ｂ）を構成するコネクタカバー５２０を取付側部材５１０から取り外す方法について説明すると、最初に、ニッパーなどの工具でコネクタカバー５２０の被覆部５２１と係止筒５２２とを繋ぐ接続片５２２ａを破断する。これにより被覆部５２１が分離するとともに、係止筒５２２の係止孔部５１３に対する回転が可能な状態となる。この状態で、係止筒５２２を、上面視反時計回りに回転させることで、係合部５２３、５２３が係止溝５１４、５１４の浅溝部５１４ａ、５１４ａから深溝部５１４ｂ、５１４ｂの位置に移動し、図５６（ａ）に示すように、係止爪５２３ａ、５２３ａが浅溝部５１４ａ、５１４ａに係合している状態から、図５６（ｂ）に示すように、係止爪５２３ａ、５２３ａと浅溝部５１４ａ、５１４ａの係合が解除された状態となる。これにより、係止筒５２２の上方への移動が可能となり、図５６（ｃ）に示すように、係止筒５２２を上方に引き抜くと、係止爪５２３ａ、５２３ａが深溝部５１４ｂ、５１４ｂに係合するが、この状態では、係合部５２３、５２３が露呈するため、内方に弾性変形させることが可能となり、係合部５２３、５２３を内方に弾性変形させることにより、係止爪５２３ａ、５２３ａと深溝部５１４ｂ、５１４ｂとの係合が解除され、係止筒５２２を取付側部材５１０から取り外すことができ、これによりコネクタカバー５２０が取付側部材５１０から完全に分離し、コネクタカバー５２０によるケーブル側コネクタ６１０ａ（ケーブル側コネクタ６１０ｄ）の抜き方向の移動の規制も解除されるので、ケーブル側コネクタ６１０ａ（ケーブル側コネクタ６１０ｄ）と基板側コネクタ６２０ａ（基板側コネクタ６２０ｄ）との接続を解除することができるようになる。
【０７１５】
尚、コネクタカバー５２０を取付側部材５１０から取り外すと、被覆部５２１と係止筒５２２とが破断し、一度破断すると元の状態とはならないため、ケーブル側コネクタ６１０ａ（ケーブル側コネクタ６１０ｄ）と基板側コネクタ６２０ａ（基板側コネクタ６２０ｄ）との接続を解除した痕跡が残ることとなる。
【０７１６】
次に、基板ケース２００ごと交換するにあたり、ケーブル側コネクタ６１０ａ、ケーブル側コネクタ６１０ｄを基板側コネクタ６２０ａ、基板側コネクタ６２０ｄから外す必要がある場合に、取付側部材５１０をコネクタカバー５２０ごと基板ケース２００から取り外す方法について説明すると、最初に、ニッパーなどの工具で固着部材２５５と固着されている基板ケース２００の封止片２３２を破断する。これにより、基板ケース２００の封止片２３２側の端部における取付ベース２５０からの取り外し方向への移動が可能となるので、係止柱２５３の係止爪２５３ａと基板ケース２００の段部２０３ｅとの係合を解除する。これに伴って封止片２３２側への水平方向への移動も可能となるので、基板ケース２００の係止片２３５、２３５を取付ベース２５０の係止孔２５１ａ、２５１ａから取り外す。これにより、基板ケース２００が取付ベース２５０から取り外され、取付側部材５１０の側片５１０ｄ、５１０ｄを外方に変形することが可能な状態となり、取付側部材５１０からコネクタカバー５２０を取り外すことなく、取付側部材５１０を基板ケース２００から取り外すことが可能となり、これによりコネクタカバー５２０と一体化された状態で取付側部材５１０を基板ケース２００から取り外すことにより、コネクタカバー５２０によるケーブル側コネクタ６１０ａ、ケーブル側コネクタ６１０ｄの抜き方向の移動の規制も解除されるので、ケーブル側コネクタ６１０ａ、ケーブル側コネクタ６１０ｄと基板側コネクタ６２０ａ、基板側コネクタ６２０ｄとの接続を解除することができるようになる。
【０７１７】
尚、この方法によっても取付側部材５１０を基板ケース２００から取り外すためには、固着部材２５５と固着されている基板ケース２００の封止片２３２を破断する必要があり、一度破断すると元の状態とはならないため、ケーブル側コネクタ６１０ａと基板側コネクタ６２０ａとの接続、ケーブル側コネクタ６１０ｄと基板側コネクタ６２０ｄとの接続を解除した痕跡が残ることとなる。
【０７１８】
また、この方法によれば、基板ケース２００の封止片２３２が破断され、固着部材２５５に残るが、取付側部材５１０からコネクタカバー５２０を取り外すことなく、取付側部材５１０を基板ケース２００から取り外せるため、交換用に遊技制御基板４０が収容された新たな基板ケース２００にコネクタカバー５２０が組み付けられた状態の取付側部材５１０を取り付けることで、新たな基板ケース２００においてケーブル側コネクタ６１０ａと基板側コネクタ６２０ａとの接続、ケーブル側コネクタ６１０ｄと基板側コネクタ６２０ｄとの接続の解除が不能化されるとともに、新しい固着部材２５５を取付ベース２５０に装着し、コネクタカバー５２０が組み付けられた状態の取付側部材５１０を取り付けた新たな基板ケース２００を取付ベース２５０に取り付けて固着部材２５５と封止片２３２とを固着することで、再び取付側部材５１０の取り外しが不可能な状態となり、ケーブル側コネクタ６１０ａと基板側コネクタ６２０ａとの接続、、ケーブル側コネクタ６１０ｄと基板側コネクタ６２０ｄとの接続を解除した場合には、その痕跡を残せる状態となる。すなわちこのような場合には、取付側部材５１０とコネクタカバー５２０とを再利用することが可能となる。
【０７１９】
尚、本実施例では、取付側部材５１０の係止片５１１、５１１を外方に弾性変形させた状態で、基板ケース２００の裏面に形成された係止溝５１４、５１４に係合させることで、取付側部材５１０が基板ケース２００に取り付けられるとともに、取付側部材５１０が取り付けられた基板ケース２００が取付ベース２５０（筐体）に対して取り外し不能に固定されると、取付側部材５１０の側片５１０ｄ、５１０ｄが取付ベース２５０の側壁２５０ｂ、２５０ｃの内面に当接し、狭持されて取付側部材５１０の両側片５１０ｄ、５１０ｄの外方への変形が規制されるため、取付側部材５１０を基板ケース２００から取り外すことが不可能となる構成であるが、例えば、取付側部材の一部を基板ケース２００の裏面でネジや取り外し可能な係止ピンで固定するとともに、基板ケース２００を筐体（取付ベース）に取り外し不能に取り付けた際に、これらネジや係止ピンが隠蔽される構造とし、基板ケース２００を筐体に対して取り付けることで、取付側部材の基板ケース２００からの取り外しが規制される構成としても良く、取付側部材を基板ケース２００に取り付けた状態で、基板ケース２００を筐体に対して固着した後、取付側部材が基板ケース２００から取り外せなくなる構成であれば、どのような構成を採っても良い。
【０７２０】
次に、下部ケース２０１と上部ケース２０３、基板ケース２００と取付ベース２５０の固定方法について詳細に説明する。
【０７２１】
図５９は、基板ケース２００を取付ベース２５０に封止する封止片２３２を被覆する被覆部材の取付状況を示す斜視図であり、図６０（ａ）は、図５９の要部拡大図であり、図６０（ｂ）は、図６０（ａ）のＥ−Ｅ断面図であり、図６０（ｃ）は、図６０（ａ）のＦ−Ｆ断面図である。
【０７２２】
図５９及び図６０（ａ）に示すように、封止片２３２は、肉薄の接続片２３２ａと、この接続片２３２ａを介して上部ケース２０３の側壁２０３ｃと繋がる封止部２３２ｂとから構成されている。接続片２３２ａの略中央部には、図６０（ｃ）に示すように、接続片２３２ａと直行する補強片２３２ｃが形成されており、さらにこの補強片２３２ｃの横幅は、後述する被覆部材２３６の垂下片２３６ｂ、２３６ｂの離間幅とほぼ同幅に形成されている。
【０７２３】
封止部２３２ｂの上面側には、図６０（ａ）（ｂ）に示すように、凹部２３２ｄが形成されており、その凹部２３２ｄにおける図中左右方向の対向する内面に、凹部２３２ｄの開口に向かって広がるガイド溝２３２ｅ、２３２ｅが成形されており、さらにガイド溝２３２ｅ、２３２ｅの奥には、係止穴２３２ｆ、２３２ｆがそれぞれ成形されている。また、凹部２３２ｄの底部には、固着孔２３２ｇが形成されている。
【０７２４】
封止片２３１も、封止片２３２と同様の構成であり、肉薄の接続片２３１ａと、この接続片２３１ａを介して上部ケース２０３の側壁２０３ｃと繋がる封止部２３１ｂとから構成されている。接続片２３１ａの略中央部には、接続片２３１ａと直行する補強片２３１ｃが形成されており、さらにこの補強片２３１ｃの横幅は、後述する被覆部材２３６の垂下片２３６ｂ、２３６ｂの離間幅とほぼ同幅に形成されている。
【０７２５】
封止部２３１ｂの上面側には、凹部２３１ｄが形成されており、その凹部２３１ｄにおける図中左右方向の対向する内面に、凹部２３１ｄの開口に向かって広がるガイド溝２３１ｅ、２３１ｅが成形されており、さらにガイド溝２３１ｅ、２３１ｅの奥には、係止穴２３１ｆ、２３１ｆがそれぞれ成形されている。また、凹部２３１ｄの底部には、固着孔２３１ｇが形成されている。
【０７２６】
本実施例では、封止部２３１ｂの凹部２３１ｄ側から固着孔２３１ｇを介して下部ケース２０１の側壁２０１ｃに設けられた封止片２１１の固着孔（図示略）にワンウェイネジ２３７を螺嵌することにより、上部ケース２０３の封止片２３１と下部ケース２０１の封止片２１１とが固着され、上部ケース２０３と下部ケース２０１とが開放不能に一体化される。この際、凹部２３１ｄ内に熱溶着樹脂Ｂなどの固着材を注入することでワンウェイネジ２３７の抜き取りを確実に防止することができる。
【０７２７】
上部ケース２０３と下部ケース２０１とを開放して遊技制御基板４０を取り出すためには、封止片２１１と固着された封止片２３１の接続片２３１ａを切断する必要があるが、接続片２３１ａには、この接続片２３１ａと直行する補強片２３１ｃが形成されており、この補強片２３１ｃも併せて切断する必要があるため、接続片２３１ａの切断が困難となり、簡単に接続片２３１ａを切断して上部ケース２０３と下部ケース２０１とを開放して遊技制御基板４０を取り出すことができないようになっている。
【０７２８】
また、本実施例では、図５９、図６０（ｂ）に示すように、封止部２３２ｂの凹部２３２ｄ側から固着孔２３２ｇを介して取付ベース２５０（スロットマシン本体）に装着された固着部材２５５の固着孔２５６にワンウェイネジ２３７を螺嵌することにより、上部ケース２０３の封止片２３１と固着部材２５５とが固着され、基板ケース２００が取付ベース２５０を介してスロットマシン本体に対して取り外し不能に取り付けられる。この際、下部ケース２０１は上部ケース２０３と取付ベース２５０との間に狭持されるため、上部ケース２０３と下部ケース２０１との開放も不能化される。また、凹部２３１ｄ内に熱溶着樹脂Ｂなどを注入することでワンウェイネジ２３７の抜き取りを確実に防止することができる。
【０７２９】
基板ケース２００をスロットマシン本体から取り外すには、固着部材２５５と固着された封止片２３２の接続片２３２ａを切断する必要があるが、接続片２３２ａには、この接続片２３２ａと直行する補強片２３２ｃが形成されており、この補強片２３２ｃも併せて切断する必要があるため、接続片２３２ａの切断が困難となり、簡単に接続片２３２ａを切断して基板ケース２００をスロットマシン本体から取り外すことができないようになっている。
【０７３０】
本実施例では、さらに接続片２３１ａ、接続片２３２ａを被覆する被覆部材２３６を封止片２３１、封止片２３２に取り付けることにより、接続片２３１ａ、接続片２３２ａの切断が一層困難となるようになっている。
【０７３１】
被覆部材２３６は、図５９及び図６０（ａ）に示すように、基片２３６ａの一端側の左右両側から垂下する１対の垂下片２３６ｂ、２３６ｂが、前述した接続片２３１ａの補強片２３１ｃ、接続片２３２ａの補強片２３２ｃの横幅とほぼ同幅だけ離間するように形成されており、封止片２３１、封止片２３２に装着した際に、垂下片２３６ｂ、２３６ｂの内面に、補強片２３１ｃ、補強片２３２ｃに当接するようになっている。
【０７３２】
また、基片２３６ａの他端側には、封止片２３１、封止片２３２の装着時に凹部２３１ｄ、２３２ｄに嵌入される嵌入部２３６ｃが形成されており、嵌入部２３６ｃの左右両側には、側片２３６ｄ、２３６ｄがそれぞれ形成されているとともに、嵌入部２３６ｃの前後両側には、係止爪２３６ｅ、２３６ｅがそれぞれ形成されている。
【０７３３】
次に、被覆部材２３６の封止片２３１、封止片２３２への装着状況について説明する。尚、封止片２３１に装着する場合も封止片２３２に装着する場合も同じであるため、ここでは被覆部材２３６を封止片２３２に装着する例について説明する。
【０７３４】
まず、被覆部材２３６の垂下片２３６ｂ、２３６ｂが、図５９に示すように、固着部材２５５とワンウェイネジ３２７によって固着した封止片２３２の接続片２３２ａを跨ぐように配置し、この状態で嵌入部２３６ｃを固着した封止片２３２の凹部２３２ｄに嵌め込む。この際、図６０（ａ）（ｂ）に示すように、側片２３６ｄ、２３６ｄが凹部２３２ｄの内面に当接し、かつ係止爪２３６ｅ、２３６ｅをガイド溝２３２ｅ、２３２ｅに案内させた状態でさらに押圧することで係止爪２３６ｅ、２３６ｅが係止穴２３１ｆ、２３１ｆに係合し、嵌入部２３６ｃが凹部２３２ｄに対して取り外し不能に嵌着される。この際、図６０（ａ）（ｃ）に示すように、被覆部材２３６が装着された封止片２３２の接続片２３２ａが、被覆部材２３６の基片２３６ａ、垂下片２３６ｂ、２３６ｂによって被覆され、封止片２３２の接続片２３２ａに直接アクセスすることが不可能となり、被覆部材２３６を取り外さなければ、接続片２３２ａを切断することが不可能となる。
【０７３５】
被覆部材２３６が装着されると、図６０（ｂ）（ｃ）に示すように、被覆部材２３６の基片２３６ａの内面は接続片２３２ａの上面に当接し、垂下片２３６ｂ、２３６ｂの内面は補強片２３２ｃの側面に当接するとともに、この状態で嵌入部２３６ｃが凹部２３２ｄに嵌着され、係止爪２３６ｅ、２３６ｅが係止穴２３２ｆ、２３２ｆに係合すると、被覆部材２３６の封止片２３２に対する移動が規制されるため、被覆部材２３６を封止片２３２から取り外すことが不可能となる。
【０７３６】
被覆部材２３６を封止片２３１に装着した場合も同様で、被覆部材２３６の基片２３６ａ、垂下片２３６ｂによって接続片２３１ａが被覆され、封止片２３１の接続片２３１ａに直接アクセスすることが不可能となり、被覆部材２３６を取り外さなければ、接続片２３１ａを切断することが不可能となる。
【０７３７】
封止片２３１を切断して上部ケース２０３と下部ケース２０１とを開放する場合、または封止片２３２を切断して基板ケース２００を取付ベース２５０から取り外す場合には、被覆部材２３６による接続片２３１ａ、接続片２３２ａの被覆状態を解除する必要がある。被覆部材２３６による接続片２３１ａ、接続片２３２ａの被覆状態を解除するには、基片２３６ａと嵌入部２３６ｃとをニッパーなどで切断する。これにより基片２３６ａと嵌入部２３６ｃとが分離して、基片２３６ａ及び垂下片２３６ｂ、２３６ｂを封止片２３１、封止片２３２から取り除くことにより、接続片２３１ａ、接続片２３２ａが露呈した状態となり、接続片２３１ａ、接続片２３２ａを切断して、封止片２３１を切断して上部ケース２０３と下部ケース２０１とを開放すること、または封止片２３２を切断して基板ケース２００を取付ベース２５０から取り外すことが可能となる。
【０７３８】
また、被覆部材２３６による接続片２３１ａ、接続片２３２ａの被覆状態が解除された場合には、嵌入部２３６ｃが封止片２３１の凹部２３１ｄ、封止片２３２の凹部２３２ｄに残った状態となり、その残骸を完全に取り除くことは困難となるため、被覆状態を解除した痕跡を残すことができる。また、嵌入部２３６ｃが封止片２３１の凹部２３１ｄ、封止片２３２の凹部２３２ｄに残った状態となり、被覆部材２３６によって該当箇所を再度被覆することが不可能となるため、被覆部材２３６によって封止片２３１の接続部２３１ａ、封止片２３２の接続部２３２ａの切断箇所が被覆されてしまい、不正がなされた可能性の発見を遅らせてしまうことを防止できる。
【０７３９】
次に、コネクタ規制部材６５０の詳細な構造について説明する。
【０７４０】
図６１は、コネクタ規制部材６５０を構成する載置台６６０及びカバー部材６８０を示す分解斜視図であり、図６２は、載置台６６０に対してカバー部材６８０を組み付けた状態を示す斜視図であり、図６３（ａ）は、図６２のＧ−Ｇ断面図であり、図６３（ｂ）は、図６２のＨ−Ｈ断面図である。
【０７４１】
コネクタ規制部材６５０は、図６１及び図６２に示すように、操作部中継基板１１０を載置する載置台６６０と、載置台６６０を上方から被覆するカバー部材６８０と、から構成され、載置台６６０に操作部中継基板１１０を収容した後、操作部中継基板１１０の基板側コネクタ６２１ａ、６２２ｇ、６２２ｑに、それぞれに対応するケーブル６００ａ、６０１ｇ、６０１ｑのケーブル側コネクタ６１１ａ、６１２ｇ、６１２ｑを接続した後、カバー部材６８０をケース体６１０に取り付けることで、基板側コネクタ６２１ａ、６２２ｇ、６２１ｑからのケーブル側コネクタ６１１ａ、６１２ｇ、６１２ｑの抜脱が規制される。
【０７４２】
載置台６６０は、透明な合成樹脂からなり、操作部中継基板１１０よりも大径の略長方形状に成形されている。操作部中継基板１１０には、図６１に示すように、基板側コネクタ６２１ａ、６２２ａ〜６２２ｃ、６２２ｄ〜６２２ｆ、６２２ｇ、６２２ｑが実装されており、載置台６６０の長辺側の両側面、及び短辺側の一方の側面には、操作部中継基板１１０を載置した際に、操作部中継基板１１０において差し込み口が実装面と水平方向に開口する基板側コネクタ６２２ａ〜６２２ｃ、６２２ｄ〜６２２ｆ、６２２ｇ、６２２ｑが位置する部位を避けて、外方に突出するように、係止孔６６１ｂを有する係止孔部６６１がそれぞれ１つずつ接続片６６１ａを介して設けられている。係止孔６６１ｂの内周面には、中心を挟んで対向する位置に中心向きの係止爪６６１ｃ、６６１ｃが１対形成されている。
【０７４３】
カバー部材６８０は、透明な合成樹脂からなり、載置台６６０とほぼ同形状に成形されており、一方の長辺側には、操作部中継基板１１０の基板側コネクタ６２１ａに対応する位置に手前に向かって膨出するカバー部６８１が、他方の長辺側には、操作部中継基板１１０の基板側コネクタ６２２ａ〜６２２ｃに対応する位置に手前側に向かって膨出するカバー部６８８、基板側コネクタ６２２ｑ、６２２ｇ、６２２ｄ〜６２２ｆに対応する位置に手前に向かって膨出するカバー部６８９がそれぞれ形成されている。
【０７４４】
カバー部６８１の上面６８１ａには、ケーブル６００ａのケーブル側コネクタ６１１ａの長辺の長さよりも狭い、基板側コネクタ６２１ａに接続されたケーブル６００ａを逃がすための切り欠き６８１ｂが外側の側面にかけて形成され、これにより、上面６８１ａの両側端には、それぞれ被覆面６８１ｃ、６８１が形作られる。
【０７４５】
カバー部６８８には、基板側コネクタ６２２ａ〜６２２ｃに接続されたケーブル６０１ａ、６０１ｂを逃がすための切り欠き６８２ａが形成されているとともに、カバー部６８９には、基板側コネクタ６２２ｑに接続されたケーブル６０１ｑを逃がすための切り欠き６８２ｂ、基板側コネクタ６２２ｇに接続されたケーブル６０１ｇを逃がすための切り欠き６３２ｃ、基板側コネクタ６２２ｄ〜ｆに接続されたケーブル６０１ｄ〜ｆを逃がすための切り欠き６８２ｄがそれぞれ形成されている。特に、基板側コネクタ６２２ｑ、６２２ｇに接続されたケーブル６０１ｑ、６０１ｇを逃がすための切り欠き６８２ｂ、６８２ｃは、ケーブル６０１ｇの長辺の長さよりも狭幅に形成されており、その両端には、カバー部６８９から垂下する被覆片６８３、６８３、６８３がそれぞれ設けられている。
【０７４６】
また、カバー部材６８０の長辺側の両側面、及び短辺側の一方の側面には、載置台６６０の係止孔部６６１と対応する位置に、外方に突出するように、係止孔６６１ｂの内周面とほぼ同径の係止筒６８４が接続片６８４ａを介して設けられている。係止筒６８４の外周面には、係止孔６６１ｂの内周に設けられた１対の係止爪６６１ｃと対応する箇所にそれぞれ係止孔６８４ａが形成されており、係止爪６６１ｃが係合できるようになっている。
【０７４７】
次に、載置台６６０とカバー部材６８０の取付状況について説明すると、まず、図６１に示すように、載置台６６０に操作部中継基板１１０を載置し、基板側コネクタ６２１ａ、６２２ａ〜６２２ｃ、６２２ｄ〜６２２ｆ、６２２ｇ、６２２ｑにそれぞれ対応するケーブル側コネクタ６１１ａ、６１２ａ〜６１２ｃ、６１２ｄ〜６１２ｆ、６１２ｇ、６１２ｑを接続する。これらケーブル側コネクタを基板側コネクタに接続した後、カバー部材６８０を載置台６６０に対して取り付ける。
【０７４８】
詳しくは、カバー部材６８０の係止筒６３４を載置台６６０の対応する係止孔部６６１の係止孔６６１ｂに嵌入する。そして係止筒６３４を係止孔６６１ｂに押し込むことにより、係止孔６６１ｂ内の係止爪６６１ｃが係止筒６８４の係止孔６８４ａに係合する。これにより、外方から係止爪６６１ｃと係止孔６８４ａとの係合を解除することが不可能な状態となり、図６２に示すように、載置台６６０とカバー部材６８０とが、係止孔部６６１または係止筒６３４を破断しなければ取り外し不能に組み付けられた状態となる。
【０７４９】
そして、載置台６６０とカバー部材６８０とが組み付けられると、図６３（ａ）に示すように、操作部中継基板１１０の基板側コネクタ６２１ａに接続されたケーブル側コネクタ６１１ａの両端部上面がカバー部材６８０の被覆面６８１ｃ、６８１ｃに被覆され、ケーブル側コネクタ６１１ａの基板側コネクタ６２１ａからの抜き方向への移動が規制され、ケーブル側コネクタ６１１ａの基板側コネクタ６２１ａからの抜脱が規制されるようになっている。
【０７５０】
載置台６６０とカバー部材６８０とが組み付けられると、図６３（ｂ）に示すように、操作部中継基板１１０の基板側コネクタ６２２ｇに接続されたケーブル側コネクタ６１２ｇの両端部上面、及び操作部中継基板１１０の基板側コネクタ６２２ｑに接続されたケーブル側コネクタ６１２ｑの両端部上面がカバー部材６８０の被覆片６８３、６８３、６８３に被覆され、ケーブル側コネクタ６１２ｇの基板側コネクタ６２２ｇからの抜き方向への移動及びケーブル側コネクタ６１２ｑの基板側コネクタ６２２ｑからの抜き方向への移動が規制され、ケーブル側コネクタ６１２ｇの基板側コネクタ６２２ｇからの抜脱及びケーブル側コネクタ６１２ｑの基板側コネクタ６２２ｑからの抜脱が規制されるようになっている。
【０７５１】
次に、ケーブル側コネクタ６１１ａと基板側コネクタ６２１ａとの接続、ケーブル側コネクタ６１２ｇと基板側コネクタ６２２ｇとの接続及びケーブル側コネクタ６１２ｑと基板側コネクタ６２２ｑとの接続を解除する際の状況について説明する。
【０７５２】
ケーブル側コネクタ６１１ａと基板側コネクタ６２１ａとの接続、ケーブル側コネクタ６１２ｇと基板側コネクタ６２２ｇとの接続及びケーブル側コネクタ６１２ｑと基板側コネクタ６２２ｑとの接続を解除するには、ニッパーなどの工具でカバー部材６８０の係止筒６８４を繋ぐ接続片６８４ａを破断する。これにより、カバー部材６８０の本体と係止筒６８４とが分離して、カバー部材６８０を載置台６６０から取り外すことが可能となり、カバー部材６８０を載置台６６０から取り外すことにより、被覆面６８１ｃ、６８１ｃによるケーブル側コネクタ６１１ａの抜き方向の移動の規制が解除されるとともに、被覆片６８３、６８３、６８３によるケーブル側コネクタ６１２ｇの抜き方向の移動及びケーブル側コネクタ６１２ｑの抜き方向の移動の規制も解除されるので、ケーブル側コネクタ６１１ａと基板側コネクタ６２１ａとの接続、ケーブル側コネクタ６１２ｇと基板側コネクタ６２２ｇとの接続及びケーブル側コネクタ６１２ｑと基板側コネクタ６２２ｑとの接続を解除することができるようになる。
【０７５３】
尚、カバー部材６８０を載置台６６０から取り外すと、カバー部材６８０の本体と係止筒６８４とが破断し、一度破断すると元の状態とはならないうえに、分離した係止筒６８４が載置台６６０の係止孔部６６１の係止孔６６１ｂ内に残るため、ケーブル側コネクタ６１１ａと基板側コネクタ６２１ａとの接続、ケーブル側コネクタ６１２ｇと基板側コネクタ６２２ｇとの接続及びケーブル側コネクタ６１２ｑと基板側コネクタ６２２ｑとの接続との接続を解除した痕跡が残ることとなる。
【０７５４】
以上説明したように、本実施例のスロットマシン１では、以下のような作用・効果を有する。
【０７５５】
本実施例のスロットマシン１では、内部抽選の結果、リールの停止時期（第１停止か、第２停止か、第３停止か）に応じてテーブル方式の停止制御と、コントロール方式による停止制御と、が併用されるので、内部抽選による全ての結果、リールの全ての停止時期について停止制御テーブルを予め用意する必要がないため、停止制御テーブルの格納容量が少なくて済む。
【０７５６】
また、内部抽選の結果がハズレ、赤チェリー、ビッグボーナス（１）、ビッグボーナス（１）＋小役、青チェリー、ビッグボーナス（２）、ビッグボーナス（２）＋小役、白チェリー、ビッグボーナス（３）、ビッグボーナス（３）＋小役の場合には、第１停止、第２停止及び第３停止の全ての停止時期についてテーブル方式またはテーブル＋コントロール方式による停止制御、すなわち予め用意した停止制御テーブルを用いた停止制御を行うのに対して、内部抽選の結果がベル、リプレイ（１）、リプレイ（２）、ビッグボーナス（４）、ビッグボーナス（５）の場合には、第１停止のみテーブル方式またはテーブル＋コントロール方式による停止制御を行い、残りの第２停止及び第３停止についてはコントロール方式による停止制御、すなわち停止制御テーブルを必要としない停止制御を行っている。すなわちベル、リプレイ（１）、リプレイ（２）、ビッグボーナス（４）、ビッグボーナス（５）の当選時には、ハズレ、または赤チェリー、ビッグボーナス（１）、ビッグボーナス（１）＋小役、青チェリー、ビッグボーナス（２）、ビッグボーナス（２）＋小役、白チェリー、ビッグボーナス（３）、ビッグボーナス（３）＋小役の当選時よりも多くの停止時期についてコントロール方式による停止制御を行っており、ハズレ、または赤チェリー、ビッグボーナス（１）、ビッグボーナス（１）＋小役、青チェリー、ビッグボーナス（２）、ビッグボーナス（２）＋小役、白チェリー、ビッグボーナス（３）、ビッグボーナス（３）＋小役の当選時には、ベル、リプレイ（１）、リプレイ（２）、ビッグボーナス（４）、ビッグボーナス（５）の当選時よりも相対的に多い停止時期についてテーブル方式またはテーブル＋コントロール方式による停止制御が行われるため、リールに導出される表示結果を多様にできる一方、ベル、リプレイ（１）、リプレイ（２）、ビッグボーナス（４）、ビッグボーナス（５）の当選時には、ハズレ、または赤チェリー、ビッグボーナス（１）、ビッグボーナス（１）＋小役、青チェリー、ビッグボーナス（２）、ビッグボーナス（２）＋小役、白チェリー、ビッグボーナス（３）、ビッグボーナス（３）＋小役の当選時よりも相対的に多い停止時期についてコントロール方式による停止制御が行われるため、ベル、リプレイ（１）、リプレイ（２）、ビッグボーナス（４）、ビッグボーナス（５）の当選時に必要となる滑りコマ数データの格納容量を大幅に削減することができる。すなわち内部抽選の結果の性質に合わせて表示結果を多様にすることも滑りコマ数データの格納容量を削減することも可能となる。
【０７５７】
また、本実施例では、内部抽選の結果に関わらず第１停止については必ずテーブル方式またはテーブル＋コントロール方式による停止制御を行うようになっているので、内部抽選の結果に関わらず第１停止についての停止制御の方法を共通化できるとともに、ベル、リプレイ（１）、リプレイ（２）、ビッグボーナス（４）、ビッグボーナス（５）の当選時にも、表示結果が単調化することなく、かつ必要となる滑りコマ数データの格納容量を削減することができる。
【０７５８】
また、本実施例では、停止操作のタイミングによっては取りこぼしの生じる赤チェリー、ビッグボーナス（１）、ビッグボーナス（１）＋小役、青チェリー、ビッグボーナス（２）、ビッグボーナス（２）＋小役、白チェリー、ビッグボーナス（３）、ビッグボーナス（３）＋小役の当選時に、全ての停止時期、すなわち取りこぼしのある役の当選時よりも相対的に多くの停止時期について停止制御テーブルを用いたテーブル＋コントロール方式による停止制御を行っているため、取りこぼしの生じる役が当選し、かつ当選した役を取りこぼした場合の表示結果を多様化できる。
【０７５９】
特に、これら取りこぼしの生じる役のうち、多くのメダルの獲得が期待できるビッグボーナス（１）〜（３）の当選時に、停止制御テーブルを用いたテーブル＋コントロール方式による停止制御を行っているため、これら当選したビッグボーナス（１）〜（３）を取りこぼした際の表示結果（いわゆるチャンス目やリーチ目）を多様化できる。また、本実施例では、ビッグボーナス（１）〜（３）の当選時に加えていずれの役も当選していないハズレの場合にも、停止制御テーブルを用いたテーブル方式による停止制御を行っているため、ハズレの場合の表示結果も多様化することが可能となり、結果としてビッグボーナス（１）〜（３）の当選時にも、非当選時にも出現し得る表示結果の設計の自由度が広がる。すなわちハズレの場合の停止位置を停止制御テーブルによって制限できるため、ビッグボーナス（１）〜（３）に当選している可能性の高い出目となる停止位置やその出現割合の調整が容易となる。
【０７６０】
また、取りこぼしの生じないベル、リプレイ（１）、リプレイ（２）、ビッグボーナス（４）、ビッグボーナス（５）の当選時には、ビッグボーナス（１）〜（３）を取りこぼした際の表示結果（チャンス目）との関連が薄い。すなわちベル、リプレイ（１）、リプレイ（２）が出現した時点で特別役の当選があまり期待できず、ビッグボーナス（４）、ビッグボーナス（５）は出現した時点で特別役が入賞してしまっているため、リプレイ（１）、リプレイ（２）、ビッグボーナス（４）、ビッグボーナス（５）の当選時に、表示結果を多様化させる必要性が低い。このため、本実施例では、これらリプレイ（１）、リプレイ（２）、ビッグボーナス（４）、ビッグボーナス（５）といった取りこぼしの生じない役の当選時に、第２停止及び第３停止リールについて、すなわち取りこぼしの生じる役の当選時よりも相対的に多くの停止時期について停止制御テーブルを用いないコントロール方式による停止制御を行っているので、効果的に停止制御テーブルの格納容量を削減することが可能となる。すなわち内部抽選の結果の性質に合わせて表示結果を多様にすることも停止制御テーブルの格納容量を削減することも可能となる。
【０７６１】
また、本実施例では、第１停止について必ずテーブル方式またはテーブル＋コントロール方式で停止制御が行われる。すなわちこの場合には、必ず予め登録された停止制御テーブルを用いて停止制御が行われるので、特別役の当選時に、特別役の非当選時に選択される停止制御テーブルからは停止することのない停止位置となる滑りコマ数が登録された停止制御テーブルを選択して第１停止の停止制御を行うことで、第１停止のリールに表示結果が導出された時点で成立するリーチ目（いわゆる１確目）を導出させる制御を容易に設計することが可能となる。
【０７６２】
また、内部抽選の結果が赤チェリー、ベル＋赤チェリー、ビッグボーナス（１）、ビッグボーナス（１）＋小役の場合に、赤チェリー、ビッグボーナス（１）の構成図柄をそれぞれ最大４コマの範囲で入賞ラインに引き込む停止制御テーブルが定められた共通テーブル作成用データ（１）を用いて停止制御を行うので、内部抽選の結果が赤チェリー、ベル＋赤チェリー、ビッグボーナス（１）、ビッグボーナス（１）＋小役である場合に導出される表示結果をコントロール方式でリールの停止制御を行う場合に比較して容易に設計できるとともに、赤チェリー、ベル＋赤チェリー、ビッグボーナス（１）、ビッグボーナス（１）＋小役が当選した場合のそれぞれについて個別にテーブル作成用データを用意せずに抽選結果に応じてリールを停止させる制御を行うことが可能となるので、リール２Ｌ、２Ｃ、２Ｒの表示結果を多様化しつつ、テーブル作成用データの格納容量を削減することができる。
【０７６３】
尚、本実施例では、内部抽選の結果が青チェリー、ベル＋青チェリー、ビッグボーナス（２）、ビッグボーナス（２）＋小役である場合、白チェリー、ベル＋白チェリー、ビッグボーナス（３）、ビッグボーナス（３）＋小役である場合にも、共通テーブル作成用データ（１）と同様の共通テーブル作成用データ（２）、共通テーブル作成用データ（３）をそれぞれを用いて停止制御を行うようになっており、これらの場合でも上記と同様の効果を有する。また、以下については、内部抽選の結果が赤チェリー、ベル＋赤チェリー、ビッグボーナス（１）、ビッグボーナス（１）＋小役の場合についての停止制御に係る効果を説明し、青チェリー、ベル＋青チェリー、ビッグボーナス（２）、ビッグボーナス（２）＋小役である場合についての停止制御、白チェリー、ベル＋白チェリー、ビッグボーナス（３）、ビッグボーナス（３）＋小役である場合についての停止制御においても同様の構成をとっているため、青チェリー、ベル＋青チェリー、ビッグボーナス（２）、ビッグボーナス（２）＋小役である場合についての停止制御、白チェリー、ベル＋白チェリー、ビッグボーナス（３）、ビッグボーナス（３）＋小役である場合についての停止制御に係る効果については省略する。
【０７６４】
また、内部抽選の結果が赤チェリー、ベル＋赤チェリー、ビッグボーナス（１）、ビッグボーナス（１）＋小役ある場合に、共通テーブル作成用データ（１）に基づく滑りコマ数が停止操作位置毎に仮想滑りコマテーブルに格納された後、当選役以外の役の入賞（異常入賞）や重複入賞を回避できない停止禁止位置となる滑りコマ数が格納された停止操作位置については、停止禁止位置以外の停止位置となる滑りコマ数に更新され、それ以外の停止操作位置の滑りコマ数が維持されるようになっているので、内部抽選の結果に応じて停止禁止位置以外の停止位置となる停止操作位置で停止操作がなされた場合には、表示結果が同一となるので、赤チェリーのみが当選し、かつ取りこぼした場合でも、ビッグボーナス（１）が当選し、かつ取りこぼした場合と同一の表示結果が導出される割合が高くなるため、ビッグボーナス（１）が当選していることに対する遊技者の期待感を効果的に高めることができる。
【０７６５】
特に、本実施例では、共通テーブル作成用データ（１）の滑りコマ数として、赤チェリー、ビッグボーナス（１）の構成図柄を引き込めない停止操作位置については、通常の大半を占めるハズレの場合（いずれの役も当選していない場合）には出現することのないチャンス目を停止させる滑りコマ数が定められているので、前述のような制御を行い、チャンス目が導出されることにより、ビッグボーナス（１）が当選していることに対する遊技者の期待感を更に効果的に高めることができる。
【０７６６】
また、本実施例では、左リールの入賞ライン上に「赤チェリー」が停止するのみで、入賞となる赤チェリーと、ビッグボーナス（１）など遊技者にとって有利な特別役と、で共通テーブル作成用データ（１）が適用されるようになっている。すなわち、赤チェリー当選時において左リールの入賞ライン上に「赤７」または「赤チェリー」がが停止しなかった場合には、中、右リールの滑りコマ数として、ビッグボーナス（１）が当選している場合と同一の滑りコマ数が適用されることとなる。また、赤チェリー当選時において左リールの入賞ライン上に「赤７」が停止した場合でも、ビッグボーナス（１）を取りこぼすこととなる停止操作位置については、中リール及び右リールの滑りコマ数としてビッグボーナス（１）が当選している場合と同一の滑りコマ数が適用されることとなる。このため、チェリーに当選し、かつ取りこぼした場合には、ビッグボーナス（１）を取りこぼした場合と同一の停止位置が一層高い割合で停止することとなるので、ビッグボーナス（１）が当選していることに対する遊技者の期待感を更に効果的に高めることができる。
【０７６７】
尚、本実施例では、左リールの入賞ライン上に「赤チェリー」が停止するのみで、入賞となる赤チェリーと、ビッグボーナス（１）など遊技者にとって有利な特別役と、で共通テーブル作成用データ（１）が適用されるようになっているが、いずれか２つのリールまたは全てのリールの表示結果の組み合わせに応じて入賞となる役と、特別役と、で共通テーブル作成用データが適用されるようにしても良く、この場合には、取りこぼしの多い役（該当する図柄が引込可能範囲を超えて配置されている役）と、特別役と、で共通テーブル作成用データが適用されることが好ましく、この場合でも、取りこぼす割合が高まることによって特別役を取りこぼした場合と同一の停止位置が一層高い割合で停止することとなるので、特別役が当選していることに対する遊技者の期待感を更に効果的に高めることができる。
【０７６８】
また、本実施例では、赤チェリーが特別役と同時に当選し得る役であるため、赤チェリーが当選し、赤チェリーが入賞して、チャンス目が導出されなかった場合であっても、特別役に当選している可能性が残るため、このような場合であっても特別役が当選していることに対する遊技者の期待感を高めることができる。
【０７６９】
また、本実施例では、内部抽選の結果が赤チェリー、ビッグボーナス（１）、ビッグボーナス（１）＋小役の場合である場合に、全てのリールについてその停止時（第１停止時、第２停止時、第３停止時）に、共通テーブル作成用データ（１）に基づく停止制御テーブルが適用されるので、内部抽選の結果が赤チェリー、ビッグボーナス（１）、ビッグボーナス（１）＋小役の場合に導出される表示態様、特には、これらの役が当選している場合のみ導出されるチャンス目の表示態様を容易に設計することができる。
【０７７０】
尚、本実施例では、内部抽選の結果が赤チェリー、ベル＋赤チェリー、ビッグボーナス（１）、ビッグボーナス（１）＋小役の場合である場合に、全てのリールについてその停止時（第１停止時、第２停止時、第３停止時）に、共通テーブル作成用データ（１）に基づく停止制御テーブルが適用されるようになっているが、少なくとも最初に停止するリール、すなわち第１停止リールについて、共通テーブル作成用データに基づく滑りコマ数が適用されるものであっても上記と同様の効果を得られる。すなわち最初に停止する出目、いわば最も遊技者が注目する出目の表示態様を容易に設計することができる。
【０７７１】
また、本実施例では、ビッグボーナス（１）の当選時とハズレ時とでは、異なる停止制御テーブルを適用しているが、例えば、ビッグボーナス（１）の当選時にもハズレ時にも第１停止を共通の停止制御テーブル、すなわち第１停止時のみハズレの場合にも共通テーブル作成用データ（１）の停止制御テーブル（ただし、左リールでは、赤チェリーが入賞してしまうのでこのような場合は例外とする。）を用いて停止制御を行うようにしても良く、このようにすることで、第１停止のリールに表示結果が停止した時点では、その停止位置からビッグボーナス（１）が当選しているか否かを判別することができないので、それ以降に遊技者の期待感を持続させることができる。また、前述したように左リールでは、赤チェリーが入賞してしまうので、左リールが第１停止である場合には、ハズレであってもテーブル＋コントロール方式で停止制御を行うことにより、左リールが第１停止となっても赤チェリーが入賞してしまうことを防止できる。
【０７７２】
本実施例では、テーブル方式によって停止制御を行う場合に、停止操作が有効となる前、すなわち停止操作が検出される前に、停止制御テーブルに登録された滑りコマ数を展開し、仮想滑りコマテーブルに格納するとともに、停止操作が検出された際には、仮想滑りコマテーブルを参照し、該当する停止操作位置の滑りコマ数を取得して停止制御を行うようになっており、停止操作が検出された後に停止制御テーブルを展開して滑りコマ数を取得する必要がないので、停止操作が検出された後、リールを停止させる制御を速やかに行うことが可能となり、停止操作の検出後、リールが停止するまでのタイムラグを極力短くすることができる。
【０７７３】
また、コントロール方式によって停止制御を行う場合にも、停止操作が有効となる前に、停止操作位置毎に、当選役に応じた停止位置を検索し、その検索結果に基づく滑りコマ数を仮想滑りコマテーブルに格納するとともに、停止操作が検出された際には、仮想滑りコマテーブルを参照し、該当する停止操作位置の滑りコマ数を取得して停止制御を行うようになっており、停止操作が検出された後に当選役に応じた停止位置を検索する必要がないので、停止操作が検出された後、リールを停止させる制御を速やかに行うことが可能となり、停止操作の検出後、リールが停止するまでのタイムラグを極力短くすることができる。
【０７７４】
また、本実施例では、テーブル＋コントロール方式によって停止制御を行う場合にも、停止操作が有効となる前に、停止制御テーブルに登録された滑りコマ数を展開し、仮想滑りコマテーブルに格納し、更に滑りコマ数別に停止位置を取得し、取得した停止位置との優先度に基づいて仮想滑りコマテーブルの滑りコマ数を更新する処理を行うとともに、停止操作が検出された際には、仮想滑りコマテーブルを参照し、該当する停止操作位置の滑りコマ数を取得して停止制御を行うようになっており、停止操作が検出された後に停止制御テーブルを展開して滑りコマ数を取得する必要や優先度の比較、滑りコマ数の更新などを行う必要がないので、停止操作が検出された後、リールを停止させる制御を速やかに行うことが可能となり、停止操作の検出後、リールが停止するまでのタイムラグを極力短くすることができる。
【０７７５】
本実施例では、停止制御の方法、テーブル方式及びテーブル＋コントロール方式で停止制御を行う際に参照する停止制御テーブル、コントロール方式で停止制御を行う際の停止位置の検索順、テーブル＋コントロール方式で停止制御を行う際の停止位置の優先度の判定順といった、リールの停止制御を行うための制御パターンが、全てのリールが回転中においては、内部抽選の結果に対して一意的に定められ、これらの制御パターンが内部抽選の結果に応じて一意的に選択され、選択された制御パターンに従ってリールの停止制御が行われるとともに、いずれかのリールが既に停止している場合においては、内部抽選の結果、停止済みのリールの停止位置に対して一意的に定められた制御パターンが選択し、選択された制御パターンに従ってリールの停止制御が行われるようになっており、内部抽選の結果、リールの停止状況（及び停止済みのリールの停止位置（表示結果））の全てが同一条件となった際に、同一の制御パターンに基づいてリールの停止制御が行われることとなるので、従来のように一の内部抽選結果に対して複数の制御テーブルからいずれか１つの制御テーブルを内部抽選とは異なる抽選（例えばリール制御の振分抽選など）などにより更に選択する必要がなく、リールを停止させる際の制御が複雑化することがない。
【０７７６】
尚、本実施例では、いずれかのリールが既に停止している場合において、内部抽選結果、リールの停止状況及び停止済みのリールの停止位置に対して一意的に定められた制御パターンに従ってリールの停止制御が行われるようになっているが、いずれかのリールが既に停止している場合において、内部抽選結果、リールの停止状況及び停止済みのリールの停止操作位置に対して一意的に定められた制御パターンに従ってリールの停止制御が行われるようにしても良く、このようにすることで内部抽選結果が同一であり、かつ停止済みのリールの停止位置（停止図柄）が同一の場合であっても、停止済みのリールの停止操作位置が異なる場合には、異なるテーブル作成用データが適用されることがあるため、リールの表示結果をより多彩なものにできる。
【０７７７】
この場合には、１／２図柄が変動する範囲の領域、すなわち１図柄が変動する範囲未満の単位で停止済みのリールの停止操作位置を判定し、その停止操作位置に対して一意的に定められた制御パターンに従ってリールの停止制御を行うこと、すなわちある図柄が基準位置に位置するステップ数から１図柄が変動する範囲以内の異なるステップ数に対して異なる制御パターンを選択可能とすることが好ましく、このようにすれば、停止済みのリールの停止位置が同一であり、停止操作が行われたタイミングが１図柄が変動する範囲以内であっても、他のリールに適用される制御パターンを変化させることができるので、各リールの表示結果をより一層多様化することができる。
【０７７８】
また、いずれかのリールが既に停止している場合において、内部抽選結果、リールの停止状況及び停止済みのリールの停止操作位置に対して一意的に定められた制御パターンに従ってリールの停止制御を行うものでは、例えば、いずれの役にも当選していない場合（ハズレ）において、ある特定のリールにおいて同一の停止位置が定められた領域番号の範囲で停止操作が行われた場合において同一の表示結果が導出されるが、同一の停止位置が定められた領域番号のうちの特定の領域番号の領域で停止操作が行われた場合のみ、他のリールの制御パターンとしてチャンス目を構成する表示結果を導出させることが可能なテーブル作成用データを選択し、同一の停止位置が定められた領域番号のうちの特定の領域番号以外の領域で停止操作が行われた場合に、他のリールの制御パターンとしてチャンス目を構成する表示結果を導出させることが可能な制御パターンを選択することが好ましい。これにより特定のリールを停止した時点での当該リールの停止位置が同一の場合であってもその停止操作位置が異なることによって最終的にチャンス目を導出可能に制御する場合と導出不可能に制御する場合とがあるので、いずれの役にも当選していない場合（ハズレ）のリールの表示結果が単調化してしまうことを防止できる。
【０７７９】
また、いずれかのリールが既に停止している場合において、内部抽選結果、リールの停止状況及び停止済みのリールの停止操作位置に対して一意的に定められた制御パターンに従ってリールの停止制御を行うものにおいては、リールが停止する毎に、停止するリールが左リール、中リール、右リールのいずれかであるか、該当するリールの停止操作位置の領域番号、該当するリールの停止位置の領域番号、を特定可能なリール停止コマンドを、サブ制御部９１に対して送信することが好ましく、このようにすることでサブ制御部９１のＣＰＵ９１ａは、リールが停止した際に、そのリールの停止位置のみならず、停止操作位置に応じて異なる演出を行うことが可能となる。
【０７８０】
特に、通常遊技状態においていずれの役にも当選していない場合（ハズレ）において、ある特定のリールにおいて同一の停止位置が定められた領域番号の範囲で停止操作が行われた場合において同一の表示結果が導出されるが、同一の停止位置が定められた領域番号のうちの特定の領域番号の領域で停止操作が行われた場合のみ、他のリールの制御パターンとしてチャンス目を構成する表示結果を導出させることが可能な制御パターンを選択し、同一の停止位置が定められた領域番号のうちの特定の領域番号以外の領域で停止操作が行われた場合に、他のリールの制御パターンとしてチャンス目を構成する表示結果を導出させることが可能な制御パターンを選択するとともに、通常遊技状態においていずれかの特別役に当選している場合に、同一の停止位置が定められた領域番号のうち、通常遊技状態においていずれの役も当選していない場合よりも多くの領域番号に対して、他のリールの制御パターンとしてチャンス目を構成する表示結果を導出させることが可能な制御パターンを選択する場合には、リール停止コマンドを受信した際に、停止操作位置がチャンス目の導出条件を満たす場合、すなわちチャンス目を構成する表示結果を導出可能な制御パターンが選択される停止操作位置である場合において、チャンス目の導出条件を満たさないが同一の停止位置となる他の停止操作位置である場合よりも高い割合で、いずれかの特別役に当選している可能性を報知する特殊演出（例えば、通常とは異なる停止音など）を行うようにしても良く、このようにすれば、特定のリールの停止時に特殊演出が行われることで、特定のリールの停止時に特殊演出が行われない場合よりも最終的にチャンス目が導出される可能性が高まることとなり、特殊演出が行われることに伴ってチャンス目の導出、更には特別役の当選に対する遊技者の期待感を効果的に高めることができる。
【０７８１】
本実施例では、レギュラーボーナス中においては、ベル以外の小役が当選する場合、必ずベルも同時に当選するとともに、最も払出枚数の多いベルの組み合わせを入賞ラインに引き込む制御が優先されるため、レギュラーボーナス中においていずれかの小役が当選した場合には、遊技者によるストップスイッチ８Ｌ、８Ｃ、８Ｒの操作タイミングに関わらずに、必ずベルを入賞させることができるようになっている。すなわちレギュラーボーナスにおいて赤チェリー、青チェリー、白チェリーといった払出枚数がベルよりも少ない役が当選した場合でも、ベルが入賞して赤チェリー、青チェリー、白チェリーが入賞したときよりも多くのメダルを獲得できるようになっており、赤チェリー、青チェリー、白チェリーが当選したために、レギュラーボーナス中に獲得できるメダル数が減少してしまうことがない。
【０７８２】
尚、本実施例では、レギュラーボーナス中において最も払出枚数の多いベルを、ベルの払出枚数よりも少ない小役が当選する際に同時に当選させるようにしているが、例えば、単独では、レギュラーボーナス中において最も払出の多い小役ではないが、複数の入賞ライン上に停止することで、レギュラーボーナス中に最も多くのメダルが付与される場合であれば、このような小役をそれよりも払出枚数の少ない小役と同時に当選させるようにしても良い。
【０７８３】
また、本実施例では、全ての遊技状態を通して最も払出枚数の多い小役であるベルを、レギュラーボーナス中においてそれよりも払出枚数の少ない小役が当選する際に同時に当選させるようにしているが、少なくともレギュラーボーナス中において入賞の対象となる小役のうちで最も払出枚数の多い小役を、それよりも払出枚数の少ない小役が当選する際に同時に当選させるようにすれば、レギュラーボーナス中に獲得できるメダル数が減少してしまうことを防止できるものであり、例えば、レギュラーボーナス中において対象となる小役のうち最も払出枚数の多い小役の払出枚数が、他の遊技状態では、最も払出枚数の多い小役でなくとも良い。
【０７８４】
本実施例のように、特別役と小役が同時に当選している場合に、当選した特別役の構成図柄と当選した小役の構成図柄の引込範囲が重複するタイミングで停止操作がなされた場合に、小役の構成図柄よりも特別役の構成図柄を優先して引き込む制御を行う場合には、特別役の構成図柄が引き込まれずに小役の構成図柄が引き込まれ、その小役が入賞した場合に同時当選する可能性のある特別役の当選が否定されてしまうこととなり、同時当選する可能性のある小役が入賞しても特別役の当選が期待できなくなってしまうという問題があった。一方、特別役と小役が同時当選した場合には、特別役の構成図柄が小役の構成図柄よりも優先して引き込まれることにより、当選した小役を取りこぼしてしまい、遊技者に不利益が生じてしまうという問題があった。
【０７８５】
これに対して本実施例では、内部抽選において、左リールにおいて「赤７」を構成図柄とするビッグボーナス（１）と左リールにおいて「赤７」と同時に狙える停止操作位置が存在しない「赤チェリー」を構成図柄とする赤チェリー、左リールにおいて「青７」を構成図柄とするビッグボーナス（２）と左リールにおいて「青７」と同時に狙える停止操作位置が存在しない「青チェリー」を構成図柄とする青チェリー、左リールにおいて「白７」を構成図柄とするビッグボーナス（３）と左リールにおいて「白７」と同時に狙える停止操作位置が存在しない「白チェリー」を構成図柄とする白チェリー、がそれぞれ同時当選可能とされており、同時に狙える停止操作位置が存在する特別役と小役同士は同時に当選しないようになっている。このため、同時に当選する可能性のある小役が入賞した場合でも、それによって特別役の当選が否定されてしまうことがなく、同時に当選する可能性のある小役が入賞した際に、特別役の当選に対する期待感を確実に高めることができる。さらに、同時に狙える停止操作位置が存在する特別役と小役同士は同時に当選しないので、特別役と小役が同時当選した場合でも、特別役の構成図柄が小役の構成図柄よりも優先して引き込まれることに起因して当選した小役を取りこぼすことはなく、特別役と小役が同時当選したことにより遊技者に不利益が生じてしまうことを防止できる。
【０７８６】
また、本実施例では、内部抽選において、ビッグボーナス（１）は赤チェリーと、ビッグボーナス（２）は青チェリーと、ビッグボーナス（３）は白チェリーと、それぞれ同時当選可能とされている。すなわちビッグボーナス（１）〜（３）がそれぞれ、同時に狙える停止操作位置が存在しない「赤チェリー」、「青チェリー」、「白チェリー」を左リールの構成図柄とする赤チェリー、青チェリー、白チェリーと同時当選可能とされているので、同時当選する可能性のあるチェリーがいずれも入賞しない場合であっても他のチェリーを取りこぼした可能性があるため、チェリーがいずれも入賞しないゲームにおいても特別役の当選に期待を持たせることができる。
【０７８７】
また、本実施例では、いずれかの特別役が当選したとき（いずれかのチェリーと同時に当選している場合を含む）に、通常遊技状態よりも再遊技役の当選確率が高まるＲＴ（４）に移行するとともに、再遊技役と特別役とが同時に当選した場合には、特別役を構成する図柄の組み合わせよりも再遊技役を構成する図柄の組み合わせを入賞ラインに対して優先的に引き込む制御が行われるようになっており、特別役が当選していてもその特別役を構成する図柄の組み合わせが揃いづらく、特別役が当選しているか否かの判別が困難となるため、特別役の当選に対する遊技者の期待感を効果的に持続させることができる。
【０７８８】
さらに、本実施例では、いずれかのチェリーが入賞したときにも再遊技役の当選確率が高まるＲＴ（３）に移行するようになっており、特別役と同時当選する可能性のあるいずれかのチェリーが入賞すると、例え特別役が当選していてもその特別役を構成する図柄の組み合わせが揃いづらく、特別役が当選しているか否かの判別が困難となるので、特別役と同時当選する可能性のあるいずれかのチェリーが入賞したときに、チェリーの入賞により示唆された特別役の当選可能性に対する遊技者の期待感を効果的に持続させることができる。
【０７８９】
本実施例のスロットマシン１では、ビッグボーナス（１）（２）の終了後、ＲＴ（２）への移行契機となるリプレイ（２）の当選確率が高まるＲＴ（１）に制御されるようになっており、ＲＴ（１）に制御されることによってＲＴ（２）に移行することへの遊技者の期待感を高めることができる。
【０７９０】
また、ＲＴ（２）は、１ゲームあたりのメダルの払出率がＲＴ（１）よりも高く、終了条件となる既定ゲーム数がＲＴ（１）よりも多く、ＲＴ（１）よりも多くのメダルの獲得が期待できるため、ＲＴ（１）に制御されることで、ＲＴ（２）に移行することへの遊技者の期待感を一層高めることができる。
【０７９１】
また、ＲＴ（１）、ＲＴ（２）はともに１ゲームあたりのメダルの期待増加率が１を超えており、ＲＴ（１）に制御されるだけでもメダルの増加が期待できるうえに、ＲＴ（２）へ移行することにより、さらにメダルの増加が期待できる。
【０７９２】
また、ＲＴ（２）は、当該ＲＴ（２）が開始した後、規定ゲーム数に到達する前にいずれかの特別役が当選しても、その当選した特別役が入賞しなければ、特別役の当選をもってＲＴ（２）が終了することがなく、当選した特別役を入賞させなければ、規定ゲーム数に到達するまでＲＴ（２）に継続して制御することが可能となるため、ＲＴ（２）において特別役が当選してもその当選した特別役を入賞させなければ、規定ゲーム数に到達するまでＲＴ（２）を消化することが可能となり、遊技者に対して損失感を与えてしまうことがない。
【０７９３】
また、特別役の当選フラグは、該特別役が入賞するまで次ゲーム以降に持ち越されるため、ＲＴ（２）が規定ゲーム数に到達することによって終了した後に、その間に当選した特別役を入賞させることが可能となるので、ＲＴ（２）の終了時に特別役の当選に対する遊技者の期待感を高めることができる。
【０７９４】
また、ＲＴ（２）は、当該ＲＴ（２）の開始後、規定ゲーム数に到達する前に、転落役（いずれかのチェリー）が入賞したときにも終了してしまうが、ＲＴ（２）の開始後、転落役が当選しても、転落役の入賞を回避する操作手順、すなわち転落役の組み合わせの引込範囲外のタイミングにて遊技者が停止操作を行うこと、すなわち遊技者の技術介入によってＲＴ（２）を継続させることができるので、ＲＴ（２）に伴う興趣を高めることができる。この際、転落役の種類によって入賞を回避するための操作手順が変化するうえに、全ての種類の転落役に共通の回避手順が存在しないため、遊技者がどの種類の転落役が当選したのかを推察し、それが当たるか否かによってＲＴ（２）が継続するか否かが決定されることとなり、ＲＴ（２）に伴う興趣を一層高めることができる。
【０７９５】
また、転落役である赤チェリー、青チェリー、白チェリーは、１ゲームに対して設定可能な最大賭数（３）を設定するために必要なメダル数である３枚以下（３枚）のメダルの払出を伴う入賞であるため、転落役を回避しても、遊技者が大きな不利益を被ることがないばかりか、赤チェリー、青チェリー、白チェリーの入賞確率が、スロットマシン１の払い出し率に大きな影響が及ぶことがない。
【０７９６】
また、本実施例では、赤チェリー、青チェリー、白チェリーの入賞に伴い払い出されるメダル数が１ゲームに対して設定可能な最大賭数（３）を設定するために必要なメダル数である３枚とされているため、スロットマシン１の払い出し率に影響を与えにくくできる。
【０７９７】
尚、本実施例では、赤チェリー、青チェリー、白チェリーの入賞に伴い、１ゲームに対して設定可能な最大賭数（３）を設定するために必要なメダル数である３枚のメダルが遊技者に払い出されるようになっているが、より少ない方が好ましく、２枚、または最小単位の賭数を設定するのに必要な１枚とすることで、よりスロットマシン１の払い出し率に影響を与えにくくできる。
【０７９８】
また、ＲＴ（２）においていずれかの特別役が当選した場合には、以後、いずれかのチェリーが入賞しても、当選した特別役を入賞させなければ、例えいずれかのチェリーが入賞しても規定ゲーム数に到達するまでＲＴ（２）が終了してしまうことがないので、この間は、いずれかのチェリーが当選した際に、当選したチェリーを入賞させることで、特別役が当選する前に比較してより多くのメダルを獲得できるようになるため、ＲＴ（２）中にいずれかの特別役に当選した場合には、当選しなかった場合に比較して、その後獲得可能なメダル数を増加させることができるようになっている。
【０７９９】
また、転落役である赤チェリー、青チェリー、白チェリーは、特別役と同時に当選し得る役であるため、ＲＴ（２）の開始後、いずれかのチェリーを入賞させてしまった場合でも、同時に特別役が当選している可能性があるため、このような場合であっても特別役の当選に対する遊技者の期待感を効果的に高めることができる。さらに同時に特別役が当選していれば、いずれかのチェリーが入賞してもＲＴ（２）が終了することがなく、その後も規定ゲーム数に到達するまでＲＴ（２）が継続するので、いずれかのチェリーが入賞したにも関わらず、ＲＴ（２）が継続することによって特別役の当選を間接的に報知することができる。
【０８００】
本実施例では、ＲＴ（２）においていずれの特別役も当選していない状態においては、いずれかのチェリーが当選したときに、転落役報知回数が残っている場合には、当選したチェリーの種類を示す転落役種類報知が実行されるようになっているので、転落役種類報知が実行されると、遊技者は報知された色によって、当選したチェリーの種類を認識することが可能となり、その結果、当選した可能性のあるチェリーの入賞を回避する操作手順を知ることができ、ＲＴ（２）を継続させることが可能となり、転落役報知回数によってＲＴ（２）が継続するゲーム数を大きく変動させることができるため、ＲＴ（２）に伴う興趣をさらに高めることができる。また、遊技者は、ＲＴ（２）において常に転落役の入賞を回避するための操作手順を実践する必要が無く、転落役種類報知が実行されたときのみ転落役の入賞を回避する操作手順を行えば良いので、ＲＴ（２）における遊技者の負担を軽減できる。
【０８０１】
また、転落役報知回数を付与するか否か、すなわちＲＴ（２）中においていずれの特別役も当選していない状態において複数種類のチェリーのうちいずれかの種類のチェリーが当選したときに転落役種類報知を実行するか否かを決定する転落役報知抽選を、ビッグボーナス（１）（２）中に行うとともに、その結果がビッグボーナス（１）（２）中に報知されるため、ビッグボーナス中の興趣を高めることができる。
【０８０２】
また、遊技者が選択したＢＢ演出モードに対応する契機で転落役報知抽選を実行するとともに、その際の当選確率もＢＢ演出モードに対応する確率を適用するようになっており、遊技者が選択したＢＢ演出モードに応じて転落役報知回数を付与するか否かを決定するタイミングや、そのタイミングでの期待感が変化するので、遊技者が遊技に積極的に参加しているという意識を高めることができる。さらに転落役報知抽選に当選した旨の告知もＢＢ演出モードに対応する契機で行うようになっているので、転落役報知抽選のタイミングとその告知タイミングとを適格に関連させることができる。
【０８０３】
また、転落役報知抽選に当選した場合に、複数の異なる回数からいずれかの回数を転落役報知回数として選択する報知回数抽選が実行されるようになっており、報知回数抽選で当選した転落役報知回数によって、ＲＴ（２）においていずれの特別役も当選していない状態において、いずれかのチェリーが当選した際に転落役種類報知が実行される回数が変化し、その結果、ＲＴ（２）の継続が期待できるゲーム数も変化するので、ＲＴ（２）に伴う興趣を一層高めることができる。
【０８０４】
転落役報知抽選が行われるのは、ビッグボーナス（１）とビッグボーナス（２）であり、ビッグボーナス（１）の方がその後移行するＲＴ（１）の規定ゲーム数が多いうえに、比較的多い転落役報知回数（３回、４回）が選択される割合が高いので、ビッグボーナス（１）の方がビッグボーナス（２）よりも更なるメダルの獲得が期待できるようになっている。
【０８０５】
このように本実施例では、特別役の種類に応じて、その後のＲＴ（１）の継続ゲーム数、やＲＴ（２）において転落役種類報知が実行される回数が変動するので、特別役の種類に応じてメダルの増減にメリハリを持たせることができる。
【０８０６】
また、本実施例では、ビッグボーナス（１）（２）中だけでなく、ＲＴ（１）、ＲＴ（２）においても、ハズレのときに転落役報知抽選を実行するようになっており、ＲＴ（１）（２）中においても転落役報知回数が付与され得るため、ＲＴ（２）中において転落役報知回数が無くなってしまった場合や、ビッグボーナス（１）（２）中に転落役報知回数を獲得できなかった場合であっても、ＲＴ（２）の継続に期待できる。
【０８０７】
また、本実施例では、ビッグボーナス（１）（２）中の転落役報知抽選に当選した場合には、当該ビッグボーナス（１）（２）の終了時に、液晶表示器５１に表示された内容に応じて遊技者がタッチパネルを操作することにより得点を獲得するミニゲームを実行するとともに、ミニゲームにおいてタッチパネルの操作を行った場合には、その結果に応じて転落役報知回数、すなわち転落役の当選時にＲＴ（２）の終了を回避することが可能な転落役報知回数が付与されるのに対して、ミニゲームにおいてタッチパネルの操作を一切行わなかった場合やミニゲーム終了前にミニゲームが中止された場合には、転落役報知回数が付与されないようになっている。このため、遊技者は、ゲームを進行させるに際して有利となる転落役報知回数を得ようとし、積極的にタッチパネルの操作を行なう。これにより、ミニゲームにおいて遊技者がタッチパネルの操作を行うことへの意欲を高めることができる。
【０８０８】
尚、本実施例では、タッチパネルの操作など技術介入を伴う演出としてミニゲームを例示しているが、例えば、タッチパネルの操作によって当選役が報知されるのに対して、タッチパネルの操作がなされなかった場合に当選役の報知が行われないようにした当選役報知演出などであっても良い。
【０８０９】
また、本実施例では、ＲＴ（２）の残りゲーム数が５ゲームとなったときに、その時点で特別役の当選が報知されていなければ、ＲＴ（２）の終了までの５ゲームにわたり連続演出を必ず実行し、ＲＴ（２）の最終ゲーム、または最終ゲームの次のゲームにおいて特別役に当選しているか否かを報知するようになっており、ＲＴ（２）の終了時、すなわち特別役の当選が最も期待できるタイミングにかけて連続演出が実行され、特別役に当選しているか否かの報知が行われるので、特別役の当選に対する遊技者の期待感を効果的に高めることができる。
【０８１０】
また、ＲＴ（２）においていずれの役も入賞しなかったとき、すなわちＲＴ（２）において出現頻度が低く、かつ特別役が当選している可能性の高いハズレを契機に連続演出を実行するか否かを決定する連続演出抽選を実行し、連続演出抽選に当選した場合に連続演出を実行し、最終的に特別役に当選しているか否かが報知されるとともに、いずれかの特別役に当選している場合に連続演出抽選で当たりパターンが決定され、決定された当たりパターンに基づく連続演出が実行され、特別役の当選が報知されることで、ＲＴ（２）演出における表示画面の背景を選択する背景選択抽選を行い、ＲＴ（２）演出における表示画面の背景を背景選択抽選で選択された背景に変更するようになっており、ＲＴ（２）においてＲＴ（２）演出の背景が変化することによって特別役の当選に対する遊技者の期待感を高めることができるため、ＲＴ（２）演出に伴う興趣を効果的に高めることができる。
【０８１１】
また、背景選択抽選では、ビッグボーナス（３）に当選しているときよりもビッグボーナス（２）に当選しているときの方が夕方、夜が高い割合で選択され、ビッグボーナス（１）に当選しているときの方が更に夕方、夜が高い割合で選択されるようになっている。このため、背景が夕方や夜に変更されることで、より遊技者にとって有利度の高いビッグボーナス（１）の当選が期待できるようになっている。一方、ビッグボーナス（１）が当選している場合でも、５０％は昼が選択され、背景が変更されないことがあるため、背景が変更しない場合でもビッグボーナス（１）の当選に期待が持てるようになっている。
【０８１２】
このように背景選択抽選では、当選した特別役の種類に応じた確率で背景を選択するようになっており、ＲＴ（２）演出の背景の変化の仕方に応じて当選した特別役の種類を示唆することが可能となるので、ＲＴ（２）演出に伴う興趣を一層効果的に高めることができる。
【０８１３】
尚、本実施例では、特別役に当選している可能性のあるハズレを契機とする連続演出を境にＲＴ（２）演出の演出態様（背景）が変更されるようになっているが、演出態様が変更する可能性を示す変更演出を境に演出態様を変更するようにしても良く、このようにした場合にも、ＲＴ（２）中において特別役と同時当選する可能性のある役が入賞したとき、特別役に当選している可能性の高いチャンス目が導出されたことを契機に変更演出を実行することが好ましく、このようにすることで、特別役の当選している可能性がある事象が発生した場合にのみ変更演出が実行されることとなるため、変更演出による特別役の当選に対する遊技者の期待感を効果的に高めることができる。尚、いずれの役も入賞しなかった場合に変更演出を実行しても上記と同様の効果が得られる。
【０８１４】
また、ＲＴ（２）中に特別役に当選していることを条件に、特別役の当選した可能性の低い事象またはその事象のみでは特別役の当選した可能性を示すものではない事象を契機に連続演出や前述した変更演出を行ってＲＴ（２）演出の演出態様を変更したり、これらの事象を契機に連続演出や変更演出を伴わずＲＴ（２）演出の演出態様を変更するようにしても良く、このようにすることで特別役の当選報知に意外性を持たせることができる。
【０８１５】
また、本実施例では、特別役に当選していることを条件にＲＴ（２）演出の演出態様が変化するようになっているが、特別役に当選しているときの方が特別役に当選していないときよりも高い確率でＲＴ（２）演出の演出態様が変化するようにしても良く、このようにすることで、演出態様が変化した場合でも特別役の当選が確定しないので、ＲＴ（２）が終了するまで興趣を持続させることができる。
【０８１６】
本実施例では、通常遊技状態において、特別役と同時当選する可能性のある赤チェリー、青チェリー、白チェリーが当選したとき、ＲＴ（１）において特別役と同時当選する可能性のある赤チェリー、青チェリー、白チェリーが当選したときに実行する連続演出抽選に当選した場合に５ゲームにわたり連続演出を実行する。また、前述のように通常遊技状態においていずれかのチェリーが入賞すると通常遊技状態よりも再遊技役の当選確率が高まるＲＴ（３）に移行するとともに、特別役に当選した場合（いずれかのチェリーと同時に当選している場合を含む）にも通常遊技状態よりも再遊技役の当選確率が高まるＲＴ（４）に移行する。そして、再遊技役と特別役とが同時に当選した場合には、特別役を構成する図柄の組み合わせよりも再遊技役を構成する図柄の組み合わせを入賞ラインに対して優先的に引き込む制御が行われるため、通常遊技状態においていずれかのチェリーの入賞を契機とする連続演出が実行されている間は、例え特別役が当選していてもその特別役を構成する図柄の組み合わせが揃いづらく、この間は、特別役が当選しているか否かの判別が困難となる。また、ＲＴ（１）中も、通常遊技状態よりも再遊技役の当選確率が高いので、これらの期間中に連続演出が行われている場合にも、特別役が当選しているか否かの判別が困難となる。このように連続演出は、特別役が当選しているか否かの判別が困難なＲＴと重複して実行されるので、連続演出の結果、すなわち特別役に当選しているか否かの演出結果に対して注目させることができる。
【０８１７】
また、本実施例では、通常遊技状態においていずれかのチェリーが入賞したとき、すなわち連続演出の開始契機となる役が入賞したときに連続演出に関連する導入演出を実行する。一方ＣＰＵ４１ａは、通常遊技状態においていずれかのチェリーが入賞した場合に、チェリーの入賞に伴うメダルの払出の終了後、導入演出の実行時間と等しい演出待ち時間が経過するまで賭数の設定操作を禁止し、演出待ち時間が経過した時点で賭数の設定操作を許可するようになっている。このため、導入演出が実行されている間は、賭数の設定操作がなされることによって実行中の導入演出がキャンセルされないようになっており、導入演出を遊技者に対して確実に注目させることが可能となり、導入演出に続く連続演出、すなわち特別役の当選に対する期待感を効果的に盛り上げることができるようになる。
【０８１８】
本実施例では、通常遊技状態、ＲＴ（１）〜（４）中においてリプレイ（１）が当選している旨を示すリプレイ告知演出を実行するとともに、ＲＴ（１）〜（４）中においてリプレイ（１）が当選した際に、通常遊技状態においてリプレイ（１）が当選した場合に比較して低い確率でリプレイ告知演出が実行されるようになっており、ＲＴ（１）〜（４）に移行することによってリプレイ（１）の確率が高くなってもそれに伴ってリプレイ告知演出の頻度が極端に高くなってしまうことがなく、適度な演出のバランスを保つことができる。
【０８１９】
尚、本実施例では、ＲＴ（１）〜（４）においてもリプレイ告知演出を実行するようになっているが、少なくともＲＴ（１）〜（４）においてはリプレイ告知演出を実行しないようにしても良く、このようにした場合でも上記同様の効果を得られる。
【０８２０】
本実施例のように、特別役と小役が当選している場合に、当選した特別役の構成図柄と当選した小役の構成図柄の引込範囲が重複するタイミングで停止操作がなされた場合に、小役の構成図柄よりも特別役の構成図柄を優先して引き込む制御を行う場合には、特別役が持ち越されている状態で小役が当選した場合や、特別役と小役とが同時に当選した場合に、小役が単独で当選した場合に比較して小役の引き込みが制限されて小役を入賞させることが困難となるため、特別役の当選が告知された後、小役の当選が一切報知されなくなると、小役を入賞させることが一層困難となり、遊技者に不利益が生じてしまうという問題があった。一方、このような問題を回避するため、特別役の構成図柄と小役の構成図柄とを同時に狙える停止操作位置が存在しないように図柄を配列することも考えられるが、このような配列とするには図柄配列の自由度が大幅に制限されてしまうばかりか、全ての特別役の構成図柄と全ての小役の構成図柄とを同時に狙える停止操作位置が存在しないように図柄を配列することは実質的に不可能でもある。
【０８２１】
これに対して本実施例では、特別役の確定演出の後、規定数の賭数を設定するのに必要なメダル数よりも多くの数のメダルの払出を伴う小役が当選したときには、当該小役が当選した旨及びその種類を示す確定後小役告知演出を１００％の割合で実行し、特別役が持ち越されている状態で小役が当選した場合や、特別役と小役とが同時に当選した場合に、小役の構成図柄よりも特別役の構成図柄を優先して引き込む制御を行うことにより、小役が単独で当選した場合に比較して小役の引き込みが制限されて小役を入賞させることが困難となる状況下であっても、特別役の構成図柄の引き込み範囲と重複せず、かつ小役の構成図柄の引き込み範囲となるタイミングでの停止操作を促すことで、当選した小役の取りこぼしを極力防止できるため、特別役の確定演出の後、遊技者が当選した小役を取りこぼすことによって不利益が生じてしまうことを防止できる。また、確定後小役告知演出の実行により、確定演出の後といった限られた状況のためだけに図柄配列を考慮せずとも、特別役の確定演出の後に当選した小役の取りこぼしを防止できるので、図柄配列が大幅に制限されてしまうこともない。
【０８２２】
また、本実施例では、確定演出が実行されていない状態においては、小役が当選したときに特別役の当選の有無、遊技状態などに応じた割合で小役告知演出を実行するのに対して、確定演出の後、規定数の賭数を設定するのに必要なメダル数よりも多くの数のメダルの払出を伴う小役が当選したときには、１００％の割合で確定後小役告知演出を実行するので、遊技者が当選した小役を取りこぼすことによって不利益が生じてしまうことを確実に防止できる。さらに、確定演出が実行されていない状態での小役告知演出は、ゲーム開始から全てのリールが停止するまでの複数のタイミングのうちいずれかのタイミングで実行される可能性があるのに対して、確定後小役告知演出は、必ずリールの停止操作が有効となる前に実行するので、遊技者が当選した小役を取りこぼすことによって不利益が生じてしまうことを一層確実に防止できる。
【０８２３】
また、本実施例の確定後小役告知演出では、確定演出が実行されていない状態で小役が当選したときに実行される小役告知演出とは、異なる報知態様にて小役の当選及びその種類を報知するので、確定演出の後、小役が告知された場合でも、それとともに特別役の当選を確実に認識させることができる。
【０８２４】
また、小役を入賞させた場合、その後特別役を入賞させるため、次のゲームを行うためにメダルを投入して賭数を設定することが必要となり、ゲームを開始するのに必要な賭数の設定に用いられるメダル数よりも少ない数のメダルしか付与されない小役が当選した場合には、その小役を入賞させると付与されたメダル数よりも多くのメダルを用いることとなり、遊技者にとって不利益となる。また、ゲームを開始するのに必要な賭数の設定に用いられるメダル数と同数のメダルしか付与されない小役が当選した場合には、遊技者のメダル数自体は変動しないが、必要以上に多くのゲームを行わなければならないうえに、当選後は、特別役の抽選が行われなくなることから、無駄にゲームを行わなければならなくなってしまう。このため、本実施例では、確定演出の後、規定数の賭数を設定するのに必要なメダル数よりも多くの数のメダルの払出を伴う小役が当選したときに確定後小役告知演出を実行し、確定演出の実行後、規定数の賭数を設定するのに必要なメダル数以下のメダルの払出を伴う小役が当選した場合には、確定後小役告知演出は実行せず、特別役を入賞させることを促すことにより遊技者に不利益となってしまうことを防止できるとともに、無駄にゲームを行わずに済むこととなる。
【０８２５】
また、本実施例では、確定演出の後、特別役以外にいずれの役も当選しなかったとき、または規定数の賭数を設定するのに必要なメダル数以下のメダルの払出を伴う小役が当選したときに、１００％の割合で特別役の種類を報知することで特別役の入賞を促す特別役入賞推奨演出を実行するので、既に特別役の当選が告知されている状態において特別役入賞させるのに好ましいゲームを適格に把握させることができる。
【０８２６】
尚、本実施例では、確定演出の後、特別役以外にいずれの役も当選しなかったとき、または規定数の賭数を設定するのに必要なメダル数以下のメダルの払出を伴う小役が当選したときに、特別役入賞推奨演出を実行することで特別役の入賞を促しているが、確定演出をし直すことにより、特別役の入賞を促すようにしても良い。
【０８２７】
また、本実施例では、前述のようにＲＴ（２）においていずれの特別役も当選していない状態であれば、いずれかのチェリーが当選した際に、当選したチェリーが入賞することでＲＴ（２）が終了してしまうこととなるが、ＲＴ（２）においていずれかの特別役が当選すると、以後、いずれかのチェリーが入賞してもＲＴ（２）が終了することがなくなるとともに、ＲＴ（２）においていずれかの特別役が当選しており、かつその旨が報知されている状態では、いずれかのチェリーが当選した際に、転落役種類報知が実行されるため、当選したチェリーを取りこぼすことなく入賞させることが可能となり、特別役が当選する前に比較してより多くのメダルを獲得することが可能となる。すなわちＲＴ（２）においては、確定演出の後、規定数の賭数を設定するのに必要なメダル数以下のメダルの払出を伴う小役が当選したときでも、特別役入賞推奨演出ではなく、転落役種類報知を実行することにより、ＲＴ（２）中に獲得できるメダルを増加させるようになっている。
【０８２８】
本実施例では、ビッグボーナス（４）またはビッグボーナス（５）が入賞したときに、ビッグボーナス（１）〜（３）が入賞したときのようにビッグボーナスの入賞を示す演出を行わず、それまでの遊技状態の演出を継続するようになっており、ビッグボーナス（４）またはビッグボーナス（５）に移行した後、告知期間が終了するまでにボーナス告知演出によってビッグボーナス（４）またはビッグボーナス（５）に移行した旨が告知されるようになっており、実際にはビッグボーナス（４）またはビッグボーナス（５）が入賞し、既にビッグボーナス（４）またはビッグボーナス（５）に移行している場合であっても、入賞とは関連せずに突然ビッグボーナス（４）またはビッグボーナス（５）が始まったように認識させることができ、遊技者に意外性を与えることができるので、ビッグボーナス（４）またはビッグボーナス（５）への移行に伴う興趣を効果的に高めることができる。
【０８２９】
また、ビッグボーナス（４）及びビッグボーナス（５）の組み合わせは、「７」などの目立つ図柄よりもそのサイズが小さく、各リールに配置されている数も多い「ベル」及び「リプレイ」にて構成され、かつ２種類以上の図柄にて構成されており、入賞ラインに揃ったことが分かりづらいうえに、ビッグボーナス（４）及びビッグボーナス（５）以外の役については、リール２Ｌ、２Ｃ、２Ｒの一直線上に位置する図柄に跨って設定される入賞ラインＬ１〜Ｌ４に揃うように制御されるのに対して、ビッグボーナス（４）及びビッグボーナス（５）については、全てのリールにおいて上段・中段・下段のうち停止する位置が異なり、かつ一直線上に位置しない図柄に跨って設定される入賞ラインＬ５、Ｌ６に揃うようになっており、ビッグボーナス（４）及びビッグボーナス（５）の組み合わせが入賞ラインに揃ったことが一層分かりづらくなるため、ビッグボーナス（４）またはビッグボーナス（５）が入賞したことの判別が困難となり、ボーナス告知演出によって突然ビッグボーナス（４）またはビッグボーナス（５）が始まったと印象づけることができる。
【０８３０】
また、ビッグボーナス（４）またはビッグボーナス（５）に移行すると同時にレギュラーボーナスに移行することで、ベルの入賞確率が大幅に高まるため、ビッグボーナス（４）またはビッグボーナス（５）に移行した際には、ベルが頻繁に入賞する前兆状態（告知期間）を経てボーナス告知演出が実行されたように認識させることができるため、ベルが頻繁に入賞することに伴って、それが自力で入賞した場合であっても遊技者の期待感を高めることができる。
【０８３１】
また、告知期間以外で、かつ特別役が当選していない状態で小役が単独で当選したときには、第１の小役告知演出が第２の小役告知演出よりも高い割合で実行されるのに対して、告知期間において小役が当選したときには、第２の小役告知演出が第１の小役告知演出よりも高い割合で実行されるようになっており、告知期間においては、告知期間以外で、かつ特別役が当選していない状態において実行される頻度の低い第２の小役告知演出が高い頻度で実行されるようになっており、第２の小役告知演出を伴うことによって告知期間における遊技者の期待感を効果的に高めることができる。
【０８３２】
また、ビッグボーナス（４）とビッグボーナス（５）とでは、終了条件となる払出枚数、すなわちビッグボーナス中に獲得できるメダルの量が異なるとともに、前述のようにビッグボーナス（４）及びビッグボーナス（５）の組み合わせが入賞ラインに揃っても遊技者からは分かりづらく、ボーナス告知後、第１のボーナス演出期間においては、ビッグボーナス（４）においてもビッグボーナス（５）においても同一の第１のボーナス演出が実行されるので、第１のボーナス演出が終了した時点では、その後ビッグボーナスが継続するか否かを判別することが困難であり、次のゲームにおいてビッグボーナスが継続することに対する期待感を効果的に高めることができる。
【０８３３】
また、ビッグボーナスが継続する場合には、次のゲームが終了するまでの期間において、複数のタイミングで継続告知がなされる可能性があり、いつ告知されるか分からないので、適度に緊張感を与えることが可能となり、興趣を効果的に高めることができるとともに、そのゲームが終了するまでの間、常に継続することに対する期待感を持続させることができる。
【０８３４】
本実施例では、いずれかの入賞ラインに役（ビッグボーナス（４）、ビッグボーナス（５）を除く）が揃って入賞が発生したときに、役が揃った入賞ラインに停止した図柄に対応するリールＬＥＤ５５を点滅させることによって入賞が発生した旨を示す入賞報知演出が行われるため、小役入賞に伴う演出効果を高められる。
【０８３５】
従来のスロットマシンにもリールＬＥＤなどのバックライトを用いて入賞を報知するものなど、リールに揃った図柄を装飾することによって入賞を報知するものはあるが、メダルの払出を伴う入賞が発生した場合でも、役が揃った時点、すなわちメダルの払出動作が終わる前に演出を開始するため、メダルの払出動作が行われている最中に、遊技者が何の役が揃ってメダルが払い出されているのかを確認することが困難となる虞があった。
【０８３６】
これに対して本実施例の入賞報知演出は、メダルの払出を伴わない役（再遊技役を除く）が入賞した場合には、全てのリールが停止し、次ゲームの賭数の設定操作及びクレジットの精算操作が許可された時点から開始し、次のゲームの賭数の設定操作がなされた時点、クレジットの精算操作がなされた時点またはこれらの操作がなされずに一定時間が経過した時点で終了する一方、メダルの払出を伴う役が入賞した場合には、全てのリールが停止した後、メダルの払出（クレジットのへの加算を含む）が終了し、次のゲームの賭数の設定操作及びクレジットの精算操作が許可された時点から開始し、次のゲームの賭数の設定操作がなされた時点、クレジットの精算操作がなされた時点またはこれらの操作がなされずに一定時間が経過した時点で終了する。このように、全てのリールが停止した時点から入賞に伴うメダルの払出が終了するまでは、入賞報知演出が行われないので、入賞報知演出により入賞図柄の組み合わせの視認が妨げられてしまうことを防止できる。
【０８３７】
また、通常遊技状態においていずれかのチェリーが入賞した場合には、チェリーの入賞に伴うメダルの払出の終了後、演出待ち時間が経過するまで賭数の設定操作及びクレジットの精算操作が禁止されるが、この場合でも全てのリールが停止した後、メダルの払出（クレジットへの加算を含む）が終了した時点から入賞報知演出が開始する。このため、演出を行うために賭数の設定操作及びクレジットの精算操作を禁止している期間であるにも関わらず、そのために入賞報知演出の開始が遅れてしまうことがない。
【０８３８】
本実施例では、３つのリールのうち２つのリールが停止した時点で、入賞ラインＬ１〜Ｌ４のいずれかにビッグボーナス（１）〜（３）のいずれかの組み合わせの構成図柄が聴牌している場合に、聴牌音を出力することでビッグボーナス（１）〜（３）のいずれかの役が聴牌している旨を報知する聴牌報知を行う。
【０８３９】
尚、入賞ラインＬ５、Ｌ６にビッグボーナス（１）〜（３）のいずれかの役が聴牌しても聴牌報知は行わないようになっている。これは入賞ラインＬ５、Ｌ６のように遊技者から見て分かりにくい入賞ラインにビッグボーナス（１）〜（３）のいずれかの役が聴牌した際に聴牌報知が行われることによって、見た目上特別役の入賞が期待できない状態で聴牌報知が行われることとなり、聴牌報知によって特別役の入賞に対する遊技者の期待感を十分に高めることができなくなってしまうからである。
【０８４０】
一方、本実施例のように仮想入賞ラインを備えるスロットマシンにおいては、３つのリールのうち２つのリールが停止した時点で、仮想入賞ラインにビッグボーナス（１）〜（３）のいずれかの組み合わせの構成図柄が聴牌しても、有効ラインに聴牌していなければ聴牌報知が行われることがなく、３つのリールのうち２つのリールが停止した時点でビッグボーナス（１）〜（３）のいずれかの組み合わせの構成図柄が聴牌している場合など、見た目上は特別役が入賞する可能性があっても聴牌報知が行われないことによって特別役の入賞を期待させることができなくなってしまうという問題があった。
【０８４１】
これに対して本実施例では、３つのリールのうち２つのリールが停止した時点で、入賞ラインＬ１〜Ｌ４のいずれかにビッグボーナス（１）〜（３）の組み合わせの構成図柄が聴牌していない場合であっても、仮想入賞ラインＬｖにビッグボーナス（１）〜（３）のいずれかの組み合わせの構成図柄が聴牌した場合に前述と同様に聴牌音を出力して聴牌報知を行うようになっており、仮想入賞ラインＬｖにビッグボーナス（１）〜（３）のいずれかの組み合わせの構成図柄が聴牌した場合、すなわちビッグボーナス（１）〜（３）が入賞した際の表示態様と類似する表示態様となる可能性がある場合にもビッグボーナス（１）〜（３）の入賞に対する遊技者の期待感を確実に高めることができる。
【０８４２】
また、本実施例では、ビッグボーナス（１）〜（３）の組み合わせは、特別役が当選していることを条件に仮想入賞ラインＬｖに揃いうるため、ビッグボーナス（１）〜（３）の組み合わせが揃った際に、ビッグボーナス（１）〜（３）の組み合わせが入賞しなかった場合でも、ビッグボーナス（１）〜（３）の当選が示唆されるため、仮想入賞ラインＬｖにビッグボーナス（１）〜（３）の組み合わせの構成図柄が聴牌した場合に聴牌報知が行われることにより、ビッグボーナス（１）〜（３）の入賞に対する遊技者の期待感を効果的に高めることができる。
【０８４３】
また、仮想入賞ラインＬｖにビッグボーナス（１）〜（３）のいずれかの組み合わせが揃ったときには、仮想入賞ラインＬｖに停止した図柄に対応するリールＬＥＤ５５を点滅させることによって、実際に入賞ラインＬ１〜Ｌ４に役が揃っていない場合でも仮想入賞ラインにビッグボーナス（１）〜（３）のいずれかの組み合わせが揃った旨を示す仮想入賞報知演出が行われるので、ビッグボーナス（１）〜（３）の当選を効果的にアピールすることができる。
【０８４４】
本実施例では、店員または遊技者の操作によってスピーカ５３、５４から出力される音声の出力音量レベルを任意に変更できるようになっている。一方、本実施例では、ドア開放報知、設定変更中報知、エラー報知に伴ってエラー警告音を出力することによって、不正がなされている可能性をいち早く発見できるようにすることで不正を防止できるようになっているが、出力音量レベルを任意に変更できる場合には、不正を行う者が出力音量レベルを下げることによって不正の発見が遅れてしまう虞がある。
【０８４５】
これに対して本実施例では、ドア開放報知、設定変更中報知、エラー報知に伴ってエラー警告音を出力する場合に、ＲＡＭ９１ｃに設定されている音量レベルに関わらず、常に最大音量レベルの音量にてスピーカ５３、５４から報知音を出力させる制御を行うようになっており、ドア開放報知、設定変更中報知、エラー報知に伴ってエラー警告音については、店員または遊技者の操作によって任意に出力音量レベルを変更することが不可能となるため、不正行為を効果的に防止することが可能となり、不正がなされた場合でも早期に発見することができる。
【０８４６】
本実施例では、連続演出やボーナス演出のように１ゲームを超えて遊技効果音を継続して出力する場合があるが、このように遊技効果音を継続的に出音している状態で遊技者が遊技を中断した場合、周囲の遊技者に迷惑がかかってしまうといった問題があった。
【０８４７】
これに対して本実施例では、連続演出やボーナス演出により遊技効果音を継続して出力している状態において、ゲーム終了後から遊技の進行操作がなされずに一定時間（３０秒）が経過したときに、ＲＡＭ９１ｃに設定されている音量レベルにて出力されている遊技効果音の音量レベルをＲＡＭ９１ｃに設定されている音量レベルに関わらず最小の音量レベル（消音）とする制御が行われるが、ゲーム終了後から一定時間（３０秒）が経過する前であっても、クレジットの精算操作がなされたときには、一定時間の経過を待たず、ＲＡＭ９１ｃに設定されている音量レベルにて出力されている遊技効果音の音量レベルをＲＡＭ９１ｃに設定されている音量レベルに関わらず最小の音量レベル（消音）とする制御が行われるとともに、ゲーム終了後から一定時間（３０秒）が経過する前に賭数が設定され、かつゲーム終了後から一定時間が経過する前であっても、賭数の精算操作がなされ、待機コマンドが送信されたときには、一定時間の経過を待たず、ＲＡＭ９１ｃに設定されている音量レベルにて出力されている遊技効果音の音量レベルをＲＡＭ９１ｃに設定されている音量レベルに関わらず最小の音量レベル（消音）とする制御が行われるようになっており、前回のゲームが終了してから一定時間（３０秒）が経過する前であっても、遊技者の意思により連続遊技効果音の音量を下げることができるため、遊技を中断しても周囲の遊技者に迷惑をかけることがない。
【０８４８】
また、連続演出やボーナス演出により遊技効果音を継続して出力している状態において、ゲーム終了後から所定時間が経過した場合でも、賭数が設定されている状態であれば、遊技効果音を消音する制御は行わないようになっており、遊技者がゲームを開始する意志がある状態であり、すぐに元の音量（ＲＡＭ９１ｃに設定されている音量レベル）に戻さなければならないにも関わらず、遊技効果音を消音してしまうことがない。
【０８４９】
本実施例のスロットマシン１では、２相励磁停止制御と３相励磁停止制御とを併用してリールモータの停止制御を行うことで、２相励磁停止制御によってロータ３２ａの回転が急速に制動されつつ目標停止角度位置に誘導され、その後、３相励磁停止制御によって、目標停止角度位置の停止相を挟んで相反する位置にある２つのブレーキ相の励磁によりブレーキを得ながら、停止相の励磁により目標停止角度位置にロータ３２ａが停止することとなるため、回転中のロータ３２ａを振動させることなく目標停止角度位置に停止させることができる。更に、ロータ３２ａは目標停止角度位置に停止することから、ロータ３２ａの正確な停止位置が特定されるため、回転開始時にリールを滑らかに回転させることができる。
【０８５０】
また、従来のスロットマシンでは、遊技店の開店前に設定値の変更操作を行うことに伴って、制御部のワークメモリのデータが初期化されてしまうと、それまで記憶されていたステッピングモータの励磁相を示すデータも初期化されてしまい、このような場合には、遊技店の開店後、最初のゲームにおいてリールを回転させる際に、励磁相を特定することができないため、設定変更後、最初のリールの回転開始時にリールが振動してしまうため、リールの回転態様が見苦しくなってしまうとともに、遊技者から設定変更されたことが見抜かれてしまうという問題があった。
【０８５１】
このため、本実施例では、設定キースイッチ３７のみがＯＮの状態で起動し、設定変更モードへ移行させる場合においては、ＲＡＭ４１ｃが初期化されるが、停止相ワークは初期化されないようになっており、設定変更後の遊技状態においても停止相ワークに格納されたリールモータ３２Ｌ、３２Ｃ、３２Ｒの停止相を示すデータが維持されるようになっている。このため、設定変更後、最初にリールモータ３２Ｌ、３２Ｃ、３２Ｒを回転させる場合にも、これらの停止相を特定することが可能となり、このような状況であってもリールを滑らかに回転開始させることが可能となり、設定変更後、最初にリールを回転させる際にリールが振動してしまうことがなく、遊技者から設定変更されたことが見抜かれてしまうことを防止できる。
【０８５２】
また、設定キースイッチ３７、リセット／設定スイッチ３８の双方がＯＮの状態で起動し、設定変更モードへ移行させることにより、停止相ワークも含めてＲＡＭ４１ｃを初期化することが可能となるため、ステッピングモータの励磁相を記憶するために割り当てられた停止相ワークを利用して不正プログラムなどが常駐してしまうことを防止できる。
【０８５３】
また、本実施例では、リールの停止後も、停止相の励磁状態が、次ゲームの開始操作が行われることなく所定時間（本実施例では３０秒であり、待機状態（デモ演出）へ移行するのと同じタイミング）維持されるので、励磁相が長時間継続して励磁されることによる発熱に伴って、ステッピングモータを構成する部品等に負担がかかることがないので、これら部品の劣化を防止することができる。また、次ゲームの開始操作が行われない状態が所定時間継続して待機状態（デモ演出）へ移行するタイミングで励磁状態が解除されるので、遊技客が遊技している間は、リールに配置された図柄がずれにくい状態を保つことができる一方、遊技客が遊技している可能性の低い状態では、ステッピングモータの構成部品にかかる負荷を軽減できるようになる。
【０８５４】
本実施例では、ゲーム制御終了後、最初にメダルの投入が検出されたタイミングにおいて１ゲームにつき１回のみ、満タンセンサ３５ａの検出状態に基づいてオーバーフロータンク３５に貯留されたメダルの貯留量が満タン状態か否かを判定し、満タン状態と判定された場合に、ゲームの進行を不能動化し、リセット操作がなされるまで満タンエラー状態に制御するようになっているが、例えばリプレイゲームやクレジットを用いた場合等、メダルが外部から投入されることのないゲームにおいてもオーバーフロータンク３５に貯留されたメダルの貯留量が満タン状態となったか否かの監視を行うと、メダルの貯留量が増えることがないのにもかかわらず、オーバーフロータンク３５に貯留された遊技媒体の貯留量が満タン状態となったか否かの監視が無駄に行われてしまうばかりか、必要以上の頻度で満タンエラーに制御されてしまい遊技者に対して煩わしさを与えてしまう一方、遊技場の店員の労力も増加してしまうという問題があった。
【０８５５】
これに対して本実施例では、再遊技役が入賞した次のリプレイゲームにおいては、そのゲームが終了するまでメダルの投入が許可されることがないので、メダルの投入が有効に検出されることはなく、満タン状態か否かの判定が省略されるようになっており、満タンエラーか否かの判定が無駄に行われることがなく、満タン状態を効率よく監視でき、満タン状態の判定にかかる制御負荷を軽減できるとともに、満タンエラーの頻度を極力少なくすることができるので、遊技者に煩わしい思いをさせたり、店員が満タン状態を解消するための労力を軽減することが可能となる。
【０８５６】
また、メダルの投入が検出されたことを契機に満タン状態の判定を行っているので、メダルの投入が禁止されるリプレイゲームにおいては、必然的に満タン状態か否かの判定が省略されるようになっており、リプレイゲームにおいて満タン状態か否かの判定を省略する制御を行うにあたり、特にリプレイゲームか否かの判定などを行う必要がない。
【０８５７】
また、ゲーム制御の終了後、次のゲームのメダルが投入可能な状態において最初にメダルの投入が検出されたタイミング、すなわちオーバーフロータンク３５に貯留されたメダルが増加するタイミングで満タンエラーか否かの判定が行われるため、効率の良いタイミングで満タン状態を判定できる。
【０８５８】
また、ゲーム制御の終了後、次のゲームのメダルが投入可能な状態において２枚目のメダルや３枚目のメダルの投入が検出されたタイミングとすると、クレジットを用いて賭数を設定した後、賭数の不足分をメダルの投入によって設定する場合もあるが、このような場合に、オーバーフロータンク３５の貯留量が増加しているにもかかわらず、そのゲームにおいては、満タン状態の判定が行われないこととなってしまうが、本実施例では、ゲーム制御の終了後、次のゲームのメダルが投入可能な状態において最初にメダルの投入が検出されたタイミングで満タン状態の検出が行われるため、オーバーフロータンク３５の貯留量が増加するゲームにおいては、確実に満タン状態の検出を行うことが可能となる。
【０８５９】
また、本実施例では、ゲーム制御終了後、メダルの投入が可能な状態であっても、クレジットを用いて賭数が設定され、メダルが投入されずにゲームが開始した場合には、満タン状態か否かの判定は省略されるようになっており、メダルが投入されることがなく、オーバーフロータンク３５の貯留量が増えることがないゲームにおいては、満タンエラーか否かの判定が無駄に行われることがなく、満タン状態を効率よく監視でき、満タン状態の判定にかかる制御負荷を軽減できるとともに、満タンエラーの頻度を極力少なくすることができるので、遊技者に煩わしい思いをさせたり、店員が満タン状態を解消するための労力を軽減することが可能となる。
【０８６０】
また、メダルの投入が検出されたことを契機に満タン状態の判定を行っているので、クレジットを用いて賭数が設定され、メダルが投入されずにゲームが開始した場合においては、必然的に満タン状態か否かの判定が省略されるようになっており、クレジットを用いて賭数が設定され、メダルが投入されずにゲームが開始した場合において満タン状態か否かの判定を行わない制御を行うにあたり、特にクレジットを用いたか否かの判定などを行う必要がない。
【０８６１】
また、本実施例では、ゲーム制御終了後、次のゲームのメダルが投入可能となる前のタイミングで満タンフラグが設定されているか否かを判定し、満タンフラグが設定されている場合には、次のゲームのメダルが投入可能となる前のタイミングで満タンエラー状態に制御するようになっている。このため、ゲーム開始から当該ゲームの制御が終了するまでの間に、満タンエラー状態に制御されることによって、例えばリール２Ｌ、２Ｃ、２Ｒが回転している状態で一度リール２Ｌ、２Ｃ、２Ｒの回転状態を停止させ、満タンエラー状態に制御し、その後満タンエラー状態が解除された際に、リール２Ｌ、２Ｃ、２Ｒの回転を再開させたり、ホッパーモータ３４ｂの駆動によりメダルの払出動作がなされている状態でメダルの払出動作を一度停止させ、満タンエラー状態に制御し、その後満タンエラー状態が解除された際に、メダルの払出動作を再開させたりするといった複雑な制御を行う必要がない。すなわち、ゲームの制御を一度中断してその後ゲームの制御を再開する等の制御を行う必要がなく、ゲームの進行に係る制御が複雑化してしまうことを防止できる。
【０８６２】
尚、本実施例では、ゲーム制御終了後、次のゲームのメダルが投入可能となる前のタイミングで満タンフラグが設定されているか否かを判定するようになっているが、ゲーム制御の最後に満タンフラグが設定されているか否かを判定し、満タンフラグが設定されている場合には、次のゲームのメダルが投入可能となる前のタイミングで満タンエラー状態に制御するようにしても良く、この場合でも上記と同様の効果が得られる。
【０８６３】
また、ゲーム制御終了後、満タン状態が判定されており、満タンフラグが設定されている場合でも、前のゲームにおいて再遊技役が入賞しており、次のゲームがリプレイゲームであれば、満タンエラー状態に制御されないようになっており、満タンエラーの頻度をさらに少なくすることができるので、遊技者に煩わしい思いをさせたり、店員が満タン状態を解消するための労力を軽減することが可能となる。
【０８６４】
また、本実施例では、タイマ割込処理において２．２４ｍｓ毎に行うスイッチ入力判定処理において、満タンセンサ３５ａから出力される検出信号が前回ｏｆｆの状態からｏｎの状態に変化するのみで満タンエラーとなった旨が検出されるため、ｏｆｆからｏｎに変化してからの継続時間などを計時する必要がなく、満タンエラーの検出に係る制御を簡素化することができる。
【０８６５】
また、本実施例では、満タン状態か否かの判定を、ゲーム制御終了後、最初にメダルの投入が検出されたタイミングで行っているが、少なくとも１ゲームに１回のみ満タン状態か否かの判定を行う構成であれば良く、例えば、変形例で示したように、ゲーム制御終了後、次のゲームのメダルが投入可能となる前のタイミングで満タン状態か否かの判定を行うようにしたり、ゲームの開始操作が検出された時点やゲーム制御の終了時点で満タン状態か否かの判定を行うようにしても良い。尚、ゲーム制御終了時に満タン状態か否かの判定を行う場合には、そのゲームにおいて再遊技役が入賞し、次のゲームがリプレイゲームである場合に、満タン状態か否かの判定を省略するようにすれば良い。
【０８６６】
変形例では、ゲーム制御の終了後、次のゲームのメダルが投入可能となる前のタイミングにおいて１ゲームにつき１回のみ、満タンセンサ３５ａの検出状態に基づいて満タン状態か否かを判定し、満タン状態と判定された場合に、ゲームの進行を不能動化し、リセット操作がなされるまで満タンエラー状態に制御するようになっている。
【０８６７】
また、満タン状態か否かの判定を行う前に、次のゲームがリプレイゲームか否かを判定し、リプレイゲームであれば満タン状態か否かの判定は省略されるようになっており、満タンエラーか否かの判定が無駄に行われることがなく、満タン状態を効率よく監視でき、満タン状態の判定にかかる制御負荷を軽減できるとともに、満タンエラーの頻度を極力少なくすることができるので、遊技者に煩わしい思いをさせたり、店員が満タン状態を解消するための労力を軽減することが可能となる。
【０８６８】
また、変形例では、クレジットを用いて賭数が設定され、メダルが投入されずにゲームが開始した場合には、そのゲーム制御終了後、満タン状態か否かの判定が省略されるようになっており、メダルが投入されることがなく、オーバーフロータンク３５の貯留量が増えることがない場合には、満タンエラーか否かの判定が無駄に行われることがなく、満タン状態を効率よく監視でき、満タン状態の判定にかかる制御負荷を軽減できるとともに、満タンエラーの頻度を極力少なくすることができるので、遊技者に煩わしい思いをさせたり、店員が満タン状態を解消するための労力を軽減することが可能となる。
【０８６９】
また、変形例では、ゲーム制御の終了後、次のゲームのメダルが投入可能となる前のタイミングで満タン状態か否かが判定されるようになっており、ゲームの終了後、オーバーフロータンク３５にメダルが増える前の段階で満タン状態を判定できる。また、満タン状態が判定されると、次のゲームのメダルが投入可能となる前に満タンエラー状態にされるため、オーバーフロータンク３５にメダルが増える前の段階でゲームの進行を不能動化し、それ以上オーバーフロータンク３５の貯留量が増加してしまうことがないうえに、ゲーム開始から当該ゲームの制御が終了するまでの間に、満タンエラー状態に制御されることによって、例えばリール２Ｌ、２Ｃ、２Ｒが回転している状態で一度リール２Ｌ、２Ｃ、２Ｒの回転状態を停止させ、満タンエラー状態に制御し、その後満タンエラー状態が解除された際に、リール２Ｌ、２Ｃ、２Ｒの回転を再開させたり、ホッパーモータ３４ｂの駆動によりメダルの払出動作がなされている状態でメダルの払出動作を一度停止させ、満タンエラー状態に制御し、その後満タンエラー状態が解除された際に、メダルの払出動作を再開させたりするといった複雑な制御を行う必要がない。すなわち、ゲームの制御を一度中断してその後ゲームの制御を再開する等の制御を行う必要がなく、ゲームの進行に係る制御が複雑化してしまうことを防止できる。また、満タン状態の判定と、それに伴う満タンエラー状態の制御がほぼ同時に行われるため、満タン状態が判定された旨を示す情報を保持しておく必要もない。
【０８７０】
尚、本実施例では、ゲーム制御終了後、次のゲームのメダルが投入可能となる前のタイミングで満タン状態か否かを判定するようになっているが、ゲーム制御の最後に満タン状態か否かを判定するようにしても、ゲームの終了後、オーバーフロータンク３５にメダルが増える前の段階で満タン状態を判定できる。
【０８７１】
また、この場合には、満タン状態が判定された場合に次のゲームに移行する前に満タンエラー状態に制御するようにしても良く、この場合でも、ゲームの制御を一度中断してその後ゲームの制御を再開する等の制御を行う必要がなく、ゲームの進行に係る制御が複雑化してしまうことを防止できる。また、満タン状態の判定と、それに伴う満タンエラー状態の制御がほぼ同時に行われるため、満タン状態が判定された旨を示す情報を保持しておく必要もない。
【０８７２】
また、本実施例では、外部から投入されたメダルはまずホッパータンク３４ａに貯留され、ホッパータンク３４ａが満タンとなって溢れたメダルがオーバーフロータンク３５に貯留されるようになっており、このオーバーフロータンク３５の満タン状態が満タンセンサ３５ａによって検出され、満タン状態が判定されるようになっているが、オーバーフロータンク３５を設けず、ホッパータンク３４ａの貯留量が一定量以上となったか否かを検出する満タンセンサを設け、ホッパータンク３４ａの満タン状態を満タンセンサによって検出し、満タン状態を判定するようにしても良い。また、ホッパータンク３４ａの貯留量が一定量以上か否かを検出する第１の満タンセンサを設け、第１の満タンセンサがホッパータンク３４ａの満タンを検出した場合に、投入メダルの流路をオーバーフロータンク３５側に切り替えるとともに、オーバーフロータンク３５の満タン状態を検出する第２の満タンセンサを設け、第１の満タンセンサ及び第２の満タンセンサの一方または双方の検出に基づいて満タン状態を判定するようにしても良い。例えば、第２の満タンセンサが満タン状態を検出している場合でも、ホッパータンク３４ａに貯留されたメダルが払い出されて第１の満タンセンサが満タン状態を検出しない場合があり、この場合には再度投入メダルの流路をホッパータンク３４ａ側に切り替えることで、双方のタンクが満タン状態となるまでメダルを貯留することができる。さらにこのような場合には、第２の満タンセンサのみが満タン状態を検出していても満タン状態とは判定せず、第１の満タンセンサ及び第２の満タンセンサの双方が満タン状態を検出したときに満タン状態と判定することで、満タン状態と判定される頻度を一層低減することが可能となる。
【０８７３】
本実施例では、遊技制御基板４０から出力された外部出力信号がホール機器に出力されるようになっている。これら外部出力信号は、ドア開放信号、設定変更信号、投入エラー信号、払出エラー信号を含むが、これらドア開放信号、設定変更信号、投入エラー信号、払出エラー信号は、頻繁に出力される信号ではないため、これらの信号に対して個々に外部出力用の端子を設ける必要性は低い。
【０８７４】
このため、本実施例では、遊技制御基板４０から出力された外部出力信号を、外部出力基板１０００を介して、ホール機器に出力するとともに、これら外部出力信号のうちドア開放信号、設定変更信号、投入エラー信号、払出エラー信号を、外部出力基板１０００に搭載されたパラレル・シリアル変換回路１００２によって、これらの信号を個別に識別可能なシリアル信号であるセキュリティ信号に変換して外部に出力するようになっており、これらドア開放信号、設定変更信号、投入エラー信号、払出エラー信号を１本の端子から出力することが可能となり、必要以上に多くの端子を設ける必要がなくなる。
【０８７５】
また、現時点では使用されていないが、将来的に使用する可能性のある予備信号線を備えた場合でも、予備信号線から出力される信号を含めて１本の端子にて個々の信号を識別可能に出力可能になるとともに、使用されていない予備信号線の端子が、空き端子となってしまうことがない。
【０８７６】
尚、本実施例では、ドア開放信号、設定変更信号、投入エラー信号、払出エラー信号を、外部出力基板１０００に搭載されたパラレル・シリアル変換回路１００２によって、これらの信号を個別に識別可能なシリアル信号であるセキュリティ信号に変換して外部に出力するようになっているが、例えば、ＡＮＤ回路などによって、ドア開放信号、設定変更信号、投入エラー信号、払出エラー信号のいずれか１つの信号でも出力されている場合に、エラー信号を１本の端子にて外部に出力するようにしても良く、このようにした場合でも、外部の機器でエラーの発生中、ドア開放中、設定変更中のいずれかが発生中であること特定することが可能であり、必要以上に多くの端子を設ける必要がなくなる。また、この場合には、複数の信号をシリアル信号に変換せずとも１本の端子にて外部に出力できるため、製造コストも軽減できる。
【０８７７】
本実施例では、ホールコンピュータで売り上げの管理を行うためなどに、外部出力信号として賭数を設定するために用いられたメダル（クレジット）数を示すメダルＩＮ信号や入賞の発生により遊技者に付与されたメダル（クレジット）の数を示すメダルＯＵＴ信号を外部出力信号として外部機器に対して出力する。
【０８７８】
メダルＩＮ信号の出力方法として賭数が設定される毎に出力する方法が考えられるが、この方法においては、賭数が設定された後、賭数がキャンセルされた場合には、メダルＩＮ信号を出力したことを取り消す制御を行わなければならないという問題がある。また、メダルとクレジットの双方を用いて賭数を設定することが可能な場合には、メダルを投入して賭数を設定したときにメダルＩＮ信号を出力するプログラムとクレジットを用いて賭数を設定したときにメダルＩＮ信号を出力するプログラムとを各々別個に設ける必要がある。
【０８７９】
このため、本実施例では、ゲームが開始したとき、すなわち、賭数の設定に用いられたメダル数が確定した時点で賭数の設定に用いられたメダル数を示すメダルＩＮ信号をまとめて外部に出力するようになっており、賭数のキャンセルに伴って、出力したメダルＩＮ信号を取り消す制御を省くことが可能となり、メダルＩＮ信号の出力に係る制御を簡素化することができる。
【０８８０】
また、賭数の設定に用いられたメダル数が確定した時点で賭数の設定に用いられたメダル数を示すメダルＩＮ信号をまとめて出力されるので、メダルの投入により賭数が設定されたときにメダルＩＮ信号を出力するプログラムとクレジットを用いて賭数が設定されたときにメダルＩＮ信号を出力するプログラムとを各々別個に設ける必要がなく、メダルＩＮ信号を出力するプログラムを共通化することができるため、メダルＩＮ信号を出力するためのプログラム容量を削減することができる。
【０８８１】
一方、メダルＯＵＴ信号の出力方法としては、メダル払出開始時にメダルの払出枚数に応じてメダルＯＵＴ信号をまとめて出力する方法やメダル払出終了時にメダルＯＵＴ信号をまとめて出力する方法が考えられるが、前者の場合には、メダルが払い出されている最中にメダル切れエラーが発生してメダルの払出が中断されると、メダルＯＵＴ信号が示すメダル数と実際に払い出されたメダル数とに誤差が生じてしまい、外部機器でその時点における正確な払出枚数を特定することができないという問題がある。また、後者の場合には、メダルの払出が終了した後、メダルＯＵＴ信号の出力が終了するまで、次のゲームを開始することができないため、ゲームの進行が滞ってしまうという問題がある。
【０８８２】
このため、本実施例では、ホッパーユニット３４からの物理的なメダルの払出によりメダルが払い出される場合には、メダルが１枚払い出される毎に１枚のメダルが付与された旨を示すメダルＯＵＴ信号を出力するようになっており、メダル払い出されている最中にメダル切れとなって払出エラーが発生し、メダルの払出が中断されても、メダルＯＵＴ信号が示すメダル数と実際に払い出されたメダル数とが一致するため、払い出されたメダル数を正確に外部に出力することができる。
【０８８３】
また、メダル払出開始時にメダルの払出枚数に応じてメダルＯＵＴ信号をまとめて出力する方法やメダル払出終了時にメダルＯＵＴ信号をまとめて出力する方法では、本来払い出されるメダル数よりも多くのメダルを強制的に払い出させる不正行為がなされた場合に、ホールコンピュータなどの外部機器で発見することが困難であるが、メダルが１枚払い出される毎に１枚のメダルが付与された旨を示すメダルＯＵＴ信号が出力されることにより、外部機器で小役の入賞により払い出されたメダル数をリアルタイムにかつ正確に把握することが可能となるため、上記のような不正がなされた場合でも、早期に発見することが可能となり、このような不正行為を効果的に防止することができる。
【０８８４】
また、メダルが１枚払い出される毎に１枚のメダルが付与された旨を示すメダルＯＵＴ信号が出力されることから、メダルの払出が終了した後、すぐに賭数の設定操作が許可されるため、次のゲームを開始することができるので、スムーズにゲームを進行させることができる。
【０８８５】
本実施例では、ＣＰＵ４１ａがタイマ割込処理４回につき１回の割合、すなわち２．２４ｍｓの間隔でコマンド送信処理を実行するとともに１回のコマンド送信処理では、通常コマンド送信用バッファに格納されたコマンド及びドアコマンド送信用バッファに格納されたドアコマンドのうちの１つのみ送信することで、複数のコマンドが連続して送信される場合でも、最低２．２４ｍｓの間隔をあけて送信されることとなり、サブ制御部９１側でこれら連続して送信されるコマンドを確実に取得することができる。
【０８８６】
また、ＣＰＵ４１ａは、コマンドを送信する際に、遅延カウンタの値をランダムに設定し、遅延カウンタ値が０となったときに当該コマンドを送信するようになっており、コマンドの送信タイミングが所定時間の範囲（０〜３５．８４ｍｓ）でランダムに変化するため、サブ制御部９１側でメイン制御部４１から送信されたコマンドの受信タイミングに基づいて目押しの補助となるような演出が行われてしまうことを防止できる。
【０８８７】
また、通常コマンド送信用バッファに格納されたコマンドは、基本処理に割り込んで行うタイマ割込処理（メイン）内で行われるため、コマンドの遅延により処理が滞ってしまうことがない。
【０８８８】
また、複数のコマンドが連続して送信される場合でも、これらコマンドは、生成された順番でＲＡＭ４１ｃに設けられた通常コマンド送信用バッファに格納され、一部の例外（ドアコマンド、電源投入コマンド、初期化コマンド）を除いて、各々のコマンドがその生成順、すなわち本来コマンドが送信されるべき順番にて送信されるため、サブ制御部９１側では、ＣＰＵ４１ａの制御状態を正確な順番で把握して演出を行うことが可能であり、演出の順番に食い違いが生じることにより遊技者に違和感を与えてしまうことを防止できる。
【０８８９】
ＣＰＵ４１ａは、１枚ＢＥＴスイッチ５、ＭＡＸＢＥＴスイッチ６、スタートスイッチ７、ストップスイッチ８Ｌ、８Ｃ、８Ｒ、精算スイッチ１０のいずれかの操作が検出されたときに、これらスイッチが遊技の進行上、無効化されている状態であるか否かに関わらず、これらスイッチのいずれかの操作が検出された旨、及び操作されたスイッチの種類を示す操作検出コマンドを送信するようになっており、ＣＰＵ９１ａもＣＰＵ４１ａが検出した操作を、その操作が有効に操作されたか否かに関わらず特定できるので、演出用の操作を行うために、新たな検出手段を搭載せずとも、本来であればゲームを進行させるために搭載され、ＣＰＵ４１ａが検出する操作手段を用いて、これら操作手段がゲームの進行上は無効化されている状態であっても演出用の操作を行うことが可能となり、ＣＰＵ９１ａは、これら操作手段の操作に基づいた演出を行うことができる。
【０８９０】
尚、本実施例では、ＣＰＵ４１ａが１枚ＢＥＴスイッチ５、ＭＡＸＢＥＴスイッチ６、スタートスイッチ７、ストップスイッチ８Ｌ、８Ｃ、８Ｒ、精算スイッチ１０のいずれかの操作が検出されたときに、これらスイッチが遊技の進行上、無効化されている状態であるか否かに関わらず、これらスイッチのいずれかの操作が検出された旨、及び操作されたスイッチの種類を示す操作検出コマンドを送信するようになっているが、１枚ＢＥＴスイッチ５、ＭＡＸＢＥＴスイッチ６、スタートスイッチ７、ストップスイッチ８Ｌ、８Ｃ、８Ｒ、精算スイッチ１０のうち、遊技の進行上無効化されているスイッチの操作が検出されたときに、これらスイッチのいずれかの操作が検出された旨、及び操作されたスイッチの種類を示す操作検出コマンドを送信するようにしても良く、この場合でも、演出用の操作を行うために、新たな検出手段を搭載せずとも、本来であればゲームを進行させるために搭載され、ＣＰＵ４１ａが検出する操作手段を用いて、これら操作手段がゲームの進行上は無効化されている状態であっても演出用の操作を行うことが可能となり、ＣＰＵ９１ａは、これら操作手段の操作に基づいた演出を行うことができる。
【０８９１】
遊技制御基板４０などのスロットマシン１の内部の部品に対して何らかの不正行為を行うには前面扉２ｂを開放する必要があるが、本実施例では、前面扉２ｂが開放されると、その旨が報知されるため、このような不正を効果的に防止できるとともに、不正がなされても早期に発見することができる。
【０８９２】
従来、前面扉の開放を報知するものにおいては、遊技制御手段の制御負荷を軽減するために演出制御手段がエラー報知を行うにも関わらず、遊技制御手段に入力された信号に基づいて遊技制御手段が前面扉が開放したか否かを判定する必要があり、遊技制御手段の制御負荷を十分に軽減することができなかった。
【０８９３】
これに対して本実施例のＣＰＵ４１ａは、ドア開放検出スイッチ２５の検出状態を約１００ｍｓ毎に監視し、ドア開放検出スイッチ２５の検出状態が変化した際に、変化後の検出状態を示すドアコマンドを送信するのみで、ドア開放検出スイッチ２５の検出状態から前面扉２ｂが開放されているか否かの判定は行わず、サブ制御部９１のＣＰＵ９１ａが、ＣＰＵ４１ａから受信したドアコマンドが示すドア開放検出スイッチ２５の検出状態に基づいて前面扉２ｂが開放されているか否かの判定を行い、その判定結果に基づいてドア開放報知を行うようになっている。このため、ＣＰＵ４１ａは、前面扉２ｂの開放を報知するにあたって、ドア開放検出スイッチ２５の検出状態から前面扉２ｂが開放しているか否かの判定（ドア開放検出スイッチ２５のチャタリング防止判定など）を行う必要がなく、ＣＰＵ４１ａの制御負荷を軽減することができる。
【０８９４】
また、ＣＰＵ４１ａは、ドア開放検出スイッチ２５の検出状態が変化していない場合でも、ＣＰＵ４１ａの起動時及び１ゲーム終了時には、その時点のドア開放検出スイッチ２５の検出状態を示すドアコマンドを送信するので、ＣＰＵ９１ａが変化時のドアコマンドを取りこぼした場合であっても、起動時及び１ゲーム終了時には必ずドア開放検出スイッチ２５の検出状態を取得できるため、このように変化時のドアコマンドを取りこぼした後、ドア開放検出スイッチ２５の検出状態が変化しない場合でも、ドア開放検出スイッチ２５の検出状態の変化がドア開放報知に反映されない状態が継続してしまうことを防止できる。
【０８９５】
また、ＣＰＵ４１ａは、通常コマンド送信用バッファに通常コマンドが格納されている状態で、ドアコマンドの送信が要求された場合（ドアコマンド送信要求２が設定されている場合）には、原則として通常コマンド送信用バッファに格納されているコマンドよりもドアコマンド送信用バッファに格納されているドアコマンドを優先して送信するようになっており、ドア開放検出スイッチ２５の監視間隔と、ドアコマンドの送信間隔と、の誤差を極力抑えられるようになっている。
【０８９６】
尚、通常コマンド送信用バッファに格納されている通常コマンドの送信待ち（遅延中）の状態では、ドアコマンドよりも遅延中の通常コマンドを優先して送信するようになっており、既に遅延時間の計時を開始しているにも関わらず、それに割り込むことによって遅延制御が複雑化してしまうことがない。また、電源投入コマンド及び初期化コマンドについては、ドアコマンドを含む全てのコマンドよりも優先して送信するようになっており、他のコマンドを先に送信することによりＣＰＵ９１ａの復帰が遅れてしまうことがない。
【０８９７】
また、本実施例では、ドアコマンドの送信を命令するドアコマンド送信要求２が一度設定されると、当該命令に基づくドアコマンドが送信されるまで、ドア開放検出スイッチ２５の検出状態が変化してもドアコマンドが更新されないようになっており、電源投入コマンドまたは初期化コマンドの送信待ちの状態においてドア開放検出スイッチ２５の検出状態が変化した場合にも、ドアコマンドが未送信のまま上書きされてしまうことを防止できる。
【０８９８】
また、本実施例では、通常コマンド送信用バッファとは別個にドアコマンド送信用バッファが設けられており、ドアコマンドを通常コマンドよりも優先して送信する場合に、その送信管理が煩雑となってしまうことがない。
【０８９９】
また、本実施例では、ドアコマンドを基本処理に定期的に割り込んで実行するタイマ割込処理（メイン）内で送信用バッファに格納するのに対して、通常コマンドは、基本処理において送信用バッファに格納する構成であるため、ドアコマンドと通常コマンドとを同一の送信用バッファに格納する場合には、通常コマンドを送信用バッファに格納する際に割込を禁止する必要があり（通常コマンドを送信用バッファに格納している最中に割り込んでドアコマンドが格納されると、処理中の通常用コマンドが上書きされてしまううえに、復帰後にさらにドアコマンドが部分的に上書きされてしまうなどの不具合がある）、このような構成とした場合には、通常コマンドを格納する毎に割込が禁止され、リールの回転のブレやメダルの払出時のブレが発生するなど、他の制御に影響を及ぼす虞があるが、上記のように通常コマンド送信用バッファとは別個にドアコマンド送信用バッファが設けられることで、ドアコマンドを基本処理に定期的に割り込んで実行するタイマ割込処理（メイン）内で送信用バッファに格納し、通常コマンドを基本処理において送信用バッファに格納する構成としても、通常コマンドを格納する際に割込を禁止する必要がなくなり、上記のような不具合を解消することができる。
【０９００】
また、本実施例では、ドア開放検出スイッチ２５の監視間隔がドア開放検出スイッチ２５の監視間隔が、ドアコマンドを送信した後、さらに通常コマンド送信用バッファに格納されている通常コマンドを送信するまでに要する約７２ｍｓよりも長い約１００ｍｓに設定されており、これにより、ドア開放検出スイッチ２５の検出状態が連続して変化した場合でも、ドアコマンドが送信された後、次のドアコマンドが送信されるまでの間に、通常コマンド送信用バッファに格納されている通常コマンドを少なくとも１つ以上送信することが可能となり、通常コマンド送信用バッファがオーバーフローしないようになっている。
【０９０１】
本実施例では、サブ制御部９１のＣＰＵ９１ａが、グラフィックコントローラ１２００からのＶブランク割込信号が一定期間入力されなかった場合、グラフィックコントローラ１２００に対して命令したにも関わらず、命令に対応する完了割込信号が一定期間入力されなかった場合に、演出状態のバックアップを行う電断割込処理（サブ）を実行するとともに、再起動して電断割込処理においてバックアップした制御状態を復帰させる。そして、ＣＰＵ９１ａの再起動に伴って、グラフィックコントローラ１２００を初期化して、再起動前に実行していた制御パターンに基づく命令を再度グラフィックコントローラ１２００に対して行うことにより、グラフィックコントローラ１２００の動作を再開させるようになっている。これにより、グラフィックコントローラ１２００がハングアップした場合でも、ハングアップする前の状態に復旧させることができる。また、ハングアップにより途中となっていた表示動作を復旧後に再開させることができ、異常な表示状態からのより適切な復旧が可能になる。
【０９０２】
また、本実施例では、再起動の際に制御状態を復旧させるための処理として、電断時に実行される電断割込処理（サブ）を流用しており、グラフィックコントローラ１２００がハングアップした際に実行する専用の処理を実行する必要がないので、プログラム容量の増大や処理の複雑化を防止しつつ、異常な表示状態から適切に復旧させることができる。
【０９０３】
また、本実施例では、表示制御回路９２がハングアップした場合において、電断割込処理（サブ）を実行する前にＲＡＭ９１ｃに再起動フラグを設定し、その後起動したＣＰＵ９１ａが、再起動フラグの有無を判定することにより、電源投入による起動であるか、表示制御回路９２のハングアップによる再起動であるか、を区別できるようになっており、ＣＰＵ９１ａは、表示制御回路９２のハングアップによる再起動であると判定した場合において、再起動前の演出状態に復帰可能であれば、初期化コマンドまたは電源投入コマンドの受信を待たず、再起動前の演出状態に復帰させるようになっている。このため、ＣＰＵ９１ａが、電源投入による起動ではなく、表示制御回路９２のハングアップによって再起動する場合であるにも関わらず、初期化コマンドも電源投入コマンドも受信できずに、演出が行われなくなってしまうことを防止できる。
【０９０４】
本実施例では、タッチパネルコントローラ９９が、６０秒間連続して発光装置５７ａ、５７ｂからのいずれかのビームが遮蔽された場合に不良ビームと判定し、該当するビーム座標を無効化するようになっており、受光装置５７ａ、５７ｂや発光装置５６ａ、５６ｂが破損している場合、固形物が付着している場合、物が置かれている場合などによって不良ビームが生じても、不良ビームのみ無効化され、有効なビームによってタッチ操作を検出できるため、不良ビームが生じてもタッチパネルを正常に機能させることが可能であり、正常なビームによってタッチ操作を検出することができるにも関わらず、タッチパネルが使用できなくなってしまうことを防止できる。
【０９０５】
また、タッチパネルコントローラ９９が、不良ビームと判定し、該当するビーム座標を無効化した場合でも、その後、発光装置５６ａ、５６ｂからの遮蔽状態が解除された場合には、無効化されたビーム座標でのタッチ操作の検出を再び有効化するようになっており、不良ビームが復旧した場合には、自動的に無効化を解除することができる。
【０９０６】
また、ＣＰＵ９１ａは、１秒毎に不良ビーム解析要求コマンドを送信し、タッチパネルコントローラ９９から返信されたレポートが、１０秒以上遮蔽されている連続する２本以上のビームが存在する旨を示す場合、すなわち何らかの物体がタッチパネル上に位置する可能性がある場合に、物の除去を促す報知が行われるため、これら物が置かれていることなどによる不良ビームを早期に発見し解消することができる。
【０９０７】
また、不良ビームに伴うビーム座標が無効化されるまでの時間（６０秒）よりも早い段階（１０秒）で物の除去を促す報知が行われるので、ビーム座標が無効化される前に、不良ビームの原因を取り除くことが可能となる。
【０９０８】
本実施例では、開発中や出荷前にサブ制御部９１が正常に動作するか否かを検査するために、コマンドシミュレータなどの動作試験用基板を演出制御基板９０に接続して動作試験を行うことが可能とされている。
【０９０９】
一般的に演出制御手段が、送信バッファと同数の受信バッファを有しており、かつ送信バッファの数と受信バッファの数は、通常の遊技を想定してオーバーフローしない程度の数とされているため、通常に遊技を行っている分には、受信バッファ以上の数のコマンドが連続して送信されるようなことはなく、遊技制御手段から送信されたコマンドがオーバーフローしてしまうことはない。しかしながら、開発中や出荷前に演出制御手段が正常に動作するか否かを検査するための動作試験においては、試験用の遊技制御手段を演出制御手段に接続して大量のコマンドを連続して送信することで、動作試験の効率を高めることが可能となるが、上記のように受信バッファの数が送信バッファの数と同数であると、動作試験時に大量のコマンドを送信すると、受信バッファがオーバーフローしてしまい、正確に動作試験を行えなくなってしまう虞がある。このため、動作試験時に連続して送信されるコマンドの数または送信間隔を多く取る必要があり、その結果、動作試験の効率を十分に高めることができないという問題があった。
【０９１０】
これに対して本実施例では、サブ制御部９１がメイン制御部４１より受信したコマンドを格納する受信用バッファに、メイン制御部４１がサブ制御部９１に対して送信するコマンドが格納される通常コマンド送信用バッファが有するコマンドの格納領域よりも多くの数のコマンドを格納可能な格納領域が設けられている。これにより、コマンドシミュレータなどの動作試験用基板を演出制御基板９０に接続して動作試験を行う場合において、連続して検査コマンドを送信する場合にも、一度に送信できる検査コマンドの数や送信間隔が、メイン制御部４１に設けられた通常コマンド送信用バッファの格納領域、すなわち通常のゲームを想定してオーバーフローしない程度の数分割り当てられた格納領域の数（本実施例では１６個のコマンド）に応じて制限されることがなく、受信用バッファの格納領域の限界（本実施例では１２８個のコマンド）まで大量の検査コマンドを連続して送信することが可能となるため、動作試験の効率を効果的に高めることができる。
【０９１１】
また、本実施例では、検査コマンド毎に、複数ある電飾部品、液晶表示器５１、タッチパネルなどの演出用部品を個別に指定して動作試験を行うことができるようになっており、これら複数ある電飾部品、液晶表示器５１、タッチパネルなどの演出用部品をそれぞれ指定する検査コマンドを送信することで、それぞれの演出用部品が正常に動作するか否かを正確に検査することができる。
【０９１２】
また、本実施例では、スロットマシン１で動作試験を行う場合に、１つの検査コマンドで、１つの出力ポートとその出力ポートに対応する演出用部品及びその動作態様のみを指定することが可能であるため、出力ポートの数を基準にしてそれよりも多い数のコマンドを格納可能な格納領域が受信用バッファの格納領域に設けられており、全ての演出用部品の動作試験を一括して行う場合に、それぞれの出力ポートに対応する検査コマンドを連続して送信した場合でも、受信用バッファがオーバーフローすることがないため、一層効率的に動作試験を行うことができる。
【０９１３】
尚、本実施例では、１つの検査コマンドで、１つの出力ポートとその出力ポートに対応する演出用部品及びその動作態様のみを指定することが可能となっているが、１つの検査コマンドで、１つの演出用部品及びその動作対応のみを指定可能としても良く、この場合には、演出用部品の数よりも多い数のコマンドを格納可能な格納領域を受信用バッファに設けることで、全ての演出用部品の動作試験を一括して行う場合に、それぞれの演出用部品に対応する検査コマンドを連続して送信した場合でも、受信用バッファがオーバーフローすることがないため、一層効率的に動作試験を行うことができる。
【０９１４】
また、本実施例のようにタッチパネルなど演出用の操作手段の操作に応じて演出制御手段が演出の制御を行う遊技機において、演出用の操作手段の操作の検出状況を検査する必要がある場合には、操作が検出される前に誤って次の検査コマンドを送信してしまうと、演出用の操作手段の操作の検出を待たずに、次の検査コマンドを受信して、次の動作試験に移行してしまい、演出用の操作手段の操作の検出状況の検査を正常に行えなくなってしまうという問題があった。
【０９１５】
これに対して本実施例のＣＰＵ９１ａは、タッチパネルの動作チェックを指定する検査コマンドを受信して、タッチパネルの動作チェックを行う場合には、コマンド受信割込処理を、タッチ操作が検出されるまでの間禁止し、この間は、新たなコマンドを受信しないようになっており、この間に新たなコマンドが送信された場合でも、タッチ操作が検出され、動作チェックが完了するまでは、新たなコマンドは受信されず、当該コマンドに基づく処理が行われないようになっている。このため、タッチパネルの動作チェックの完了を待たずに誤って検査コマンドを送信した場合にも、タッチパネルの動作チェックを検査を正常に行うことができる。
【０９１６】
また、ＣＰＵ９１ａは、タッチパネルの動作チェックを指定する検査コマンドを受信した後、タッチ操作が検出されるまでの間は、コマンド受信割り込み処理が禁止されるのみならず、受信用バッファに格納されているコマンドの読み出しも行わないようになっており、既にコマンドを受信し、受信したコマンドが受信用バッファに格納されている場合であっても、タッチ操作が検出され、動作チェックが完了するまでは、受信用バッファに格納されているコマンドに基づく処理も行われないようになっている。このため、タッチパネルの動作チェックを指定する検査コマンドと連続して他の検査コマンドが送信された場合にも、タッチパネルの動作チェックを検査を正常に行うことができる。
【０９１７】
尚、本実施例では、演出操作手段としてタッチパネルを適用しているが、タッチパネル以外の演出操作手段、例えば、ボタンやダイアルなどを適用しても良く、タッチパネル以外の演出操作手段以外の動作チェックを行う場合にも、上記と同様に演出操作手段の操作が検出されるまでコマンドの受信を禁止することで、動作チェックの完了を待たずにを誤って検査コマンドを送信した場合にも、動作チェックを検査を正常に行うことができるし、演出操作手段の操作が検出されるまで受信用バッファに格納されているコマンドの読み出しを行わないことで、動作チェックを指定する検査コマンドと連続して他の検査コマンドが送信された場合にも、動作チェックを検査を正常に行うことができる。
【０９１８】
本実施例のスロットマシン１では、遊技の制御を行うメイン制御部４１が設けられた遊技制御基板４０などの各種基板が搭載されており、これらの基板には、遊技者による遊技の進行操作が可能なスイッチ類等からなる電子部品がケーブルを介して接続されている。
【０９１９】
これら電子部品と基板とを接続するケーブルは、遊技機の製造時における組み付け作業や配線作業を容易にするため、一般的にコネクタでの接続を解除することで分離可能とされている。また、電子部品は、機種変更の際等においても交換せずに継続使用する共通部品であることからスロットマシンの本体に固設され、例えば遊技制御基板４０は、故障や機種変更の際に交換されるものであるため、例えば遊技制御基板４０に設けられる基板側コネクタからケーブル側コネクタを抜脱して接続を解除することで、遊技制御基板４０を本体から容易に取り出して交換できるようになっている。
【０９２０】
しかし、このように遊技制御基板４０と電子部品との配線接続をコネクタの抜脱により容易に解除できる状態のままスロットマシンをメーカーから遊技店に出荷すると、例えば遊技店において、基板側コネクタからケーブル側コネクタを抜脱し、これに替えていわゆる打ち込み器具等の不正な器具に接続されたケーブル側コネクタを基板側コネクタに容易に接続することが可能となってしまう。
【０９２１】
打ち込み器具とは、例えば上記各種電子部品から遊技制御基板４０に入出力される信号を擬似的に再現した信号を遊技制御基板４０に入出力させることで、スロットマシンに設けられた各種スイッチ等を操作することなく、ゲームを自動的に進行させることができるものである。従って、例えば遊技店等において、遊技制御基板４０に設けられた基板側コネクタに接続されている正規なコネクタを抜脱し、これに替えて打ち込み器具に接続された不正なコネクタを接続して、各種信号を適宜タイミングで遊技制御基板４０に入出力して遊技を自動的に進行させることで、例えば特別役が当選した状態等を容易に設定することができる。よって、このような不正な打ち込み器具を使用して特別役が当選した状態に設定したスロットマシンを、例えば遊技店の営業開始時等において遊技客に提供するといった不正営業が実施された場合、遊技の公平性が損なわれる虞があった。
【０９２２】
これに対して本実施例では、遊技制御基板４０と投入メダルセンサ３１との間のコネクタ接続、すなわち遊技制御基板４０の基板側コネクタ６２０ａとケーブル６００ａのケーブル側コネクタ６１０ａとの接続、ケーブル６００ａのケーブル側コネクタ６１１ａと操作部中継基板１１０の基板側コネクタ６２１ａとの接続、操作部中継基板１１０の基板側コネクタ６２２ｇとケーブル６０１ｇのケーブル側コネクタ６１２ｇとの接続についてこれらコネクタ同士の接続の解除を、コネクタ規制部材５００ａ及びコネクタ規制部材６５０によって規制するようになっている。これにより、遊技制御基板４０と投入メダルセンサ３１との間のいずれかのコネクタを不正な打ち込み器具等のコネクタに差し替えて接続し、遊技制御基板４０のメイン制御部４１にゲームの進行に関わる不正な信号を入出力させるといった不正行為を行うことが困難となるため、例えば、打ち込み器具などを接続して、ボーナスが当選した状態としたスロットマシンを開店時に提供するといった不正営業の実施等を効果的に防止できる。
【０９２３】
また、遊技制御基板４０とドア開放検出スイッチ２５との間のコネクタ接続、すなわち遊技制御基板４０の基板側コネクタ６２０ａとケーブル６００ａのケーブル側コネクタ６１０ａとの接続、ケーブル６００ａのケーブル側コネクタ６１１ａと操作部中継基板１１０の基板側コネクタ６２１ａとの接続、操作部中継基板１１０の基板側コネクタ６２２ｑとケーブル６０１ｑのケーブル側コネクタ６１２ｑとの接続についてこれらコネクタ同士の接続の解除を、コネクタ規制部材５００ａ及びコネクタ規制部材６５０によって規制するようになっている。これにより、遊技制御基板４０とドア開放検出スイッチ２５との間のいずれかのコネクタ同士の接続を解除することが困難となるため、前面扉２ｂの開放された旨の報知がされない状態で、前面扉２ｂが開放されてしまうことを効果的に防止できる。
【０９２４】
また、遊技制御基板４０と投入メダルセンサ３１との間のコネクタ接続または遊技制御基板４０とドア開放検出スイッチ２５との間のコネクタ接続を解除するためには、基板ケース２００の封止片２３２やコネクタカバー５２０の接続片５２２ａ、カバー部材６８０の接続片６８４ａを破断しなければならず、これにより、遊技制御基板４０と投入メダルセンサ３１との間のコネクタ接続または遊技制御基板４０とドア開放検出スイッチ２５との間のコネクタ接続が１つでも解除されると、その痕跡が残るとともに、その痕跡を消すことはきわめて困難であるため、上記不正営業や前面扉２ｂの開放された旨の報知がされない状態での前面扉２ｂの開放をより効果的に抑制することができる。
【０９２５】
また、本実施例では、遊技制御基板４０と投入メダルセンサ３１との間及び遊技制御基板４０とドア開放検出スイッチ２５との間に中継基板が１つのみであるが、複数の中継基板を経由する場合には、その間に存在するコネクタ接続全てについて抜脱を規制することが好ましく、このようにすることで遊技制御基板４０と投入メダルセンサ３１との間または遊技制御基板４０とドア開放検出スイッチ２５との間のいずれかのコネクタの接続を解除することが困難となるため、上記不正営業や前面扉２ｂの開放された旨の報知がされない状態での前面扉２ｂの開放をより効果的に防止できる。
【０９２６】
また、本実施例では、ゲームの進行に応じて遊技制御基板４０に対して信号を入力する第１の電子部品５、６、７、８、３１、３３Ｌ、３３Ｃ、３３Ｒ、３５及びゲームの進行に応じて遊技制御基板４０から信号が出力される第２の電子部品３２Ｌ、３２Ｃ、３２Ｒ、３４のうち、投入メダルセンサ３１と遊技制御基板４０との間のコネクタ接続のみコネクタ規制部材を設けてコネクタ同士の接続の解除を規制している。すなわちその信号がなければ遊技を進行させることができない投入メダルセンサ３１（投入メダルセンサ３１からの信号が入力されなければ賭数を設定できずゲームを開始することが不可能となる）と遊技制御基板４０との間のコネクタ接続のみコネクタ規制部材を設けてコネクタ同士の接続の解除を規制しており、他の電子部品と遊技制御基板４０との間でコネクタ同士の接続を解除して打ち込み器具のコネクタに差し替えた場合でも、実質的に遊技を自動的にゲームを進行させることができなくなるため、最小限の規制で不正行為を防止することが可能となり、これらコネクタ同士の接続を解除するための部品点数を減らすことができる。
【０９２７】
尚、本実施例では、投入メダルセンサ３１と遊技制御基板４０との間のコネクタ接続のみコネクタ規制部材を設けてコネクタ同士の接続の解除を規制しているが、スタートスイッチ７と遊技制御基板４０との間のコネクタ接続のみコネクタ規制部材を設けてコネクタ同士の接続の解除を規制するようにしても同様の効果が得られる。また、本実施例のようにリールの回転開始後、リールの停止操作がなされるまでリールが停止する構成でないものであれば、ストップスイッチ８Ｌ、８Ｃ、８Ｒのいずれかと遊技制御基板４０との間のコネクタ接続のみコネクタ規制部材を設けてコネクタ同士の接続の解除を規制するようにしても同様の効果が得られる。
【０９２８】
また、本実施例では、メイン制御部４１とゲームの進行上必要な信号の入出力が行われる複数の電子部品及びドア開放検出スイッチ２５とを接続する複数の信号線が、遊技制御基板４０と操作部中継基板１１０との間では１本のケーブル６００ａで接続されているため、遊技制御基板４０の基板側コネクタ６２０ａとケーブル側コネクタ６１０ａとのコネクタ接続、すなわち１カ所のコネクタ接続のみ接続の解除を規制することで、複数の信号線同士の接続の解除を規制することが可能となり、これらコネクタ接続の解除を規制するための部品を複数用意する必要がなく、これらの部品点数を削減できる。
【０９２９】
尚、メイン制御部４１とゲームの進行上必要な信号の入出力が行われる複数の電子部品及びドア開放検出スイッチ２５とを接続する複数の信号線が、複数のケーブルを介して接続される場合でも、基板側コネクタを近接する位置に配置するとともに、１つの部品でこれら複数の基板側コネクタと複数のケーブル側コネクタとの接続の解除を規制することで、これらコネクタ接続の解除を規制するための部品を複数用意する必要がなく、これらの部品点数を削減できる。
【０９３０】
また、本実施例では、遊技制御基板４０と操作部中継基板１１０とを接続するケーブル６００ａのケーブル側コネクタ６１１ａと操作部中継基板１１０の基板側コネクタ６２１ａとの接続の解除、操作部中継基板１１０と投入メダルセンサ３１とを接続するケーブル６０１ｇのケーブル側コネクタ６１２ｇと操作部中継基板１１０の基板側コネクタ６２２ｇとの接続の解除、操作部中継基板１１０とドア開放検出スイッチ２５とを接続するケーブル６０１ｑのケーブル側コネクタ６１２ｑと操作部中継基板１１０の基板側コネクタ６２２ｑとの接続の解除が、１つのコネクタ規制部材６５０によって、同時に規制されるので、これら複数のコネクタ接続の解除を規制するための部品を複数用意する必要がなく、これらの部品点数を削減できる。
【０９３１】
また、本実施例では、取付側部材５１０とコネクタカバー５２０とからなるコネクタ規制部材５００ａを基板ケース２００に取り付けることで、当該基板ケース２００に収容された遊技制御基板の基板側コネクタ６２０ａとケーブル側コネクタ６１０ａとの抜脱が規制されるとともに、この状態で基板ケース２００を取付ベース２５０に取り付けて固着部材２５５と封止片２３２とを固着することで、基板ケース２００からのコネクタ規制部材５００ａの取り外しが規制されることになり、基板ケース２００の封止片２３２を破断して基板ケース２００と筐体（取付ベース２５０）との固着を解除するか、取付側部材５１０またはコネクタカバー５２０の取り付け状態を解除しなければ、基板側コネクタ６２０ａからケーブル側コネクタ６１０ａを抜脱できない状態となる。すなわち封止片２３２の破断、または接続片５２２ａの破断という痕跡を残さなければケーブル側コネクタ６１０ａを抜脱することができない状態となり、痕跡を残さずに打ち込み器具などの不正器具を接続したり、コネクタの接続解除することができなくなるため、不正が行われた可能性があることを確実に発見することができるようになる。
【０９３２】
また、故障などにより遊技制御基板４０を収容した基板ケース２００ごと遊技制御基板４０を交換する場合には、封止片２３２を破断して基板ケース２００と筐体（取付ベース２５０）との固着を解除すれば、コネクタ規制部材５００ａを基板ケース２００から取り外してケーブル側コネクタ６１０ａを基板側コネクタ６２０ａから抜脱可能となるため、無駄にコネクタ規制部材５００ａを破壊したり、基板ケース２００を破壊して開封することなく基板側コネクタ６２０ａからケーブル側コネクタ６１０ａを分離させることができる。
【０９３３】
また、コネクタ規制部材５００ａを取付側部材５１０とコネクタカバー５２０とから構成し、取付側部材５１０を基板ケース２００に取り付けた後、ケーブル側コネクタ６１０ａを基板側コネクタ６２０ａに接続し、その状態で基板側コネクタ６２０ａの一部を上方から被覆するようにして取付側部材５１０に取り付けることによって、ケーブル側コネクタ６１０ａの基板側コネクタ６２０ａからの抜脱が不能化されるようになっており、ケーブル側コネクタ６１０ａを基板側コネクタ６２０ａに接続した後、基板側コネクタ６２０ａの周辺に位置する取付側部材５１０の係止孔部５１３の係止孔５１３ａにコネクタカバー５２０の係止筒５２２を嵌入し、コネクタカバー５２０を取付側部材５１０に取り付けるのみで、コネクタカバー５２０によりケーブル側コネクタ６１０ａの一部が被服され、ケーブル側コネクタ６１０ａの抜き方向への移動が規制されるので、ケーブル側コネクタ６１０ａの基板側コネクタ６２０ａに対する抜脱を規制するにあたり、その組み付け作業を軽減できる。
【０９３４】
また、遊技制御基板４０が基板ケース２００に収容された状態であっても、そのままの状態でケーブル側コネクタ６１０ａを基板側コネクタ６２０ａに接続し、その後コネクタカバー５２０を取り付けるのみで良く、このような場合には、ケーブル側コネクタ６１０ａの基板側コネクタ６２０ａに対する抜脱を規制するにあたり、その組み付け作業を一層効果的に軽減できる。
【０９３５】
また、コネクタカバー５２０は、ケーブル側コネクタ６１０ａと基板側コネクタ６２０ａとの接続部分全体を被覆するのではなく、ケーブル側コネクタ６１０ａの抜き方向側の一部のみを被覆する構成であるため、ケーブル側コネクタ６１０ａの基板側コネクタ６２０ａに対する抜脱を確実に規制できるばかりでなく、コネクタカバー５２０の製造に必要な材料が少なく済む。
【０９３６】
また、コネクタカバー５２０は、取付側部材５１０に対して１カ所の係止筒５２２のみで取り付けられるので、コネクタカバー５２０及び取付側部材５１０の構造を簡素化できることから好ましいが、コネクタカバー５２０に係止筒５２２を複数箇所設けるとともに、取付側部材５１０にもそれぞれ対応する箇所に係止孔５１３ａを設け、コネクタカバー５２０を複数箇所で取付側部材５１０に対して取り付けるようにしても良く、このようにすることで、ケーブル側コネクタ６１０ａの基板側コネクタ６２０ａに対する抜脱をより強固に規制することができる。更にこの場合には、ケーブル側コネクタ６１０ａと基板側コネクタ６２０ａとの接続部分を跨ぐ複数箇所でコネクタカバー５２０を複数箇所で取付側部材５１０に対して取り付けることが好ましく、このようにすれば、ケーブル側コネクタ６１０ａの基板側コネクタ６２０ａに対する抜脱を更に強固に規制することができる。
【０９３７】
また、コネクタカバー５２０が取付側部材５１０に対して１カ所の係止筒５２２のみで取り付けられるが、コネクタカバー５２０の一方の側壁には、取付側部材５１０の基片５１０ａの表面に当接するリブ５２１ｂ、５２１ｂが形成されており、コネクタカバー５２０の移動が規制されるため、ケーブル側コネクタ６１０ａの基板側コネクタ６２０ａに対する抜脱を確実に規制することができる。
【０９３８】
また、取付側部材５１０の基片５１０ａから延設される両端部には、内向きの係止片５１１、５１１がそれぞれ形成されており、係止片５１１、５１１を外方に弾性変形させた状態で、基板ケース２００に組み付けて基板ケース２００の裏面に形成された係止溝５１４、５１４に係合させることで、取付側部材５１０が基板ケース２００に取り付けられるようになっているため、コネクタ規制部材５００ａを基板ケース２００に取り付けるにあたり、ネジやピンなどの他の部材を用いることなく取り付けることができるので、部品点数を削減できる。
【０９３９】
また、コネクタ規制部材５００ａを構成する取付側部材５１０を基板ケース２００に取り付けた際に、取付側部材５１０の基片５１０ａ、上片５１０ｃ、５１０ｃの基板ケース２００に対する対向面が上部ケース２０３における段部２０３ｂの上面及び凹部２０３ｆの底面にそれぞれ当接するようになっており、コネクタ規制部材５００ａと基板ケース２００の表面との間に不正部品などが取り付けられることを効果的に防止することができる。
【０９４０】
また、コネクタ規制部材５００ａを構成する取付側部材５１０及びコネクタカバー５２０は、ともに透明な合成樹脂材にて構成されているため、基板ケース２００内の視認性がコネクタ規制部材５００ａにより損なわれることがないので、遊技制御基板４０の監視に支障をきたすことがない。また、コネクタ規制部材５００ａと基板ケース２００との隙間に不正部品が取り付けられた場合でも容易に発見することが可能となる。
【０９４１】
本実施例では、メイン制御部４１の起動時に電断前の状態に復帰し、かつ電断前から特別役が当選している場合には、ＣＰＵ４１ａが特別役の当選を示す電源投入コマンドを送信し、特別役の当選を示す電源投入コマンドをサブ制御部９１が受信すると、特別役の当選を示す告知演出を実行するとともに、この告知演出は特別役の入賞を示す入賞判定コマンドを受信するまで、すなわち当選した特別役が入賞するまで継続して実行されるようになっている。
【０９４２】
また、サブ制御部９１は、電源投入コマンドか、後述するようにメイン制御部４１の制御状態が初期化された旨を示す初期化コマンドを受信するまでは、バックアップが正常であってもその演出状態に復帰することもなく、他のコマンドを受信してもそれに応じて演出の制御は行わないようになっている。このため、起動時にメイン制御部４１とサブ制御部９１のコマンド送信ラインを非接続とし、その後メイン制御部４１とサブ制御部９１とを接続しても、サブ制御部９１は、電源投入コマンドや初期化コマンドを受信していないため、演出の制御が行われることはなく、起動時にメイン制御部４１とサブ制御部９１のコマンド送信ラインを非接続としても、サブ制御部９１側で電源投入コマンドの受信を回避し、特別役の当選を示す告知演出の実行を回避することは不可能であり、このようにメイン制御部４１の起動時に電断前の状態に復帰し、かつ電断前から特別役が当選している場合には、必ず特別役の当選が報知されることとなる。
【０９４３】
一方、打ち込み器具などの不正器具を接続するには、一度電源を切る必要がある（電源を切らずにコネクタを外すと故障の原因となる）が、上記の構成により、無理矢理コネクタの接続を解除して打ち込み器具を使用し、不正に特別役の当選を設定しても、メイン制御部４１を再起動させた際に、特別役に当選していることが外部から容易に判別できてしまうので、打ち込み器具を使用して特別役が当選した状態に設定したスロットマシンを、遊技店の営業開始時等において遊技客に提供するといった不正営業を効果的に抑止することができる。
【０９４４】
また、告知演出は特別役の入賞を示す入賞判定コマンドを受信するまで、すなわち当選した特別役が入賞するまで継続して実行されるので、特別役が入賞すること、すなわち特別役の当選フラグがクリアされるまでは告知演出が停止することはなく、遊技店によって特別役の当選を維持したまま告知演出を解除することが不可能となるため、打ち込み器具を使用して特別役が当選した状態に設定したスロットマシン１を、遊技店の営業開始時等において遊技客に提供するといった不正営業をより一層効果的に抑止することができる。
【０９４５】
また、本実施例では、メイン制御部４１の起動時に電断前の状態に復帰し、かつ電断前から特別役が当選している場合には、ＣＰＵ４１ａが特別役の当選を示す電源投入コマンドを送信し、特別役の当選を示す電源投入コマンドをサブ制御部９１が受信することで、特別役の当選を示す告知演出を、サブ制御部９１が制御する液晶表示器５１、演出効果ＬＥＤ５２、スピーカ５３、５４、リールＬＥＤ５５等の演出装置にて実行するようになっており、不正に特別役の当選を設定しても、メイン制御部４１を再起動させた際に、特別役に当選していることが演出装置で報知され、一層判別しやすい状態となるので、打ち込み器具を使用して特別役が当選した状態に設定したスロットマシンを、遊技店の営業開始時等において遊技客に提供するといった不正営業を一層確実に防止することができる。
【０９４６】
また、本実施例では、遊技制御基板４０と演出制御基板９０の間のコネクタ接続の解除がコネクタ規制部材により規制されるようになっており、メイン制御部４１を起動させた後、演出制御基板９０を接続することで特別役の報知をさせないといった細工をすることがで困難となるため、遊技店による不正営業を一層確実に防止することができる。更に、コネクタ規制部材は、互いに接続された基板側コネクタからのケーブル側コネクタの抜脱を規制可能に構成され、コネクタでの接続に関わる解除規制部位を破壊しない限り、解除不能とする接続解除規制状態が形成され、接続解除規制状態を解除した場合にその痕跡が残るように構成されているので、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に防止することができる。
【０９４７】
また、本実施例では、停電時において遊技制御基板４０と演出制御基板９０との間の電気的な接続状態を監視し、遊技制御基板４０と演出制御基板９０との間の電気的な接続状態が解除された場合には、その旨を示す断線フラグを記憶する断線監視ＩＣ５０を遊技制御基板４０に有し、ＣＰＵ４１ａが、その起動時において断線監視ＩＣ５０に断線フラグの確認要求を行い、これに伴う断線監視ＩＣ５０からの返信に基づき断線フラグの記憶状態を取得し、断線フラグが記憶されている場合、すなわち遊技制御基板４０と演出制御基板９０との間の電気的な接続状態が解除された場合には、断線異常と判定し、断線異常エラーによるエラー状態に制御して、ゲームの進行を不能化するとともに、ＲＡＭ４１ｃの領域のうちＣＰＵ４１ａが使用中の領域を除く全ての領域を初期化し、元の状態に復帰不可能となるので、メイン制御部４１を起動させた後、演出制御基板９０を接続することで特別役の報知をさせないといった細工をした場合には、ＲＡＭ４１ｃが初期化されてしまい元の状態に復帰不可能となるため、遊技店による不正営業を一層確実に防止することができる。
【０９４８】
尚、本実施例では、サブ制御部９１が制御する演出装置にて特別役の当選が報知されるようになっているが、メイン制御部４１の起動時に電断前の状態に復帰し、かつ電断前から特別役が当選している場合に、メイン制御部４１が直接制御するクレジット表示器１１、遊技補助表示器１２、ペイアウト表示器１３にて特別役の当選を報知するようにしても良い。また、メイン制御部４１が直接制御する電子部品として特別役の当選を報知する告知ＬＥＤを設け、メイン制御部４１の起動時に電断前の状態に復帰し、かつ電断前から特別役が当選している場合に、告知ＬＥＤを用いて特別役の当選を報知するようにしても良い。
【０９４９】
また、本実施例では、ゲームの進行に応じて遊技制御基板４０に対して信号を入力または出力する電子部品（投入メダルセンサ３１）と遊技制御基板４０との間のコネクタ接続のみコネクタ規制部材を設けてコネクタ同士の接続の解除を規制することによっても不正器具の使用を防止しているが、メイン制御部４１の起動時に電断前の状態に復帰し、かつ電断前から特別役が当選している場合に、その旨を報知することで、コネクタ同士の抜き差しを規制する構造とするか否かに関わらず、打ち込み器具の使用を防止できるため、コネクタ同士の抜き差しを規制する構造にしないことも可能であり、このようにすることで、コネクタ同士の抜き差しを規制するために部品の大幅な構造変更を必要としないうえに、故障時などのメンテナンス性を向上させることもできる。
【０９５０】
本実施例では、断線監視ＩＣ５０が、停電時において遊技制御基板４０と投入メダルセンサ３１との間の電気的な接続状態についても監視し、遊技制御基板４０と投入メダルセンサ３１との間の電気的な接続状態が解除された場合には、その旨を示す断線フラグを記憶するとともに、ＣＰＵ４１ａが、その起動時において断線監視ＩＣ５０に断線フラグの確認要求を行い、これに伴う断線監視ＩＣ５０からの返信に基づき断線フラグの記憶状態を取得し、断線フラグが記憶されている場合、すなわち遊技制御基板４０と投入メダルセンサ３１との間の電気的な接続状態が解除された場合には、断線異常と判定し、断線異常エラーによるエラー状態に制御して、ゲームの進行を不能化するとともに、ＲＡＭ４１ｃの領域のうちＣＰＵ４１ａが使用中の領域を除く全ての領域を初期化し、元の状態に復帰不可能となる。
【０９５１】
一方、打ち込み器具などの不正器具を接続するには、コネクタの抜き差しが必要となるが、打ち込み器具を使用し、不正に特別役の当選を設定しても、正規のコネクタと交換するためにコネクタの接続を解除することで、断線監視ＩＣ５０に断線フラグが記憶され、ＣＰＵ４１ａを起動させた際に、ＲＡＭ４１ｃの領域のうちＣＰＵ４１ａが使用中の領域を除く全ての領域が初期化されてしまうので、打ち込み器具を使用して特別役が当選した状態に設定したスロットマシンを、遊技店の営業開始時等において遊技客に提供するといった不正営業を効果的に防止することができる。
【０９５２】
また、断線監視ＩＣ５０は、通電時においても遊技制御基板４０と投入メダルセンサ３１との間の電気的な接続状態を監視し、遊技制御基板４０と投入メダルセンサ３１との間の電気的な接続状態が解除された場合には、その旨を示す断線フラグを記憶するとともに、ＣＰＵ４１ａは、起動後もタイマ割込処理において定期的に断線フラグの記憶状態を確認し、断線フラグが記憶されている場合には、断線異常と判定し、断線異常エラーによるエラー状態に制御して、ゲームの進行を不能化するとともに、ＲＡＭ４１ｃの領域のうちＣＰＵ４１ａが使用中の領域を除く全ての領域を初期化し、元の状態に復帰不可能となるため、電源を落とさないまま、正規のコネクタと交換するためにコネクタの接続を解除した場合でも、断線監視ＩＣ５０に断線フラグが記憶され、これに伴い、断線異常によるエラー状態に制御され、ＲＡＭ４１ｃの領域のうちＣＰＵ４１ａが使用中の領域を除く全ての領域が初期化されてしまうので、打ち込み器具を使用して特別役が当選した状態に設定したスロットマシンを、遊技店の営業開始時等において遊技客に提供するといった不正営業をより確実に防止することができる。
【０９５３】
また、本実施例では、一度断線異常エラーによるエラー状態に制御されると、設定変更モードに移行させて、設定変更操作に基づいて設定値を新たに選択・設定しなければ、ゲームの進行が不能化された状態が解除されない。すなわち、ＲＡＭ４１ｃの初期化に伴ってスロットマシンにより自動的に設定された設定値ではなく、設定変更操作に基づいて選択・設定された設定値（一般的に、設定変更操作は遊技店の従業員により行われるので、遊技店側が選択した設定値である）に基づいてゲームが行われることが担保されるので、ゲームの公平性を図ることができる。
【０９５４】
尚、本実施例では、ＣＰＵ４１ａが断線異常と判定し、断線異常エラーによるエラー状態に制御することに伴って、ＲＡＭ４１ｃの領域のうちＣＰＵ４１ａが使用中の領域を除く全ての領域が初期化され、元の状態に復帰不可能となる構成となっているが、断線異常エラーによるエラー状態においては、ＲＡＭ４１ｃの初期化はされないが、その後ＲＡＭ４１ｃの初期化操作（本実施例では、設定変更モードへの移行操作が該当するが、これとは別に、電源投入時に検出されることで、ＲＡＭ４１ｃの初期化が行われる初期化スイッチを設け、初期化スイッチによるＲＡＭ４１ｃの初期化操作を適用しても良い。）が行われたことを条件に、エラー状態を解除し、ゲームが可能な状態となるようにしても良く、このようにした場合には、打ち込み器具を使用し、不正に特別役の当選を設定しても、正規のコネクタと交換するためにコネクタの接続を解除することで、断線監視ＩＣ５０に断線フラグが記憶され、ＣＰＵ４１ａを起動させた際に、ＲＡＭ４１ｃの初期化操作がなされて、ＲＡＭ４１ｃが初期化されるまでゲームの進行が不能化されるので、打ち込み器具を使用して特別役が当選した状態に設定したスロットマシンを、遊技店の営業開始時等において遊技客に提供するといった不正営業を効果的に防止することができる。
【０９５５】
また、本実施例では、ゲームの進行に応じて遊技制御基板４０に対して信号を入力または出力する電子部品（投入メダルセンサ３１）と遊技制御基板４０との間のコネクタ接続のみコネクタ規制部材を設けてコネクタ同士の接続の解除を規制することによっても不正器具の使用を防止しているが、遊技制御基板４０と投入メダルセンサ３１との間の電気的な接続状態を監視し、遊技制御基板４０と投入メダルセンサ３１との間の電気的な接続状態が解除された場合には、その旨を示す断線フラグを記憶するとともに、ＣＰＵ４１ａが、起動時及び起動後において断線フラグの記憶状態を確認し、断線フラグが記憶されている場合には、断線異常と判定し、断線異常エラーによるエラー状態に制御して、ゲームの進行を不能化するとともに、ＲＡＭ４１ｃの領域のうちＣＰＵ４１ａが使用中の領域を除く全ての領域を初期化すること、または初期化操作がなされてＲＡＭ４１ｃが初期化されるまでゲームの進行を不能化することで、コネクタ同士の抜き差しを規制する構造とするか否かに関わらず、打ち込み器具の使用を防止できるため、コネクタ同士の抜き差しを規制する構造にしないことも可能であり、このようにすることで、コネクタ同士の抜き差しを規制するために部品の大幅な構造変更を必要としないうえに、故障時などのメンテナンス性を向上させることもできる。
【０９５６】
また、本実施例では、断線監視ＩＣ５０が、遊技制御基板４０と投入メダルセンサ３１との間の電気的な接続状態を監視しているが、ゲームの進行上必ず必要な信号の入出力がなされる電子部品（例えば、スタートスイッチ７や、本実施例のようにリールの回転開始後、リールの停止操作がなされるまでリールが停止する構成でないものにおけるストップスイッチ８Ｌ、８Ｃ、８Ｒなど）を監視するものであっても、上記と同様の効果が得られる。
【０９５７】
また、本実施例では、断線監視ＩＣ５０が、ゲームの進行に応じて遊技制御基板４０に対して信号を入力または出力する電子部品（投入メダルセンサ３１）と遊技制御基板４０との間の電気的な接続状態を監視するとともに、ＣＰＵ４１ａが、起動時においてゲームの進行に応じて遊技制御基板４０に対して信号を入力または出力する電子部品（投入メダルセンサ３１）と遊技制御基板４０との間の断線を判定した場合に、ＲＡＭ４１ｃを初期化することで、遊技店による不正営業を防止するようになっているが、図６６に示すように、メイン制御部４１のバックアップ電源が、遊技制御基板４０から、遊技制御基板４０と操作部中継基板１１０を配線接続するケーブル６００ａ、操作部中継基板１１０、操作部中継基板１１０と投入メダルセンサ３１を配線接続するケーブル６０１ｇを経由し、更に、投入メダルセンサ３１で折り返して、ケーブル６０１ｇ、操作部中継基板１１０、ケーブル６００ａを経由して再度遊技制御基板４０に戻り、メイン制御部４１に供給されるように構成しても良く、このような構成とすることで、スロットマシン１に対する電力供給が遮断されている状態で、遊技制御基板４０と投入メダルセンサ３１の間のコネクタ同士の接続が１ヶ所でも解除されることで、バックアップ電源の供給ラインが切断され、メイン制御部４１のＲＡＭ４１ｃのデータを保持できず、消失することとなる。すなわち遊技制御基板４０と投入メダルセンサ３１との間のコネクタ同士の接続が１カ所でも解除されると、メイン制御部４１のＲＡＭ４１ｃに保持されているバックアップデータが消失する。一方、打ち込み器具などの不正器具を接続するには、コネクタの抜き差しが必要となるが、打ち込み器具を使用し、不正に特別役の当選を設定しても、正規のコネクタと交換するためにコネクタの接続を解除することでＲＡＭ４１ｃのデータが初期化されてしまうので、打ち込み器具を使用して特別役が当選した状態に設定したスロットマシンを、遊技店の営業開始時等において遊技客に提供するといった不正営業を防止することができる。
【０９５８】
尚、バックアップ電源が、遊技制御基板４０から投入メダルセンサ３１を経由して再度遊技制御基板４０に戻り、メイン制御部４１に対して供給されることで、この間のコネクタ接続が解除された場合にＲＡＭ４１ｃのデータが消失するようになっているが、ゲームの進行上必ず必要な信号の入出力がなされる電子部品（例えば、スタートスイッチ７や、本実施例のようにリールの回転開始後、リールの停止操作がなされるまでリールが停止する構成でないものにおけるストップスイッチ８Ｌ、８Ｃ、８Ｒなど）を経由するものであっても、上記と同様の効果が得られる。
【０９５９】
また、バックアップ電源を蓄積するコンデンサや電池などを、ゲームの進行上必ず必要な信号の入出力がなされる電子部品の取付基板やこれら電子部品の中継基板（操作部中継基板１１０など）に搭載し、これら取付基板や中継基板に搭載されたコンデンサや電池などからのバックアップ電源の供給ラインが、電子部品の信号線とともにケーブルを介して遊技制御基板に接続され、メイン制御部４１に対して供給されるようにしても良く、この場合でも、これら取付基板や中継基板と遊技制御基板４０との間のコネクタ接続が解除された場合にＲＡＭ４１ｃのデータが消失することとなるため、上記と同様の効果を得られるうえに、遊技制御基板４０には取付基板や中継基板に搭載されたコンデンサや電池などからケーブルを介してバックアップ電源が供給されることとなるため、ケーブルを抜いた際にメイン制御部４１に対してバックアップ電源を供給し続けるためには、基板間を跨いでバックアップ電源の供給ラインを短絡させる必要があり、バックアップ電源を供給し続けた状態でコネクタ接続を解除することが非常に困難となるため、打ち込み器具の接続を効果的に防止することができる。
【０９６０】
本実施例では、遊技制御基板４０を基板ケース２００に収容した状態でスロットマシンの本体に取り付けるとともに、基板ケース２００を構成する上部ケース２０３のを封止片２３１と下部ケース２０１の封止片２１１とを固着することにより、封止片２１１と固着された封止片２３１の接続片２３１ａを破壊しなければ、基板ケース２００を開放し、収容された遊技制御基板４０へのアクセスを不能とすることで遊技制御基板４０への不正を困難としている。しかしながら、このままでは、封止片が外部に露呈しているため、封止片を破壊して基板ケース２００を開放することが比較的容易であり、封止片を破壊して基板ケース２００に収容された遊技制御基板４０に不正がなされる可能性があり、これら不正に対する対策が依然として不十分であった。
【０９６１】
これに対して本実施例では、被覆部材２３６を封止片２１１と固着された封止片２３１に取り付けることにより、接続片２３１ａが被覆部材２３６の基片２３６ａ、垂下片２３６ｂ、２３６ｂによって被覆され、封止片２３１の接続片２３１ａに直接アクセスすることが不可能となり、被覆部材２３６を取り外さなければ、接続片２３１ａを切断することが不可能となり、接続片２３１ａを切断し、上部ケース２０３と下部ケース２０１とを開放して遊技制御基板４０を取り出すのに非常に困難な作業を要することとなるため、遊技制御基板４０を不正な基板に交換するといった不正行為を効果的に防止することができる。
【０９６２】
また、接続片２３１ａには、この接続片２３１ａと直行する補強片２３１ｃが形成されており、この補強片２３１ｃも併せて切断する必要があるため、接続片２３１ａの切断が困難となり、上部ケース２０３と下部ケース２０１とを開放して遊技制御基板４０を取り出すのにさらに困難な作業を要することとなるため、遊技制御基板４０を不正な基板に交換するといった不正行為を一層効果的に防止することができる。
【０９６３】
また、封止片２３１を切断して上部ケース２０３と下部ケース２０１とを開放する場合には、被覆部材２３６による接続片２３１ａの被覆状態を解除する必要があり、被覆部材２３６による接続片２３１ａの被覆状態が解除された場合には、嵌入部２３６ｃが封止片２３１の凹部２３１ｄに残った状態となり、その残骸を完全に取り除くことは困難となるため、被覆状態を解除した痕跡を残すことができるので、被覆部材２３６による被覆状態が解除され、上部ケース２０３と下部ケース２０１とを開放して遊技制御基板４０に不正がなされた可能性を早期に発見することができる。また、嵌入部２３６ｃが封止片２３１の凹部２３１ｄに残った状態となり、被覆部材２３６によって該当箇所を再度被覆することが不可能となるため、被覆部材２３６によって封止片２３１の接続部２３１ａの切断箇所が被覆されてしまい、不正がなされた可能性の発見を遅らせてしまうことを防止できる。
【０９６４】
また、本実施例では、基板ケース２００をスロットマシン本体から取り外すには、固着部材２５５と固着された封止片２３２の接続片２３２ａを切断する必要があるが、被覆部材２３６を固着部材２５５と固着された封止片２３２に取り付けることにより、接続片２３２ａが被覆部材２３６の基片２３６ａ、垂下片２３６ｂ、２３６ｂによって被覆され、封止片２３２の接続片２３２ａに直接アクセスすることが不可能となり、被覆部材２３６を取り外さなければ、接続片２３２ａを切断することが不可能となり、接続片２３２ａを切断し、基板ケース２００をスロットマシン本体から取り外すのに非常に困難な作業を要することとなるため、遊技制御基板４０を基板ケース２００ごと不正な基板に交換するといった不正行為を効果的に防止することができる。
【０９６５】
また、接続片２３２ａには、この接続片２３２ａと直行する補強片２３２ｃが形成されており、この補強片２３２ｃも併せて切断する必要があるため、接続片２３２ａの切断が困難となり、基板ケース２００をスロットマシン本体から取り外すのにさらに困難な作業を要することとなるため、遊技制御基板４０を基板ケース２００ごと不正な基板に交換するといった不正行為を一層効果的に防止することができる。
【０９６６】
また、封止片２３２を切断して基板ケース２００をスロットマシン本体から取り外す場合には、被覆部材２３６による接続片２３２ａの被覆状態を解除する必要があり、被覆部材２３６による接続片２３２ａの被覆状態が解除された場合には、嵌入部２３６ｃが封止片２３２の凹部２３２ｄに残った状態となり、その残骸を完全に取り除くことは困難となるため、被覆状態を解除した痕跡を残すことができるので、被覆部材２３６による被覆状態が解除され、基板ケース２００をスロットマシン本体から取り外して基板ケース２００ごと不正なものに交換された可能性を早期に発見することができる。また、嵌入部２３６ｃが封止片２３２の凹部２３２ｄに残った状態となり、被覆部材２３６によって該当箇所を再度被覆することが不可能となるため、被覆部材２３６によって封止片２３２の接続部２３２ａの切断箇所が被覆されてしまい、不正がなされた可能性の発見を遅らせてしまうことを防止できる。
【０９６７】
尚、本実施例では、封止片２１１と固着された封止片２３１にも固着部材２５５と固着された封止片２３２にも被覆部材２３６を装着して、封止片２３１の接続片２３１ａ、封止片２３２の接続片２３２ａの双方が被覆されるようになっており、上部ケース２０３と下部ケース２０１とを開放することが一層困難となることから好ましいが、本実施例では、固着部材２５５と封止片２３２とを固着することで、基板ケース２００をスロットマシン本体から取り外すことが不能化されるのと同時に、上部ケース２０３と下部ケース２０１との開放も不能化されるため、固着部材２５５と固着された封止片２３２にのみ被覆部材２３６を装着し、封止片２３２の接続片２３２ａのみを被覆した場合でも、上部ケース２０３と下部ケース２０１とを開放すること、及び基板ケース２００をスロットマシン本体から取り外すことを困難にでき、さらに使用する被覆部材２３６の数を削減できる。
【０９６８】
また、本実施例では、ＣＰＵ４１ａが演出制御基板９０に対して遊技の進行に応じたコマンドを送信し、演出制御基板９０に搭載されたサブ制御部９１は、遊技制御基板４０から送信されたコマンドに基づいて演出の制御を行うようになっており、ＣＰＵ４１ａは、コマンドを送信するのみで演出の制御を行う必要がないので、ＣＰＵ４１ａの処理負荷を軽減できるうえに、演出を多彩なものにできる。
【０９６９】
また、遊技制御基板４０から演出制御基板９０にコマンドが送信されるコマンド伝送ラインが、遊技制御基板４０と演出制御基板９０との間で演出中継基板８０を介して接続されており、遊技制御基板４０に演出制御基板９０が直接接続される構成ではないので、コマンド伝送ラインからＣＰＵ４１ａに対して外部から不正な信号が入力され、遊技の制御に影響を与えられてしまうことを防止できる。
【０９７０】
以上、本発明の実施例１を図面により説明してきたが、本発明はこの実施例１に限定されるものではなく、本発明の主旨を逸脱しない範囲における変更や追加があっても本発明に含まれることは言うまでもない。
【０９７１】
前記実施例１では、テーブル＋コントロール方式にて停止制御を行う場合に、停止制御テーブルから展開した滑りコマ数を仮想滑りコマテーブルに格納し、その滑りコマ数による停止位置の優先度と、滑りコマ数別に取得した停止位置の優先度とを比較し、滑りコマ数別に取得した停止位置の優先度の方が高い場合に、仮想滑りコマテーブルの滑りコマ数を更新するようになっているが、停止制御テーブルから展開した滑りコマ数による停止位置の優先度と、滑りコマ数別に取得した停止位置の優先度とを比較し、滑りコマ数別に取得した停止位置の優先度の方が高い場合に、その滑りコマ数を仮想滑りコマテーブルに格納し、それ以外の場合には、停止制御テーブルから展開した滑りコマ数を仮想滑りコマテーブルに格納するようにしても良い。
【０９７２】
前記実施例１では、停止位置の優先度を判定する際に、停止禁止位置か否かや入賞ライン上に揃う役の種類によって優先度を判定しているが、当選した役がどの入賞ラインに揃うかに応じて停止位置の優先度を判定するようにしても良く、例えば、停止制御テーブルでは、下段の入賞ラインＬ２に当選役が揃うように滑りコマ数を登録しておくとともに、当選役を揃えることが可能な場合には、右上がりの入賞ラインＬ４に当選役が揃う停止位置の優先度を高くすることで、当選役を揃えることが可能な場合には、下段の入賞ラインＬ２にも右上がりの入賞ラインＬ４にも当選役が揃い得るが、取りこぼした場合（すなわち滑りコマ数が優先度の判定によって更新されていない停止操作位置で停止操作がなされた場合）には、当選役を構成する図柄が入賞ラインＬ２上にのみ停止するようになり、当選役を構成する図柄の停止位置を制限することが可能となる。このため、特別役の当選時にのみ制限した停止位置を出現可能な停止制御テーブルを用いることにより、当選役の取りこぼしでは出現し得ないリーチ目を停止させることが可能となる。
【０９７３】
前記実施例１では、停止制御テーブルに登録された滑りコマ数を展開する処理や、滑りコマ数別の停止位置を取得する処理、停止位置の優先度を比較する処理などを、停止操作が有効となる前に行い、滑りコマ数を予め仮想滑りコマテーブルに格納しておくとともに、停止操作が検出された際には、仮想滑りコマテーブルを参照し、該当する停止操作位置の滑りコマ数を取得して停止制御を行うようになっているが、仮想滑りコマテーブルを設けず、停止操作が行われた時点で、上記の処理を行って停止操作のタイミングに対応する滑りコマ数を取得するようにしても良い。
【０９７４】
また、前記実施例１では、導出情報として滑りコマ数を適用しているが、少なくとも停止位置を特定できるものであれば良く、例えば、基準位置に停止する領域番号（図柄番号）などを導出情報として適用しても良い。
【０９７５】
また、前記実施例１では、内部抽選の結果に関わらず少なくとも第１停止については、テーブル方式またはテーブル＋コントロール方式のいずれかで停止制御を行うようになっているが、内部抽選の結果によっては全ての停止時期についてコントロール方式により停止制御を行うようにしても良い。
【０９７６】
また、前記実施例１では、内部抽選の結果に応じて、第１停止、第２停止及び第３停止の全ての停止時期についてテーブル方式またはテーブル＋コントロール方式による停止制御を行うか、第１停止のみテーブル方式またはテーブル＋コントロール方式による停止制御を行い、残りの第２停止及び第３停止についてはコントロール方式による停止制御を行うか、のいずれかであるが、いずれか２つの停止時期についてテーブル方式またはテーブル＋コントロール方式による停止制御を行い、残り１つの停止時期についてテーブル方式またはテーブル＋コントロール方式による停止制御を行うようにしても良い。
【０９７７】
前記実施例１では、メダルの増加が期待できるＲＴ（１）（２）を適用しているが、直接的にメダルの増加が期待できるものでなくても良く、直接的にメダルの増加は期待できないが、何らかの価値（例えば、メダルの増加が期待できる遊技状態（当選している役の種類が報知される報知遊技状態（いわゆるＡＴ））などの抽選機会やその抽選機会の高確率状態など）が付与されることによって間接的にメダルの増加が期待できるものであっても良い。
【０９７８】
前記実施例１では、ＲＴ（１）においても１ゲームあたりのメダルの払出率が１を超えるようになっているが、ＲＴ（１）においては１ゲームあたりのメダルの期待増加率を１以下、または１未満としても良く、このようにすることでＲＴ（２）の価値を相対的に高められるので、ＲＴ（１）に制御されることにより、ＲＴ（２）に移行することへの遊技者の期待感を一層高めることができる。
【０９７９】
前記実施例１では、ＲＴ（１）が開始した後、いずれかの特別役が当選したとき、リプレイ（２）が入賞し、ＲＴ（２）に移行するとき、いずれの特別役も当選せず、リプレイ（２）も入賞せずに規定ゲーム数に到達したときにＲＴ（１）を終了させるようになっているが、いずれかの特別役が当選したとき、リプレイ（２）が入賞し、ＲＴ（２）に移行するとき、転落役が入賞したとき、いずれの特別役も当選せず、リプレイ（２）、いずれの転落役も入賞せずに規定ゲーム数に到達したときにＲＴ（１）を終了させるようにしても良いし、ＲＴ（１）に規定ゲーム数を設けず、ＲＴ（１）が開始した後、いずれかの特別役が当選したとき、リプレイ（２）が入賞し、ＲＴ（２）に移行するときまたは転落役が入賞したときにＲＴ（１）を終了させるようにしても良い。
【０９８０】
前記実施例１では、ビッグボーナス（１）、（２）の終了後にＲＴ（１）に移行するようになっているが、その他の契機、例えば、ビッグボーナス（３）の終了後にＲＴ（１）に移行するようにしても良いし、ＲＴ（２）の移行役とは異なるＲＴ（１）の移行役の組み合わせが揃ったことを契機にＲＴ（１）に移行するようにしても良い。
【０９８１】
前記実施例１では、ＲＴ（２）が開始した後、規定ゲーム数に到達する前にいずれかの特別役が当選した場合には、ＲＴ（２）を終了させず、いずれかの特別役が入賞したとき、いずれかのチェリー、すなわち転落役が入賞したとき、または特別役も転落役も入賞せずに規定ゲーム数に到達したときにＲＴ（２）を終了させるようになっているが、ＲＴ（２）に規定ゲーム数を設けず、ＲＴ（２）が開始した後、いずれかの特別役が入賞したときまたは転落役が入賞したときにＲＴ（２）を終了させるようにしても良い。また、転落役を設けず、ＲＴ（２）が開始した後、いずれかの特別役が入賞したときまたはいずれの特別役も入賞せずに規定ゲーム数に到達したときにＲＴ（２）を終了させるようにしても良い。
【０９８２】
前記実施例１では、いずれかの特別役が当選している状態では、ＲＴ（２）中に転落役が入賞してもＲＴ（２）が終了しないようになっているが、いずれかの特別役が当選しているか否かに関わらずＲＴ（２）中に転落役が入賞した場合にはＲＴ（２）を終了させるようにしても良い。
【０９８３】
前記実施例１では、ＲＴ（２）においていずれの特別役も当選していない状態で特別役と転落役とが同時に当選した場合に、当選した転落役が入賞してもＲＴ（２）が終了しないようになっているが、ＲＴ（２）においていずれかの特別役が持ち越されている状態で転落役が入賞してもＲＴ（２）が終了しない構成とし、ＲＴ（２）においていずれの特別役も持ち越されていない状態で、特別役と転落役とが同時に当選し、当選した転落役が入賞することでＲＴ（２）が終了するようにしても良い。この場合には、ＲＴ（２）は終了することとなるが、転落役が入賞し、ＲＴ（２）が終了しても特別役が当選していることに対する遊技者の期待感を高めることができる。
【０９８４】
前記実施例１では、転落役として、３種類の役を適用しているが、１種類または２種類であっても良いし、４種類以上であっても良い。
【０９８５】
前記実施例１では、遊技者が操作し得る全ての操作手順に対して、必ずいずれかの種類の転落役の入賞手順が割り当てられているとともに、いずれかの種類の転落役の入賞を回避する操作手順には、必ず他の少なくとも１種類の転落役の入賞手順を含む構成とすることにより、全種類の転落役に共通の回避手順が存在しないようになっているが、異なる種類の転落役の入賞手順の一部または全部が共通する構成であっても良い。
【０９８６】
さらに、遊技者が操作し得る全ての操作手順に対して、全ての転落役について入賞を回避する操作手順を設けるようにしても良く、このようにした場合には、遊技者の技術介入によって確実に規定ゲーム数までＲＴ（２）を継続させることができる。また、この場合には、特別役及び転落役の双方を回避可能な操作手順を設けることが好ましく、このようにすることで、共通の操作手順で特別役及び転落役の双方を回避できる。
【０９８７】
前記実施例１では、ＲＴ（２）において転落役が入賞した時点で次のゲームから通常遊技状態に移行するようになっているが、例えば、ＲＴ（２）の規定ゲーム数よりも短いゲーム数（例えば１ゲーム）で終了する特殊ＲＴの移行役を適用し、転落役が入賞した場合には、特殊ＲＴを経て通常遊技状態に移行するようにしても良い。
【０９８８】
前記実施例１では、全種類の転落役の当選確率が同一確率であるが、転落役の種類に応じて異なる当選確率としても良く、このようにすることで、通常遊技状態においては最も当選確率の高い種類の転落役の入賞手順で停止操作を行うことで、通常遊技状態でのメダルの払出率を上げることができ、ＲＴ（２）中においては当選確率の高い種類の転落役の回避手順にて停止操作を行うことで、ＲＴ（２）の終了を回避する確率を高めることができる。すなわち遊技者が技術介入を行うか否かによって遊技者にとっての有利度に差が生まれるため、興趣を高めることができる。
【０９８９】
前記実施例１では、転落役を構成する図柄を、引込範囲を超えて配置することにより、引込範囲外のタイミングでリールの停止操作を行うことにより転落役の入賞を回避できるようになっているが、例えば、複数の転落役に対して入賞を回避するための異なるリールの停止順を定めておき、いずれかの転落役が当選した際に、その転落役の種類に対応して定められた入賞を回避するためのリールの停止順で停止操作がなされた場合に、転落役を取りこぼすように制御し、該入賞を回避するためのリールの停止順とは異なる順番で停止操作がなされた場合に、転落役を入賞させるようにしても良く、このようにすることで比較的簡単な技術介入で転落役を入賞させないようにすることができる。尚、この場合には、転落役と同時に他の小役が当選するようにし、転落役を取りこぼした場合に同時に当選している他の小役が入賞することが好ましく、このようにすることで転落役を取りこぼした場合でも小役が入賞し、メダルを獲得することができる。
【０９９０】
前記実施例１では、転落役報知抽選に当選した場合に、その後のＲＴ（２）で転落役が当選した際にその転落役の種類を識別可能な転落役種類報知が実行される転落役報知回数を、複数の異なる回数から選択する報知回数抽選が実行されるようになっており、報知回数抽選で当選した転落役報知回数によって、その後移行するＲＴ（２）で転落役が当選した際に転落役種類報知が実行される回数が変化することで、ＲＴ（２）の継続ゲーム数を変動させるようにしているが、例えば、転落役種類報知が実行される確率を複数の異なる確率から選択し、選択した確率に基づいて転落役種類報知を実行することによってＲＴ（２）の継続が期待できるゲーム数を変化させるようにしても良く、このようにした場合にもＲＴ（２）に伴う興趣を一層高めることができる。
【０９９１】
前記実施例１では、ＲＴ（２）においていずれかの特別役が当選しており、かつ特別役の当選が報知されている状態において、赤チェリー、青チェリー、白チェリーのいずれかが当選した際に、転落役種類報知が実行され、これらの当選役を入賞させることができるようになっているが、ＲＴ（２）においていずれかの特別役が当選しており、かつ特別役の当選が報知されている状態において、いずれかのチェリーが入賞したときに、転落役当選報知のみを行い、その後いずれかのチェリーが入賞したときから転落役種類報知を実行するようにしても良く、このようにすることで、特別役の告知以後、必ずチェリーの当転落役種類報知が実行される訳ではなく、遊技者が選択した種類のチェリーと実際に当選したチェリーの種類が一致して初めて転落役種類報知が実行されることとなり、転落役種類報知の開始契機、すなわちより有利な状態に移行する契機に変化を持たせることができる。
【０９９２】
前記実施例１では、ＲＴ（２）中にいずれかの特別役に当選している旨を報知する場合には、表示画面の背景を選択する背景選択抽選を行い、表示画面の背景を背景選択抽選で選択された背景に変更するようになっているが、少なくとも演出態様を変更するものであれば同様の効果を得られるものであり、例えば、ＢＧＭや演出効果音、ＬＥＤ、ランプなどの点灯態様を変更するものであっても良い。
【０９９３】
前記実施例１では、当選した特別役の種類に応じた確率で演出態様を変更するようになっているが、当選した特別役の種類に応じた確率で、演出態様を変更するタイミング（ゲーム開始時、第１停止時、第２停止時、第３停止時、役の入賞時など）を選択するようにしても良く、このようにした場合でも、演出態様の変化するタイミングに応じて当選した特別役の種類を示唆することが可能となるので、興趣を一層効果的に高めることができる。
【０９９４】
前記実施例１では、設定キースイッチ３７のみがＯＮの状態で起動し、設定変更モードへ移行させる場合において、ＲＡＭ４１ｃが初期化されるが、この際、停止相ワークを初期化しないことにより、設定変更後の遊技状態においても停止相ワークに格納されたリールモータ３２Ｌ、３２Ｃ、３２Ｒの停止相を示すデータを維持することで、設定変更後、最初にリールモータ３２Ｌ、３２Ｃ、３２Ｒを回転させる場合にも、これらの停止相を特定することが可能となり、このような状況であってもリールを滑らかに回転開始させることが可能としていた。
【０９９５】
一方、遊技店の開店前に従業員等が手動でリールを回転させることにより、例えば特別役を構成する図柄の組み合わせをリールに停止させておくことで、遊技店の開店時において、スロットマシンを見栄えよく見せるサービスを行う場合があるが、従業員のリールの手動操作により変更されたロータ３２ａの角度位置が停止時の角度位置とずれ、手動操作により変更されたロータ３２ａの角度位置と停止相ワークに設定されているデータが示す停止相との対応がとれなくなった場合には、遊技店の開店後、最初のゲームにおいてリールの回転を滑らかに回転させることできず、リールが振動してしまい、遊技店の開店後、最初のゲームにおいてリールの回転を滑らかに回転させることできず、リールの回転態様が見苦しくなってしまう問題がある。
【０９９６】
上記の問題を解決するために、次の変形例が考えられる。この変形例では、ＣＰＵ４１ａの起動時に、電断前の状態に復帰する場合には、特定の初期励磁相を停止相ワークに設定し、停止相ワークに設定したデータが示す励磁相をゲームが開始可能となる前に励磁するようになっている。
【０９９７】
具体的には、図６７に示すように、ＣＰＵ４１ａの起動時に、電断前の状態に復帰させる場合には、それまで停止相ワークに記憶されていた停止相を示すデータをクリア（０に更新）し、停止相ワークには、初期励磁相であるφ１を示す０が設定されることとなる。そして、初期励磁相φ１を示すデータが停止相ワークに設定された後、ゲームが開始可能となる前に、停止相ワークに設定されているデータが示す励磁相、すなわち初期励磁相φ１を励磁する。
【０９９８】
これにより、ロータ３２ａの永久磁石が初期励磁相であるφ１に吸引され、ロータ３２ａの角度位置と停止相ワークに設定したデータが示す励磁相とを一致させることが可能となり、その後、最初のゲームにおいてリールモータを始動させる時に、ロータ３２ａの角度位置が停止相ワークに設定されているデータが示す励磁相と一致した状態で励磁を開始させるので、ロータ３２ａと一体的に結合されているリールを滑らかに始動させることができる。
【０９９９】
また、設定値の変更に伴ってＲＡＭ４１ｃのデータがクリアされる場合にも、特定の初期励磁相を停止相ワークに設定し、停止相ワークに設定したデータが示す励磁相を、設定変更後、ゲームが開始可能となる前に励磁するようになっている。
【１０００】
具体的には、設定値の変更に伴ってＲＡＭ４１ｃのデータがクリアされることにより、停止相ワークには、初期励磁相であるφ１を示す０が設定されることとなる。そして、初期励磁相φ１を示すデータが停止相ワークに設定された後、ゲームが開始可能となる前に、停止相ワークに設定されているデータが示す励磁相、すなわち初期励磁相φ１を励磁する。
【１００１】
これにより、設定値の変更に伴ってＲＡＭ４１ｃのデータがクリアされた場合にも、ゲームが開始可能となる前にロータ３２ａの永久磁石が初期励磁相であるφ１に吸引され、ロータ３２ａの角度位置と停止相ワークに設定したデータが示す励磁相とを一致させることが可能となり、その後、最初のゲームにおいてリールモータを始動させる時に、ロータ３２ａの角度位置が停止相ワークに設定されているデータが示す励磁相と一致した状態で励磁を開始させるので、ロータ３２ａと一体的に結合されているリールを滑らかに始動させることができる。よって、設定変更後、最初にリールを回転させる際にリールが振動してしまうことがなく、遊技者から設定変更されたことが見抜かれてしまうことを防止できる。
【１００２】
また、初期励磁相の励磁状態は、ロータ３２ａの停止後に維持されている停止相の励磁状態と同様に、ゲームの開始操作が行われることなく所定時間（本実施例では３０秒であり、待機状態（デモ演出）へ移行するのと同じタイミング）が経過した場合に解除される。このため、例えば、励磁相が長時間継続して励磁されることによる発熱に伴って、ステッピングモータを構成する部品等に負担がかかることがないので、これら部品の劣化を防止することができる。また、次ゲームの開始操作が行われない状態が所定時間継続して待機状態（デモ演出）へ移行するタイミングで励磁状態が解除されるので、遊技客が遊技している間は、リールに配置された図柄がずれにくい状態を保つことができる一方、遊技客が遊技している可能性の低い状態では、ステッピングモータの構成部品にかかる負荷を軽減できるようになる。
【１００３】
また、この変形例では、ＲＡＭ４１ｃの停止相ワークをクリアすることで停止相ワークに初期励磁相を示すデータが設定されるようになっているが、停止相ワークに設定されているデータを初期励磁相を示すデータに更新することで、停止相ワークに初期励磁相を示すデータを設定するようにしても良い。
【１００４】
前記実施例１では、ゲーム終了後から一定時間（３０秒）が経過する前であっても、クレジットの精算操作がなされたとき、ゲーム終了後から一定時間（３０秒）が経過する前に賭数が設定され、かつゲーム終了後から一定時間が経過する前であっても、賭数の精算操作がなされ、待機コマンドが送信されたときには、一定時間の経過を待たず、ＲＡＭ９１ｃに設定されている音量レベルにて出力されている遊技効果音の音量レベルをＲＡＭ９１ｃに設定されている音量レベルに関わらず最小の音量レベル（消音）とする制御が行われるようになっているが、例えば、後述のように遊技球を用いて遊技を行う場合においては、内部に遊技球を取り込むための取込装置に対して供給される遊技球が待機する上皿から、取込装置などから返却された遊技球などが排出される下皿に対して遊技球を返却させる操作、取込装置の内部に残っている遊技球を下皿に返却させる操作などがなされた場合に、ゲーム終了後から一定時間（３０秒）が経過する前であっても、一定時間の経過を待たず、ＲＡＭ９１ｃに設定されている音量レベルにて出力されている遊技効果音の音量レベルをＲＡＭ９１ｃに設定されている音量レベルに関わらず最小の音量レベル（消音）とする制御を行うようにしても良く、このような構成とした場合にも、前回のゲームが終了してから一定時間（３０秒）が経過する前であっても、遊技者の意思により連続遊技効果音の音量を下げることができるため、遊技を中断しても周囲の遊技者に迷惑をかけることがない。
【１００５】
前記実施例１では、コネクタ規制部材５００ａ、５００ｂを基板ケース２００に取り付けることによるコネクタの抜脱を規制する方法を、遊技制御基板４０と操作部中継基板１１０とを接続するケーブル６００ａ及び遊技制御基板４０と演出中継基板８０とを接続するケーブル６００ｄと、遊技制御基板４０とのコネクタ接続に適用しているが、その他のコネクタ接続に適用しても良い。
【１００６】
前記実施例１では、コネクタ同士の接続の解除を規制する方法について説明しているが、例えば、投入メダルセンサ３１やスタートスイッチ７などのゲームの進行上必要な信号の入出力を行う電子部品と、これら電子部品とケーブルとの接続箇所に対して、外部からアクセス不能に被覆する被覆部材を取り付けることが好ましく、このようにすることで、ゲームの進行上必要な信号の入出力を行う電子部品とケーブルとの接続箇所に対して打ち込み器具などの不正器具が取り付けられてしまうことを防止できる。また、これら電子部品とケーブルとの接続箇所を被覆する被覆部材を取り外した際に、その痕跡が残る構造（被覆部材の一部を破壊しなければ取り外せない構造など）とすることが好ましく、このようにすることで、不正器具が取り付けられた痕跡を残すことが可能となり、事後に不正行為があった可能性を把握できる。
【１００７】
前記実施例１では、コネクタ規制部材５００ａ、５００ｂを基板ケース２００と別体に構成し、基板ケース２００を取付ベース２５０から取り外すことで、基板ケース２００からコネクタ規制部材５００ａ、５００ｂを取り外し、コネクタの抜脱の規制を解除できるようになっているが、例えば、コネクタ規制部材５００ａ、５００ｂを一度基板ケース２００に取り付けた場合には、基板ケース２００またはコネクタ規制部材５００ａ、５００ｂの一部を破壊しなければ、コネクタ規制部材５００ａ、５００ｂを基板ケース２００から取り外してコネクタの抜脱の規制を解除できないようにしても良い。
【１００８】
前記実施例１では、コネクタ規制部材５００ａ、５００ｂを取付側部材５１０とコネクタカバー５２０とから構成し、取付側部材５１０を基板ケース２００に対して取り付けた後、基板側コネクタにケーブル側コネクタを接続した状態で、コネクタカバー５２０を取付側部材５１０に装着することで、コネクタの抜脱が規制されるようになっているが、基板側コネクタにケーブル側コネクタを接続した状態で、最初から一体化されたコネクタ規制部材５００ａ、５００ｂを基板ケース２００に取り付けることでコネクタの抜脱が規制されるようにしても良い。
【１００９】
前記実施例１では、基板ケースに収容された基板の基板側コネクタとケーブル側コネクタの接続の解除を規制する方法として、コネクタ規制部材５００ａ、５００ｂを用いた例を説明したが、他の方法であっても良い。
【１０１０】
前記実施例では、基板ケース２００を構成する下部ケース２０１及び上部ケース２０３の封止や、基板ケース２００の取付ベース２５０に対する固着をワンウェイネジを用いて行っているが、一度取り付けると取り外し不可となる係止ピンを用いるなど、他の部材を用いて行っても良い。
【１０１１】
前記実施例１では、上部ケース２０３の封止片２３１と下部ケース２０１の封止片２１１とを固着することで上部ケース２０３と下部ケース２０１との開放を不能化し、上部ケース２０３の封止片２３２と固着部材２５５とを固着することで基板ケース２００のスロットマシン本体からの取り外しを不能化するようになっている。すなわち上部ケース２０３と下部ケース２０１との開放を不能化するための封止手段と、基板ケース２００のスロットマシン本体からの取り外しを不能化するための封止手段と、を別個に有しているが、例えば、封止片２３２のみを有し、封止片２３２と固着部材２５５とを固着することで上部ケース２０３と下部ケース２０１との開放が不能化され、かつ基板ケース２００のスロットマシン本体からの取り外しが不能化される構成、すなわち共通の封止手段で上部ケース２０３と下部ケース２０１との開放が不能化され、かつ基板ケース２００のスロットマシン本体からの取り外しが不能化されるようにしても良い。
【１０１２】
前記実施例１では、封止片２３１の接続片２３１ａ、封止片２３２の接続片２３２ａをそれぞれ別個に被覆する被覆部材２３６を適用しているが、少なくとも被覆部材は、封止片２３１の接続片２３１ａ、封止片２３２の接続片２３２ａ、すなわち切断することで上部ケース２０３と下部ケース２０１との開放、または基板ケース２００のスロットマシン本体からの取り外しが可能となる部分、すなわちこれらの規制を解除するために破壊される部分が被覆されるものであれば良く、例えば、被覆部材によって封止片２３２の接続片２３１ａ、封止片２３２の接続片２３２ａをともに被覆するものであっても良いし、被覆部材によって接続片２３１ａを含む封止片２３１、接続片２３２ａを含む封止片２３２の全体を被覆するものであっても良いし、さらには、被覆部材によってこれら封止片を含む基板ケース２００全体を被覆するものであっても良い。
【１０１３】
ここで図６４及び図６５（ａ）（ｂ）を用いて被覆部材の変形例について説明する。図６４は、被覆部材の変形例を示す斜視図であり、図６５（ａ）は、図６４の要部拡大図であり、図６５（ｂ）は、図６５（ａ）のＩ−Ｉ断面図である。
【１０１４】
この変形例では、図６４に示すように、被覆部材２３８によって、封止片２３１、封止片２３２を全体的に被覆するようになっている。
【１０１５】
図６４に示すように、上部ケース２０３の段部２０３ａの両端部には、係止孔２０３ｇ、２０３ｇが形成されている。また、取付ベース２５０ｄ、２５０ｄには、それぞれ外方に突出するように固着部２５８、２５８がそれぞれ形成されている。固着部２５８には、それぞれ２つずつ固着孔２５８ａが成形されている。
【１０１６】
被覆部材は、基板ケース２００の短辺よりも若干短い長さの基片２３８ａの一端辺に短片２３８ｂが、他端辺に長片２３８ｃがそれぞれ延設されている。短片２３８ｂの両側端には、基板ケース２００及び取付ベース２５０への装着時において上部ケース２０３の係止孔２０３ｇ、２０３ｇと対応する位置となるように係止爪２３８ｅ、２３８ｅが形成されている。また、長片２３８ｃの両側端には、装着時に固着部２５８、２５８に嵌る切り欠き２３８ｄ、２３８ｄがそれぞれ形成されているとともに、固着部２５８、２５８に設けられた固着孔２５８ａとそれぞれ対応する箇所に外方に突出して封止片２３９がそれぞれ設けられている。
【１０１７】
図６４及び図６５（ａ）（ｂ）に示すように、封止片２３９は、肉薄の接続片２３９ａと、この接続片２３９ａを介して被覆部材２３８の長片２３８ｃと繋がる封止部２３９ｂとから構成されている。
【１０１８】
封止部２３９ｂの上面側には、凹部２３９ｄが形成されており、その凹部２３９ｄにおける図中左右方向の対向する内面に、凹部２３９ｄの開口に向かって広がるガイド溝２３９ｅ、２３９ｅが成形されており、さらにガイド溝２３９ｅ、２３９ｅの奥には、係止穴２３９ｆ、２３９ｆがそれぞれ成形されている。また、凹部２３９ｄの底部には、固着孔２３９ｇが形成されている。
【１０１９】
次に、被覆部材２３８の装着状況について説明する。
【１０２０】
まず、図６４に示すように、被覆部材２３８の長片２３８ｂに形成された切り欠き２３８ｄ、２３８ｄをそれぞれ取付ベース２５０の固着部２５８、２５８に嵌め込み、短片２３８ｂに形成された係止爪２３８ｅ、２３８ｅをそれぞれ上部ケース２０３の係止孔２０３ｇ、２０３ｇに係合させる。この状態では、被覆部材２３８が図６５（ｂ）中前後方向に移動可能な状態であり、係止爪２３８ｅ、２３８ｅと係止孔２０３ｇ、２０３ｇとの係合を解除することが可能である。
【１０２１】
次いで、封止部２３９ｂの凹部２３９ｄ側から固着孔２３９ｇを介して固着部２５８の固着孔２５８ａにワンウェイネジ２３７を螺嵌することにより、被覆部材２３８の封止片２３９と固着部２５８とが固着され、被覆部材２３８が取付ベース２５０に対して取り外し不能に取り付けられる。この状態では、被覆部材２３８が図６５（ｂ）中前後方向への移動が規制され、係止爪２３８ｅ、２３８ｅと係止孔２０３ｇ、２０３ｇとの係合も解除不能となり、基板ケース２００及び取付ベース２５０から取り外し不能となり、図６５（ｂ）に示すように、封止片２３１、封止片２３２がともに被覆部材２３８の基片２３８ａ、短片２３８ｂ、長片２３８ｃに被覆され、封止片２３１の接続片２３１ａ、封止片２３２の接続片２３２ａに直接アクセスすることが不可能となり、被覆部材２３８を取り外さなければ、接続片２３１ａ、接続片２３２ａを切断することが不可能となる。
【１０２２】
また、凹部２３９ｄ内に熱溶着樹脂Ｂなどを注入することでワンウェイネジ２３７の抜き取りを確実に防止することができる。さらに、図６４及び図６５（ａ）（ｂ）に示すように、固着部２５８と固着された封止片２３９に実施例１で使用した被覆部材２３６を装着することで、被覆部材２３８の基片２３６ａ、垂下片２３６ｂによって接続片２３９ａが被覆され、封止片２３９の接続片２３９ａに直接アクセスすることが不可能となり、被覆部材２３６を取り外さなければ、接続片２３９ａを切断することが不可能となり、被覆部材２３８による被覆状態を解除するのに困難な作業を要することとなる。
【１０２３】
封止片２３１を切断して上部ケース２０３と下部ケース２０１とを開放する場合、または封止片２３２を切断して基板ケース２００を取付ベース２５０から取り外す場合には、被覆部材２３８による封止片２３１、封止片２３２の被覆状態を解除する必要がある。被覆部材２３８による封止片２３１、封止片２３２の被覆状態を解除するには、封止片２３９の接続片２３９ａをニッパーなどで切断する。これにより封止片２３９の封止部２３９ｂが被覆部材２３８と分離して、被覆部材２３８の係止爪２３８ｅ、２３８ｅと係止孔２０３ｇ、２０３ｇとの係合を解除することが可能となり、係止爪２３８ｅ、２３８ｅと係止孔２０３ｇ、２０３ｇとの係合を解除して被覆部材２３８を基板ケース２００及び取付ベース２５０から取り外すことが可能となる。
【１０２４】
また、被覆部材２３８が基板ケース２００及び取付ベース２５０から取り外された場合には、固着部２５８と固着された封止片２３９の封止部２３９ｂが固着部２５８に残った状態となり、その残骸を完全に取り除くことは困難となるため、被覆状態を解除した痕跡を残すことができる。
【１０２５】
このように被覆部材２３８を用いた変形例においては、１つの被覆部材２３８にて封止片２１１と固着された封止片２３１、固着部材２５５と固着された封止片２３２の双方が被覆され、封止片２３１の接続片２３１ａ、封止片２３２の接続片２３２ａに直接アクセスすることが不可能となり、少ない部材にて遊技制御基板４０を不正な基板に交換するといった不正行為、遊技制御基板４０を基板ケース２００ごと不正な基板に交換するといった不正行為を効果的に防止することができる。
【１０２６】
また、被覆部材２３８は、一度被覆状態を解除しても、その痕跡を残した状態で複数回にわたり使用することができるので、被覆状態を解除するたびに新たに被覆部材を用意する必要がなくなる。
【１０２７】
また、被覆部材２３８の封止片２３９を取付ベース２５８に固着した後、固着した封止片２３９に被覆部材２３６を装着することで、被覆部材２３８の取り外しが困難となり、基板ケース２００をスロットマシン本体から取り外すこと、及び上部ケース２０３と下部ケース２０１との開放も困難となるため、遊技制御基板４０を不正な基板に交換するといった不正行為、遊技制御基板４０を基板ケース２００ごと不正な基板に交換するといった不正行為を一層効果的に防止することができる。
【１０２８】
前記実施例では、遊技機としてスロットマシンを適用しているが、本発明はこれに限定されるものではなく、遊技球を用いて遊技を行うパチンコ機などの遊技機に適用しても良い。
【実施例２】
【１０２９】
本発明が適用されたスロットマシンの実施例２について説明する。尚、本実施例のスロットマシンの構成は、前述した実施例１と同一の構成を含むため、ここでは異なる点について主に説明する。
【１０３０】
前述した実施例１では、遊技状態が通常遊技状態、ＲＴ（１）〜（４）、レギュラーボーナスであったのに対して本実施例では、遊技状態が初期遊技状態、ＲＴ（５）〜（７）、レギュラーボーナスからなる。
【１０３１】
初期遊技状態は、レギュラーボーナス、ＲＴ（５）〜（７）以外の遊技状態であり、いずれかのビッグボーナスの終了後、設定変更後、ＲＴ（５）の終了後、ＲＴ（６）の終了後、ＲＴ（７）の終了後に移行する。レギュラーボーナスは前述した実施例１と同じである。
【１０３２】
本実施例では、初期遊技状態（いずれかの特別役が当選している状態を除く）においてリプレイ（１）またはベルが入賞したときに、特別役（特別役が持ち越されていない場合のみ）及び小役の抽選確率は初期遊技状態と同一であるが、リプレイ（２）の抽選確率が初期遊技状態よりも高確率となり、かつ１ゲームあたりのメダルの払出率が１未満となるリプレイタイム（５）（ＲＴ（５））に制御する。遊技状態がＲＴ（５）にある間は、ＲＴ（５）中フラグがＲＡＭ４１ｃに設定される。そして、ＲＴ（５）は、いずれの特別役も当選せずに規定ゲーム数（本実施例では、リプレイ（１）入賞によって移行したＲＴ（５）であれば２００ゲーム、ベル入賞によって移行したＲＴ（５）であれば１００ゲーム）に到達するか、規定ゲーム数に到達する前にいずれかの特別役に当選することで終了するようになっている。
【１０３３】
また、初期遊技状態（いずれかの特別役が当選している状態を除く）において赤チェリー、青チェリー、白チェリーのいずれかが入賞したときに、特別役（特別役が持ち越されていない場合のみ）及び小役の抽選確率は初期遊技状態と同一であるが、リプレイ（１）の抽選確率が初期遊技状態よりも高確率となり、かつ１ゲームあたりのメダルの払出率が１を超えるリプレイタイム（６）（ＲＴ（６））に制御する。遊技状態がＲＴ（６）にある間は、ＲＴ（６）中フラグがＲＡＭ４１ｃに設定される。そして、ＲＴ（６）は、いずれの特別役も入賞せずに規定ゲーム数（本実施例では１００ゲーム）に到達するか、規定ゲーム数に到達する前にいずれかの特別役に入賞することで終了するようになっている。
【１０３４】
尚、ＲＴ（６）は、初期遊技状態からのみ移行させることが可能であり、ＲＴ（５）中において赤チェリー、青チェリー、白チェリーのいずれかが入賞してもＲＴ（６）に移行することはなく、一度ＲＴ（５）に制御されると、ＲＴ（５）が終了し、その後初期遊技状態において赤チェリー、青チェリー、白チェリーのいずれかが入賞するまでは、ＲＴ（６）に移行することがない。
【１０３５】
また、初期遊技状態（いずれかの特別役が当選している状態を除く）、ＲＴ（５）、ＲＴ（６）（いずれかの特別役が当選している状態を除く）においてリプレイ（２）が入賞したときに、特別役（特別役が持ち越されていない場合のみ）及び小役の抽選確率は初期遊技状態と同一であるが、リプレイ（１）の抽選確率が初期遊技状態よりも高確率となり、かつ１ゲームあたりのメダルの払出率が１を超えるリプレイタイム（７）（ＲＴ（７））に制御する。遊技状態がＲＴ（７）にある間は、ＲＴ（７）中フラグがＲＡＭ４１ｃに設定される。そして、ＲＴ（７）は、いずれかの特別役が当選するまで継続し、いずれかの特別役に当選することで終了するようになっている。
【１０３６】
本実施例において初期遊技状態、ＲＴ（５）においては、メダルの払出率は１未満であるため、メダルは減少することとなり、ＲＴ（６）、ＲＴ（７）においては、メダルの払出率は１を超えるため、メダルは増加することとなる。また、これら各遊技状態におけるメダルの払出率の大小関係は、ＲＴ（６）＞ＲＴ（７）＞ＲＴ（５）＞初期遊技状態となっている。
【１０３７】
このように本実施例では、初期遊技状態（いずれかの特別役が当選している状態を除く）、すなわちビッグボーナス終了後、設定変更後、ＲＴ（５）の終了後またはＲＴ（６）の終了後の遊技状態においては、メダルの増加が期待できないＲＴ（５）、メダルの増加が期待できるＲＴ（６）の双方に移行する可能性がある。このため、初期遊技状態からＲＴ（６）へ一度移行すると、ＲＴ（６）が終了しても再びＲＴ（６）へ移行する機会が提供されることとなり、ＲＴ（６）に周期的に制御することが可能となる。一方、初期遊技状態からＲＴ（５）へ移行すると、当該ＲＴ（５）が終了するまでＲＴ（６）へ移行することがないが、ＲＴ（５）が終了すると再び初期遊技状態となるため、このような場合でも周期的にＲＴ（６）へ移行する機会が訪れることとなる。すなわち初期遊技状態は、メダルの増加が期待できるＲＴ（６）へ移行する可能性のあるチャンスゾーンとして機能し、このようなチャンスゾーンがＲＴ（５）へ移行した場合でもＲＴ（６）へ移行した場合でも周期的に訪れることとなる。
【１０３８】
また、初期遊技状態において赤チェリー、青チェリー、白チェリーのいずれかが入賞するとメダルの増加が期待できるＲＴ（６）へ移行することとなるが、本実施例の赤チェリー、青チェリー、白チェリーを構成する左リールの「赤チェリー」図柄、「青チェリー」図柄及び「白チェリー」図柄を同時に狙って停止操作を行うことができないので、初期遊技状態において赤チェリー、青チェリー、白チェリーのいずれかが当選した場合に、その種類が分からなければ確実に当選したチェリーを入賞させることは不可能であり、１／３の確率で当選したチェリーを入賞させてＲＴ（６）へ移行させることはできるが、２／３の確率で当選したチェリーを取りこぼすので、この場合にはＲＴ（６）へ移行させることができない。
【１０３９】
以上説明したように、本実施例のスロットマシンでは、以下のような作用・効果を有する。
【１０４０】
本実施例のスロットマシン１では、メダルの増加が期待できるＲＴ（６）が開始した後、規定ゲーム数に到達する前にいずれかの特別役が当選した場合には、ＲＴ（６）を終了させず、いずれかの特別役が入賞したとき、またはいずれの特別役も入賞せずに規定ゲーム数に到達したときにＲＴ（６）を終了させるようになっており、ＲＴ（６）の開始後、規定ゲーム数に到達する前にいずれかの特別役が当選しても、その当選した特別役が入賞しなければ、特別役の当選をもってＲＴ（６）が終了することがなく、当選した特別役を入賞させなければ、規定ゲーム数に到達するまでＲＴ（６）に継続して制御することが可能となるため、ＲＴ（６）において特別役が当選してもその当選した特別役を入賞させなければ、規定ゲーム数に到達するまでＲＴ（６）を消化することが可能となり、遊技者に対して損失感を与えてしまうことがない。
【１０４１】
また、特別役の当選フラグは、該特別役が入賞するまで次ゲーム以降に持ち越されるため、ＲＴ（６）が規定ゲーム数に到達することによって終了した後に、その間に当選した特別役を入賞させることが可能となるので、ＲＴ（６）の終了時に特別役の当選に対する遊技者の期待感を高めることができる。
【１０４２】
また、初期遊技状態においては、赤チェリー、青チェリー、白チェリーのいずれかが入賞することでメダルの増加が期待できる遊技者にとって有利なＲＴ（６）へ移行する可能性がある一方、リプレイ（１）、ベルのいずれかが入賞することでメダルの増加が期待できないうえに、ＲＴ（６）へ移行することのない遊技者にとって不利なＲＴ（５）へ移行する可能性がある。そして、初期遊技状態においてリプレイ（１）、ベルが入賞すると遊技者にとって不利なＲＴ（５）へ移行するが、ＲＴ（５）が終了することで再度初期遊技状態に移行することとなる。このため、初期遊技状態においてＲＴ（６）へ移行することなくＲＴ（５）へ移行した場合でも、その後再び初期遊技状態に移行するので、周期的にＲＴ（６）へ移行する可能性のある初期遊技状態が訪れることとなり、ＲＴ（６）への遊技者の期待感を持続させることができる。
【１０４３】
また、初期遊技状態において、赤チェリー、青チェリー、白チェリーのいずれかが当選した際に、当選したチェリーの入賞条件と一致する操作手順、すなわち赤チェリー、青チェリー、白チェリーの組み合わせの引込範囲内のタイミングにて遊技者が停止操作を行うこと、すなわち遊技者の技術介入によってＲＴ（６）に移行させることができるので、初期遊技状態での興趣を高めることができる。この際、チェリーの種類によって入賞条件となる操作手順が変化するうえに、全ての種類のチェリーに共通の入賞手順が存在しないため、遊技者がどの種類のチェリーが当選したのかを推察し、それが当たるか否かによってＲＴ（６）に移行するか否かが決定されることとなり、初期遊技状態での興趣を一層高めることができる。
【１０４４】
また、初期遊技状態においてリプレイ（１）またはベルが入賞し、メダルの増加が期待できないＲＴ（５）へ移行した場合でも、ＲＴ（５）においては、メダルの増加が期待でき、かついずれかの特別役が当選するまで継続するＲＴ（７）へ移行することとなるリプレイ（２）の当選確率が、初期遊技状態やＲＴ（６）よりも高まるため、メダルの増加が期待できないＲＴ（５）へ移行した場合でも、ＲＴ（７）へ移行することに対する遊技者の期待感を高めることができる。
【１０４５】
以上、本発明の実施例２を説明してきたが、本発明はこの実施例２に限定されるものではなく、本発明の主旨を逸脱しない範囲における変更や追加があっても本発明に含まれることは言うまでもない。また、実施例１と同一もしくは類似する構成については、実施例１で説明したものと同様の効果を有するものである。また、実施例１について例示した変形例についても実施例２に適用可能である。
【１０４６】
前記実施例２では、ＲＴ（５）においてリプレイ（２）の抽選確率が高まるようになっているが、少なくともリプレイ（１）とリプレイ（２）の合成確率が高まるものであれば良く、リプレイ（１）の抽選確率が高まるようにしたり、リプレイ（１）、リプレイ（２）の双方の抽選確率が高まるようにしても良い。さらには、一方の種類のリプレイは抽選確率が下がるが、他方の種類のリプレイの抽選確率が高まることによって、結果的にリプレイ（１）とリプレイ（２）の合成確率が高まるものであっても良い。
【１０４７】
前記実施例２では、ＲＴ（６）においてリプレイ（１）の抽選確率が高まるようになっているが、少なくともリプレイ（１）とリプレイ（２）の合成確率が高まるものであれば良く、リプレイ（２）の抽選確率が高まるようにしたり、リプレイ（１）、リプレイ（２）の双方の抽選確率が高まるようにしても良い。さらには、一方の種類のリプレイは抽選確率が下がるが、他方の種類のリプレイの抽選確率が高まることによって、結果的にリプレイ（１）とリプレイ（２）の合成確率が高まるものであっても良い。
【１０４８】
前記実施例２では、初期遊技状態（いずれかの特別役が当選している状態を除く）、ＲＴ（５）、ＲＴ（６）（いずれかの特別役が当選している状態を除く）においてリプレイ（２）が入賞したときに、ＲＴ（７）に制御するようになっているが、いずれか特定の遊技状態（例えば初期遊技状態）においてのみ、リプレイ（２）が入賞したときにＲＴ（７）に制御するようにしても良く、このようにすることで特定の遊技状態に制御されることにより、ＲＴ（７）に移行することへの遊技者の期待感を効果的に高めることができる。
【実施例３】
【１０４９】
本発明が適用されたスロットマシンの実施例３について説明する。尚、本実施例のスロットマシンの構成は、前述した実施例１と同一の構成を含むため、ここでは異なる点について主に説明する。
【１０５０】
前述した実施例１では、遊技状態が通常遊技状態、ＲＴ（１）、ＲＴ（２）、レギュラーボーナスであったのに対して本実施例では、遊技状態が通常遊技状態、シングルボーナス、ＲＴ（８）、レギュラーボーナスからなる。
【１０５１】
また、本実施例では、特別役として前述した実施例１のビッグボーナス（１）〜（５）に加え、シングルボーナス（１）〜（３）が定められている。図６８に示すように、シングルボーナス（１）は、通常遊技状態またはシングルボーナスにおいていずれかの入賞ラインに「青７−リプレイ−リプレイ」の組み合わせが揃ったときに入賞となり、シングルボーナス（２）は、通常遊技状態またはシングルボーナスにおいていずれかの入賞ラインに「白７−リプレイ−リプレイ」の組み合わせが揃ったときに入賞となり、シングルボーナス（３）は、通常遊技状態またはシングルボーナスにおいていずれかの入賞ラインに「赤７−リプレイ−リプレイ」の組み合わせが揃ったときに入賞となる。
【１０５２】
通常遊技状態及びシングルボーナスにおいてシングルボーナス（１）〜（３）のいずれかが入賞すると、ベルの当選確率が若干高まる（図６９に示すように判定値が１増える）シングルボーナスに１ゲームのみ制御する。遊技状態がシングルボーナスにある間はＲＡＭ４１ｃにシングルボーナス中フラグが設定される。
【１０５３】
本実施例では、図６８に示すように、通常遊技状態及びシングルボーナスにおいては、シングルボーナス（１）＋赤チェリー、シングルボーナス（２）＋青チェリー、シングルボーナス（３）＋白チェリーが内部抽選の対象となり、赤チェリー、青チェリー、白チェリー、シングルボーナス（１）〜（３）が単独で内部抽選の対象外となる。また、ビッグボーナス（１）〜（３）のいずれかが当選することで移行するＲＴ（８）においては、赤チェリー、青チェリー、白チェリーが単独で内部抽選の対象となり、シングルボーナス（１）〜（３）を含む特別役は内部抽選の対象外となる。
【１０５４】
尚、小役のうち赤チェリー、青チェリー、白チェリー（ビッグボーナス（１）〜（３）やシングルボーナス（１）〜（３）との同時当選の場合を含む）の当選確率は、図６９に示すように、通常遊技状態、シングルボーナス、ＲＴ（８）のいずれの遊技状態においても同一となり、ベルの当選確率はシングルボーナスにおいて、通常遊技状態及びＲＴ（８）よりも若干高くなる。
【１０５５】
また、シングルボーナス（１）〜（３）は特別役であるが、ビッグボーナス（１）〜（３）とは異なり、その当選フラグが当選したゲームにおいてのみ有効であり、シングルボーナス（１）〜（３）が当選し、入賞させることができなかった場合でも次のゲームに持ち越されることはない。
【１０５６】
前述した実施例１では、赤チェリー、青チェリー、白チェリーの入賞時の払出枚数が１枚（３本の入賞ラインに揃うため３枚）であったのに対して本実施例では、赤チェリー、青チェリー、白チェリーの入賞時の払出枚数を１５枚としている。
【１０５７】
本実施例では、シングルボーナス（１）＋赤チェリーが当選している場合には、第１〜３停止時においては、共通データ作成用テーブル（１）を用いて赤チェリーの組み合わせを構成する図柄及びビッグボーナス（１）の組み合わせ及びチャンス目を引き込む滑りコマ数を構成する図柄を４コマの引込範囲で入賞ラインＬ１〜Ｌ４のいずれかに最大限引き込む滑りコマ数が仮想滑りコマテーブルに格納された後、赤チェリーを構成する図柄を入賞ラインＬ１〜Ｌ４に引き込む停止操作位置のうち、特別役であるシングルボーナス（１）を入賞ラインＬ１〜Ｌ４に引き込める停止操作位置の滑りコマ数、赤チェリーを構成する図柄を入賞ラインＬ１〜Ｌ４に引き込まない停止操作位置の滑りコマ数が、シングルボーナス（１）を入賞ラインＬ１〜Ｌ４に引き込む滑りコマ数に更新され、赤チェリー及びシングルボーナス（１）以外の役の入賞（ビッグボーナス（１））や重複入賞を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でシングルボーナス（１）の組み合わせを揃えて停止させることができれば、これを揃えて停止させる制御が行われ、入賞ラインＬ１〜Ｌ４に最大４コマの引込範囲でシングルボーナス（１）の組み合わせを引き込めない場合には、入賞ラインＬ１〜Ｌ４に最大４コマの引込範囲で赤チェリーの組み合わせを揃えて停止させることができれば、これを揃えて停止させる制御が行われることとなる。すなわちこのような場合には、赤チェリーよりも特別役であるシングルボーナス（１）を入賞ラインＬ１〜Ｌ４に揃える制御が優先され、シングルボーナス（１）を引き込めない場合にのみ、赤チェリーを入賞させることが可能となる。このため、左リールの領域番号１〜７は、赤チェリーを構成する「赤チェリー」の引込範囲であるが、このうちシングルボーナス（１）を構成する「青７」の引込範囲となる領域番号５〜７のタイミングで操作された場合には、入賞ラインＬ１〜Ｌ４に「赤チェリー」を引き込まず、「青７」を引き込むようになり、赤チェリーの入賞が制限されることとなる。
【１０５８】
シングルボーナス（２）＋青チェリーが当選している場合には、第１〜３停止時においては、共通データ作成用テーブル（２）を用いて青チェリーの組み合わせを構成する図柄及びビッグボーナス（２）の組み合わせ及びチャンス目を引き込む滑りコマ数を構成する図柄を４コマの引込範囲で入賞ラインＬ１〜Ｌ４のいずれかに最大限引き込む滑りコマ数が仮想滑りコマテーブルに格納された後、青チェリーを構成する図柄を入賞ラインＬ１〜Ｌ４に引き込む停止操作位置のうち、特別役であるシングルボーナス（２）を入賞ラインＬ１〜Ｌ４に引き込める停止操作位置の滑りコマ数、青チェリーを構成する図柄を入賞ラインＬ１〜Ｌ４に引き込まない停止操作位置の滑りコマ数が、シングルボーナス（２）を入賞ラインＬ１〜Ｌ４に引き込む滑りコマ数に更新され、青チェリー及びシングルボーナス（２）以外の役の入賞（ビッグボーナス（２））や重複入賞を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でシングルボーナス（２）の組み合わせを揃えて停止させることができれば、これを揃えて停止させる制御が行われ、入賞ラインＬ１〜Ｌ４に最大４コマの引込範囲でシングルボーナス（２）の組み合わせを引き込めない場合には、入賞ラインＬ１〜Ｌ４に最大４コマの引込範囲で青チェリーの組み合わせを揃えて停止させることができれば、これを揃えて停止させる制御が行われることとなる。すなわちこのような場合には、青チェリーよりも特別役であるシングルボーナス（２）を入賞ラインＬ１〜Ｌ４に揃える制御が優先され、シングルボーナス（２）を引き込めない場合にのみ、青チェリーを入賞させることが可能となる。このため、左リールの領域番号０、１５〜２０は、青チェリーを構成する「青チェリー」の引込範囲であるが、このうちシングルボーナス（２）を構成する「白７」の引込範囲となる領域番号０、１９、２０のタイミングで操作された場合には、入賞ラインＬ１〜Ｌ４に「青チェリー」を引き込まず、「白７」を引き込むようになり、青チェリーの入賞が制限されることとなる。
【１０５９】
シングルボーナス（３）＋白チェリーが当選している場合には、第１〜３停止時においては、共通データ作成用テーブル（３）を用いて白チェリーの組み合わせを構成する図柄及びビッグボーナス（３）の組み合わせ及びチャンス目を引き込む滑りコマ数を構成する図柄を４コマの引込範囲で入賞ラインＬ１〜Ｌ４のいずれかに最大限引き込む滑りコマ数が仮想滑りコマテーブルに格納された後、白チェリーを構成する図柄を入賞ラインＬ１〜Ｌ４に引き込む停止操作位置のうち、特別役であるシングルボーナス（３）を入賞ラインＬ１〜Ｌ４に引き込める停止操作位置の滑りコマ数、白チェリーを構成する図柄を入賞ラインＬ１〜Ｌ４に引き込まない停止操作位置の滑りコマ数が、シングルボーナス（３）を入賞ラインＬ１〜Ｌ４に引き込む滑りコマ数に更新され、白チェリー及びシングルボーナス（３）以外の役の入賞（ビッグボーナス（３））や重複入賞を回避できない停止禁止位置となる滑りコマ数が格納された停止操作位置については、停止禁止位置以外の停止位置となる滑りコマ数に更新される。尚、これら以外の停止操作位置の滑りコマ数は維持される。これにより、停止操作が行われた際に、入賞ラインＬ１〜Ｌ４に最大４コマの引込範囲でシングルボーナス（３）の組み合わせを揃えて停止させることができれば、これを揃えて停止させる制御が行われ、入賞ラインＬ１〜Ｌ４に最大４コマの引込範囲でシングルボーナス（３）の組み合わせを引き込めない場合には、入賞ラインＬ１〜Ｌ４に最大４コマの引込範囲で白チェリーの組み合わせを揃えて停止させることができれば、これを揃えて停止させる制御が行われることとなる。すなわちこのような場合には、白チェリーよりも特別役であるシングルボーナス（３）を入賞ラインＬ１〜Ｌ４に揃える制御が優先され、シングルボーナス（３）を引き込めない場合にのみ、白チェリーを入賞させることが可能となる。このため、左リールの領域番号８〜１４は、白チェリーを構成する「白チェリー」の引込範囲であるが、このうちシングルボーナス（３）を構成する「赤７」の引込範囲となる領域番号１２〜１４のタイミングで操作された場合には、入賞ラインＬ１〜Ｌ４に「白チェリー」を引き込まず、「赤７」を引き込むようになり、白チェリーの入賞が制限されることとなる。
【１０６０】
このように本実施例では、通常遊技状態またはシングルボーナスにおいていずれかのチェリーが当選した場合には、同時に当選しているシングルボーナスによってチェリーの引込が制限されるようになっている。また、シングルボーナス（１）〜（３）は、中リール及び右リールの構成図柄として取りこぼしのない「リプレイ」が適用されているため、リールの停止順に関わらず、左リールの停止操作を行う場合には、同時に当選しているシングルボーナスによってチェリーの引込が制限されることとなる。これに対してＲＴ（８）においては、チェリーが単独で当選するため、シングルボーナスの当選によってチェリーの引込が制限されることはない。尚、ＲＴ（８）においては、必ずビッグボーナス（１）〜（３）のいずれかが当選しているため、当選したビッグボーナスによってチェリーの引込が制限されることとなるが、この場合には、当選したビッグボーナスの構成図柄の引込範囲外で中リールまたは右リールの停止操作を左リールよりも先に行うことにより、当選したビッグボーナスによってチェリーの引込が制限されてしまうことを回避できる。
【１０６１】
本実施例では、図６９の抽選確率によれば、通常遊技状態における１ゲームあたりのメダルの払出率は０．８５８０、１ゲームあたりの払出期待値（１ゲームあたりの払出枚数の平均値、すなわち各役の当選確率×その役の払出枚数の合計値）は約２．５７３９枚であり、通常遊技状態においてゲームを開始するのに必要な賭数は３であるため、約０．４２６１枚ずつメダルが減少することとなるが、赤チェリー、青チェリー、白チェリーは、これらの役を構成する図柄を同時に狙うことができず、実質的な出現率は１／３となるので、通常遊技状態における実質的な１ゲーム当たりのメダルの払出率は０．６６０２、１ゲームあたりの払出期待値は約１．９８０７枚であり、約１．０１９３枚ずつメダルが減少することとなる。
【１０６２】
図６９の抽選確率によれば、シングルボーナスにおける１ゲームあたりのメダルの払出率は０．８５８３、１ゲームあたりの払出期待値は約２．５７４８枚であり、シングルボーナスにおいてゲームを開始するのに必要な賭数は３であるため、約０．４２５２枚ずつメダルが減少することとなるが、赤チェリー、青チェリー、白チェリーは、これらの役を構成する図柄を同時に狙うことができず、実質的な出現率は１／３となるので、通常遊技状態における実質的な１ゲーム当たりのメダルの払出率は０．６６０５、１ゲームあたりの払出期待値は約１．９８１６枚であり、約１．０１８４枚ずつメダルが減少することとなる。
【１０６３】
また、通常遊技状態及びシングルボーナスでは、前述のように赤チェリー、青チェリー、白チェリーがいずれかのシングルボーナスと同時に当選し、当選したシングルボーナスによって引込が制限されることとなるため、チェリーの出現率はさらに低くなり、実質的な１ゲームあたりの払出率や１ゲームあたりの払出期待値は上記よりもさらに低くなる。
【１０６４】
このようにシングルボーナスでは、ベルの当選確率が通常遊技状態よりもわずかに高まるため、シングルボーナスの方が１ゲームあたりのメダルの払出率、１ゲームあたりの払出期待値がともに通常遊技状態よりも高くなり、遊技者にとって有利な状態となるが、その差はわずかである。
【１０６５】
また、シングルボーナスにおける実質的な払出期待値は、約１．９８１６枚であるのに対して、前述のようにいずれかのチェリーが入賞した際に払い出される払出枚数が１５枚であることから、通常遊技状態及びシングルボーナスにおいていずれかのチェリーと同時にシングルボーナス（１）〜（３）のいずれかが同時に当選した場合には、当選したチェリーを入賞させた方が多くのメダルを獲得することができる。
【１０６６】
本実施例では、通常遊技状態においてビッグボーナス（１）〜（３）のいずれかが当選したときに、小役の抽選確率は通常遊技状態と同一であるが、リプレイ（１）及びリプレイ（２）の合成確率が通常遊技状態よりも高確率となるリプレイタイム（８）（ＲＴ（８））に制御する。遊技状態がＲＴにある間は、ＲＴ（８）中フラグがＲＡＭ４１ｃに設定される。そして、ＲＴ（８）は、当選したビッグボーナスが入賞したときに終了する。
【１０６７】
図６９の抽選確率によれば、ＲＴ（８）における１ゲームあたりのメダルの払出率は１．５２８３であり、１を超えるためメダルの増加が期待できるが、赤チェリー、青チェリー、白チェリーは、これらの役を構成する図柄を同時に狙うことができず、実質的な出現率は１／３となり、これを考慮するとＲＴ（８）における実質的な１ゲーム当たりのメダルの払出率は０．９９１７、すなわち１未満となり、メダルは減少することとなる。
【１０６８】
本実施例のサブ制御部９１のＣＰＵ９１ａは、ビッグボーナス（１）〜（３）のいずれかが当選した際に、当選したビッグボーナスの種類を報知するとともに、チェリーの種類を報知するチェリー種類報知が実行されるアシストタイムに制御するゲーム数を０、５０、１００のいずれかのゲーム数から選択するゲーム数振分抽選を行う。
【１０６９】
ゲーム数振分抽選では、当選したビッグボーナスの種類に応じて異なる選択率にてゲーム数を選択する。詳しくは、ビッグボーナス（１）が当選した場合には、１００％の割合で１００ゲームを選択し、ビッグボーナス（２）が当選した場合には、ビッグボーナス（３）が当選した場合よりも１００ゲーム、５０ゲームを選択する割合が高く、ビッグボーナス（３）が当選した場合には、ビッグボーナス（２）が当選した場合よりも０ゲームを選択する割合が高い。すなわちビッグボーナス（１）が当選した場合には、１００ゲームが確定し、ビッグボーナス（２）が当選した場合には、ビッグボーナス（３）が当選した場合よりも多いゲーム数が選択される可能性が高い。
【１０７０】
そして、ＣＰＵ９１ａは、ゲーム数振分抽選にて選択したゲーム数をＲＡＭ９１ｃに設定し、そのゲーム数が消化されるまで、アシストタイムに制御し、その間に赤チェリー、青チェリー、白チェリーのいずれかが当選した際に、その種類を報知するチェリー種類報知を実行する。
【１０７１】
チェリー種類報知は、実施例１の転落役種類報知と同様に、赤チェリーが当選した旨、青チェリーが当選した旨、白チェリーが当選した旨を、その当選を示唆する色（赤チェリーが当選した旨を示す場合には赤、青チェリーが当選した旨を示す場合には青、白チェリーが当選した旨を示す場合には白）を報知することにより、当選したチェリーの種類を報知するものであるが、当選したチェリーの種類を遊技者が認識可能なものであれば良く、当選したチェリーの種類そのもの、或いは図柄組み合わせ、チェリーの種類によって異なる図柄、これらチェリーの種類を示唆する画像などを液晶表示器５１に表示することで報知するものや、対応するＬＥＤの点灯、対応する音声の出力などによって報知するものであっても良い。更には、チェリーの種類に応じて異なる図柄の指標となる図柄（チェリーの構成図柄の近くに位置し、チェリーの構成図柄よりも目立つ図柄など）、当該指標図柄を示唆する画像などを報知するようにしても良い。
【１０７２】
また、特に当選したビッグボーナスの種類によって、当選したチェリーの引込が制限される場合には、チェリー種類報知に加えて中リールまたは右リールにて当選したビッグボーナスの構成図柄を回避する操作手順（例えば、ビッグボーナス（１）が当選している場合には、右リールの青７を狙って最初に停止操作を行う手順、ビッグボーナス（２）またはビッグボーナス（３）が当選している場合には、右リールの赤７を狙って最初に停止操作を行う手順）、すなわち当選したチェリーの引込が制限されないようにするための手順が報知されるようになっている。
【１０７３】
尚、本実施例では、アシストタイムの終了条件としてゲーム数を適用しているが、アシストタイムの終了条件は、種々に選択可能であり、例えば、当選した特別役の入賞、ゲーム数やチェリー種類報知の実行回数、チェリーが入賞した回数が規定数に到達すること、特定の役の当選または入賞、特定の役の当選回数または入賞回数が規定数に到達すること、終了抽選に当選することなどが該当する。また、アシストタイム中に終了条件を変更するようにしても良い。また、規定ゲーム数毎にアシストタイムを終了させるか否かを抽選により決定し、その抽選に当選することで終了させるようにしても良い。
【１０７４】
本実施例では、前述のように赤チェリー、青チェリー、白チェリーを構成する左リールの「赤チェリー」図柄、「青チェリー」図柄及び「白チェリー」図柄を意図的に入賞ライン上に停止させることができないので、赤チェリー、青チェリー、白チェリーが当選しても、これら赤チェリー、青チェリー、白チェリーを意図的に入賞させることは不可能であり、これらの役に当選した場合には、１／３の確率で入賞させることができるが、２／３の確率で取りこぼしてしまう。
【１０７５】
これに対してアシストタイムにおいては、赤チェリー、青チェリー、白チェリーのいずれかが当選した際に、チェリー種類報知が実行されることで、遊技者は報知された色によって、赤チェリー、青チェリー、白チェリーのうち、どの種類のチェリーが当選したかを認識することが可能となり、赤チェリー、青チェリー、白チェリーを構成する左リールの「赤チェリー」図柄、「青チェリー」図柄及び「白チェリー」図柄が入賞ライン上に停止する停止操作位置を特定することが可能となり、当選したチェリーを全て入賞させることが可能となる。
【１０７６】
本実施例では、前述のようにＲＴ（８）における実質的な１ゲーム当たりのメダルの払出率は１未満であり、メダルが減少することとなるが、アシストタイムに制御されることによって当選した赤チェリー、青チェリー、白チェリーを全て入賞させることが可能となるため、この場合の１ゲームあたりのメダルの払出率は１を超えることとなる。
【１０７７】
このため、いずれかのビッグボーナスが当選し、ＲＴ（８）に制御された際に、アシストタイムに制御されている間は、メダルが増加することとなるため、当選したビッグボーナスを入賞させずに、ＲＴ（８）を継続させた方がより多くのメダルを獲得することが可能となる。一方、アシストタイムの終了後は、メダルが減少するうえに、ビッグボーナスの抽選も行われることはないため、当選したビッグボーナスを入賞させてＲＴ（８）を終了させた方が遊技者にとっては有利となる。
【１０７８】
以上説明したように、本実施例のスロットマシンでは、以下のような作用・効果を有する。
【１０７９】
本実施例のスロットマシンでは、ビッグボーナス（１）〜（３）のいずれかが当選すると、当選したビッグボーナスが入賞するまでＲＴ（８）に制御され、ＲＴ（８）中においては、当選した赤チェリー、青チェリー、白チェリーを全て入賞させることを条件としてメダルの増加が期待できる。すなわちビッグボーナス（１）〜（３）のいずれかが当選したことを契機として遊技者にとって有利なＲＴ（８）に制御されることとなり、ビッグボーナスからＲＴ（８）が続くことはないが、ＲＴ（８）からビッグボーナスという流れで遊技者にとって有利な遊技状態が続くこととなるため、ビッグボーナスに制御されるまでに段階的に遊技者の期待感を高めることが可能となる。
【１０８０】
また、ＲＴ（８）は、前述のように当選した赤チェリー、青チェリー、白チェリーを全て入賞させることを条件としてメダルの増加が期待できるものであるが、当選した赤チェリー、青チェリー、白チェリーを全て入賞させるためには、当選したチェリーの種類に応じた色の「チェリー」図柄の引込範囲となるタイミングで左リールの停止操作を行わなければならないうえに、赤チェリー、青チェリー、白チェリーを構成する左リールの「赤チェリー」図柄、「青チェリー」図柄及び「白チェリー」図柄を意図的に入賞ライン上に停止させることができないので、当選したチェリーの種類が分からなければ、当選したチェリーを確実に入賞させることはできず、ＲＴ（８）に移行しただけではメダルの増加は期待できない。
【１０８１】
このため本実施例では、ビッグボーナス（１）〜（３）が当選したときに、単にＲＴ（８）に移行するだけではなく、ゲーム数振分抽選を行い、当選したゲーム数の間、いずれかのチェリーが当選するとその当選したチェリーの種類を示すチェリー種類報知が実行されるアシストタイムに制御されるので、チェリー種類報知によって報知された色のチェリーを左リールに狙って停止操作を行うことで、当選したチェリーを全て入賞させることが可能となる。ただし、アシストタイムによって当選したチェリーの種類が報知されるとは言っても、それに応じて停止操作を行えなければメダルの増加は見込めず、遊技者が技術介入を行うことによって初めてを遊技者にとって有利な遊技状態とすることができるので、遊技の興趣を向上させることができるようになる。
【１０８２】
また、ＲＴ（８）は、ビッグボーナス（１）〜（３）のいずれかが当選した後、当選したビッグボーナスが入賞するまで継続するが、チェリー種類報知が実行されるのは、アシストタイム中に限られており、アシストタイムが終了した後は、ＲＴ（８）にあってもチェリー種類報知が実行されず、遊技者の技術介入も実質的に不可能となってメダルの増加が期待できなくなるため、アシストタイムの終了後は、遊技者に対して速やかに当選したビッグボーナスを入賞させることを促すことが可能となる。
【１０８３】
また、本実施例では、通常遊技状態及びシングルボーナスにおいて赤チェリー、青チェリー、白チェリーが当選したとき、すなわち当選しても確実に入賞させることが不可能ないずれかのチェリーが当選したときに、通常遊技状態よりもメダルの払出率の高いシングルボーナスに１ゲームのみ移行するシングルボーナスが同時に当選するため、いずれかのチェリーが当選したものの入賞させることができず、メダルを獲得できなかった場合でも、シングルボーナスが入賞し、シングルボーナスによる利益を得られるため、チェリーの取りこぼしにより生じる遊技者の損失を軽減させることができる。
【１０８４】
また、シングルボーナスは、通常遊技状態よりもメダルの払出率は高いものの、その払出期待値は、チェリーが入賞することで得られるメダル数よりも少ないため、いずれかのチェリーが当選し、かつそのチェリーの種類を遊技者が推測し、その結果チェリーを入賞させた方が、チェリーを取りこぼしてシングルボーナスが入賞した場合よりも多くのメダルを獲得できるので、推測したチェリーが的中し、入賞した際の遊技者の興趣を一層高めることができる。
【１０８５】
尚、本実施例では、通常遊技状態及びシングルボーナスにおいて、いずれかのチェリーといずれかのシングルボーナスが必ず同時に当選し、いずれかのチェリーまたはいずれかのシングルボーナスが単独で当選することはないが、いずれかのチェリーといずれかのシングルボーナスが必ず同時に当選する場合のほか、いずれかのチェリーまたはいずれかのシングルボーナスが単独で当選するようにしても良い。
【１０８６】
また、本実施例では、いずれかのチェリーといずれかのシングルボーナスが同時に当選し、当選したチェリーの構成図柄と当選したシングルボーナスの構成図柄とがともに引込可能なタイミングで停止操作が行われた場合に、チェリーの構成図柄よりもシングルボーナスの構成図柄を優先して引き込む制御が行われるとともに、いずれかのビッグボーナスが当選し、持ち越されている状態、すなわちＲＴ（８）中においては、シングルボーナスが内部抽選の対象外となる。このため、通常遊技状態においてはいずれかのチェリーが当選した際に、同時に当選したシングルボーナスによって当選したチェリーの引込が制限されることで、通常遊技状態におけるチェリーの入賞確率、すなわちメダルの払出率が低下し、シングルボーナスによって当選したチェリーの引込が制限されることのないＲＴ（８）におけるメダルの払出率を相対的に高めることができる。一方で、ＲＴ（８）においては、シングルボーナスを敢えて避けるという面倒な操作手順で停止操作を行わなくとも、当選したチェリーを入賞させることが可能となる。
【１０８７】
以上、本発明の実施例３を説明してきたが、本発明はこの実施例３に限定されるものではなく、本発明の主旨を逸脱しない範囲における変更や追加があっても本発明に含まれることは言うまでもない。また、実施例１または実施例２と同一もしくは類似する構成については、実施例１または実施例２で説明したものと同様の効果を有するものである。また、実施例１または実施例２について例示した変形例についても実施例３に適用可能である。
【実施例４】
【１０８８】
本発明が適用されたスロットマシンの実施例４について説明する。尚、本実施例のスロットマシンの構成は、前述した実施例１と同一の構成を含むため、ここでは異なる点について主に説明する。
【１０８９】
前述した実施例１では、入賞ラインとして各リール２Ｌ、２Ｃ、２Ｒの上段に並んだ図柄に跨って設定された入賞ラインＬ１、各リール２Ｌ、２Ｃ、２Ｒの下段に並んだ図柄に跨って設定された入賞ラインＬ２、リール２Ｌの下段、リール２Ｃの中段、リール２Ｒの上段、すなわち右上がりに並んだ図柄に跨って設定された入賞ラインＬ３、リール２Ｌの上段、リール２Ｃの中段、リール２Ｒの下段、すなわち右下がりに並んだ図柄に跨って設定された入賞ラインＬ４、リール２Ｌの下段、リール２Ｃの上段、リール２Ｒの中段に並んだ図柄に跨って設定された入賞ラインＬ５、リール２Ｌの上段、リール２Ｃの下段、リール２Ｒの中段に並んだ図柄に跨って設定された入賞ラインＬ６の６種類が入賞ラインが定められており、仮想入賞ラインとして各リール２Ｌ、２Ｃ、２Ｒの中段に並んだ図柄に跨って設定された仮想入賞ラインＬｖが定められていたが、本実施例では、図７０に示すように、各リール２Ｌ、２Ｃ、２Ｒの中段に並んだ図柄に跨って設定された入賞ラインＬのみが入賞ラインとして定められており、各リール２Ｌ、２Ｃ、２Ｒの上段に並んだ図柄に跨って設定された仮想入賞ラインＬｖ１、各リール２Ｌ、２Ｃ、２Ｒの下段に並んだ図柄に跨って設定された仮想入賞ラインＬｖ２、リール２Ｌの下段、リール２Ｃの中段、リール２Ｒの上段、すなわち右上がりに並んだ図柄に跨って設定された仮想入賞ラインＬｖ３、リール２Ｌの上段、リール２Ｃの中段、リール２Ｒの下段、すなわち右下がりに並んだ図柄に跨って設定された仮想入賞ラインＬｖ４の４種類が仮想入賞ラインとして定められている。
【１０９０】
前述した実施例１では、遊技状態が通常遊技状態、ＲＴ（１）〜（４）、レギュラーボーナスであったのに対して本実施例では、遊技状態が通常遊技状態、ＲＴ（９）、（１０）、レギュラーボーナスからなる。
【１０９１】
本実施例のスロットマシンにおける役としては、特別役としてビッグボーナス（６）〜（９）が、小役として赤チェリー、青チェリー、白チェリー、ベル（１）、ベル（２）が、再遊技役としてリプレイ（３）〜（６）が定められている。また、役の組み合わせとしては、ビッグボーナス（６）＋赤チェリー、ビッグボーナス（７）＋赤チェリー、ビッグボーナス（８）＋青チェリー、ビッグボーナス（９）＋白チェリー、リプレイ（４）＋リプレイ（５）＋リプレイ（６）、ベル＋赤チェリー、ベル＋青チェリー、ベル＋白チェリーが定められている。
【１０９２】
図７１に示すように、遊技状態が通常遊技状態、ＲＴ（９）、（１０）であり、いずれの特別役も持ち越されていない状態では、ビッグボーナス（６）〜（９）、ビッグボーナス（６）＋赤チェリー、ビッグボーナス（７）＋赤チェリー、ビッグボーナス（８）＋青チェリー、ビッグボーナス（９）＋白チェリー、リプレイ（３）、リプレイ（４）＋リプレイ（５）＋リプレイ（６）、赤チェリー、青チェリー、白チェリー、ベル（１）、ベル（２）が内部抽選の対象となる。
【１０９３】
また、遊技状態が通常遊技状態であり、いずれかの特別役が持ち越されている状態では、リプレイ（３）、リプレイ（４）＋リプレイ（５）＋リプレイ（６）、赤チェリー、青チェリー、白チェリー、ベル（１）、ベル（２）が内部抽選の対象となる。また、遊技状態がレギュラーボーナスの場合には、ベル（１）、ベル（２）、ベル（２）＋赤チェリー、ベル（２）＋青チェリー、ベル（２）＋白チェリーが内部抽選の対象となる。
【１０９４】
赤チェリーは、いずれの遊技状態においても左リールについて入賞ラインＬに「赤チェリー」の図柄が導出されたときに入賞となり、１枚のメダルが払い出される。青チェリーは、いずれの遊技状態においても左リールについて入賞ラインＬに「青チェリー」の図柄が導出されたときに入賞となり、１枚のメダルが払い出される。白チェリーは、いずれの遊技状態においても左リールについて入賞ラインＬに「白チェリー」の図柄が導出されたときに入賞となり、１枚のメダルが払い出される。
【１０９５】
ベル（１）は、いずれの遊技状態においても入賞ラインＬに「リプレイ−ベル−リプレイ」の組み合わせが揃ったときに入賞となり、１０枚のメダルが払い出される。また、図３に示すように、左リールにおいては、「リプレイ」の上に「ベル」が配置されており、右リールにおいては、「リプレイ」の下に「ベル」が配置されているため、「リプレイ−ベル−リプレイ」の組み合わせが入賞ラインＬに揃ってベル（１）が入賞した場合には、仮想入賞ラインＬｖ３に「ベル−ベル−ベル」の組み合わせ、すなわちベル（１）の代替図柄の組み合わせが揃うようになっている。ベル（２）は、いずれの遊技状態においても入賞ラインＬに「ベル−ベル−ベル」の組み合わせが揃ったときに入賞となり、１５枚のメダルが払い出される。
【１０９６】
このように、本実施例では、「ベル−ベル−ベル」の組み合わせが中段に揃ったときにも、右下がりに揃ったときにも小役の入賞となるが、その際払い出されるメダル枚数が異なる。さらに後述のようにベル（２）が揃ったときには、ＲＴ（１０）に移行するため、「ベル−ベル−ベル」の組み合わせが中段に揃ったか、右下がりに揃ったか、に応じてその後の遊技状態も変化することとなる。
【１０９７】
リプレイ（３）は、レギュラーボーナス以外の遊技状態において入賞ラインＬに「ベル−リプレイ−ベル」の組み合わせが揃ったときに入賞となる。また、図３に示すように、左リールにおいては、「ベル」の下に「リプレイ」が配置されており、右リールにおいては、「ベル」の上に「リプレイ」が配置されているため、「ベル−リプレイ−ベル」の組み合わせが入賞ラインＬに揃ってリプレイ（３）が入賞した場合には、仮想入賞ラインＬｖ４に「リプレイ−リプレイ−リプレイ」の組み合わせ、すなわちリプレイ（３）の代替図柄の組み合わせが揃うようになっている。リプレイ（４）は、レギュラーボーナス以外の遊技状態において入賞ラインＬに「リプレイ−赤７−プラム」の組み合わせが揃ったときに入賞となる。また、左リールにおいては、領域番号１９の「リプレイ」の下に「赤７」が配置されており、右リールにおいては、「プラム」の上に「赤７」が配置されているため、「リプレイ−赤７−プラム」の組み合わせが入賞ラインＬに揃ってリプレイ（４）が入賞した場合には、仮想入賞ラインＬｖ４に「赤７−赤７−赤７」の組み合わせが揃うことがある。リプレイ（５）は、レギュラーボーナス以外の遊技状態において入賞ラインＬに「リプレイ−リプレイ−リプレイ」の組み合わせが揃ったときに入賞となる。リプレイ（６）は、レギュラーボーナス以外の遊技状態において入賞ラインＬに「リプレイ−赤７−リプレイ」の組み合わせが揃ったときに入賞となる。リプレイ（３）〜（６）が入賞したときには、メダルの払い出しはないが次のゲームを改めて賭数を設定することなく開始できるので、次のゲームで設定不要となった賭数に対応した３枚のメダルが払い出されるのと実質的には同じこととなる。
【１０９８】
このように本実施例では、「リプレイ−リプレイ−リプレイ」の組み合わせが中段に揃ったときにも、右上がりに揃ったときにも、「赤７−赤７−赤７」の組み合わせが右上がりに揃ったときにも再遊技役の入賞となるが、後述のようにリプレイ（４）〜（６）が入賞するとＲＴ（９）に移行するため、「リプレイ−リプレイ−リプレイ」の組み合わせが中段に揃った右上がりに揃った場合には、単にリプレイゲームが付与されるのみであるが、「リプレイ−リプレイ−リプレイ」の組み合わせが右下がりに揃った場合や、「赤７−赤７−赤７」の組み合わせが揃った場合には、リプレイゲームの付与に加えて遊技状態がＲＴ（９）に移行することとなる。
【１０９９】
ビッグボーナスは、レギュラーボーナス以外の遊技状態において入賞ラインのいずれかに「スイカ−赤７−赤チェリー」の組み合わせ、「赤７−赤７−赤７」の組み合わせ、「青７−青７−青７」、「白７−白７−白７」の組み合わせが揃ったときに入賞となる。本実施例において「スイカ−赤７−赤チェリー」の組み合わせが揃ったときに入賞となるビッグボーナスをビッグボーナス（６）とし、「赤７−赤７−赤７」の組み合わせが揃ったときに入賞となるビッグボーナスをビッグボーナス（７）とし、「青７−青７−青７」の組み合わせが揃ったときに入賞となるビッグボーナスをビッグボーナス（８）とし、「白７−白７−白７」の組み合わせが揃ったときに入賞となるビッグボーナスをビッグボーナス（９）とする。
【１１００】
ビッグボーナス（６）が入賞すると、遊技状態がビッグボーナス（６）に移行し、ビッグボーナス（７）が入賞すると、遊技状態がビッグボーナス（７）に移行し、ビッグボーナス（８）が入賞すると、遊技状態がビッグボーナス（８）に移行し、ビッグボーナス（９）が入賞すると、遊技状態がビッグボーナス（９）に移行する。ビッグボーナス（６）〜（９）に移行すると、ビッグボーナス（６）〜（９）が終了するまで繰り返しレギュラーボーナスに制御される。そして、ビッグボーナス（６）〜（９）は、当該ビッグボーナス（６）〜（９）中において遊技者に払い出したメダルの総数が４００枚を超えたときに終了する。この際、レギュラーボーナスの終了条件が成立しているか否かに関わらずレギュラーボーナスも終了する。
【１１０１】
また、左リールにおいては、「スイカ」の上に「赤７」が配置されており、右リールにおいては、「赤チェリー」の下に「赤７」が配置されているため、「スイカ−赤７−赤チェリー」の組み合わせが入賞ラインＬに揃ってビッグボーナス（６）が入賞した場合には、仮想入賞ラインＬｖ３に「赤７−赤７−赤７」の組み合わせ、すなわちビッグボーナス（６）の代替図柄の組み合わせが揃うようになっている。
【１１０２】
このように、本実施例では、「赤７−赤７−赤７」の組み合わせが中段に揃ったときにも、右下がりに揃ったときにもビッグボーナスの入賞となるが、後述のように、ビッグボーナス（６）の終了後は、当該ビッグボーナスがＲＴ（９）において当選したか否かに関わらず、ＲＴ（９）へ移行するのに対してビッグボーナス（７）の終了後は、当該ビッグボーナス（７）がＲＴ（９）において当選した場合のみＲＴ（９）へ移行するので、ＲＴ（９）以外の状態でビッグボーナス（６）またはビッグボーナス（７）に当選した場合には、「赤７−赤７−赤７」の組み合わせが中段に揃ったか、右下がりに揃ったか、に応じてその後の遊技状態も変化することとなる。
【１１０３】
ＣＰＵ４１ａは、ビッグボーナス（６）〜（９）が当選している場合には、「青７−青７−青７」「白７−白７−白７」のいずれかの組み合わせを仮想入賞ラインＬｖ１〜Ｌｖ４のいずれかに揃えることが可能に制御するのに対して、いずれの特別役も当選していない場合には、仮想入賞ラインＬｖ１〜Ｌｖ４に「青７−青７−青７」「白７−白７−白７」のいずれかの組み合わせの構成図柄が聴牌することはあっても、最終的に「青７−青７−青７」「白７−白７−白７」のいずれの組み合わせも仮想入賞ラインＬｖ１〜Ｌｖ４に揃わないように制御する。
【１１０４】
このため、「青７−青７−青７」「白７−白７−白７」のいずれかの組み合わせが仮想入賞ラインＬｖ１〜Ｌｖ４に揃った場合には、リーチ目が成立し、いずれかの特別役に当選している旨が示唆されることとなる。
【１１０５】
また、「赤７−赤７−赤７」の組み合わせは、ビッグボーナス（６）が入賞したときのみ仮想入賞ラインＬｖ３に揃い、リプレイ（４）が入賞したときのみ仮想入賞ラインＬｖ４に揃い、それ以外の場合には、仮想入賞ラインＬｖ１、Ｌｖ２に「赤７−赤７−赤７」の組み合わせの構成図柄が聴牌することはあっても、最終的に「赤７−赤７−赤７」の組み合わせが仮想入賞ラインＬｖ１、Ｌｖ２に揃わないように制御する。
【１１０６】
また、ビッグボーナス（６）〜（９）が当選している場合に、「赤７−赤７−赤７」の組み合わせを仮想入賞ラインＬｖ１、Ｌｖ２のいずれかに揃えることが可能に制御するのに対して、いずれの特別役も当選していない場合には、仮想入賞ラインＬｖ１、Ｌｖ２に「赤７−赤７−赤７」の組み合わせの構成図柄が聴牌することはあっても、最終的に「赤７−赤７−赤７」の組み合わせが仮想入賞ラインＬｖ１、Ｌｖ２に揃わないように制御する。
【１１０７】
このため、「赤７−赤７−赤７」の組み合わせが仮想入賞ラインＬｖ１、Ｌｖ２に揃った場合には、リーチ目が成立し、いずれかの特別役に当選している旨が示唆されることとなる。
【１１０８】
また、リプレイ（４）＋リプレイ（５）＋リプレイ（６）が当選している場合には、「赤７−赤７−赤７」の組み合わせを仮想入賞ラインＬｖ４に対して４コマの引込範囲で停止させることが可能であれば、「赤７−赤７−赤７」の組み合わせを仮想入賞ラインＬｖ４に揃える制御（「１９番のリプレイ−赤７−プラム」の組み合わせを入賞ラインＬに揃える制御）を行い、「赤７−赤７−赤７」の組み合わせを仮想入賞ラインＬｖ４に対して４コマの引込範囲で停止させることが不可能であれば、「リプレイ−リプレイ−リプレイ」の組み合わせを４コマの引込範囲で入賞ラインＬに揃える制御を行い、さらに「リプレイ−リプレイ−リプレイ」の組み合わせを４コマの引込範囲で入賞ラインＬに揃えることが不可能であれば、「リプレイ−赤７−リプレイ」の組み合わせを４コマの引込範囲で入賞ラインＬに揃える制御を行う。
【１１０９】
このため、リプレイ（４）＋リプレイ（５）＋リプレイ（６）が当選している場合には、「赤７−赤７−赤７」の組み合わせを仮想入賞ラインＬｖ４に対して４コマの引込範囲で停止させることが可能なタイミングで停止操作が行われれば、「赤７−赤７−赤７」の組み合わせが仮想入賞ラインＬｖ４に揃って（「リプレイ−赤７−プラム」の組み合わせを入賞ラインＬに揃って）リプレイ（４）が入賞する。尚、「赤７−赤７−赤７」の組み合わせを仮想入賞ラインＬｖ４に対して４コマの引込範囲で停止させることが可能なタイミングで停止操作がなされなかった場合、すなわちリプレイ（４）の組み合わせが入賞ラインＬに揃えることが不可能な場合でも、「リプレイ−リプレイ−リプレイ」の組み合わせまたは、「リプレイ−赤７−リプレイ」の組み合わせが入賞ラインＬに揃ってリプレイ（５）またはリプレイ（６）が入賞することとなる。
【１１１０】
また、ビッグボーナス（６）が入賞したときに、「赤７−赤７−赤７」の組み合わせが仮想入賞ラインＬｖ３に揃うため、リプレイ（４）が入賞したときにも、ビッグボーナス（６）が入賞したときにもともに「赤７−赤７−赤７」の組み合わせが仮想入賞ラインに揃うようになっており、「赤７−赤７−赤７」の組み合わせが仮想入賞ラインに揃った場合でも、入賞した役が異なるようになっている。
【１１１１】
ＣＰＵ４１ａは、ビッグボーナス（６）の終了後、ＲＴ（９）において当選したビッグボーナス（７）（８）の終了後、または通常遊技状態においていずれの特別役も持ち越されていない状態においてリプレイ（４）〜（６）のいずれかが入賞したときに、特別役及び小役の抽選確率は通常遊技状態と同一であるが、リプレイ（３）の抽選確率が通常遊技状態よりも高確率となり、かつ１ゲームあたりのメダルの払出率が１を超えるリプレイタイム（９）（ＲＴ（９））に制御する。そして、ＲＴ（９）は、いずれかの特別役が当選することで終了するようになっている。
【１１１２】
また、ビッグボーナス（９）の終了後、またはベル（２）が入賞したときに、特別役及び小役の抽選確率は通常遊技状態と同一であるが、リプレイ（４）〜（６）の抽選確率が通常遊技状態よりも高確率となるリプレイタイム（１０）（ＲＴ（１０））に制御する。そして、ＲＴ（１０）は、１ゲームで終了するようになっている。
【１１１３】
このように、通常遊技状態においてビッグボーナス（６）〜（７）が当選し、ビッグボーナス（６）〜（７）に移行した場合には、ビッグボーナス（６）の終了後のみ、ＲＴ（９）に移行する。一方、ＲＴ（９）においてビッグボーナス（６）〜（７）が当選し、ビッグボーナス（６）〜（７）に移行した場合には、ビッグボーナス（６）〜（７）のいずれであってもその終了後、ＲＴ（９）に移行する。また、ビッグボーナス（９）の終了後は、ＲＴ（９）に移行することはない。すなわち一度ビッグボーナス（６）に当選すると、その後、特別役が当選した後、入賞するまでの間やビッグボーナス中を除いて、ビッグボーナス（９）が当選するまでＲＴ（９）が継続するようになっており、通常遊技状態においては、ビッグボーナス（７）〜（９）が当選した場合よりもビッグボーナス（６）が当選した場合の方が遊技者にとって有利となる。
【１１１４】
特に本実施例では、ビッグボーナス（６）が入賞したときに、「赤７−赤７−赤７」の組み合わせが右下がりに揃い、ビッグボーナス（７）が入賞したときに、「赤７−赤７−赤７」の組み合わせが中段に揃うので、「赤７−赤７−赤７」の組み合わせが中段に揃ったときにも、右下がりに揃ったときにもビッグボーナスの入賞となるが、「赤７−赤７−赤７」の組み合わせが右下がりに揃ったときに、「赤７−赤７−赤７」の組み合わせが中段に揃ったときよりも遊技者にとって有利となるため、「赤７−赤７−赤７」の組み合わせが中段に揃ったか、右下がりに揃ったか、に応じて有利度を変化させることができる。
【１１１５】
また、リプレイ（４）〜（６）が入賞した場合にもＲＴ（９）に移行する。特に本実施例では、リプレイ（４）が入賞したときに、「赤７−赤７−赤７」の組み合わせが仮想入賞ラインＬｖ４に揃うことがあり、特別役が入賞していなくとも「赤７−赤７−赤７」の組み合わせが仮想入賞ラインに揃うことによって有利度を高めることができる。
【１１１６】
また、リプレイ（３）が入賞したときに、「リプレイ−リプレイ−リプレイ」の組み合わせが右上がりに揃い、リプレイ（５）が入賞したときに、「リプレイ−リプレイ−リプレイ」の組み合わせが中段に揃うので、「リプレイ−リプレイ−リプレイ」の組み合わせが右上がりに揃ったときにも、中段に揃ったときにも再遊技役の入賞となるが、「リプレイ−リプレイ−リプレイ」の組み合わせが右上がりに揃った場合よりも「リプレイ−リプレイ−リプレイ」の組み合わせが中段に揃った方が遊技者にとって有利となる。
【１１１７】
また、リプレイ（４）〜（６）が入賞した場合にもＲＴ（９）に移行するとともに、ビッグボーナス（９）の終了後は、リプレイ（４）〜（６）の当選確率が通常遊技状態よりも高まるＲＴ（１０）に移行し、その間は、ＲＴ（９）へ移行する可能性が高まるため、
、例え、ＲＴ（９）においてビッグボーナス（９）に当選してしまった場合でも、ＲＴ（９）がさらに継続することを期待させることができる。
【１１１８】
また、通常遊技状態においてベル（２）が入賞した場合にもＲＴ（１０）へ移行し、その間は、ＲＴ（９）へ移行する可能性が高まるため、ビッグボーナス（６）やビッグボーナス（９）に当選しない状態が継続してもＲＴ（９）への移行を期待させることができる。特に本実施例では、ベル（１）が入賞したときに、「ベル−ベル−ベル」の組み合わせが右下がりに揃い、ベル（２）が入賞したときに、「ベル−ベル−ベル」の組み合わせが中段に揃うので、「ベル−ベル−ベル」の組み合わせが右下がりに揃ったときにも、中段に揃ったときにも小役の入賞となるが、「ベル−ベル−ベル」の組み合わせが右下がりに揃った場合よりも「ベル−ベル−ベル」の組み合わせが中段に揃った方が遊技者にとって有利となる。
【１１１９】
ＣＰＵ９１ａは、前述した実施例１と同様に入賞ラインＬに役（ビッグボーナス（６）、リプレイ（３）、リプレイ（４）、ベル（１）を除く）が揃って入賞が発生したときに、入賞ラインＬに停止した図柄に対応するリールＬＥＤ５５を点滅させることによって入賞が発生した旨を示す入賞報知演出を行う。
【１１２０】
また、「スイカ−赤７−赤チェリー」の組み合わせが入賞ラインＬに揃ってビッグボーナス（６）が発生した場合には、入賞ラインＬに停止した図柄に対応するリールＬＥＤ５５ではなく、仮想入賞ラインＬｖ３に揃った「赤７−赤７−赤７」に対応するリールＬＥＤ５５を点滅させることによって入賞が発生した旨を示す入賞報知演出を行う。
【１１２１】
また、「リプレイ−赤７−プラム」の組み合わせが入賞ラインＬに揃ってリプレイ（４）が発生した場合にも、入賞ラインＬに停止した図柄に対応するリールＬＥＤ５５ではなく、仮想入賞ラインＬｖ３に揃った「赤７−赤７−赤７」に対応するリールＬＥＤ５５を点滅させることによって入賞が発生した旨を示す入賞報知演出を行う。
【１１２２】
また、「ベル−リプレイ−ベル」の組み合わせが入賞ラインＬに揃ってリプレイ（３）が発生した場合にも、入賞ラインＬに停止した図柄に対応するリールＬＥＤ５５ではなく、仮想入賞ラインＬｖ４に揃った「リプレイ−リプレイ−リプレイ」に対応するリールＬＥＤ５５を点滅させることによって入賞が発生した旨を示す入賞報知演出を行う。
【１１２３】
また、「リプレイ−ベル−リプレイ」の組み合わせが入賞ラインＬに揃ってベル（１）が発生した場合にも、入賞ラインＬに停止した図柄に対応するリールＬＥＤ５５ではなく、仮想入賞ラインＬｖ３に揃った「ベル−ベル−ベル」に対応するリールＬＥＤ５５を点滅させることによって入賞が発生した旨を示す入賞報知演出を行う。
【１１２４】
また、仮想入賞ラインＬｖ１、Ｌｖ２にビッグボーナス（７）の組み合わせが揃ったとき、仮想入賞ラインＬｖ１〜Ｌｖ４にビッグボーナス（８）（９）の組み合わせが揃ったときには、ビッグボーナス（７）〜（９）の組み合わせが揃った仮想入賞ラインＬｖ１〜Ｌｖ４に停止した図柄に対応するリールＬＥＤ５５を点滅させることによって仮想入賞ラインＬｖ１、Ｌｖ２にビッグボーナス（７）の組み合わせが揃った旨または仮想入賞ラインＬｖ１〜Ｌｖ４にビッグボーナス（８）（９）の組み合わせが揃った旨を示す仮想入賞報知演出を行う。前述のように、ビッグボーナス（７）の組み合わせは、特別役が当選していることを条件に仮想入賞ラインＬｖ１、Ｌｖ２に揃う可能性があり、ビッグボーナス（８）（９）の組み合わせは、特別役が当選していることを条件に仮想入賞ラインＬｖ１〜Ｌｖ４に揃う可能性があるため、仮想入賞報知演出は、リーチ目が成立した旨を報知するリーチ目報知演出としても機能する。
【１１２５】
ＣＰＵ９１ａは、３つのリールのうち２つのリールが停止した時点で、停止済みリールにおいて入賞ラインＬにビッグボーナス（６）〜（９）のいずれかの構成図柄が聴牌している場合に、聴牌音を出力することでビッグボーナス（６）〜（９）のいずれかの役が聴牌している旨を報知する聴牌報知を行う。
【１１２６】
また、ＣＰＵ９１ａは３つのリールのうち２つのリールが停止した時点で、入賞ラインＬにビッグボーナス（６）〜（９）の組み合わせの構成図柄が聴牌していない場合であっても、仮想入賞ラインＬｖ１〜Ｌｖ４に「赤７−赤７−赤７」、「青７−青７−青７」、「白７−白７−白７」のいずれかの組み合わせの構成図柄が聴牌した場合に前述と同様に聴牌音を出力して聴牌報知を行う。
【１１２７】
また、ＣＰＵ９１ａは、ＲＴ（１０）、すなわちリプレイ（４）〜（６）の当選確率が通常遊技状態に比較して高く、リプレイ（４）が入賞しやすい状態において、図７２（ａ）に示すように、リールが回転している状態では、液晶表示器５１のリールの前面領域において入賞ラインＬ上に位置しない領域に非透過画像などを表示して視認できない状態または視認しづらい状態とするとともに、全てのリールが停止した後、画像演出を経て図７２（ｂ）〜（ｃ）に示すように、非透過画像を透過画像に切り替える演出を行う。
【１１２８】
これにより、ＲＴ（１０）では、全てのリールが停止するまで仮想入賞ライン上の図柄の組み合わせを見えない状態とし、全てが停止した後、画像演出を経て仮想入賞ライン上に揃っている図柄の組み合わせを初めて認識できるようになり、リプレイ（４）が当選し、仮想入賞ラインに「赤７−赤７−赤７」の組み合わせが揃った場合でも、画像演出が終了するまで仮想入賞ラインに「赤７−赤７−赤７」の組み合わせが揃っているか否かを判別することが困難となる。
【１１２９】
以上説明したように、本実施例のスロットマシンでは、以下のような作用・効果を有する。
【１１３０】
本実施例では、通常遊技状態においてビッグボーナス（６）〜（７）が当選し、ビッグボーナス（６）〜（７）に移行した場合には、ビッグボーナス（６）の終了後のみ、ＲＴ（９）に移行する一方、ＲＴ（９）においてビッグボーナス（６）〜（７）が当選し、ビッグボーナス（６）〜（７）に移行した場合には、ビッグボーナス（６）〜（７）のいずれであってもその終了後、ＲＴ（９）に移行するが、ビッグボーナス（９）の終了後は、ＲＴ（９）に移行することがないので、一度ビッグボーナス（６）に当選すると、その後、特別役が当選した後、入賞するまでの間やビッグボーナス中を除いて、ビッグボーナス（９）が当選するまでＲＴ（９）が継続するようになっており、通常遊技状態においてビッグボーナス（６）が当選した場合には、長期間ＲＴ（９）に制御されることに対する期待感を高めることができる。
【１１３１】
また、リプレイ（４）〜（６）が入賞した場合にもＲＴ（９）に移行するとともに、ビッグボーナス（９）の終了後は、リプレイ（４）〜（６）の当選確率が通常遊技状態よりも高まるＲＴ（１０）に移行し、その間は、ＲＴ（９）へ移行する可能性が高まるため、
、例え、ＲＴ（９）においてビッグボーナス（９）に当選してしまった場合でも、ＲＴ（９）がさらに継続することを期待させることができる。
【１１３２】
また、通常遊技状態においてベル（２）が入賞した場合にもＲＴ（１０）へ移行し、その間は、ＲＴ（９）へ移行する可能性が高まるため、ビッグボーナス（６）やビッグボーナス（９）に当選しない状態が継続してもＲＴ（９）への移行を期待させることができる。
【１１３３】
本実施例では、「スイカ−赤７−赤チェリー」の組み合わせが入賞ラインＬに揃ってビッグボーナス（６）が発生したときに、「赤７−赤７−赤７」の組み合わせが右下がりに揃い、「赤７−赤７−赤７」の組み合わせが入賞ラインＬに揃ってビッグボーナス（７）が発生したときに、「赤７−赤７−赤７」の組み合わせが中段に揃うので、「赤７−赤７−赤７」の組み合わせが中段に揃ったときにも、右下がりに揃ったときにもビッグボーナスの入賞となるが、通常遊技状態において当選した場合には、「赤７−赤７−赤７」の組み合わせが右下がりに揃ったときには、ＲＴ（９）へ移行するのに対して、「赤７−赤７−赤７」の組み合わせが中段に揃ったときにはＲＴ（９）へ移行することがなく、「赤７−赤７−赤７」の組み合わせが中段に揃ったか、右下がりに揃ったか、に応じて有利度を変化させることができる。
【１１３４】
また、「ベル−リプレイ−ベル」の組み合わせが入賞ラインＬに揃ってリプレイ（３）が発生したときに、「リプレイ−リプレイ−リプレイ」の組み合わせが右上がりに揃い、「リプレイ−リプレイ−リプレイ」の組み合わせが入賞ラインＬに揃ってリプレイ（５）が発生したときに、「リプレイ−リプレイ−リプレイ」の組み合わせが中段に揃うので、「リプレイ−リプレイ−リプレイ」の組み合わせが中段に揃ったときにも、右上がりに揃ったときにも再遊技役の入賞となるが、通常遊技状態及びＲＴ（１０）において「リプレイ−リプレイ−リプレイ」の組み合わせが中段に揃ったときにはＲＴ（９）へ移行するのに対して、「リプレイ−リプレイ−リプレイ」の組み合わせが右上がりに揃ったときにはＲＴ（９）へ移行することがなく、「リプレイ−リプレイ−リプレイ」の組み合わせが中段に揃ったか、右上がりに揃ったか、に応じて有利度を変化させることができる。
【１１３５】
また、「リプレイ−ベル−リプレイ」の組み合わせが入賞ラインＬに揃ってベル（１）が発生したときに、「ベル−ベル−ベル」の組み合わせが右下がりに揃い、「ベル−ベル−ベル」の組み合わせが入賞ラインＬに揃ってベル（２）が発生したときに、「ベル−ベル−ベル」の組み合わせが中段に揃うので、「ベル−ベル−ベル」の組み合わせが中段に揃ったときにも、右上がりに揃ったときにも小役の入賞となるが、通常遊技状態において「ベル−ベル−ベル」の組み合わせが中段に揃ったときにＲＴ（１０）へ移行するのに対して、「ベル−ベル−ベル」の組み合わせが右下がりに揃ったときにはＲＴ（１０）に移行することがなく、「ベル−ベル−ベル」の組み合わせが中段に揃ったか、右下がりに揃ったか、に応じて有利度を変化させることができる。
【１１３６】
また、本実施例ではリプレイ（４）が入賞したときに、「赤７−赤７−赤７」の組み合わせが仮想入賞ラインＬｖ４に揃うようになっている。すなわちＲＴ（９）への移行を伴うリプレイ（４）が入賞したときにも、ビッグボーナス（６）が入賞したときにもともに「赤７−赤７−赤７」の組み合わせが仮想入賞ラインに揃うようになっており、「赤７−赤７−赤７」の組み合わせが仮想入賞ラインに揃った場合でも、入賞した役が異なることがある。
【１１３７】
このため、異なる入賞が発生した場合でも、仮想入賞ラインＬｖ上には共通の図柄の組み合わせが停止することとなるため、同じ「赤７−赤７−赤７」の組み合わせが、仮想入賞ラインに停止した場合でも、実際に発生した入賞によって付与される価値が異なることとなるので、ゲームの結果に意外性を持たせることができる。
【１１３８】
また、本実施例では、入賞した際に、仮想入賞ライン上に「赤７−赤７−赤７」が揃うこととなるビッグボーナス（６）、リプレイ（４）の組み合わせとして、それぞれ「スイカ−赤７−赤チェリー」、「リプレイ−赤７−プラム」が適用されており、同一図柄の組み合わせではなく、入賞ラインＬ上に揃ったことが認識しづらい組み合わせであるため、入賞ラインＬに揃ったビッグボーナス（６）、リプレイ（４）の組み合わせではなく、仮想入賞ラインに停止した図柄の組み合わせ（「赤７−赤７−赤７」）を際だたせることが可能となり、「赤７−赤７−赤７」の組み合わせが仮想入賞ライン上に停止したことに対して遊技者の注目を向けることができる。
【１１３９】
また、本実施例では、「スイカ−赤７−赤チェリー」の組み合わせが入賞ラインＬに揃ってビッグボーナス（６）が発生した場合、「リプレイ−赤７−プラム」の組み合わせが入賞ラインＬに揃ってリプレイ（４）が発生した場合には、入賞ラインＬに停止した図柄に対応するリールＬＥＤ５５ではなく、仮想入賞ラインに揃った「赤７−赤７−赤７」に対応するリールＬＥＤ５５を点滅させることによって入賞が発生した旨を示す入賞報知演出を行うようになっており、入賞ラインＬに揃ったビッグボーナス（６）、リプレイ（４）の組み合わせではなく、仮想入賞ラインに停止した図柄の組み合わせ（「赤７−赤７−赤７」）を際だたせることが可能となり、「赤７−赤７−赤７」の組み合わせが仮想入賞ライン上に停止したことに対して遊技者の注目を向けることができる。
【１１４０】
本実施例では、３つのリールのうち２つのリールが停止した時点で、停止済みリールにおいて入賞ラインＬにビッグボーナス（６）〜（９）のいずれかの構成図柄が聴牌している場合に、聴牌音を出力することでビッグボーナス（６）〜（９）のいずれかの役が聴牌している旨を報知する聴牌報知を行うようになっており、聴牌報知によって特別役の当選に対する遊技者の期待感を高めることができる。また、３つのリールのうち２つのリールが停止した時点で、入賞ラインＬにビッグボーナス（６）〜（９）の組み合わせの構成図柄が聴牌していない場合であっても、仮想入賞ラインＬｖ１〜Ｌｖ４に「赤７−赤７−赤７」の組み合わせの構成図柄が聴牌した場合に聴牌音を出力して聴牌報知を行うようになっており、ビッグボーナス（６）が入賞する際に仮想入賞ラインに揃うこととなる「赤７−赤７−赤７」の組み合わせの構成図柄が聴牌した場合にも、特別役の当選に対する遊技者の期待感を確実に高めることができる。
【１１４１】
また、リプレイ（４）が入賞した場合を除いて、「赤７−赤７−赤７」の組み合わせは、いずれかの特別役が当選していることを条件に仮想入賞ラインに揃えることが可能に制御されるので、仮想入賞ラインに「赤７−赤７−赤７」の組み合わせが揃った際に、特別役が入賞しなかった場合でも、特別役が当選していることまたはＲＴ（９）への移行が示唆されるため、仮想入賞ラインに「赤７−赤７−赤７」の組み合わせの構成図柄が聴牌した場合に聴牌報知が行われることにより、特別役の当選に対する遊技者の期待感を効果的に高めることができる。
【１１４２】
本実施例では、ＲＴ（１０）において、リールが回転している状態では、液晶表示器５１のリールの前面領域において入賞ラインＬ上に位置しない領域に非透過画像などを表示して視認できない状態または視認しづらい状態とするとともに、全てのリールが停止した後、画像演出を経て非透過画像を透過画像に切り替える演出を行うようになっており、ＲＴ（１０）では、全てのリールが停止するまで仮想入賞ライン上の図柄の組み合わせを見えない状態とし、全てが停止した後、画像演出を経て仮想入賞ライン上に揃っている図柄の組み合わせを初めて認識させることが可能となり、リプレイ（４）が当選し、仮想入賞ラインに「赤７−赤７−赤７」の組み合わせが揃った場合でも、画像演出が終了するまで仮想入賞ラインに「赤７−赤７−赤７」の組み合わせが揃っているか否かを判別することが困難となるので、仮想入賞ラインに「赤７−赤７−赤７」の組み合わせが揃っていること、すなわちＲＴ（９）への移行に対する期待感を持続させることができる。
【１１４３】
また、リールの前面に画像を表示させて演出が行われるので、インパクトのある演出を実現できるうえに、入賞ラインＬ上に位置しない領域、すなわち入賞判定の対象とならない領域で画像が表示されるので、入賞判定の対象となる図柄の視認を妨げることがなく、ゲームの進行に影響を与えることがない。
【１１４４】
以上、本発明の実施例４を説明してきたが、本発明はこの実施例４に限定されるものではなく、本発明の主旨を逸脱しない範囲における変更や追加があっても本発明に含まれることは言うまでもない。また、実施例１〜３と同一もしくは類似する構成については、実施例１〜３で説明したものと同様の効果を有するものである。また、実施例１〜３について例示した変形例についても実施例４に適用可能である。
【１１４５】
例えば、前記実施例４では、リプレイ（４）が入賞した場合を除いていずれかの特別役が当選していることを条件に「赤７−赤７−赤７」の組み合わせを仮想入賞ラインに揃えることが可能に制御されるようになっている、すなわちリプレイ（４）が入賞した場合にも「赤７−赤７−赤７」の組み合わせが仮想入賞ラインに揃う可能性があるが、いずれかの特別役が当選している場合のみ「赤７−赤７−赤７」の組み合わせを仮想入賞ラインに揃えることが可能に制御するようにしても良く、このようにすれば、仮想入賞ラインに「赤７−赤７−赤７」の組み合わせが揃った際に、特別役が入賞しなかった場合でも、特別役が当選していることが確定するため、仮想入賞ラインに「赤７−赤７−赤７」の組み合わせの構成図柄が聴牌した場合に聴牌報知が行われることにより、特別役の当選に対する遊技者の期待感をさらに効果的に高めることができる。
【１１４６】
前記実施例４では、どの遊技状態であっても入賞判定の対象となる領域は、入賞ラインＬ１が通る領域のみであり、入賞ラインＬ上に位置しない領域が変動しないものであったが、例えば、遊技状態に応じて入賞ラインが変化することによって、入賞判定の対象となる領域が変化する場合には、変化後の入賞判定の対象とならない領域の前面に画像を表示させて演出を行うことで、インパクトのある演出を実現できるうえに、入賞判定の対象となる図柄の視認を妨げずに済む。また、通常は全ての領域が入賞判定の対象となるが、特定の遊技状態において入賞ラインが制限されることによって入賞判定の対象とならない領域が生じる場合には、特定の遊技状態においてのみ入賞判定の対象とならない領域の前面で画像を表示させて演出を行うようにしても良い。
【１１４７】
また、前記実施例４では、特別役の組み合わせが入賞ラインＬに揃った際に仮想入賞ラインに揃う「赤７−赤７−赤７」の組み合わせ、すなわち特別役の代替図柄の組み合わせが入賞ラインＬに揃った場合に、ビッグボーナス（７）、すなわち他の特別役が入賞することとなるが、例えば、代替図柄の組み合わせが入賞ラインＬに揃っても特別役の入賞とはならないものにおいては、３つのリールのうち２つのリールが停止した時点で、入賞ラインＬに特別役の構成図柄が聴牌していない場合であっても、代替図柄が聴牌した場合に聴牌音を出力して聴牌報知を行うことが好ましく、特別役が入賞する際に仮想入賞ラインに揃うこととなる代替図柄が聴牌した場合にも、特別役の当選に対する遊技者の期待感を確実に高めることができる。尚、この場合には、入賞ラインが一直線上の図柄を通るものなど、遊技者から見て分かりやすい入賞ラインであることが好ましい。これは、遊技者から見て分かりにくい入賞ラインに代替図柄が聴牌した際に聴牌報知が行われることによって、見た目上特別役の入賞が期待できない状態で聴牌報知が行われることとなり、聴牌報知によって特別役の入賞に対する遊技者の期待感を十分に高めることができなくなってしまうからである。
【図面の簡単な説明】
【１１４８】
【図１】本発明が適用された実施例のスロットマシンの正面図である。
【図２】スロットマシンの内部構造図である。
【図３】リールの図柄配列を示す図である。
【図４】スロットマシンの構成を示すブロック図である。
【図５】遊技制御基板と該遊技制御基板に接続される遊技用電子部品との配線接続状態を示す概略図である。
【図６】遊技制御基板における断線監視ＩＣの周辺の構成を示す回路図である。
【図７】（ａ）は、外部出力基板の構成を示すブロック図であり、（ｂ）は、セキュリティ信号のデータフォーマットの構成を示す図である。
【図８】（ａ）は、セキュリティ信号の一例を示す図であり、（ｂ）（ｃ）は、セキュリティー信号の送信状況を示す図である。
【図９】（ａ）は、メダルＩＮ信号の出力状況を示すタイミングチャートであり、（ｂ）は、メダルＯＵＴ信号の出力状況を示すタイミングチャートである。
【図１０】当選役テーブルを示す図である。
【図１１】各遊技状態における内部抽選用の乱数の値及び各役の判定値数と、当選役との関係の例をそれぞれ示す図である。
【図１２】各遊技状態における内部抽選用の乱数の値及び各役の判定値数と、当選役との関係の例をそれぞれ示す図である。
【図１３】レギュラーボーナスにおける内部抽選用の乱数の値及び各役の判定値数と、当選役との関係の例を示す図である。
【図１４】リールモータの構成を示す図である。
【図１５】（ａ）は、リールモータの始動時の制御方法を示すタイミングチャートであり、（ｂ）は、リールモータの回転中及び停止時の制御方法を示すタイミングチャートである。
【図１６】内部抽選の結果、停止時期により適用される停止制御を示す図である。
【図１７】（ａ）は、滑りコマ数別の停止位置の優先度の比較順序を示す図であり、（ｂ）は停止位置の優先度の関係を示す図である。
【図１８】仮想滑りコマテーブルの構成を示す図である。
【図１９】共通停止制御テーブルの一例、並びに、テーブル＋コントロール方式による停止制御を行った際の仮想滑りコマテーブルの更新状況の一例を示す図である。
【図２０】（ａ）は、満タンエラーの制御状況を示すタイミングチャートであり、（ｂ）は、満タンセンサの検出状況を示すタイミングチャートである。
【図２１】満タンエラーの制御状況を示すタイミングチャートである。
【図２２】満タンエラーの制御状況の変形例を示すタイミングチャートである。
【図２３】満タンエラーの制御状況の変形例を示すタイミングチャートである。
【図２４】満タンエラーの制御状況の変形例を示すタイミングチャートである。
【図２５】入賞報知演出の実行状況を示すタイミングチャートである。
【図２６】入賞報知演出の実行状況を示すタイミングチャートである。
【図２７】入賞報知演出の実行状況を示すタイミングチャートである。
【図２８】（ａ）は、転落役報知回数の選択率を示す図であり、（ｂ）は、ＢＢ演出モード別の特徴を示す図である。
【図２９】ＲＴ（２）演出における背景選択率を示す図である。
【図３０】ビッグボーナス（４）またはビッグボーナス（５）が入賞した際に実行するボーナス演出の概要を示す図である。
【図３１】音量調整とゲームの進行状況との関係を示すタイミングチャートである。
【図３２】音量調整とゲームの進行状況との関係を示すタイミングチャートである。
【図３３】メイン制御部のＣＰＵが起動時に実行する起動処理の制御内容を示すフローチャートである。
【図３４】メイン制御部のＣＰＵがエラー発生時に実行するエラー処理の制御内容を示すフローチャートである。
【図３５】メイン制御部のＣＰＵが起動処理において実行する設定変更処理の制御内容を示すフローチャートである。
【図３６】メイン制御部のＣＰＵが起動処理後に実行するゲーム処理の制御内容を示すフローチャートである。
【図３７】メイン制御部のＣＰＵが起動処理後に実行するＢＥＴ処理の制御内容を示すフローチャートである。
【図３８】メイン制御部のＣＰＵが起動処理後に実行するＢＥＴ処理の制御内容を示すフローチャートである。
【図３９】メイン制御部のＣＰＵがゲーム処理において実行する内部抽選処理の制御内容を示すフローチャートである。
【図４０】メイン制御部のＣＰＵがゲーム処理において実行するリール回転処理の制御内容を示すフローチャートである。
【図４１】メイン制御部のＣＰＵがゲーム処理において実行する払出処理の制御内容を示すフローチャートである。
【図４２】メイン制御部のＣＰＵがゲーム終了時処理において実行するＲＴ処理の制御内容を示すフローチャートである。
【図４３】メイン制御部のＣＰＵが定期的に実行するタイマ割込処理（メイン）の制御内容を示すフローチャートである。
【図４４】メイン制御部のＣＰＵが定期的に実行するタイマ割込処理（メイン）の制御内容を示すフローチャートである。
【図４５】メイン制御部のＣＰＵがタイマ割込処理（メイン）において実行する停止スイッチ処理の制御内容を示すフローチャートである。
【図４６】メイン制御部のＣＰＵがタイマ割込処理（メイン）において実行するドア監視処理の制御内容を示すフローチャートである。
【図４７】メイン制御部のＣＰＵがタイマ割込処理（メイン）において実行するコマンド送信処理の制御内容を示すフローチャートである。
【図４８】メイン制御部のＣＰＵがタイマ割込処理（メイン）において実行する外部出力信号更新処理の制御内容を示すフローチャートである。
【図４９】メイン制御部のＣＰＵが、電断検出回路から電圧低下信号の入力されることによって実行する電断割込処理（メイン）の制御内容を示すフローチャートである。
【図５０】サブ制御部のＣＰＵが起動時に実行する起動処理（サブ）の制御内容を示すフローチャートである。
【図５１】サブ制御部のＣＰＵが定期的に実行するタイマ割込処理（サブ）の制御内容を示すフローチャートである。
【図５２】基板ケース及び基板ケースをスロットマシンの本体をなす筐体に取り付けるための取付ベース、コネクタ規制部材を示す分解斜視図である。
【図５３】基板ケース及び基板ケースをスロットマシンの本体をなす筐体に取り付けるための取付ベース、コネクタ規制部材を示す分解斜視図である。
【図５４】基板ケースを取付ベースに組み付けた状態を示す斜視図である。
【図５５】コネクタ規制部材を構成する取付側部材及びコネクタキャップの要部拡大斜視図である。
【図５６】（ａ）は、図５５のＡ−Ａ断面図であり、（ｂ）（ｃ）は、図５５のＢ−Ｂ断面図である。
【図５７】基板ケースを取付ベースに組み付け、更に取付側部材に対してコネクタキャップを装着した状態を示す斜視図である。
【図５８】（ａ）は、図５７のＣ−Ｃ断面図であり、（ｂ）は、図５７のＤ−Ｄ断面図である。
【図５９】基板ケースを取付ベースに封止する封止片を被覆する被覆部材の取付状況を示す斜視図である。
【図６０】（ａ）は、図５９の要部拡大図であり、（ｂ）は、（ａ）のＥ−Ｅ断面図であり、（ｃ）は、（ａ）のＦ−Ｆ断面図である。
【図６１】コネクタ規制部材を構成する載置台及びカバー部材を示す分解斜視図である。
【図６２】載置台に対してカバー部材を組み付けた状態を示す斜視図である。
【図６３】（ａ）は、図６２のＧ−Ｇ断面図であり、（ｂ）は、図６２のＨ−Ｈ断面図である。
【図６４】被覆部材の変形例を示す斜視図である。
【図６５】（ａ）は、図６４の要部拡大図であり、（ｂ）は、図６５（ａ）のＩ−Ｉ断面図である。
【図６６】遊技制御基板におけるメイン制御部の電源まわりの構成の変形例を示す回路図である。
【図６７】変形例におけるリールモータの制御方法を示すタイミングチャートである。
【図６８】実施例３の抽選対象となる役及び役の組み合わせを示す図である。
【図６９】実施例３の各遊技状態における内部抽選用の乱数の値及び各役の判定値数と、当選役との関係の例をそれぞれ示す図である。
【図７０】実施例４の入賞ライン及び仮想入賞ラインの構成を示す図である。
【図７１】実施例４の役構成を示す図である。
【図７２】液晶表示器を用いた演出の一例である。
【符号の説明】
【１１４９】
１  スロットマシン
２Ｌ、２Ｃ、２Ｒ  リール
２５  ドア開放検出スイッチ
３２Ｌ、３２Ｃ、３２Ｒ  リールモータ
３４  ホッパーユニット
３５  オーバーフロータンク
３５ａ  満タンセンサ
４１  メイン制御部
４１ａ  ＣＰＵ
４１ｂ  ＲＯＭ
４１ｃ  ＲＡＭ
５６ａ、５６ｂ  発光装置
５７ａ、５７ｂ  受光装置
９１  サブ制御部
９１ａ  ＣＰＵ
９１ｂ  ＲＯＭ
９１ｃ  ＲＡＭ
９９  タッチパネルコントローラ
【図１】
0005518287.tif 000002
【図２】
0005518287.tif 000003
【図３】
0005518287.tif 000004
【図４】
0005518287.tif 000005
【図５】
0005518287.tif 000006
【図６】
0005518287.tif 000007
【図７】
0005518287.tif 000008
【図８】
0005518287.tif 000009
【図９】
0005518287.tif 000010
【図１０】
0005518287.tif 000011
【図１１】
0005518287.tif 000012
【図１２】
0005518287.tif 000013
【図１３】
0005518287.tif 000014
【図１４】
0005518287.tif 000015
【図１５】
0005518287.tif 000016
【図１６】
0005518287.tif 000017
【図１７】
0005518287.tif 000018
【図１８】
0005518287.tif 000019
【図１９】
0005518287.tif 000020
【図２０】
0005518287.tif 000021
【図２１】
0005518287.tif 000022
【図２２】
0005518287.tif 000023
【図２３】
0005518287.tif 000024
【図２４】
0005518287.tif 000025
【図２５】
0005518287.tif 000026
【図２６】
0005518287.tif 000027
【図２７】
0005518287.tif 000028
【図２８】
0005518287.tif 000029
【図２９】
0005518287.tif 000030
【図３０】
0005518287.tif 000031
【図３１】
0005518287.tif 000032
【図３２】
0005518287.tif 000033
【図３３】
0005518287.tif 000034
【図３４】
0005518287.tif 000035
【図３５】
0005518287.tif 000036
【図３６】
0005518287.tif 000037
【図３７】
0005518287.tif 000038
【図３８】
0005518287.tif 000039
【図３９】
0005518287.tif 000040
【図４０】
0005518287.tif 000041
【図４１】
0005518287.tif 000042
【図４２】
0005518287.tif 000043
【図４３】
0005518287.tif 000044
【図４４】
0005518287.tif 000045
【図４５】
0005518287.tif 000046
【図４６】
0005518287.tif 000047
【図４７】
0005518287.tif 000048
【図４８】
0005518287.tif 000049
【図４９】
0005518287.tif 000050
【図５０】
0005518287.tif 000051
【図５１】
0005518287.tif 000052
【図５２】
0005518287.tif 000053
【図５３】
0005518287.tif 000054
【図５４】
0005518287.tif 000055
【図５５】
0005518287.tif 000056
【図５６】
0005518287.tif 000057
【図５７】
0005518287.tif 000058
【図５８】
0005518287.tif 000059
【図５９】
0005518287.tif 000060
【図６０】
0005518287.tif 000061
【図６１】
0005518287.tif 000062
【図６２】
0005518287.tif 000063
【図６３】
0005518287.tif 000064
【図６４】
0005518287.tif 000065
【図６５】
0005518287.tif 000066
【図６６】
0005518287.tif 000067
【図６７】
0005518287.tif 000068
【図６８】
0005518287.tif 000069
【図６９】
0005518287.tif 000070
【図７０】
0005518287.tif 000071
【図７１】
0005518287.tif 000072
【図７２】
0005518287.tif 000073